(57)【要約】【課題】  従来の光学活性高分子を用いた分離剤では分離不可能なラセミ体化合物の、液体クロマト分取法による製造への適応の可能性を広げ、また生産性向上のため、用いる担体の粒径を大きくした場合でも、光学異性体間の充分な分離を得ることができる、分取目的化合物に対して大きな分離係数（α値）を有する、分取用光学異性体分離剤及びその製造方法、並びにそれを用いた光学活性化合物の分離方法の提供する。【解決手段】  光学活性ポリマレイミド誘導体を分取用光学異性体分離剤へと適応させるため、従来の分取用光学異性体分離剤ではあまり利用例のない、３０〜１００μｍの大粒径担体に担持し、分取用光学異性体分離剤として用いる。【選択図】  なし【特許請求の範囲】
【請求項１】
下記一般式（１）で示される構造単位からなる、ポリスチレン換算で数平均分子量１００〜１００，０００の光学活性ポリマレイミド誘導体からなる分取用光学異性体分離剤。
【化１】
2007029867.tif 000005
［上記一般式（１）中、置換基Ｒ１〜Ｒ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を表し、置換基Ｒ６はメチル基、エチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示す。＊印は不斉炭素を表す。］
【請求項２】
光学活性ポリマレイミド誘導体が、一般式（１）において、置換基Ｒ１〜Ｒ５が全て水素原子であり、かつ置換基Ｒ６がメチル基であることを特徴とする請求項１に記載の分取用光学異性体分離剤。
【請求項３】
下記一般式（２）で示される構造単位からなる、ポリスチレン換算で数平均分子量１００〜１００，０００の光学活性ポリマレイミド誘導体からなる分取用光学異性体分離剤。
【化２】
2007029867.tif 000006
［上記一般式（２）中、置換基Ｒ１〜Ｒ１１は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を表し、置換基Ｒ１２はメチル基、エチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示す。＊印は不斉炭素を表す。］
【請求項４】
光学活性ポリマレイミド誘導体が、一般式（２）において、置換基Ｒ１〜Ｒ１１が全て水素原子であり、かつ置換基Ｒ１２がメチル基であることを特徴とする請求項３に記載の分取用光学異性体分離剤。
【請求項５】
下記一般式（３）で示される構造単位からなる、ポリスチレン換算で数平均分子量１００〜１００，０００の光学活性ポリマレイミド誘導体からなる分取用光学異性体分離剤。
【化３】
2007029867.tif 000007
［上記一般式（３）中、Ｘ１〜Ｘ８は各々独立して、メチレン基、酸素原子、カルボニル基、カルボニルオキシ基、カルボニルアミノ基、アミノカルボニル基、アミノカルボニルオキシ基又は単結合を表し、また、Ｒ１〜Ｒ８は各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、メチル基で芳香環上の水素が１〜４置換された炭素数５〜１０の芳香族基、エチル基で芳香環上の水素が１〜４置換された炭素数５〜１０の芳香族基、炭素数３〜６の直鎖状，分岐状若しくは環式のアルキル基で芳香環上の水素が１〜４置換された炭素数５〜１０の芳香族基、メトキシ基で芳香環上の水素が１〜４置換された炭素数５〜１０の芳香族基、エトキシ基で芳香環上の水素が１〜４置換された炭素数５〜１０の芳香族基、炭素数３〜６の直鎖状，分岐状若しくは環式のアルコキシ基で芳香環上の水素が１〜４置換された炭素数５〜１０の芳香族基、ベンジル基、メチル基で芳香環上の水素が１〜４置換されたベンジル基、エチル基で芳香環上の水素が１〜４置換されたベンジル基、炭素数３〜６の直鎖状，分岐状若しくは環式のアルキル基で芳香環上の水素が１〜４置換されたベンジル基、メトキシ基で芳香環上の水素が１〜４置換されたベンジル基、エトキシ基で芳香環上の水素が１〜４置換されたベンジル基、炭素数３〜６の直鎖状，分岐状若しくは環式のアルコキシ基で芳香環上の水素が１〜４置換されたベンジル基、２−フェニルエチル基、メチル基で芳香環上の水素が１〜４置換された２−フェニルエチル基、エチル基で芳香環上の水素が１〜４置換された２−フェニルエチル基、炭素数３〜６の直鎖状，分岐状若しくは環式のアルキル基で芳香環上の水素が１〜４置換された２−フェニルエチル基、メトキシ基で芳香環上の水素が１〜４置換された２−フェニルエチル基、エトキシ基で芳香環上の水素が１〜４置換された２−フェニルエチル基、炭素数３〜６の直鎖状，分岐状若しくは環式のアルコキシ基で芳香環上の水素が１〜４置換された２−フェニルエチル基、原子数５〜１０からなるヘテロ環芳香族基を表す。ただし、Ｒ１−Ｘ１、Ｒ２−Ｘ２、Ｒ３−Ｘ３、Ｒ４−Ｘ４、Ｒ５−Ｘ５、Ｒ６−Ｘ６、Ｒ７−Ｘ７、及びＲ８−Ｘ８が全て同じ置換基となることはない。＊印は不斉炭素を表す。］
【請求項６】
光学活性ポリマレイミド誘導体が、一般式（３）において、Ｒ３−Ｘ３、Ｒ４−Ｘ４、Ｒ５−Ｘ５及びＲ６−Ｘ６が水素原子を表し、Ｒ１−Ｘ１、Ｒ２−Ｘ２、Ｒ７−Ｘ７及びＲ８−Ｘ８が各々独立して水素原子又はベンジルオキシ基を表す（ただし、Ｒ１−Ｘ１、Ｒ２−Ｘ２、Ｒ７−Ｘ７、及びＲ８−Ｘ８が全て同じ置換基となることはない）ことを特徴とする請求項５に記載の分取用光学異性体分離剤。
【請求項７】
請求項１乃至請求項６のいずれかに記載の光学活性ポリマレイミド誘導体を担体に担持させたものからなる分取用光学異性体分離剤。
【請求項８】
担体が有機多孔質担体又は無機多孔質担体であることを特徴とする請求項７に記載の分取用光学異性体分離剤。
【請求項９】
担体がシリカゲルであることを特徴とする請求項７に記載の分取用光学異性体分離剤。
【請求項１０】
担体の平均粒径が１０μｍ〜５００μｍであることを特徴とする請求項７乃至請求項９のいずれかに記載の分取用光学異性体分離剤。
【請求項１１】
光学活性ポリマレイミド誘導体を、担体に対して、３〜２０重量％担持させたものからなる請求項７乃至請求項１０のいずれかに記載の分取用光学異性体分離剤。
【請求項１２】
請求項１乃至請求項６のいずれかに記載の光学活性ポリマレイミド誘導体を、良溶媒に溶解させ、担体を懸濁し、次いで蒸発、乾固することにより担持することを特徴とする請求項７乃至請求項１１のいずれかに記載の分取用光学異性体分離剤の製造方法。
【請求項１３】
請求項１至乃至請求項１１に記載の分取用光学異性体分離剤を用い、光学異性体を含む混合物から光学活性化合物を分離することを特徴とする光学活性化合物の製造方法。
【請求項１４】
請求項１至乃至請求項１１のいずれかに記載の分取用光学異性体分離剤をカラムに充填してなる分取用充填カラム。
【請求項１５】
請求項１４に記載の分取用充填カラムを用い、光学異性体を含む混合物から光学活性化合物を分離することを特徴とする光学活性化合物の分離方法。
【請求項１６】
請求項１４に記載の分取用充填カラムを用い、高速液体クロマトグラフィーにより光学活性体取得を目的とする分取を行うことを特徴とする光学活性化合物の分離方法。
【請求項１７】
請求項１４に記載の分取用充填カラムを用い、擬似移動床式クロマトグラフィー方式により光学活性体取得を目的とする分取を行うことを特徴とする光学活性化合物の分離方法。
【発明の詳細な説明】
【技術分野】
【０００１】
本発明は、光学活性ポリマレイミド誘導体又はこれを担体に担持させたものからなる分取用光学異性体分離剤、その製造方法、並びにそれを用いた光学活性化合物の分離方法に関するものである。
【背景技術】
【０００２】
生体に対する光学活性化合物の生理活性は、光学異性体の一方において顕著に発現することが多い。よって医薬、農薬、食品、生化学関連の分野において、副作用、薬害の防止、単位当たりの薬効向上等のために、光学活性化合物の一方（Ｄ体又はＬ体又は＋体又は−体）を調製することは非常に重要である。
【０００３】
光学異性体を含む混合物から目的の光学活性化合物を得る工業的手法としては、ジアステレオマー法、優先晶出法、液体クロマトグラフィー法等がある。
【０００４】
ジアステレオマー法は光学異性体を含む混合物に光学活性な酸又は塩基を作用させることにより、ジアステレオマー塩を生成させ、塩の溶解度の差を利用して分別晶析を行い、分割後、塩を解離することによって目的の光学活性体を得る方法である。この方法においては分割剤が光学活性体と容易に塩を形成するものでなければならないため、適した分割剤を選択するのが容易ではなく、また高純度の光学活性体を得るのも困難である等の問題点を有している。
【０００５】
優先晶出法は光学異性体を含む混合物の過飽和溶液に目的の光学活性化合物の純粋な結晶を種として加え、これと同種の光学活性体の結晶のみを選択的に成長・析出させ、分割する方法である。しかし、光学異性体を含む混合物を優先晶出法で分割する場合、まず光学活性体が結晶化する化合物でなくてはならず、また光学異性体混合物の溶解度が取得を目的とする光学活性体よりも高いこと、光学異性体混合物の飽和溶液には活性体が溶解しないこと等の条件を満たす必要がある。
【０００６】
液体クロマトグラフィー法は、光学活性な化合物、又はこれを物理的若しくは化学的な手法により導入した剤を固定相として用い、固定相に対する移動相中の光学異性体間の相互作用の差を利用して分離する方法である。一般的に固定相としては、分子内に不斉炭素をもつ光学活性な化合物や光学活性ポリマーを多孔性物質に物理的若しくは化学的に吸着、担持させたものが用いられているが、中でも光学活性ポリマーを利用している例が数多く見られる。例えば、多糖類やその誘導体、詳しくは、セルロース、アミロース等のエステル誘導体、カルバメート誘導体（例えば、非特許文献１参照）やＤ−グルコピラノシドのエーテル及びエステル誘導体（例えば、特許文献１参照）、合成高分子では、光学活性メタクリル酸トリフェニルメチルエステル重合体（例えば、特許文献２、特許文献３参照）、光学活性アクリル酸アミド重合体（例えば、特許文献４参照）、メタクリル酸ジフェニル−２−ピリジルメチル（例えば、特許文献５参照）、光学活性メタクリル酸エステル重合体（例えば、特許文献６、特許文献７参照）等が知られている。
【０００７】
液体クロマトグラフィー法による光学活性化合物の分取は、分離に関する検討が比較的短期間で可能なため、少量多品種の光学活性化合物需要の増大傾向から、近年大いに注目を集めている。最近では、液体クロマトグラフィー法と擬似移動床法を組み合わせた工業規模での液体クロマト分取法の検討が進められ（例えば、特許文献８、特許文献９参照）、数ｋｇスケールでの分取も行われる状況に至っている。しかしながら、上述の光学活性高分子を光学活性化合物の分離剤として用いた場合、特定の化合物についての分離性能は優れているものの、分離可能なラセミ体化合物はそれぞれの光学活性高分子ごとに限られることや、用いる担体の粒径を大きくすると、理論段数が低下し光学活性化合物の充分な分離が得られないという問題点があった。よって、多種多様な光学活性化合物に適応可能であり、またクロマト分取生産性を向上させるために、分取目的化合物をさらによく分ける、すなわちより大きな分離係数（α値）をもった、分取用光学異性体分離剤の開発が望まれている。
【０００８】
一方、本出願人は、光学活性ポリマレイミド誘導体の光学異性体分離剤としての利用について既に特許出願している（例えば、特許文献１０、特許文献１１、特許文献１２参照）。これらの光学活性ポリマレイミド誘導体は多種多様な光学活性化合物に対して良好な光学分離能を示しており、光学異性体分離剤として幅広く使用することができ、充填剤として非常に有用である。しかしながら、従来の光学活性ポリマレイミド誘導体を用いた光学異性体分離剤は、担持させる担体の粒径が５μｍ程度であり、主に光学純度の決定を行う高速液体クロマトグラフィー用のカラム充填剤としての用途を前提として開発されたものであった。
【０００９】
【特許文献１】特開平１１−３４９４９４号公報
【特許文献２】特開昭５６−１０６９０７号公報
【特許文献３】特開昭５６−１４２２１６号公報
【特許文献４】特開昭５６−１６７７０８号公報
【特許文献５】特開昭５７−２０９９０８号公報
【特許文献６】特開平０８−２０８７４９号公報
【特許文献７】特開２００１−１１４８３２号公報
【特許文献８】特開平４−２１１０２１号公報
【特許文献９】特開平６−２３９７６７号公報
【特許文献１０】特開２００２−８８１２１号公報
【特許文献１１】特開２００３−０６４０５４号公報
【特許文献１２】特開２００４−３４６０１１号公報
【非特許文献１】Ｙ．Ｏｋａｍｏｔｏ，  Ｍ．Ｋａｗａｓｈｉｔａ  ａｎｄ  Ｋ．Ｈａｔａｄａ，  Ｊ．Ａｍ．Ｃｈｅｍ．Ｓｏｃ．，  １０６，  ５３５７，  １９８４
【発明の開示】
【発明が解決しようとする課題】
【００１０】
液体クロマトグラフィー法により、光学異性体混合物から目的とする光学活性化合物の分取を行う場合、一度に処理できるサンプルの量を増やした方が効率的なため、通常カラムのサイズを大きくする。よって、高速液体クロマトグラフィーを用いた方法では対応できないため、中圧ポンプでの送液、若しくは自然落下によるカラムクロマトグラフィーや擬似移動床法を用いた手法が用いられる。しかしながら、小粒径の担体を利用した充填剤を工業用の分取用カラム充填剤として使用した場合、分取用カラムはカラム長も長く、充填剤を大量に詰めるため、カラムにかかる圧力が非常に高くなることが予想され、溶離液の通液速度も低く抑えざるを得ず、生産性が大きく低下するという問題がある。
【００１１】
また上述のように、近年の分取精製装置は擬似移動床法が主流となっているが、擬似移動床法の分取精製装置は、精密なバルブの切替えが必要であるため、通常カラム１本当りの圧損が１ＭＰａ以上のカラムは使用することができない。したがって、従来の光学活性ポリマレイミド誘導体を用いた光学異性体分離剤は粒子径が小さく、圧損が大きい（分析用カラムに充填した場合５ＭＰａ程度）ので、中圧ポンプでの送液、若しくは自然落下によるカラムクロマトグラフィーや擬似移動床法には使用できなかった。
【００１２】
一方、コストの面からも、一般的に粒径の小さな担体は高価格のため、担持させる担体の粒径が５μｍ程度である従来の光学活性ポリマレイミド誘導体を用いた光学異性体分離剤は、充填剤を大量に使用する工業用カラムには利用が難しかった。また、現在市販されている分取用光学異性体分離剤は、上述のように、分離可能なラセミ化合物がそれぞれの光学活性高分子ごとに限られるという問題があり、また生産性の向上を目指した単位時間当たりの通液量の増加や、充填剤の製造コストを低く抑えるため、さらには用いる担体の粒径を大きくすると、理論段数が低下し光学活性化合物の充分な分離が得られないため、粒径が２０μｍ程度までのものに限られていた。
【００１３】
本発明は上記の課題に鑑みてなされたものであり、その目的は、従来の光学活性ポリマレイミド誘導体を用いた光学異性体分離剤、及び現在一般的に使用されている分取用光学異性体分離剤の上記問題点を解決しうる、光学活性ポリマレイミド誘導体又はこれを担体に担持させたものからなる分取用光学異性体分離剤、その製造方法、並びにそれを用いた光学活性化合物の分離方法を提供することである。
【課題を解決するための手段】
【００１４】
本発明者らは、光学活性ポリマレイミド誘導体が光学異性体の分離において大きな分離係数（α値）をもつことに着目し、より簡便で、安価に大量製造が可能であり且つ工業的規模で利用可能な、分取用光学異性体分離剤の開発、及びそれを用いた光学活性化合物の製造方法の確立を目指し、鋭意検討した結果、特定の光学活性ポリマレイミド誘導体又はこれを担体に担持させたものからなる分取用光学異性体分離剤は、分取用途における光学異性体の分離において十分な分離性能を有すること、さらには当該光学活性ポリマレイミド誘導体を従来の分取用光学異性体分離剤では利用例の少ない３０〜１００μｍの大粒径担体に担持した剤が、特に良好な分離性能を有することを見出し、本発明を完成させるに至った。
【００１５】
すなわち本発明は、以下に示すとおりの光学活性ポリマレイミド誘導体又はこれを担体に担持させたものからなる分取用光学異性体分離剤、その製造方法、並びにそれを用いた光学活性化合物の分離方法である。
【００１６】
１．下記一般式（１）で示される構造単位からなる、ポリスチレン換算で数平均分子量１００〜１００，０００の光学活性ポリマレイミド誘導体からなる分取用光学異性体分離剤。
【００１７】
【化１】
2007029867.tif 000002
［上記一般式（１）中、置換基Ｒ１〜Ｒ５は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を表し、置換基Ｒ６はメチル基、エチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示す。＊印は不斉炭素を表す。］
２．光学活性ポリマレイミド誘導体が、上記一般式（１）において、置換基Ｒ１〜Ｒ５が全て水素原子であり、かつ置換基Ｒ６がメチル基であることを特徴とする上記１．に記載の分取用光学異性体分離剤。
３．下記一般式（２）で示される構造単位からなる、ポリスチレン換算で数平均分子量１００〜１００，０００の光学活性ポリマレイミド誘導体からなる分取用光学異性体分離剤。
【００１８】
【化２】
2007029867.tif 000003
［上記一般式（２）中、置換基Ｒ１〜Ｒ１１は各々独立して、水素原子、メチル基、エチル基、炭素数３〜１０の直鎖状、分岐状若しくは環式のアルキル基、メトキシ基、エトキシ基、炭素数３〜１０の直鎖状、分岐状若しくは環式のアルコキシ基を表し、置換基Ｒ１２はメチル基、エチル基、ｎ−プロピル基、ｉ−プロピル基、ｎ―ブチル基、ｉ−ブチル基、ｔｅｒｔ−ブチル基、メトキシメチル基、メトキシエチル基、エトキシメチル基、又はエトキシエチル基を示す。＊印は不斉炭素を表す。］
４．光学活性ポリマレイミド誘導体が、上記一般式（２）において、置換基Ｒ１〜Ｒ１１が全て水素原子であり、かつ置換基Ｒ１２がメチル基であることを特徴とする上記３．に記載の分取用光学異性体分離剤。
【００１９】
５．下記一般式（３）で示される構造単位からなる、ポリスチレン換算で数平均分子量１００〜１００，０００の光学活性ポリマレイミド誘導体からなる分取用光学異性体分離剤。
【００２０】
【化３】
2007029867.tif 000004
［上記一般式（３）中、Ｘ１〜Ｘ８は各々独立して、メチレン基、酸素原子、カルボニル基、カルボニルオキシ基、カルボニルアミノ基、アミノカルボニル基、アミノカルボニルオキシ基又は単結合を表し、また、Ｒ１〜Ｒ８は各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、メチル基で芳香環上の水素が１〜４置換された炭素数５〜１０の芳香族基、エチル基で芳香環上の水素が１〜４置換された炭素数５〜１０の芳香族基、炭素数３〜６の直鎖状，分岐状若しくは環式のアルキル基で芳香環上の水素が１〜４置換された炭素数５〜１０の芳香族基、メトキシ基で芳香環上の水素が１〜４置換された炭素数５〜１０の芳香族基、エトキシ基で芳香環上の水素が１〜４置換された炭素数５〜１０の芳香族基、炭素数３〜６の直鎖状，分岐状若しくは環式のアルコキシ基で芳香環上の水素が１〜４置換された炭素数５〜１０の芳香族基、ベンジル基、メチル基で芳香環上の水素が１〜４置換されたベンジル基、エチル基で芳香環上の水素が１〜４置換されたベンジル基、炭素数３〜６の直鎖状，分岐状若しくは環式のアルキル基で芳香環上の水素が１〜４置換されたベンジル基、メトキシ基で芳香環上の水素が１〜４置換されたベンジル基、エトキシ基で芳香環上の水素が１〜４置換されたベンジル基、炭素数３〜６の直鎖状，分岐状若しくは環式のアルコキシ基で芳香環上の水素が１〜４置換されたベンジル基、２−フェニルエチル基、メチル基で芳香環上の水素が１〜４置換された２−フェニルエチル基、エチル基で芳香環上の水素が１〜４置換された２−フェニルエチル基、炭素数３〜６の直鎖状，分岐状若しくは環式のアルキル基で芳香環上の水素が１〜４置換された２−フェニルエチル基、メトキシ基で芳香環上の水素が１〜４置換された２−フェニルエチル基、エトキシ基で芳香環上の水素が１〜４置換された２−フェニルエチル基、炭素数３〜６の直鎖状，分岐状若しくは環式のアルコキシ基で芳香環上の水素が１〜４置換された２−フェニルエチル基、原子数５〜１０からなるヘテロ環芳香族基を表す。ただし、Ｒ１−Ｘ１、Ｒ２−Ｘ２、Ｒ３−Ｘ３、Ｒ４−Ｘ４、Ｒ５−Ｘ５、Ｒ６−Ｘ６、Ｒ７−Ｘ７、及びＲ８−Ｘ８が全て同じ置換基となることはない。＊印は不斉炭素を表す。］
６．光学活性ポリマレイミド誘導体が、一般式（３）において、Ｒ３−Ｘ３、Ｒ４−Ｘ４、Ｒ５−Ｘ５及びＲ６−Ｘ６が水素原子を表し、Ｒ１−Ｘ１、Ｒ２−Ｘ２、Ｒ７−Ｘ７及びＲ８−Ｘ８が各々独立して水素原子又はベンジルオキシ基を表す（ただし、Ｒ１−Ｘ１、Ｒ２−Ｘ２、Ｒ７−Ｘ７、及びＲ８−Ｘ８が全て同じ置換基となることはない）ことを特徴とする上記５．に記載の分取用光学異性体分離剤。
【００２１】
７．上記１．乃至６．のいずれかに記載の光学活性ポリマレイミド誘導体を担体に担持させたものからなる分取用光学異性体分離剤。
【００２２】
８．担体が有機多孔質担体又は無機多孔質担体であることを特徴とする上記７．に記載の分取用光学異性体分離剤。
【００２３】
９．担体がシリカゲルであることを特徴とする上記７．に記載の分取用光学異性体分離剤。
【００２４】
１０．担体の平均粒径が１０μｍ〜５００μｍであることを特徴とする上記７．乃至９．のいずれかに記載の分取用光学異性体分離剤。
【００２５】
１１．光学活性ポリマレイミド誘導体を、担体に対して、３〜２０重量％担持させたものからなる上記７．乃至１０．のいずれかに記載の分取用光学異性体分離剤。
【００２６】
１２．上記１．乃至６．のいずれかに記載の光学活性ポリマレイミド誘導体を、良溶媒に溶解させ、担体を懸濁し、次いで蒸発、乾固することにより担持することを特徴とする上記７．乃至１１．のいずれかに記載の分取用光学異性体分離剤の製造方法。
【００２７】
１３．上記１．乃至１１．に記載の分取用光学異性体分離剤を用い、光学異性体を含む混合物から光学活性化合物を分離することを特徴とする光学活性化合物の製造方法。
【００２８】
１４．上記１．乃至１１．のいずれかに記載の分取用光学異性体分離剤をカラムに充填してなる分取用充填カラム。
【００２９】
１５．上記１４．に記載の分取用充填カラムを用い、光学異性体を含む混合物から光学活性化合物を分離することを特徴とする光学活性化合物の分離方法。
【００３０】
１６．上記１４．に記載の分取用充填カラムを用い、高速液体クロマトグラフィーにより光学活性体取得を目的とする分取を行うことを特徴とする光学活性化合物の分離方法。
【００３１】
１７．上記１４．に記載の分取用充填カラムを用い、擬似移動床式クロマトグラフィー方式により光学活性体取得を目的とする分取を行うことを特徴とする光学活性化合物の分離方法。
【発明の効果】
【００３２】
本発明によれば、光学活性ポリマレイミド誘導体又はこれを担体に担持させたものからなる分取用光学異性体分離剤、及びそれを用いた光学活性化合物の分離方法が提供される。
【００３３】
本発明は、これまで分析用カラムの充填剤での利用に限られていた、光学異性体の分離において大きな分離係数（α値）をもち、簡便、安価に大量製造が可能である光学活性ポリマレイミド誘導体を分取用光学異性体分離剤へ適応したことを最大の特徴とする。これにより、従来の光学活性高分子を用いた分離剤では分離不可能なラセミ体化合物の、液体クロマト分取法による製造への適応可能性を広げることができる。
【００３４】
さらに従来の充填剤では、生産性向上のために用いる担体の粒径を大きくすると理論段数が低下し、光学活性化合物の充分な分離が得られない等の問題があったが、本発明の分取用充填剤は、分取目的化合物に対して大きな分離係数（α値）を有するため、理論段数の低下が起こっても、光学異性体間の充分な分離を得ることができ、液体クロマト分取法の生産性の向上が大いに期待できる。
【００３５】
またこれまで工業的規模での液体クロマト分取法は、従来の分取用光学異性体分離剤が非常に高価であるため、経済的な面から広く普及していないのが現状であった。しかしながら、前述のように本発明による分取用光学異性体分離剤は光学活性ポリマレイミド誘導体、担体ともに安価に入手することが可能であり、また製造方法も簡便なため、大量製造が可能であるため、工業的規模で利用において非常に有用である。
【発明を実施するための最良の形態】
【００３６】
本発明を以下詳細に説明する。
【００３７】
本発明において、分取用光学異性体分離剤として用いられる光学活性ポリマーは、光学活性ポリマレイミド誘導体であり、上記一般式（１）、一般式（２）、又は一般式（３）で示される構造単位からなる、数平均分子量１００〜１００，０００の重合体である。
【００３８】
本発明において、上記一般式（１）で示される光学活性ポリマレイミド誘導体としては、特に限定するものではないが、例えば、上記一般式（１）において、置換基Ｒ１〜Ｒ５のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメチル基である該光学活性ポリマレイミド誘導体としては、具体的には、ポリ［（Ｓ）−（−）−１−フェニルエチル−１−マレイミド］、ポリ［（Ｓ）−（−）−１−（２−メチルフェニル）エチル−１−マレイミド］、ポリ［（Ｓ）−（−）−１−（３−メチルフェニル）エチル−１−マレイミド］、ポリ［（Ｓ）−（−）−１−（４−メチルフェニル）エチル−１−マレイミド］、ポリ［（Ｓ）−（−）−１−（２，３−ジメチルフェニル）エチル−１−マレイミド］、ポリ［（Ｓ）−（−）−１−（２，４−ジメチルフェニル）エチル−１−マレイミド］、ポリ［（Ｓ）−（−）−１−（２，５−ジメチルフェニル）エチル−１−マレイミド］、ポリ［（Ｓ）−（−）−１−（２，６−ジメチルフェニル）エチル−１−マレイミド］、ポリ［（Ｓ）−（−）−１−（３，４−ジメチルフェニル）エチル−１−マレイミド］、ポリ［（Ｓ）−（−）−１−（３，５−ジメチルフェニル）エチル−１−マレイミド］、ポリ［（Ｓ）−（−）−１−（２，４，６−トリメチルフェニル）エチル−１−マレイミド］、ポリ［（Ｓ）−（−）−１−（２，３，４，５−テトラメチルフェニル）エチル−１−マレイミド］、ポリ［（Ｓ）−（−）−１−（２，３，４，６−テトラメチルフェニル）エチル−１−マレイミド］、ポリ［（Ｓ）−（−）−１−（２，３，５，６−テトラメチルフェニル）エチル−１−マレイミド］、ポリ［（Ｓ）−（−）−１−（２，３，４，５，６−ペンタメチルフェニル）エチル−１−マレイミド］、ポリ［（Ｓ）−（−）−１−（２−エチルフェニル）エチル−１−マレイミド］、ポリ［（Ｓ）−（−）−１−（３−エチルフェニル）エチル−１−マレイミド］、ポリ［（Ｓ）−（−）−１−（４−エチルフェニル）エチル−１−マレイミド］、ポリ［（Ｓ）−（−）−１−（２，３−ジエチルフェニル）エチル−１−マレイミド］、ポリ［（Ｓ）−（−）−１−（２，４−ジエチルフェニル）エチル−１−マレイミド］、ポリ［（Ｓ）−（−）−１−（２，５−ジエチルフェニル）エチル−１−マレイミド］、ポリ［（Ｓ）−（−）−１−（２，６−ジエチルフェニル）エチル−１−マレイミド］、ポリ［（Ｓ）−（−）−１−（３，４−ジエチルフェニル）エチル−１−マレイミド］、ポリ［（Ｓ）−（−）−１−（３，５−ジエチルフェニル）エチル−１−マレイミド］、ポリ［（Ｓ）−（−）−１−（２，４，６−トリエチルフェニル）エチル−１−マレイミド］、ポリ［（Ｓ）−（−）−１−（２，３，４，５−テトラエチルフェニル）エチル−１−マレイミド］、ポリ［（Ｓ）−（−）−１−（２，３，４，６−テトラエチルフェニル）エチル−１−マレイミド］、ポリ［（Ｓ）−（−）−１−（２，３，５，６−テトラエチルフェニル）エチル−１−マレイミド］、ポリ［（Ｓ）−（−）−１−（２，３，４，５，６−ペンタエチルフェニル）エチル−１−マレイミド］、ポリ［（Ｓ）−（−）−１−（２−ｎ−プロピルフェニル）エチル−１−マレイミド］、ポリ［（Ｓ）−（−）−１−（３−ｎ−プロピルフェニル）エチル−１−マレイミド］、ポリ［（Ｓ）−（−）−１−（４−ｎ−プロピルフェニル）エチル−１−マレイミド］、ポリ［（Ｓ）−（−）−１−（２，３−ジ−ｎ−プロピルフェニル）エチル−１−マレイミド］、ポリ［（Ｓ）−（−）−１−（２，４−ジ−ｎ−プロピルフェニル）エチル−１−マレイミド］、ポリ［（Ｓ）−（−）−１−（２，５−ジ−ｎ−プロピルフェニル）エチル−１−マレイミド］、ポリ［（Ｓ）−（−）−１−（２，６−ジ−ｎ−プロピルフェニル）エチル−１−マレイミド］、ポリ［（Ｓ）−（−）−１−（３，４−ジ−ｎ−プロピルフェニル）エチル−１−マレイミド］、ポリ［（Ｓ）−（−）−１−（３，５−ジ−ｎ−プロピルフェニル）エチル−１−マレイミド］、ポリ［（Ｓ）−（−）−１−（２，４，６−トリ−ｎ−プロピルフェニル）エチル−１−マレイミド］、ポリ［（Ｓ）−（−）−１−（２，３，４，５−テトラ−ｎ−プロピルフェニル）エチル−１−マレイミド］、ポリ［（Ｓ）−（−）−１−（２，３，４，６−テトラ−ｎ−プロピルフェニル）エチル−１−マレイミド］、ポリ［（Ｓ）−（−）−１−（２，３，５，６−テトラ−ｎ−プロピルフェニル）エチル−１−マレイミド］、ポリ［（Ｓ）−（−）−１−（２，３，４，５，６−ペンタ−ｎ−プロピルフェニル）エチル−１−マレイミド］、ポリ［（Ｓ）−（−）−１−（２−ｉ−プロピルフェニル）エチル−１−マレイミド］、ポリ［（Ｓ）−（−）−１−（３−ｉ−プロピルフェニル）エチル−１−マレイミド］、ポリ［（Ｓ）−（−）−１−（４−ｉ−プロピルフェニル）エチル−１−マレイミド］、ポリ［（Ｓ）−（−）−１−（２，３−ジ−ｉ−プロピルフェニル）エチル−１−マレイミド］、ポリ［（Ｓ）−（−）−１−（２，４−ジ−ｉ−プロピルフェニル）エチル−１−マレイミド］、ポリ［（Ｓ）−（−）−１−（２，５−ジ−ｉ−プロピルフェニル）エチル−１−マレイミド］、ポリ［（Ｓ）−（−）−１−（２，６−ジ−ｉ−プロピルフェニル）エチル−１−マレイミド］、ポリ［（Ｓ）−（−）−１−（３，４−ジ−ｉ−プロピルフェニル）エチル−１−マレイミド］、ポリ［（Ｓ）−（−）−１−（３，５−ジ−ｉ−プロピルフェニル）エチル−１−マレイミド］、ポリ［（Ｓ）−（−）−１−（２，４，６−トリ−ｉ−プロピルフェニル）エチル−１−マレイミド］、ポリ［（Ｓ）−（−）−１−（２，３，４，５−テトラ−ｉ−プロピルフェニル）エチル−１−マレイミド］、ポリ［（Ｓ）−（−）−１−（２，３，４，６−テトラ−ｉ−プロピルフェニル）エチル−１−マレイミド］、ポリ［（Ｓ）−（−）−１−（２，３，５，６−テトラ−ｉ−プロピルフェニル）エチル−１−マレイミド］、ポリ［（Ｓ）−（−）−１−（２，３，４，５，６−ペンタ−ｉ−プロピルフェニル）エチル−１−マレイミド］、ポリ［（Ｓ）−（−）−１−（２−ｎ−ブチルフェニル）エチル−１−マレイミド］、ポリ［（Ｓ）−（−）−１−（３−ｎ−ブチルフェニル）エチル−１−マレイミド］、ポリ［（Ｓ）−（−）−１−（４−ｎ−ブチルフェニル）エチル−１−マレイミド］、ポリ［（Ｓ）−（−）−１−（２，３−ジ−ｎ−ブチルフェニル）エチル−１−マレイミド］、ポリ［（Ｓ）−（−）−１−（２，４−ジ−ｎ−ブチルフェニル）エチル−１−マレイミド］、ポリ［（Ｓ）−（−）−１−（２，５−ジ−ｎ−ブチルフェニル）エチル−１−マレイミド］、ポリ［（Ｓ）−（−）−１−（２，６−ジ−ｎ−ブチルフェニル）エチル−１−マレイミド］、ポリ［（Ｓ）−（−）−１−（３，４−ジ−ｎ−ブチルフェニル）エチル−１−マレイミド］、ポリ［（Ｓ）−（−）−１−（３，５−ジ−ｎ−ブチルフェニル）エチル−１−マレイミド］、ポリ［（Ｓ）−（−）−１−（２，４，６−トリ−ｎ−ブチルフェニル）エチル−１−マレイミド］、ポリ［（Ｓ）−（−）−１−（２，３，４，５−テトラ−ｎ−ブチルフェニル）エチル−１−マレイミド］、ポリ［（Ｓ）−（−）−１−（２，３，４，６−テトラ−ｎ−ブチルフェニル）エチル−１−マレイミド］、ポリ［（Ｓ）−（−）−１−（２，３，５，６−テトラ−ｎ−ブチルフェニル）エチル−１−マレイミド］、ポリ［（Ｓ）−（−）−１−（２，３，４，５，６−ペンタ−ｎ−ブチルフェニル）エチル−１−マレイミド］、ポリ［（Ｓ）−（−）−１−（２−ｉ−ブチルフェニル）エチル−１−マレイミド］、ポリ［（Ｓ）−（−）−１−（３−ｉ−ブチルフェニル）エチル−１−マレイミド］、ポリ［（Ｓ）−（−）−１−（４−ｉ−ブチルフェニル）エチル−１−マレイミド］、ポリ［（Ｓ）−（−）−１−（２，３−ジ−ｉ−ブチルフェニル）エチル−１−マレイミド］、ポリ［（Ｓ）−（−）−１−（２，４−ジ−ｉ−ブチルフェニル）エチル−１−マレイミド］、ポリ［（Ｓ）−（−）−１−（２，５−ジ−ｉ−ブチルフェニル）エチル−１−マレイミド］、ポリ［（Ｓ）−（−）−１−（２，６−ジ−ｉ−ブチルフェニル）エチル−１−マレイミド］、ポリ［（Ｓ）−（−）−１−（３，４−ジ−ｉ−ブチルフェニル）エチル−１−マレイミド］、ポリ［（Ｓ）−（−）−１−（３，５−ジ−ｉ−ブチルフェニル）エチル−１−マレイミド］、ポリ［（Ｓ）−（−）−１−（２，４，６−トリ−ｉ−ブチルフェニル）エチル−１−マレイミド］、ポリ［（Ｓ）−（−）−１−（２，３，４，５−テトラ−ｉ−ブチルフェニル）エチル−１−マレイミド］、ポリ［（Ｓ）−（−）−１−（２，３，４，６−テトラ−ｉ−ブチルフェニル）エチル−１−マレイミド］、ポリ［（Ｓ）−（−）−１−（２，３，５，６−テトラ−ｉ−ブチルフェニル）エチル−１−マレイミド］、ポリ［（Ｓ）−（−）−１−（２，３，４，５，６−ペンタ−ｉ−ブチルフェニル）エチル−１−マレイミド］、ポリ［（Ｓ）−（−）−１−（２−ｔ−ブチルフェニル）エチル−１−マレイミド］、ポリ［（Ｓ）−（−）−１−（３−ｔ−ブチルフェニル）エチル−１−マレイミド］、ポリ［（Ｓ）−（−）−１−（４−ｔ−ブチルフェニル）エチル−１−マレイミド］、ポリ［（Ｓ）−（−）−１−（２，３−ジ−ｔ−ブチルフェニル）エチル−１−マレイミド］、ポリ［（Ｓ）−（−）−１−（２，４−ジ−ｔ−ブチルフェニル）エチル−１−マレイミド］、ポリ［（Ｓ）−（−）−１−（２，５−ジ−ｔ−ブチルフェニル）エチル−１−マレイミド］、ポリ［（Ｓ）−（−）−１−（２，６−ジ−ｔ−ブチルフェニル）エチル−１−マレイミド］、ポリ［（Ｓ）−（−）−１−（３，４−ジ−ｔ−ブチルフェニル）エチル−１−マレイミド］、ポリ［（Ｓ）−（−）−１−（３，５−ジ−ｔ−ブチルフェニル）エチル−１−マレイミド］、ポリ［（Ｓ）−（−）−１−（２，４，６−トリ−ｔ−ブチルフェニル）エチル−１−マレイミド］、ポリ［（Ｓ）−（−）−１−（２，３，４，５−テトラ−ｔ−ブチルフェニル）エチル−１−マレイミド］、ポリ［（Ｓ）−（−）−１−（２，３，４，６−テトラ−ｔ−ブチルフェニル）エチル−１−マレイミド］、ポリ［（Ｓ）−（−）−１−（２，３，５，６−テトラ−ｔ−ブチルフェニル）エチル−１−マレイミド］、ポリ［（Ｓ）−（−）−１−（２，３，４，５，６−ペンタ−ｔ−ブチルフェニル）エチル−１−マレイミド］、ポリ［（Ｓ）−（−）−１−（２−メトキシフェニル）エチル−１−マレイミド］、ポリ［（Ｓ）−（−）−１−（３−メトキシフェニル）エチル−１−マレイミド］、ポリ［（Ｓ）−（−）−１−（４−メトキシフェニル）エチル−１−マレイミド］、ポリ［（Ｓ）−（−）−１−（２、３−ジメトキシフェニル）エチル−１−マレイミド］、ポリ［（Ｓ）−（−）−１−（２、４−ジメトキシフェニル）エチル−１−マレイミド］、ポリ［（Ｓ）−（−）−１−（２、５−ジメトキシフェニル）エチル−１−マレイミド］、ポリ［（Ｓ）−（−）−１−（２、６−ジメトキシフェニル）エチル−１−マレイミド］、ポリ［（Ｓ）−（−）−１−（３、４−ジメトキシフェニル）エチル−１−マレイミド］、ポリ［（Ｓ）−（−）−１−（３、５−ジメトキシフェニル）エチル−１−マレイミド］、ポリ［（Ｓ）−（−）−１−（２、４、６−トリメトキシフェニル）エチル−１−マレイミド］、ポリ［（Ｓ）−（−）−１−（２、３、４、５−テトラメトキシフェニル）エチル−１−マレイミド］、ポリ［（Ｓ）−（−）−１−（２、３、４、６−テトラメトキシフェニル）エチル−１−マレイミド］、ポリ［（Ｓ）−（−）−１−（２、３、５、６−テトラメトキシフェニル）エチル−１−マレイミド］、ポリ［
（Ｓ）−（−）−１−（２、３、４、５、６−ペンタメトキシフェニル）エチル−１−マレイミド］、ポリ［（Ｓ）−（−）−１−（２−エトキシフェニル）エチル−１−マレイミド］、ポリ［（Ｓ）−（−）−１−（３−エトキシフェニル）エチル−１−マレイミド］、ポリ［（Ｓ）−（−）−１−（４−エトキシフェニル）エチル−１−マレイミド］、ポリ［（Ｓ）−（−）−１−（２、３−ジエトキシフェニル）エチル−１−マレイミド］、ポリ［（Ｓ）−（−）−１−（２、４−ジエトキシフェニル）エチル−１−マレイミド］、ポリ［（Ｓ）−（−）−１−（２、５−ジエトキシフェニル）エチル−１−マレイミド］、ポリ［（Ｓ）−（−）−１−（２、６−ジエトキシフェニル）エチル−１−マレイミド］、ポリ［（Ｓ）−（−）−１−（３、４−ジエトキシフェニル）エチル−１−マレイミド］、ポリ［（Ｓ）−（−）−１−（３、５−ジエトキシフェニル）エチル−１−マレイミド］、ポリ［（Ｓ）−（−）−１−（２、４、６−トリエトキシフェニル）エチル−１−マレイミド］、ポリ［（Ｓ）−（−）−１−（２、３、４、５−テトラエトキシフェニル）エチル−１−マレイミド］、ポリ［（Ｓ）−（−）−１−（２、３、４、６−テトラエトキシフェニル）エチル−１−マレイミド］、ポリ［（Ｓ）−（−）−１−（２、３、５、６−テトラエトキシフェニル）エチル−１−マレイミド］、ポリ［（Ｓ）−（−）−１−（２、３、４、５、６−ペンタエトキシフェニル）エチル−１−マレイミド］等が挙げられる。
【００３９】
また、上記一般式（１）において、置換基Ｒ１〜Ｒ５のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がエチル基である該光学活性ポリマレイミド誘導体としては、具体的には、ポリ［（Ｓ）−（−）−１−フェニル−ｎ−プロピル−１−マレイミド］、ポリ［（Ｓ）−（−）−１−（２−メチルフェニル）−ｎ−プロピル−１−マレイミド］、ポリ［（Ｓ）−（−）−１−（３−メチルフェニル）−ｎ−プロピル−１−マレイミド］、ポリ［（Ｓ）−（−）−１−（４−メチルフェニル）−ｎ−プロピル−１−マレイミド］、ポリ［（Ｓ）−（−）−１−（２，３−ジメチルフェニル）−ｎ−プロピル−１−マレイミド］、ポリ［（Ｓ）−（−）−１−（２，４−ジメチルフェニル）−ｎ−プロピル−１−マレイミド］、ポリ［（Ｓ）−（−）−１−（２，５−ジメチルフェニル）−ｎ−プロピル−１−マレイミド］、ポリ［（Ｓ）−（−）−１−（２，６−ジメチルフェニル）−ｎ−プロピル−１−マレイミド］、ポリ［（Ｓ）−（−）−１−（３，４−ジメチルフェニル）−ｎ−プロピル−１−マレイミド］、ポリ［（Ｓ）−（−）−１−（３，５−ジメチルフェニル）−ｎ−プロピル−１−マレイミド］、ポリ［（Ｓ）−（−）−１−（２，４，６−トリメチルフェニル）−ｎ−プロピル−１−マレイミド］、ポリ［（Ｓ）−（−）−１−（２，３，４，５−テトラメチルフェニル）−ｎ−プロピル−１−マレイミド］、ポリ［（Ｓ）−（−）−１−（２，３，４，６−テトラメチルフェニル）−ｎ−プロピル−１−マレイミド］、ポリ［（Ｓ）−（−）−１−（２，３，５，６−テトラメチルフェニル）−ｎ−プロピル−１−マレイミド］、ポリ［（Ｓ）−（−）−１−（２，３，４，５，６−ペンタメチルフェニル）−ｎ−プロピル−１−マレイミド］、ポリ［（Ｓ）−（−）−１−（２−エチルフェニル）−ｎ−プロピル−１−マレイミド］、ポリ［（Ｓ）−（−）−１−（３−エチルフェニル）−ｎ−プロピル−１−マレイミド］、ポリ［（Ｓ）−（−）−１−（４−エチルフェニル）−ｎ−プロピル−１−マレイミド］、ポリ［（Ｓ）−（−）−１−（２，３−ジエチルフェニル）−ｎ−プロピル−１−マレイミド］、ポリ［（Ｓ）−（−）−１−（２，４−ジエチルフェニル）−ｎ−プロピル−１−マレイミド］、ポリ［（Ｓ）−（−）−１−（２，５−ジエチルフェニル）−ｎ−プロピル−１−マレイミド］、ポリ［（Ｓ）−（−）−１−（２，６−ジエチルフェニル）−ｎ−プロピル−１−マレイミド］、ポリ［（Ｓ）−（−）−１−（３，４−ジエチルフェニル）−ｎ−プロピル−１−マレイミド］、ポリ［（Ｓ）−（−）−１−（３，５−ジエチルフェニル）−ｎ−プロピル−１−マレイミド］、ポリ［（Ｓ）−（−）−１−（２，４，６−トリエチルフェニル）−ｎ−プロピル−１−マレイミド］、ポリ［（Ｓ）−（−）−１−（２，３，４，５−テトラエチルフェニル）−ｎ−プロピル−１−マレイミド］、ポリ［（Ｓ）−（−）−１−（２，３，４，６−テトラエチルフェニル）−ｎ−プロピル−１−マレイミド］、ポリ［（Ｓ）−（−）−１−（２，３，５，６−テトラエチルフェニル）−ｎ−プロピル−１−マレイミド］、ポリ［（Ｓ）−（−）−１−（２，３，４，５，６−ペンタエチルフェニル）−ｎ−プロピル−１−マレイミド］、ポリ［（Ｓ）−（−）−１−（２−ｎ−プロピルフェニル）−ｎ−プロピル−１−マレイミド］、ポリ［（Ｓ）−（−）−１−（３−ｎ−プロピルフェニル）−ｎ−プロピル−１−マレイミド］、ポリ［（Ｓ）−（−）−１−（４−ｎ−プロピルフェニル）−ｎ−プロピル−１−マレイミド］、ポリ［（Ｓ）−（−）−１−（２，３−ジ−ｎ−プロピルフェニル）−ｎ−プロピル−１−マレイミド］、ポリ［（Ｓ）−（−）−１−（２，４−ジ−ｎ−プロピルフェニル）−ｎ−プロピル−１−マレイミド］、ポリ［（Ｓ）−（−）−１−（２，５−ジ−ｎ−プロピルフェニル）−ｎ−プロピル−１−マレイミド］、ポリ［（Ｓ）−（−）−１−（２，６−ジ−ｎ−プロピルフェニル）−ｎ−プロピル−１−マレイミド］、ポリ［（Ｓ）−（−）−１−（３，４−ジ−ｎ−プロピルフェニル）−ｎ−プロピル−１−マレイミド］、ポリ［（Ｓ）−（−）−１−（３，５−ジ−ｎ−プロピルフェニル）−ｎ−プロピル−１−マレイミド］、ポリ［（Ｓ）−（−）−１−（２，４，６−トリ−ｎ−プロピルフェニル）−ｎ−プロピル−１−マレイミド］、ポリ［（Ｓ）−（−）−１−（２，３，４，５−テトラ−ｎ−プロピルフェニル）−ｎ−プロピル−１−マレイミド］、ポリ［（Ｓ）−（−）−１−（２，３，４，６−テトラ−ｎ−プロピルフェニル）−ｎ−プロピル−１−マレイミド］、ポリ［（Ｓ）−（−）−１−（２，３，５，６−テトラ−ｎ−プロピルフェニル）−ｎ−プロピル−１−マレイミド］、ポリ［（Ｓ）−（−）−１−（２，３，４，５，６−ペンタ−ｎ−プロピルフェニル）−ｎ−プロピル−１−マレイミド］、ポリ［（Ｓ）−（−）−１−（２−ｉ−プロピルフェニル）−ｎ−プロピル−１−マレイミド］、ポリ［（Ｓ）−（−）−１−（３−ｉ−プロピルフェニル）−ｎ−プロピル−１−マレイミド］、ポリ［（Ｓ）−（−）−１−（４−ｉ−プロピルフェニル）−ｎ−プロピル−１−マレイミド］、ポリ［（Ｓ）−（−）−１−（２，３−ジ−ｉ−プロピルフェニル）−ｎ−プロピル−１−マレイミド］、ポリ［（Ｓ）−（−）−１−（２，４−ジ−ｉ−プロピルフェニル）−ｎ−プロピル−１−マレイミド］、ポリ［（Ｓ）−（−）−１−（２，５−ジ−ｉ−プロピルフェニル）−ｎ−プロピル−１−マレイミド］、ポリ［（Ｓ）−（−）−１−（２，６−ジ−ｉ−プロピルフェニル）−ｎ−プロピル−１−マレイミド］、ポリ［（Ｓ）−（−）−１−（３，４−ジ−ｉ−プロピルフェニル）−ｎ−プロピル−１−マレイミド］、ポリ［（Ｓ）−（−）−１−（３，５−ジ−ｉ−プロピルフェニル）−ｎ−プロピル−１−マレイミド］、ポリ［（Ｓ）−（−）−１−（２，４，６−トリ−ｉ−プロピルフェニル）−ｎ−プロピル−１−マレイミド］、ポリ［（Ｓ）−（−）−１−（２，３，４，５−テトラ−ｉ−プロピルフェニル）−ｎ−プロピル−１−マレイミド］、ポリ［（Ｓ）−（−）−１−（２，３，４，６−テトラ−ｉ−プロピルフェニル）−ｎ−プロピル−１−マレイミド］、ポリ［（Ｓ）−（−）−１−（２，３，５，６−テトラ−ｉ−プロピルフェニル）−ｎ−プロピル−１−マレイミド］、ポリ［（Ｓ）−（−）−１−（２，３，４，５，６−ペンタ−ｉ−プロピルフェニル）−ｎ−プロピル−１−マレイミド］、ポリ［（Ｓ）−（−）−１−（２−ｎ−ブチルフェニル）−ｎ−プロピル−１−マレイミド］、ポリ［（Ｓ）−（−）−１−（３−ｎ−ブチルフェニル）−ｎ−プロピル−１−マレイミド］、ポリ［（Ｓ）−（−）−１−（４−ｎ−ブチルフェニル）−ｎ−プロピル−１−マレイミド］、ポリ［（Ｓ）−（−）−１−（２，３−ジ−ｎ−ブチルフェニル）−ｎ−プロピル−１−マレイミド］、ポリ［（Ｓ）−（−）−１−（２，４−ジ−ｎ−ブチルフェニル）−ｎ−プロピル−１−マレイミド］、ポリ［（Ｓ）−（−）−１−（２，５−ジ−ｎ−ブチルフェニル）−ｎ−プロピル−１−マレイミド］、ポリ［（Ｓ）−（−）−１−（２，６−ジ−ｎ−ブチルフェニル）−ｎ−プロピル−１−マレイミド］、ポリ［（Ｓ）−（−）−１−（３，４−ジ−ｎ−ブチルフェニル）−ｎ−プロピル−１−マレイミド］、ポリ［（Ｓ）−（−）−１−（３，５−ジ−ｎ−ブチルフェニル）−ｎ−プロピル−１−マレイミド］、ポリ［（Ｓ）−（−）−１−（２，４，６−トリ−ｎ−ブチルフェニル）−ｎ−プロピル−１−マレイミド］、ポリ［（Ｓ）−（−）−１−（２，３，４，５−テトラ−ｎ−ブチルフェニル）−ｎ−プロピル−１−マレイミド］、ポリ［（Ｓ）−（−）−１−（２，３，４，６−テトラ−ｎ−ブチルフェニル）−ｎ−プロピル−１−マレイミド］、ポリ［（Ｓ）−（−）−１−（２，３，５，６−テトラ−ｎ−ブチルフェニル）−ｎ−プロピル−１−マレイミド］、ポリ［（Ｓ）−（−）−１−（２，３，４，５，６−ペンタ−ｎ−ブチルフェニル）−ｎ−プロピル−１−マレイミド］、ポリ［（Ｓ）−（−）−１−（２−ｉ−ブチルフェニル）−ｎ−プロピル−１−マレイミド］、ポリ［（Ｓ）−（−）−１−（３−ｉ−ブチルフェニル）−ｎ−プロピル−１−マレイミド］、ポリ［（Ｓ）−（−）−１−（４−ｉ−ブチルフェニル）−ｎ−プロピル−１−マレイミド］、ポリ［（Ｓ）−（−）−１−（２，３−ジ−ｉ−ブチルフェニル）−ｎ−プロピル−１−マレイミド］、ポリ［（Ｓ）−（−）−１−（２，４−ジ−ｉ−ブチルフェニル）−ｎ−プロピル−１−マレイミド］、ポリ［（Ｓ）−（−）−１−（２，５−ジ−ｉ−ブチルフェニル）−ｎ−プロピル−１−マレイミド］、ポリ［（Ｓ）−（−）−１−（２，６−ジ−ｉ−ブチルフェニル）−ｎ−プロピル−１−マレイミド］、ポリ［（Ｓ）−（−）−１−（３，４−ジ−ｉ−ブチルフェニル）−ｎ−プロピル−１−マレイミド］、ポリ［（Ｓ）−（−）−１−（３，５−ジ−ｉ−ブチルフェニル）−ｎ−プロピル−１−マレイミド］、ポリ［（Ｓ）−（−）−１−（２，４，６−トリ−ｉ−ブチルフェニル）−ｎ−プロピル−１−マレイミド］、ポリ［（Ｓ）−（−）−１−（２，３，４，５−テトラ−ｉ−ブチルフェニル）−ｎ−プロピル−１−マレイミド］、ポリ［（Ｓ）−（−）−１−（２，３，４，６−テトラ−ｉ−ブチルフェニル）−ｎ−プロピル−１−マレイミド］、ポリ［（Ｓ）−（−）−１−（２，３，５，６−テトラ−ｉ−ブチルフェニル）−ｎ−プロピル−１−マレイミド］、ポリ［（Ｓ）−（−）−１−（２，３，４，５，６−ペンタ−ｉ−ブチルフェニル）−ｎ−プロピル−１−マレイミド］、ポリ［（Ｓ）−（−）−１−（２−ｔ−ブチルフェニル）−ｎ−プロピル−１−マレイミド］、ポリ［（Ｓ）−（−）−１−（３−ｔ−ブチルフェニル）−ｎ−プロピル−１−マレイミド］、ポリ［（Ｓ）−（−）−１−（４−ｔ−ブチルフェニル）−ｎ−プロピル−１−マレイミド］、ポリ［（Ｓ）−（−）−１−（２，３−ジ−ｔ−ブチルフェニル）−ｎ−プロピル−１−マレイミド］、ポリ［（Ｓ）−（−）−１−（２，４−ジ−ｔ−ブチルフェニル）−ｎ−プロピル−１−マレイミド］、ポリ［（Ｓ）−（−）−１−（２，５−ジ−ｔ−ブチルフェニル）−ｎ−プロピル−１−マレイミド］、ポリ［（Ｓ）−（−）−１−（２，６−ジ−ｔ−ブチルフェニル）−ｎ−プロピル−１−マレイミド］、ポリ［（Ｓ）−（−）−１−（３，４−ジ−ｔ−ブチルフェニル）−ｎ−プロピル−１−マレイミド］、ポリ［（Ｓ）−（−）−１−（３，５−ジ−ｔ−ブチルフェニル）−ｎ−プロピル−１−マレイミド］、ポリ［（Ｓ）−（−）−１−（２，４，６−トリ−ｔ−ブチルフェニル）−ｎ−プロピル−１−マレイミド］、ポリ［（Ｓ）−（−）−１−（２，３，４，５−テトラ−ｔ−ブチルフェニル）−ｎ−プロピル−１−マレイミド］、ポリ［（Ｓ）−（−）−１−（２，３，４，６−テトラ−ｔ−ブチルフェニル）−ｎ−プロピル−１−マレイミド］、ポリ［（Ｓ）−（−）−１−（２，３，５，６−テトラ−ｔ−ブチルフェニル）−ｎ−プロピル−１−マレイミド］、ポリ［（Ｓ）−（−）−１−（２，３，４，５，６−ペンタ−ｔ−ブチルフェニル）−ｎ−プロピル−１−マレイミド］、ポリ［（Ｓ）−（−）−１−（２−メトキシフェニル）−ｎ−プロピル−１−マレイミド］、ポリ［（Ｓ）−（−）−１−（３−メトキシフェニル）−ｎ−プロピル−１−マレイミド］、ポリ［（Ｓ）−（−）−１−（４−メトキシフェニル）−ｎ−プロピル−１−マレイミド］、ポリ［（Ｓ）−（−）−１−（２、３−ジメトキシフェニル）−ｎ−プロピル−１−マレイミド］、ポリ［（Ｓ）−（−）−１−（２、４−ジメトキシフェニル）−ｎ−プロピル−
１−マレイミド］、ポリ［（Ｓ）−（−）−１−（２、５−ジメトキシフェニル）−ｎ−プロピル−１−マレイミド］、ポリ［（Ｓ）−（−）−１−（２、６−ジメトキシフェニル）−ｎ−プロピル−１−マレイミド］、ポリ［（Ｓ）−（−）−１−（３、４−ジメトキシフェニル）−ｎ−プロピル−１−マレイミド］、ポリ［（Ｓ）−（−）−１−（３、５−ジメトキシフェニル）−ｎ−プロピル−１−マレイミド］、ポリ［（Ｓ）−（−）−１−（２、４、６−トリメトキシフェニル）−ｎ−プロピル−１−マレイミド］、ポリ［（Ｓ）−（−）−１−（２、３、４、５−テトラメトキシフェニル）−ｎ−プロピル−１−マレイミド］、ポリ［（Ｓ）−（−）−１−（２、３、４、６−テトラメトキシフェニル）−ｎ−プロピル−１−マレイミド］、ポリ［（Ｓ）−（−）−１−（２、３、５、６−テトラメトキシフェニル）−ｎ−プロピル−１−マレイミド］、ポリ［（Ｓ）−（−）−１−（２、３、４、５、６−ペンタメトキシフェニル）−ｎ−プロピル−１−マレイミド］、ポリ［（Ｓ）−（−）−１−（２−エトキシフェニル）−ｎ−プロピル−１−マレイミド］、ポリ［（Ｓ）−（−）−１−（３−エトキシフェニル）−ｎ−プロピル−１−マレイミド］、ポリ［（Ｓ）−（−）−１−（４−エトキシフェニル）−ｎ−プロピル−１−マレイミド］、ポリ［（Ｓ）−（−）−１−（２、３−ジエトキシフェニル）−ｎ−プロピル−１−マレイミド］、ポリ［（Ｓ）−（−）−１−（２、４−ジエトキシフェニル）−ｎ−プロピル−１−マレイミド］、ポリ［（Ｓ）−（−）−１−（２、５−ジエトキシフェニル）−ｎ−プロピル−１−マレイミド］、ポリ［（Ｓ）−（−）−１−（２、６−ジエトキシフェニル）−ｎ−プロピル−１−マレイミド］、ポリ［（Ｓ）−（−）−１−（３、４−ジエトキシフェニル）−ｎ−プロピル−１−マレイミド］、ポリ［（Ｓ）−（−）−１−（３、５−ジエトキシフェニル）−ｎ−プロピル−１−マレイミド］、ポリ［（Ｓ）−（−）−１−（２、４、６−トリエトキシフェニル）−ｎ−プロピル−１−マレイミド］、ポリ［（Ｓ）−（−）−１−（２、３、４、５−テトラエトキシフェニル）−ｎ−プロピル−１−マレイミド］、ポリ［（Ｓ）−（−）−１−（２、３、４、６−テトラエトキシフェニル）−ｎ−プロピル−１−マレイミド］、ポリ［（Ｓ）−（−）−１−（２、３、５、６−テトラエトキシフェニル）−ｎ−プロピル−１−マレイミド］、ポリ［（Ｓ）−（−）−１−（２、３、４、５、６−ペンタエトキシフェニル）−ｎ−プロピル−１−マレイミド］等が挙げられる。
【００４０】
また、上記一般式（１）において、置換基Ｒ１〜Ｒ５のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がｉ−プロピル基である該光学活性ポリマレイミド誘導体としては、具体的には、ポリ［（Ｓ）−（−）−１−フェニル−２−メチルプロピル−１−マレイミド］、ポリ［（Ｓ）−（−）−１−（２−メチルフェニル）−２−メチルプロピル−１−マレイミド］、ポリ［（Ｓ）−（−）−１−（３−メチルフェニル）−２−メチルプロピル−１−マレイミド］、ポリ［（Ｓ）−（−）−１−（４−メチルフェニル）−２−メチルプロピル−１−マレイミド］、ポリ［（Ｓ）−（−）−１−（２，３−ジメチルフェニル）−２−メチルプロピル−１−マレイミド］、ポリ［（Ｓ）−（−）−１−（２，４−ジメチルフェニル）−２−メチルプロピル−１−マレイミド］、ポリ［（Ｓ）−（−）−１−（２，５−ジメチルフェニル）−２−メチルプロピル−１−マレイミド］、ポリ［（Ｓ）−（−）−１−（２，６−ジメチルフェニル）−２−メチルプロピル−１−マレイミド］、ポリ［（Ｓ）−（−）−１−（３，４−ジメチルフェニル）−２−メチルプロピル−１−マレイミド］、ポリ［（Ｓ）−（−）−１−（３，５−ジメチルフェニル）−２−メチルプロピル−１−マレイミド］、ポリ［（Ｓ）−（−）−１−（２，４，６−トリメチルフェニル）−２−メチルプロピル−１−マレイミド］、ポリ［（Ｓ）−（−）−１−（２，３，４，５−テトラメチルフェニル）−２−メチルプロピル−１−マレイミド］、ポリ［（Ｓ）−（−）−１−（２，３，４，６−テトラメチルフェニル）−２−メチルプロピル−１−マレイミド］、ポリ［（Ｓ）−（−）−１−（２，３，５，６−テトラメチルフェニル）−２−メチルプロピル−１−マレイミド］、ポリ［（Ｓ）−（−）−１−（２，３，４，５，６−ペンタメチルフェニル）−２−メチルプロピル−１−マレイミド］、ポリ［（Ｓ）−（−）−１−（２−エチルフェニル）−２−メチルプロピル−１−マレイミド］、ポリ［（Ｓ）−（−）−１−（３−エチルフェニル）−２−メチルプロピル−１−マレイミド］、ポリ［（Ｓ）−（−）−１−（４−エチルフェニル）−２−メチルプロピル−１−マレイミド］、ポリ［（Ｓ）−（−）−１−（２，３−ジエチルフェニル）−２−メチルプロピル−１−マレイミド］、ポリ［（Ｓ）−（−）−１−（２，４−ジエチルフェニル）−２−メチルプロピル−１−マレイミド］、ポリ［（Ｓ）−（−）−１−（２，５−ジエチルフェニル）−２−メチルプロピル−１−マレイミド］、ポリ［（Ｓ）−（−）−１−（２，６−ジエチルフェニル）−２−メチルプロピル−１−マレイミド］、ポリ［（Ｓ）−（−）−１−（３，４−ジエチルフェニル）−２−メチルプロピル−１−マレイミド］、ポリ［（Ｓ）−（−）−１−（３，５−ジエチルフェニル）−２−メチルプロピル−１−マレイミド］、ポリ［（Ｓ）−（−）−１−（２，４，６−トリエチルフェニル）−２−メチルプロピル−１−マレイミド］、ポリ［（Ｓ）−（−）−１−（２，３，４，５−テトラエチルフェニル）−２−メチルプロピル−１−マレイミド］、ポリ［（Ｓ）−（−）−１−（２，３，４，６−テトラエチルフェニル）−２−メチルプロピル−１−マレイミド］、ポリ［（Ｓ）−（−）−１−（２，３，５，６−テトラエチルフェニル）−２−メチルプロピル−１−マレイミド］、ポリ［（Ｓ）−（−）−１−（２，３，４，５，６−ペンタエチルフェニル）−２−メチルプロピル−１−マレイミド］、ポリ［（Ｓ）−（−）−１−（２−ｎ−プロピルフェニル）−２−メチルプロピル−１−マレイミド］、ポリ［（Ｓ）−（−）−１−（３−ｎ−プロピルフェニル）−２−メチルプロピル−１−マレイミド］、ポリ［（Ｓ）−（−）−１−（４−ｎ−プロピルフェニル）−２−メチルプロピル−１−マレイミド］、ポリ［（Ｓ）−（−）−１−（２，３−ジ−ｎ−プロピルフェニル）−２−メチルプロピル−１−マレイミド］、ポリ［（Ｓ）−（−）−１−（２，４−ジ−ｎ−プロピルフェニル）−２−メチルプロピル−１−マレイミド］、ポリ［（Ｓ）−（−）−１−（２，５−ジ−ｎ−プロピルフェニル）−２−メチルプロピル−１−マレイミド］、ポリ［（Ｓ）−（−）−１−（２，６−ジ−ｎ−プロピルフェニル）−２−メチルプロピル−１−マレイミド］、ポリ［（Ｓ）−（−）−１−（３，４−ジ−ｎ−プロピルフェニル）−２−メチルプロピル−１−マレイミド］、ポリ［（Ｓ）−（−）−１−（３，５−ジ−ｎ−プロピルフェニル）−２−メチルプロピル−１−マレイミド］、ポリ［（Ｓ）−（−）−１−（２，４，６−トリ−ｎ−プロピルフェニル）−２−メチルプロピル−１−マレイミド］、ポリ［（Ｓ）−（−）−１−（２，３，４，５−テトラ−ｎ−プロピルフェニル）−２−メチルプロピル−１−マレイミド］、ポリ［（Ｓ）−（−）−１−（２，３，４，６−テトラ−ｎ−プロピルフェニル）−２−メチルプロピル−１−マレイミド］、ポリ［（Ｓ）−（−）−１−（２，３，５，６−テトラ−ｎ−プロピルフェニル）−２−メチルプロピル−１−マレイミド］、ポリ［（Ｓ）−（−）−１−（２，３，４，５，６−ペンタ−ｎ−プロピルフェニル）−２−メチルプロピル−１−マレイミド］、ポリ［（Ｓ）−（−）−１−（２−ｉ−プロピルフェニル）−２−メチルプロピル−１−マレイミド］、ポリ［（Ｓ）−（−）−１−（３−ｉ−プロピルフェニル）−２−メチルプロピル−１−マレイミド］、ポリ［（Ｓ）−（−）−１−（４−ｉ−プロピルフェニル）−２−メチルプロピル−１−マレイミド］、ポリ［（Ｓ）−（−）−１−（２，３−ジ−ｉ−プロピル−フェニル）−２−メチルプロピル−１−マレイミド］、ポリ［（Ｓ）−（−）−１−（２，４−ジ−ｉ−プロピルフェニル）−２−メチルプロピル−１−マレイミド］、ポリ［（Ｓ）−（−）−１−（２，５−ジ−ｉ−プロピルフェニル）−２−メチルプロピル−１−マレイミド］、ポリ［（Ｓ）−（−）−１−（２，６−ジ−ｉ−プロピルフェニル）−２−メチルプロピル−１−マレイミド］、ポリ［（Ｓ）−（−）−１−（３，４−ジ−ｉ−プロピルフェニル）−２−メチルプロピル−１−マレイミド］、ポリ［（Ｓ）−（−）−１−（３，５−ジ−ｉ−プロピルフェニル）−２−メチルプロピル−１−マレイミド］、ポリ［（Ｓ）−（−）−１−（２，４，６−トリ−ｉ−プロピルフェニル）−２−メチルプロピル−１−マレイミド］、ポリ［（Ｓ）−（−）−１−（２，３，４，５−テトラ−ｉ−プロピルフェニル）−２−メチルプロピル−１−マレイミド］、ポリ［（Ｓ）−（−）−１−（２，３，４，６−テトラ−ｉ−プロピルフェニル）−２−メチルプロピル−１−マレイミド］、ポリ［（Ｓ）−（−）−１−（２，３，５，６−テトラ−ｉ−プロピルフェニル）−２−メチルプロピル−１−マレイミド］、ポリ［（Ｓ）−（−）−１−（２，３，４，５，６−ペンタ−ｉ−プロピルフェニル）−２−メチルプロピル−１−マレイミド］、ポリ［（Ｓ）−（−）−１−（２−ｎ−ブチルフェニル）−２−メチルプロピル−１−マレイミド］、ポリ［（Ｓ）−（−）−１−（３−ｎ−ブチルフェニル）−２−メチルプロピル−１−マレイミド］、ポリ［（Ｓ）−（−）−１−（４−ｎ−ブチルフェニル）−２−メチルプロピル−１−マレイミド］、ポリ［（Ｓ）−（−）−１−（２，３−ジ−ｎ−ブチルフェニル）−２−メチルプロピル−１−マレイミド］、ポリ［（Ｓ）−（−）−１−（２，４−ジ−ｎ−ブチルフェニル）−２−メチルプロピル−１−マレイミド］、ポリ［（Ｓ）−（−）−１−（２，５−ジ−ｎ−ブチルフェニル）−２−メチルプロピル−１−マレイミド］、ポリ［（Ｓ）−（−）−１−（２，６−ジ−ｎ−ブチルフェニル）−２−メチルプロピル−１−マレイミド］、ポリ［（Ｓ）−（−）−１−（３，４−ジ−ｎ−ブチルフェニル）−２−メチルプロピル−１−マレイミド］、ポリ［（Ｓ）−（−）−１−（３，５−ジ−ｎ−ブチルフェニル）−２−メチルプロピル−１−マレイミド］、ポリ［（Ｓ）−（−）−１−（２，４，６−トリ−ｎ−ブチルフェニル）−２−メチルプロピル−１−マレイミド］、ポリ［（Ｓ）−（−）−１−（２，３，４，５−テトラ−ｎ−ブチルフェニル）−２−メチルプロピル−１−マレイミド］、ポリ［（Ｓ）−（−）−１−（２，３，４，６−テトラ−ｎ−ブチルフェニル）−２−メチルプロピル−１−マレイミド］、ポリ［（Ｓ）−（−）−１−（２，３，５，６−テトラ−ｎ−ブチルフェニル）−２−メチルプロピル−１−マレイミド］、ポリ［（Ｓ）−（−）−１−（２，３，４，５，６−ペンタ−ｎ−ブチルフェニル）−２−メチルプロピル−１−マレイミド］、ポリ［（Ｓ）−（−）−１−（２−ｉ−ブチルフェニル）−２−メチルプロピル−１−マレイミド］、ポリ［（Ｓ）−（−）−１−（３−ｉ−ブチルフェニル）−２−メチルプロピル−１−マレイミド］、ポリ［（Ｓ）−（−）−１−（４−ｉ−ブチルフェニル）−２−メチルプロピル−１−マレイミド］、ポリ［（Ｓ）−（−）−１−（２，３−ジ−ｉ−ブチルフェニル）−２−メチルプロピル−１−マレイミド］、ポリ［（Ｓ）−（−）−１−（２，４−ジ−ｉ−ブチルフェニル）−２−メチルプロピル−１−マレイミド］、ポリ［（Ｓ）−（−）−１−（２，５−ジ−ｉ−ブチルフェニル）−２−メチルプロピル−１−マレイミド］、ポリ［（Ｓ）−（−）−１−（２，６−ジ−ｉ−ブチルフェニル）−２−メチルプロピル−１−マレイミド］、ポリ［（Ｓ）−（−）−１−（３，４−ジ−ｉ−ブチルフェニル）−２−メチルプロピル−１−マレイミド］、ポリ［（Ｓ）−（−）−１−（３，５−ジ−ｉ−ブチルフェニル）−２−メチルプロピル−１−マレイミド］、ポリ［（Ｓ）−（−）−１−（２，４，６−トリ−ｉ−ブチルフェニル）−２−メチルプロピル−１−マレイミド］、ポリ［（Ｓ）−（−）−１−（２，３，４，５−テトラ−ｉ−ブチルフェニル）−２−メチルプロピル−１−マレイミド］、ポリ［（Ｓ）−（−）−１−（２，３，４，６−テトラ−ｉ−ブチルフェニル）−２−メチルプロピル−１−マレイミド］、ポリ［（Ｓ）−（−）−１−（２，３，５，６−テトラ−ｉ−ブチルフェニル）−２−メチルプロピル−１−マレイミド］、ポリ［（Ｓ）−（−）−１−（２，３，４，５，６−ペンタ−ｉ−ブチルフェニル）−２−メチルプロピル−１−マレイミド］、ポリ［（Ｓ）−（−）−１−（２−ｔ−ブチルフェニル）−２−メチルプロピル−１−マレイミド］、ポリ［（Ｓ）−（−）−１−（３−ｔ−ブチルフェニル）−２−メチルプロピル−１−マレイミド］、ポリ［（Ｓ）−（−）−１−（４−ｔ−ブチルフェニル）−２−メチルプロピル−１−マレイミド］、ポリ［（Ｓ）−（−）−１−（２，３−ジ−ｔ−ブチルフェニル）−２−メチルプロピル−１−マレイミド］、ポリ［（Ｓ）−（−）−１−（２，４−ジ−ｔ−ブチルフェニル）−２−メチルプロピル−１−マレイミド］、ポリ［（Ｓ）−（−）−１−（２，５−ジ−ｔ−ブチルフェニル）−２−メチルプロピル−１−マレイミド］、ポリ［（Ｓ）−（−）−１−（２，６−ジ−ｔ−ブチルフェニル）−２−メチルプロピル−１−マレイミド］、ポリ［（Ｓ）−（−）−１−（３，４−ジ−ｔ−ブチルフェニル）−２−メチルプロピル−１−マレイミド］、ポリ［（Ｓ）−（−）−１−（３，５−ジ−ｔ−ブチルフェニル）−２−メチルプロピル−１−マレイミド］、ポリ［（Ｓ）−（−）−１−（２，４，６−トリ−ｔ−ブチルフェニル）−２−メチルプロピル−１−マレイミド］、ポリ［（Ｓ）−（−）−１−（２，３，４，５−テトラ−ｔ−ブチルフェニル）−２−メチルプロピル−１−マレイミド］、ポリ［（Ｓ）−（−）−１−（２，３，４，６−テトラ−ｔ−ブチルフェニル）−２−メチルプロピル−１−マレイミド］、ポリ［（Ｓ）−（−）−１−（２，３，５，
６−テトラ−ｔ−ブチルフェニル）−２−メチルプロピル−１−マレイミド］、ポリ［（Ｓ）−（−）−１−（２−メトキシフェニル）−２−メチルプロピル−１−マレイミド］、ポリ［（Ｓ）−（−）−１−（３−メトキシフェニル）−２−メチルプロピル−１−マレイミド］、ポリ［（Ｓ）−（−）−１−（４−メトキシフェニル）−２−メチルプロピル−１−マレイミド］、ポリ［（Ｓ）−（−）−１−（２、３−ジメトキシフェニル）−２−メチルプロピル−１−マレイミド］、ポリ［（Ｓ）−（−）−１−（２、４−ジメトキシフェニル）−２−メチルプロピル−１−マレイミド］、ポリ［（Ｓ）−（−）−１−（２、５−ジメトキシフェニル）−２−メチルプロピル−１−マレイミド］、ポリ［（Ｓ）−（−）−１−（２、６−ジメトキシフェニル）−２−メチルプロピル−１−マレイミド］、ポリ［（Ｓ）−（−）−１−（３、４−ジメトキシフェニル）−２−メチルプロピル−１−マレイミド］、ポリ［（Ｓ）−（−）−１−（３、５−ジメトキシフェニル）−２−メチルプロピル−１−マレイミド］、ポリ［（Ｓ）−（−）−１−（２、４、６−トリメトキシフェニル）−２−メチルプロピル−１−マレイミド］、ポリ［（Ｓ）−（−）−１−（２、３、４、５−テトラメトキシフェニル）−２−メチルプロピル−１−マレイミド］、ポリ［（Ｓ）−（−）−１−（２、３、４、６−テトラメトキシフェニル）−２−メチルプロピル−１−マレイミド］、ポリ［（Ｓ）−（−）−１−（２、３、５、６−テトラメトキシフェニル）−２−メチルプロピル−１−マレイミド］、ポリ［（Ｓ）−（−）−１−（２、３、４、５、６−ペンタメトキシフェニル）−２−メチルプロピル−１−マレイミド］、ポリ［（Ｓ）−（−）−１−（２−エトキシフェニル）−２−メチルプロピル−１−マレイミド］、ポリ［（Ｓ）−（−）−１−（３−エトキシフェニル）−２−メチルプロピル−１−マレイミド］、ポリ［（Ｓ）−（−）−１−（４−エトキシフェニル）−２−メチルプロピル−１−マレイミド］、ポリ［（Ｓ）−（−）−１−（２、３−ジエトキシフェニル）−２−メチルプロピル−１−マレイミド］、ポリ［（Ｓ）−（−）−１−（２、４−ジエトキシフェニル）−２−メチルプロピル−１−マレイミド］、ポリ［（Ｓ）−（−）−１−（２、５−ジエトキシフェニル）−２−メチルプロピル−１−マレイミド］、ポリ［（Ｓ）−（−）−１−（２、６−ジエトキシフェニル）−２−メチルプロピル−１−マレイミド］、ポリ［（Ｓ）−（−）−１−（３、４−ジエトキシフェニル）−２−メチルプロピル−１−マレイミド］、ポリ［（Ｓ）−（−）−１−（３、５−ジエトキシフェニル）−２−メチルプロピル−１−マレイミド］、ポリ［（Ｓ）−（−）−１−（２、４、６−トリエトキシフェニル）−２−メチルプロピル−１−マレイミド］、ポリ［（Ｓ）−（−）−１−（２、３、４、５−テトラエトキシフェニル）−２−メチルプロピル−１−マレイミド］、ポリ［（Ｓ）−（−）−１−（２、３、４、６−テトラエトキシフェニル）−２−メチルプロピル−１−マレイミド］、ポリ［（Ｓ）−（−）−１−（２、３、５、６−テトラエトキシフェニル）−２−メチルプロピル−１−マレイミド］、ポリ［（Ｓ）−（−）−１−（２、３、４、５、６−ペンタエトキシフェニル）−２−メチルプロピル−１−マレイミド］等が挙げられる。
【００４１】
また、上記一般式（１）において、置換基Ｒ１〜Ｒ５のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がｎ−プロピル基である該光学活性ポリマレイミド誘導体としては、具体的には、ポリ［（Ｓ）−（−）−１−フェニル−ｎ−ブチル−１−マレイミド］、ポリ［（Ｓ）−（−）−１−（２−メチルフェニル）−ｎ−ブチル−１−マレイミド］、ポリ［（Ｓ）−（−）−１−（３−メチルフェニル）−ｎ−ブチル−１−マレイミド］、ポリ［（Ｓ）−（−）−１−（４−メチルフェニル）−ｎ−ブチル−１−マレイミド］、ポリ［（Ｓ）−（−）−１−（２，３−ジメチルフェニル）−ｎ−ブチル−１−マレイミド］、ポリ［（Ｓ）−（−）−１−（２，４−ジメチルフェニル）−ｎ−ブチル−１−マレイミド］、ポリ［（Ｓ）−（−）−１−（２，５−ジメチルフェニル）−ｎ−ブチル−１−マレイミド］、ポリ［（Ｓ）−（−）−１−（２，６−ジメチルフェニル）−ｎ−ブチル−１−マレイミド］、ポリ［（Ｓ）−（−）−１−（３，４−ジメチルフェニル）−ｎ−ブチル−１−マレイミド］、ポリ［（Ｓ）−（−）−１−（３，５−ジメチルフェニル）−ｎ−ブチル−１−マレイミド］、ポリ［（Ｓ）−（−）−１−（２，４，６−トリメチルフェニル）−ｎ−ブチル−１−マレイミド］、ポリ［（Ｓ）−（−）−１−（２，３，４，５−テトラメチルフェニル）−ｎ−ブチル−１−マレイミド］、ポリ［（Ｓ）−（−）−１−（２，３，４，６−テトラメチルフェニル）−ｎ−ブチル−１−マレイミド］、ポリ［（Ｓ）−（−）−１−（２，３，５，６−テトラメチルフェニル）−ｎ−ブチル−１−マレイミド］、ポリ［（Ｓ）−（−）−１−（２，３，４，５，６−ペンタメチルフェニル）−ｎ−ブチル−１−マレイミド］、ポリ［（Ｓ）−（−）−１−（２−エチルフェニル）−ｎ−ブチル−１−マレイミド］、ポリ［（Ｓ）−（−）−１−（３−エチルフェニル）−ｎ−ブチル−１−マレイミド］、ポリ［（Ｓ）−（−）−１−（４−エチルフェニル）−ｎ−ブチル−１−マレイミド］、ポリ［（Ｓ）−（−）−１−（２，３−ジエチルフェニル）−ｎ−ブチル−１−マレイミド］、ポリ［（Ｓ）−（−）−１−（２，４−ジエチルフェニル）−ｎ−ブチル−１−マレイミド］、ポリ［（Ｓ）−（−）−１−（２，５−ジエチルフェニル）−ｎ−ブチル−１−マレイミド］、ポリ［（Ｓ）−（−）−１−（２，６−ジエチルフェニル）−ｎ−ブチル−１−マレイミド］、ポリ［（Ｓ）−（−）−１−（３，４−ジエチルフェニル）−ｎ−ブチル−１−マレイミド］、ポリ［（Ｓ）−（−）−１−（３，５−ジエチルフェニル）−ｎ−ブチル−１−マレイミド］、ポリ［（Ｓ）−（−）−１−（２，４，６−トリエチルフェニル）−ｎ−ブチル−１−マレイミド］、ポリ［（Ｓ）−（−）−１−（２，３，４，５−テトラエチルフェニル）−ｎ−ブチル−１−マレイミド］、ポリ［（Ｓ）−（−）−１−（２，３，４，６−テトラエチルフェニル）−ｎ−ブチル−１−マレイミド］、ポリ［（Ｓ）−（−）−１−（２，３，５，６−テトラエチルフェニル）−ｎ−ブチル−１−マレイミド］、ポリ［（Ｓ）−（−）−１−（２，３，４，５，６−ペンタエチルフェニル）−ｎ−ブチル−１−マレイミド］、ポリ［（Ｓ）−（−）−１−（２−ｎ−プロピルフェニル）−ｎ−ブチル−１−マレイミド］、ポリ［（Ｓ）−（−）−１−（３−ｎ−プロピルフェニル）−ｎ−ブチル−１−マレイミド］、ポリ［（Ｓ）−（−）−１−（４−ｎ−プロピルフェニル）−ｎ−ブチル−１−マレイミド］、ポリ［（Ｓ）−（−）−１−（２，３−ジ−ｎ−プロピルフェニル）−ｎ−ブチル−１−マレイミド］、ポリ［（Ｓ）−（−）−１−（２，４−ジ−ｎ−プロピルフェニル）−ｎ−ブチル−１−マレイミド］、ポリ［（Ｓ）−（−）−１−（２，５−ジ−ｎ−プロピルフェニル）−ｎ−ブチル−１−マレイミド］、ポリ［（Ｓ）−（−）−１−（２，６−ジ−ｎ−プロピルフェニル）−ｎ−ブチル−１−マレイミド］、ポリ［（Ｓ）−（−）−１−（３，４−ジ−ｎ−プロピルフェニル）−ｎ−ブチル−１−マレイミド］、ポリ［（Ｓ）−（−）−１−（３，５−ジ−ｎ−プロピルフェニル）−ｎ−ブチル−１−マレイミド］、ポリ［（Ｓ）−（−）−１−（２，４，６−トリ−ｎ−プロピルフェニル）−ｎ−ブチル−１−マレイミド］、ポリ［（Ｓ）−（−）−１−（２，３，４，５−テトラ−ｎ−プロピルフェニル）−ｎ−ブチル−１−マレイミド］、ポリ［（Ｓ）−（−）−１−（２，３，４，６−テトラ−ｎ−プロピルフェニル）−ｎ−ブチル−１−マレイミド］、ポリ［（Ｓ）−（−）−１−（２，３，５，６−テトラ−ｎ−プロピルフェニル）−ｎ−ブチル−１−マレイミド］、ポリ［（Ｓ）−（−）−１−（２，３，４，５，６−ペンタ−ｎ−プロピルフェニル）−ｎ−ブチル−１−マレイミド］、ポリ［（Ｓ）−（−）−１−（２−ｉ−プロピルフェニル）−ｎ−ブチル−１−マレイミド］、ポリ［（Ｓ）−（−）−１−（３−ｉ−プロピルフェニル）−ｎ−ブチル−１−マレイミド］、ポリ［（Ｓ）−（−）−１−（４−ｉ−プロピルフェニル）−ｎ−ブチル−１−マレイミド］、ポリ［（Ｓ）−（−）−１−（２，３−ジ−ｉ−プロピルフェニル）−ｎ−ブチル−１−マレイミド］、ポリ［（Ｓ）−（−）−１−（２，４−ジ−ｉ−プロピルフェニル）−ｎ−ブチル−１−マレイミド］、ポリ［（Ｓ）−（−）−１−（２，５−ジ−ｉ−プロピルフェニル）−ｎ−ブチル−１−マレイミド］、ポリ［（Ｓ）−（−）−１−（２，６−ジ−ｉ−プロピルフェニル）−ｎ−ブチル−１−マレイミド］、ポリ［（Ｓ）−（−）−１−（３，４−ジ−ｉ−プロピルフェニル）−ｎ−ブチル−１−マレイミド］、ポリ［（Ｓ）−（−）−１−（３，５−ジ−ｉ−プロピルフェニル）−ｎ−ブチル−１−マレイミド］、ポリ［（Ｓ）−（−）−１−（２，４，６−トリ−ｉ−プロピルフェニル）−ｎ−ブチル−１−マレイミド］、ポリ［（Ｓ）−（−）−１−（２，３，４，５−テトラ−ｉ−プロピルフェニル）−ｎ−ブチル−１−マレイミド］、ポリ［（Ｓ）−（−）−１−（２，３，４，６−テトラ−ｉ−プロピルフェニル）−ｎ−ブチル−１−マレイミド］、ポリ［（Ｓ）−（−）−１−（２，３，５，６−テトラ−ｉ−プロピルフェニル）−ｎ−ブチル−１−マレイミド］、ポリ［（Ｓ）−（−）−１−（２，３，４，５，６−ペンタ−ｉ−プロピルフェニル）−ｎ−ブチル−１−マレイミド］、ポリ［（Ｓ）−（−）−１−（２−ｎ−ブチルフェニル）−ｎ−ブチル−１−マレイミド］、ポリ［（Ｓ）−（−）−１−（３−ｎ−ブチルフェニル）−ｎ−ブチル−１−マレイミド］、ポリ［（Ｓ）−（−）−１−（４−ｎ−ブチルフェニル）−ｎ−ブチル−１−マレイミド］、ポリ［（Ｓ）−（−）−１−（２，３−ジ−ｎ−ブチルフェニル）−ｎ−ブチル−１−マレイミド］、ポリ［（Ｓ）−（−）−１−（２，４−ジ−ｎ−ブチルフェニル）−ｎ−ブチル−１−マレイミド］、ポリ［（Ｓ）−（−）−１−（２，５−ジ−ｎ−ブチルフェニル）−ｎ−ブチル−１−マレイミド］、ポリ［（Ｓ）−（−）−１−（２，６−ジ−ｎ−ブチルフェニル）−ｎ−ブチル−１−マレイミド］、ポリ［（Ｓ）−（−）−１−（３，４−ジ−ｎ−ブチルフェニル）−ｎ−ブチル−１−マレイミド］、ポリ［（Ｓ）−（−）−１−（３，５−ジ−ｎ−ブチルフェニル）−ｎ−ブチル−１−マレイミド］、ポリ［（Ｓ）−（−）−１−（２，４，６−トリ−ｎ−ブチルフェニル）−ｎ−ブチル−１−マレイミド］、ポリ［（Ｓ）−（−）−１−（２，３，４，５−テトラ−ｎ−ブチルフェニル）−ｎ−ブチル−１−マレイミド］、ポリ［（Ｓ）−（−）−１−（２，３，４，６−テトラ−ｎ−ブチルフェニル）−ｎ−ブチル−１−マレイミド］、ポリ［（Ｓ）−（−）−１−（２，３，５，６−テトラ−ｎ−ブチルフェニル）−ｎ−ブチル−１−マレイミド］、ポリ［（Ｓ）−（−）−１−（２，３，４，５，６−ペンタ−ｎ−ブチルフェニル）−ｎ−ブチル−１−マレイミド］、ポリ［（Ｓ）−（−）−１−（２−ｉ−ブチルフェニル）−ｎ−ブチル−１−マレイミド］、ポリ［（Ｓ）−（−）−１−（３−ｉ−ブチルフェニル）−ｎ−ブチル−１−マレイミド］、ポリ［（Ｓ）−（−）−１−（４−ｉ−ブチルフェニル）−ｎ−ブチル−１−マレイミド］、ポリ［（Ｓ）−（−）−１−（２，３−ジ−ｉ−ブチルフェニル）−ｎ−ブチル−１−マレイミド］、ポリ［（Ｓ）−（−）−１−（２，４−ジ−ｉ−ブチルフェニル）−ｎ−ブチル−１−マレイミド］、ポリ［（Ｓ）−（−）−１−（２，５−ジ−ｉ−ブチルフェニル）−ｎ−ブチル−１−マレイミド］、ポリ［（Ｓ）−（−）−１−（２，６−ジ−ｉ−ブチルフェニル）−ｎ−ブチル−１−マレイミド］、ポリ［（Ｓ）−（−）−１−（３，４−ジ−ｉ−ブチルフェニル）−ｎ−ブチル−１−マレイミド］、ポリ［（Ｓ）−（−）−１−（３，５−ジ−ｉ−ブチルフェニル）−ｎ−ブチル−１−マレイミド］、ポリ［（Ｓ）−（−）−１−（２，４，６−トリ−ｉ−ブチルフェニル）−ｎ−ブチル−１−マレイミド］、ポリ［（Ｓ）−（−）−１−（２，３，４，５−テトラ−ｉ−ブチルフェニル）−ｎ−ブチル−１−マレイミド］、ポリ［（Ｓ）−（−）−１−（２，３，４，６−テトラ−ｉ−ブチルフェニル）−ｎ−ブチル−１−マレイミド］、ポリ［（Ｓ）−（−）−１−（２，３，５，６−テトラ−ｉ−ブチルフェニル）−ｎ−ブチル−１−マレイミド］、ポリ［（Ｓ）−（−）−１−（２，３，４，５，６−ペンタ−ｉ−ブチルフェニル）−ｎ−ブチル−１−マレイミド］、ポリ［（Ｓ）−（−）−１−（２−ｔ−ブチルフェニル）−ｎ−ブチル−１−マレイミド］、ポリ［（Ｓ）−（−）−１−（３−ｔ−ブチルフェニル）−ｎ−ブチル−１−マレイミド］、ポリ［（Ｓ）−（−）−１−（４−ｔ−ブチルフェニル）−ｎ−ブチル−１−マレイミド］、ポリ［（Ｓ）−（−）−１−（２，３−ジ−ｔ−ブチルフェニル）−ｎ−ブチル−１−マレイミド］、ポリ［（Ｓ）−（−）−１−（２，４−ジ−ｔ−ブチルフェニル）−ｎ−ブチル−１−マレイミド］、ポリ［（Ｓ）−（−）−１−（２，５−ジ−ｔ−ブチルフェニル）−ｎ−ブチル−１−マレイミド］、ポリ［（Ｓ）−（−）−１−（２，６−ジ−ｔ−ブチルフェニル）−ｎ−ブチル−１−マレイミド］、ポリ［（Ｓ）−（−）−１−（３，４−ジ−ｔ−ブチルフェニル）−ｎ−ブチル−１−マレイミド］、ポリ［（Ｓ）−（−）−１−（３，５−ジ−ｔ−ブチルフェニル）−ｎ−ブチル−１−マレイミド］、ポリ［（Ｓ）−（−）−１−（２，４，６−トリ−ｔ−ブチルフェニル）−ｎ−ブチル−１−マレイミド］、ポリ［（Ｓ）−（−）−１−（２，３，４，５−テトラ−ｔ−ブチルフェニル）−ｎ−ブチル−１−マレイミド］、ポリ［（Ｓ）−（−）−１−（２，３，４，６−テトラ−ｔ−ブチルフェニル）−ｎ−ブチル−１−マレイミド］、ポリ［（Ｓ）−（−）−１−（２，３，５，６−テトラ−ｔ−ブチルフェニル）−ｎ−ブチル−１−マレイミド］、ポリ［（Ｓ）−（−）−１−（２，３，４，５，６−ペンタ−ｔ−ブチルフェニル）−ｎ−ブチル−１−マレイミド］、ポリ［（Ｓ）−（−）−１−（２−メトキシフェニル）−ｎ−ブチル−１−マレイミド］、ポリ［（Ｓ）−（−）−１−（３−メトキシフェニル）−ｎ−ブチル−１−マレイミド］、ポリ［（Ｓ）−（−）−１−（４−メトキシフェニル）−ｎ−ブチル−１−マレイミド］、ポリ［（Ｓ）−（−）−１−（２、３−ジメトキシフェニル）−ｎ−ブチル−１−マレイミド］、ポリ［（Ｓ）−（−）−１−（２、４−ジメトキシフェニル）−ｎ−ブチル−１−マレイミド］、ポリ［（Ｓ）−（−）−１−（２、５−ジメトキシフェニル）−ｎ−ブチル−１−マレイミド］、ポリ［（Ｓ）−（−）−１−（２、６−ジメトキシフェニル）−ｎ−ブチル−１−マレイミド］、ポリ［（
Ｓ）−（−）−１−（３、４−ジメトキシフェニル）−ｎ−ブチル−１−マレイミド］、ポリ［（Ｓ）−（−）−１−（３、５−ジメトキシフェニル）−ｎ−ブチル−１−マレイミド］、ポリ［（Ｓ）−（−）−１−（２、４、６−トリメトキシフェニル）−ｎ−ブチル−１−マレイミド］、ポリ［（Ｓ）−（−）−１−（２、３、４、５−テトラメトキシフェニル）−ｎ−ブチル−１−マレイミド］、ポリ［（Ｓ）−（−）−１−（２、３、４、６−テトラメトキシフェニル）−ｎ−ブチル−１−マレイミド］、ポリ［（Ｓ）−（−）−１−（２、３、５、６−テトラメトキシフェニル）−ｎ−ブチル−１−マレイミド］、ポリ［（Ｓ）−（−）−１−（２、３、４、５、６−ペンタメトキシフェニル）−ｎ−ブチル−１−マレイミド］、ポリ［（Ｓ）−（−）−１−（２−エトキシフェニル）−ｎ−ブチル−１−マレイミド］、ポリ［（Ｓ）−（−）−１−（３−エトキシフェニル）−ｎ−ブチル−１−マレイミド］、ポリ［（Ｓ）−（−）−１−（４−エトキシフェニル）−ｎ−ブチル−１−マレイミド］、ポリ［（Ｓ）−（−）−１−（２、３−ジエトキシフェニル）−ｎ−ブチル−１−マレイミド］、ポリ［（Ｓ）−（−）−１−（２、４−ジエトキシフェニル）−ｎ−ブチル−１−マレイミド］、ポリ［（Ｓ）−（−）−１−（２、５−ジエトキシフェニル）−ｎ−ブチル−１−マレイミド］、ポリ［（Ｓ）−（−）−１−（２、６−ジエトキシフェニル）−ｎ−ブチル−１−マレイミド］、ポリ［（Ｓ）−（−）−１−（３、４−ジエトキシフェニル）−ｎ−ブチル−１−マレイミド］、ポリ［（Ｓ）−（−）−１−（３、５−ジエトキシフェニル）−ｎ−ブチル−１−マレイミド］、ポリ［（Ｓ）−（−）−１−（２、４、６−トリエトキシフェニル）−ｎ−ブチル−１−マレイミド］、ポリ［（Ｓ）−（−）−１−（２、３、４、５−テトラエトキシフェニル）−ｎ−ブチル−１−マレイミド］、ポリ［（Ｓ）−（−）−１−（２、３、４、６−テトラエトキシフェニル）−ｎ−ブチル−１−マレイミド］、ポリ［（Ｓ）−（−）−１−（２、３、５、６−テトラエトキシフェニル）−ｎ−ブチル−１−マレイミド］、ポリ［（Ｓ）−（−）−１−（２、３、４、５、６−ペンタエトキシフェニル）−ｎ−ブチル−１−マレイミド］等が挙げられる。
【００４２】
また、上記一般式（１）において、置換基Ｒ１〜Ｒ５のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がｉ−ブチル基である該光学活性ポリマレイミド誘導体としては、具体的には、ポリ［（Ｓ）−（−）−１−フェニル−３−メチルブチル−１−マレイミド］、ポリ［（Ｓ）−（−）−１−（２−メチルフェニル）−３−メチルブチル−１−マレイミド］、ポリ［（Ｓ）−（−）−１−（３−メチルフェニル）−３−メチルブチル−１−マレイミド］、ポリ［（Ｓ）−（−）−１−（４−メチルフェニル）−３−メチルブチル−１−マレイミド］、ポリ［（Ｓ）−（−）−１−（２，３−ジメチルフェニル）−３−メチルブチル−１−マレイミド］、ポリ［（Ｓ）−（−）−１−（２，４−ジメチルフェニル）−３−メチルブチル−１−マレイミド］、ポリ［（Ｓ）−（−）−１−（２，５−ジメチルフェニル）−３−メチルブチル−１−マレイミド］、ポリ［（Ｓ）−（−）−１−（２，６−ジメチルフェニル）−３−メチルブチル−１−マレイミド］、ポリ［（Ｓ）−（−）−１−（３，４−ジメチルフェニル）−３−メチルブチル−１−マレイミド］、ポリ［（Ｓ）−（−）−１−（３，５−ジメチルフェニル）−３−メチルブチル−１−マレイミド］、ポリ［（Ｓ）−（−）−１−（２，４，６−トリメチルフェニル）−３−メチルブチル−１−マレイミド］、ポリ［（Ｓ）−（−）−１−（２，３，４，５−テトラメチルフェニル）−３−メチルブチル−１−マレイミド］、ポリ［（Ｓ）−（−）−１−（２，３，４，６−テトラメチルフェニル）−３−メチルブチル−１−マレイミド］、ポリ［（Ｓ）−（−）−１−（２，３，５，６−テトラメチルフェニル）−３−メチルブチル−１−マレイミド］、ポリ［（Ｓ）−（−）−１−（２，３，４，５，６−ペンタメチルフェニル）−３−メチルブチル−１−マレイミド］、ポリ［（Ｓ）−（−）−１−（２−エチルフェニル）−３−メチルブチル−１−マレイミド］、ポリ［（Ｓ）−（−）−１−（３−エチルフェニル）−３−メチルブチル−１−マレイミド］、ポリ［（Ｓ）−（−）−１−（４−エチルフェニル）−３−メチルブチル−１−マレイミド］、ポリ［（Ｓ）−（−）−１−（２，３−ジエチルフェニル）−３−メチルブチル−１−マレイミド］、ポリ［（Ｓ）−（−）−１−（２，４−ジエチルフェニル）−３−メチルブチル−１−マレイミド］、ポリ［（Ｓ）−（−）−１−（２，５−ジエチルフェニル）−３−メチルブチル−１−マレイミド］、ポリ［（Ｓ）−（−）−１−（２，６−ジエチルフェニル）−３−メチルブチル−１−マレイミド］、ポリ［（Ｓ）−（−）−１−（３，４−ジエチルフェニル）−３−メチルブチル−１−マレイミド］、ポリ［（Ｓ）−（−）−１−（３，５−ジエチルフェニル）−３−メチルブチル−１−マレイミド］、ポリ［（Ｓ）−（−）−１−（２，４，６−トリエチルフェニル）−３−メチルブチル−１−マレイミド］、ポリ［（Ｓ）−（−）−１−（２，３，４，５−テトラエチルフェニル）−３−メチルブチル−１−マレイミド］、ポリ［（Ｓ）−（−）−１−（２，３，４，６−テトラエチルフェニル）−３−メチルブチル−１−マレイミド］、ポリ［（Ｓ）−（−）−１−（２，３，５，６−テトラエチルフェニル）−３−メチルブチル−１−マレイミド］、ポリ［（Ｓ）−（−）−１−（２，３，４，５，６−ペンタエチルフェニル）−３−メチルブチル−１−マレイミド］、ポリ［（Ｓ）−（−）−１−（２−ｎ−プロピルフェニル）−３−メチルブチル−１−マレイミド］、ポリ［（Ｓ）−（−）−１−（３−ｎ−プロピルフェニル）−３−メチルブチル−１−マレイミド］、ポリ［（Ｓ）−（−）−１−（４−ｎ−プロピルフェニル）−３−メチルブチル−１−マレイミド］、ポリ［（Ｓ）−（−）−１−（２，３−ジ−ｎ−プロピルフェニル）−３−メチルブチル−１−マレイミド］、ポリ［（Ｓ）−（−）−１−（２，４−ジ−ｎ−プロピルフェニル）−３−メチルブチル−１−マレイミド］、ポリ［（Ｓ）−（−）−１−（２，５−ジ−ｎ−プロピルフェニル）−３−メチルブチル−１−マレイミド］、ポリ［（Ｓ）−（−）−１−（２，６−ジ−ｎ−プロピルフェニル）−３−メチルブチル−１−マレイミド］、ポリ［（Ｓ）−（−）−１−（３，４−ジ−ｎ−プロピルフェニル）−３−メチルブチル−１−マレイミド］、ポリ［（Ｓ）−（−）−１−（３，５−ジ−ｎ−プロピルフェニル）−３−メチルブチル−１−マレイミド］、ポリ［（Ｓ）−（−）−１−（２，４，６−トリ−ｎ−プロピルフェニル）−３−メチルブチル−１−マレイミド］、ポリ［（Ｓ）−（−）−１−（２，３，４，５−テトラ−ｎ−プロピルフェニル）−３−メチルブチル−１−マレイミド］、ポリ［（Ｓ）−（−）−１−（２，３，４，６−テトラ−ｎ−プロピルフェニル）−３−メチルブチル−１−マレイミド］、ポリ［（Ｓ）−（−）−１−（２，３，５，６−テトラ−ｎ−プロピルフェニル）−３−メチルブチル−１−マレイミド］、ポリ［（Ｓ）−（−）−１−（２，３，４，５，６−ペンタ−ｎ−プロピルフェニル）−３−メチルブチル−１−マレイミド］、ポリ［（Ｓ）−（−）−１−（２−ｉ−プロピルフェニル）−３−メチルブチル−１−マレイミド］、ポリ［（Ｓ）−（−）−１−（３−ｉ−プロピルフェニル）−３−メチルブチル−１−マレイミド］、ポリ［（Ｓ）−（−）−１−（４−ｉ−プロピルフェニル）−３−メチルブチル−１−マレイミド］、ポリ［（Ｓ）−（−）−１−（２，３−ジ−ｉ−プロピルフェニル）−３−メチルブチル−１−マレイミド］、ポリ［（Ｓ）−（−）−１−（２，４−ジ−ｉ−プロピルフェニル）−３−メチルブチル−１−マレイミド］、ポリ［（Ｓ）−（−）−１−（２，５−ジ−ｉ−プロピルフェニル）−３−メチルブチル−１−マレイミド］、ポリ［（Ｓ）−（−）−１−（２，６−ジ−ｉ−プロピルフェニル）−３−メチルブチル−１−マレイミド］、ポリ［（Ｓ）−（−）−１−（３，４−ジ−ｉ−プロピルフェニル）−３−メチルブチル−１−マレイミド］、ポリ［（Ｓ）−（−）−１−（３，５−ジ−ｉ−プロピルフェニル）−３−メチルブチル−１−マレイミド］、ポリ［（Ｓ）−（−）−１−（２，４，６−トリ−ｉ−プロピルフェニル）−３−メチルブチル−１−マレイミド］、ポリ［（Ｓ）−（−）−１−（２，３，４，５−テトラ−ｉ−プロピルフェニル）−３−メチルブチル−１−マレイミド］、ポリ［（Ｓ）−（−）−１−（２，３，４，６−テトラ−ｉ−プロピルフェニル）−３−メチルブチル−１−マレイミド］、ポリ［（Ｓ）−（−）−１−（２，３，５，６−テトラ−ｉ−プロピルフェニル）−３−メチルブチル−１−マレイミド］、ポリ［（Ｓ）−（−）−１−（２，３，４，５，６−ペンタ−ｉ−プロピルフェニル）−３−メチルブチル−１−マレイミド］、ポリ［（Ｓ）−（−）−１−（２−ｎ−ブチルフェニル）−３−メチルブチル−１−マレイミド］、ポリ［（Ｓ）−（−）−１−（３−ｎ−ブチルフェニル）−３−メチルブチル−１−マレイミド］、ポリ［（Ｓ）−（−）−１−（４−ｎ−ブチルフェニル）−３−メチルブチル−１−マレイミド］、ポリ［（Ｓ）−（−）−１−（２，３−ジ−ｎ−ブチルフェニル）−３−メチルブチル−１−マレイミド］、ポリ［（Ｓ）−（−）−１−（２，４−ジ−ｎ−ブチルフェニル）−３−メチルブチル−１−マレイミド］、ポリ［（Ｓ）−（−）−１−（２，５−ジ−ｎ−ブチルフェニル）−３−メチルブチル−１−マレイミド］、ポリ［（Ｓ）−（−）−１−（２，６−ジ−ｎ−ブチルフェニル）−３−メチルブチル−１−マレイミド］、ポリ［（Ｓ）−（−）−１−（３，４−ジ−ｎ−ブチルフェニル）−３−メチルブチル−１−マレイミド］、ポリ［（Ｓ）−（−）−１−（３，５−ジ−ｎ−ブチルフェニル）−３−メチルブチル−１−マレイミド］、ポリ［（Ｓ）−（−）−１−（２，４，６−トリ−ｎ−ブチルフェニル）−３−メチルブチル−１−マレイミド］、ポリ［（Ｓ）−（−）−１−（２，３，４，５−テトラ−ｎ−ブチルフェニル）−３−メチルブチル−１−マレイミド］、ポリ［（Ｓ）−（−）−１−（２，３，４，６−テトラ−ｎ−ブチルフェニル）−３−メチルブチル−１−マレイミド］、ポリ［（Ｓ）−（−）−１−（２，３，５，６−テトラ−ｎ−ブチルフェニル）−３−メチルブチル−１−マレイミド］、ポリ［（Ｓ）−（−）−１−（２，３，４，５，６−ペンタ−ｎ−ブチルフェニル）−３−メチルブチル−１−マレイミド］、ポリ［（Ｓ）−（−）−１−（２−フェニル）−３−メチルブチル−１−マレイミド］、ポリ［（Ｓ）−（−）−１−（３−ｉ−ブチルフェニル）−３−メチルブチル−１−マレイミド］、ポリ［（Ｓ）−（−）−１−（４−ｉ−ブチルフェニル）−３−メチルブチル−１−マレイミド］、ポリ［（Ｓ）−（−）−１−（２，３−ジ−ｉ−ブチルフェニル）−３−メチルブチル−１−マレイミド］、ポリ［（Ｓ）−（−）−１−（２，４−ジ−ｉ−ブチルフェニル）−３−メチルブチル−１−マレイミド］、ポリ［（Ｓ）−（−）−１−（２，５−ジ−ｉ−ブチルフェニル）−３−メチルブチル−１−マレイミド］、ポリ［（Ｓ）−（−）−１−（２，６−ジ−ｉ−ブチルフェニル）−３−メチルブチル−１−マレイミド］、ポリ［（Ｓ）−（−）−１−（３，４−ジ−ｉ−ブチルフェニル）−３−メチルブチル−１−マレイミド］、ポリ［（Ｓ）−（−）−１−（３，５−ジ−ｉ−ブチルフェニル）−３−メチルブチル−１−マレイミド］、ポリ［（Ｓ）−（−）−１−（２，４，６−トリ−ｉ−ブチルフェニル）−３−メチルブチル−１−マレイミド］、ポリ［（Ｓ）−（−）−１−（２，３，４，５−テトラ−ｉ−ブチルフェニル）−３−メチルブチル−１−マレイミド］、ポリ［（Ｓ）−（−）−１−（２，３，４，６−テトラ−ｉ−ブチルフェニル）−３−メチルブチル−１−マレイミド］、ポリ［（Ｓ）−（−）−１−（２，３，５，６−テトラ−ｉ−ブチルフェニル）−３−メチルブチル−１−マレイミド］、ポリ［（Ｓ）−（−）−１−（２，３，４，５，６−ペンタ−ｉ−ブチルフェニル）−３−メチルブチル−１−マレイミド］、ポリ［（Ｓ）−（−）−１−（２−ｔ−ブチルフェニル）−３−メチルブチル−１−マレイミド］、ポリ［（Ｓ）−（−）−１−（３−ｔ−ブチルフェニル）−３−メチルブチル−１−マレイミド］、ポリ［（Ｓ）−（−）−１−（４−ｔ−ブチルフェニル）−３−メチルブチル−１−マレイミド］、ポリ［（Ｓ）−（−）−１−（２，３−ジ−ｔ−ブチルフェニル）−３−メチルブチル−１−マレイミド］、ポリ［（Ｓ）−（−）−１−（２，４−ジ−ｔ−ブチルフェニル）−３−メチルブチル−１−マレイミド］、ポリ［（Ｓ）−（−）−１−（２，５−ジ−ｔ−ブチルフェニル）−３−メチルブチル−１−マレイミド］、ポリ［（Ｓ）−（−）−１−（２，６−ジ−ｔ−ブチルフェニル）−３−メチルブチル−１−マレイミド］、ポリ［（Ｓ）−（−）−１−（３，４−ジ−ｔ−ブチルフェニル）−３−メチルブチル−１−マレイミド］、ポリ［（Ｓ）−（−）−１−（３，５−ジ−ｔ−ブチルフェニル）−３−メチルブチル−１−マレイミド］、ポリ［（Ｓ）−（−）−１−（２，４，６−トリ−ｔ−ブチルフェニル）−３−メチルブチル−１−マレイミド］、ポリ［（Ｓ）−（−）−１−（２，３，４，５−テトラ−ｔ−ブチルフェニル）−３−メチルブチル−１−マレイミド］、ポリ［（Ｓ）−（−）−１−（２，３，４，６−テトラ−ｔ−ブチルフェニル）−３−メチルブチル−１−マレイミド］、ポリ［（Ｓ）−（−）−１−（２，３，５，６−テトラ−ｔ−ブチルフェニル）−３−メチルブチル−１−マレイミド］、ポリ［（Ｓ）−（−）−１−（２，３，４，５，６−ペンタ−ｔ−ブチルフェニル）−３−メチルブチル−１−マレイミド］、ポリ［（Ｓ）−（−）−１
−（２−メトキシフェニル）−３−メチルブチル−１−マレイミド］、ポリ［（Ｓ）−（−）−１−（３−メトキシフェニル）−３−メチルブチル−１−マレイミド］、ポリ［（Ｓ）−（−）−１−（４−メトキシフェニル）−３−メチルブチル−１−マレイミド］、ポリ［（Ｓ）−（−）−１−（２、３−ジメトキシフェニル）−３−メチルブチル−１−マレイミド］、ポリ［（Ｓ）−（−）−１−（２、４−ジメトキシフェニル）−３−メチルブチル−１−マレイミド］、ポリ［（Ｓ）−（−）−１−（２、５−ジメトキシフェニル）−３−メチルブチル−１−マレイミド］、ポリ［（Ｓ）−（−）−１−（２、６−ジメトキシフェニル）−３−メチルブチル−１−マレイミド］、ポリ［（Ｓ）−（−）−１−（３、４−ジメトキシフェニル）−３−メチルブチル−１−マレイミド］、ポリ［（Ｓ）−（−）−１−（３、５−ジメトキシフェニル）−３−メチルブチル−１−マレイミド］、ポリ［（Ｓ）−（−）−１−（２、４、６−トリメトキシフェニル）−３−メチルブチル−１−マレイミド］、ポリ［（Ｓ）−（−）−１−（２、３、４、５−テトラメトキシフェニル）−３−メチルブチル−１−マレイミド］、ポリ［（Ｓ）−（−）−１−（２、３、４、６−テトラメトキシフェニル）−３−メチルブチル−１−マレイミド］、ポリ［（Ｓ）−（−）−１−（２、３、５、６−テトラメトキシフェニル）−３−メチルブチル−１−マレイミド］、ポリ［（Ｓ）−（−）−１−（２、３、４、５、６−ペンタメトキシフェニル）−３−メチルブチル−１−マレイミド］、ポリ［（Ｓ）−（−）−１−（２−エトキシフェニル）−３−メチルブチル−１−マレイミド］、ポリ［（Ｓ）−（−）−１−（３−エトキシフェニル）−３−メチルブチル−１−マレイミド］、ポリ［（Ｓ）−（−）−１−（４−エトキシフェニル）−３−メチルブチル−１−マレイミド］、ポリ［（Ｓ）−（−）−１−（２、３−ジエトキシフェニル）−３−メチルブチル−１−マレイミド］、ポリ［（Ｓ）−（−）−１−（２、４−ジエトキシフェニル）−３−メチルブチル−１−マレイミド］、ポリ［（Ｓ）−（−）−１−（２、５−ジエトキシフェニル）−３−メチルブチル−１−マレイミド］、ポリ［（Ｓ）−（−）−１−（２、６−ジエトキシフェニル）−３−メチルブチル−１−マレイミド］、ポリ［（Ｓ）−（−）−１−（３、４−ジエトキシフェニル）−３−メチルブチル−１−マレイミド］、ポリ［（Ｓ）−（−）−１−（３、５−ジエトキシフェニル）−３−メチルブチル−１−マレイミド］、ポリ［（Ｓ）−（−）−１−（２、４、６−トリエトキシフェニル）−３−メチルブチル−１−マレイミド］、ポリ［（Ｓ）−（−）−１−（２、３、４、５−テトラエトキシフェニル）−３−メチルブチル−１−マレイミド］、ポリ［（Ｓ）−（−）−１−（２、３、４、６−テトラエトキシフェニル）−３−メチルブチル−１−マレイミド］、ポリ［（Ｓ）−（−）−１−（２、３、５、６−テトラエトキシフェニル）−３−メチルブチル−１−マレイミド］、ポリ［（Ｓ）−（−）−１−（２、３、４、５、６−ペンタエトキシフェニル）−３−メチルブチル−１−マレイミド］等が挙げられる。
【００４３】
また、上記一般式（１）において、置換基Ｒ１〜Ｒ５のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がｔ−ブチル基である該光学活性ポリマレイミド誘導体としては、具体的には、ポリ［（Ｓ）−（−）−１−フェニル−２，２−ジメチルプロピル−１−マレイミド］、ポリ［（Ｓ）−（−）−１−（２−メチルフェニル）−２，２−ジメチルプロピル−１−マレイミド］、ポリ［（Ｓ）−（−）−１−（３−メチルフェニル）−２，２−ジメチルプロピル−１−マレイミド］、ポリ［（Ｓ）−（−）−１−（４−メチルフェニル）−２，２−ジメチルプロピル−１−マレイミド］、ポリ［（Ｓ）−（−）−１−（２，３−ジメチルフェニル）−２，２−ジメチルプロピル−１−マレイミド］、ポリ［（Ｓ）−（−）−１−（２，４−ジメチルフェニル）−２，２−ジメチルプロピル−１−マレイミド］、ポリ［（Ｓ）−（−）−１−（２，５−ジメチルフェニル）−２，２−ジメチルプロピル−１−マレイミド］、ポリ［（Ｓ）−（−）−１−（２，６−ジメチルフェニル）−２，２−ジメチルプロピル−１−マレイミド］、ポリ［（Ｓ）−（−）−１−（３，４−ジメチルフェニル）−２，２−ジメチルプロピル−１−マレイミド］、ポリ［（Ｓ）−（−）−１−（３，５−ジメチルフェニル）−２，２−ジメチルプロピル−１−マレイミド］、ポリ［（Ｓ）−（−）−１−（２，４，６−トリメチルフェニル）−２，２−ジメチルプロピル１−マレイミド］、ポリ［（Ｓ）−（−）−１−（２，３，４，５−テトラメチルフェニル）−２，２−ジメチルプロピル１−マレイミド］、ポリ［（Ｓ）−（−）−１−（２，３，４，６−テトラメチルフェニル）−２，２−ジメチルプロピル１−マレイミド］、ポリ［（Ｓ）−（−）−１−（２，３，５，６−テトラメチルフェニル）−２，２−ジメチルプロピル１−マレイミド］、ポリ［（Ｓ）−（−）−１−（２，３，４，５，６−ペンタメチルフェニル）−２，２−ジメチルプロピル−１−マレイミド］、ポリ［（Ｓ）−（−）−１−（２−エチルフェニル）−２，２−ジメチルプロピル−１−マレイミド］、ポリ［（Ｓ）−（−）−１−（３−エチルフェニル）−２，２−ジメチルプロピル−１−マレイミド］、ポリ［（Ｓ）−（−）−１−（４−エチルフェニル）−２，２−ジメチルプロピル−１−マレイミド］、ポリ［（Ｓ）−（−）−１−（２，３−ジエチルフェニル）−２，２−ジメチルプロピル−１−マレイミド］、ポリ［（Ｓ）−（−）−１−（２，４−ジエチルフェニル）−２，２−ジメチルプロピル−１−マレイミド］、ポリ［（Ｓ）−（−）−１−（２，５−ジエチルフェニル）−２，２−ジメチルプロピル−１−マレイミド］、ポリ［（Ｓ）−（−）−１−（２，６−ジエチルフェニル）−２，２−ジメチルプロピル−１−マレイミド］、ポリ［（Ｓ）−（−）−１−（３，４−ジエチルフェニル）−２，２−ジメチルプロピル−１−マレイミド］、ポリ［（Ｓ）−（−）−１−（３，５−ジエチルフェニル）−２，２−ジメチルプロピル−１−マレイミド］、ポリ［（Ｓ）−（−）−１−（２，４，６−トリエチルフェニル）−２，２−ジメチルプロピル１−マレイミド］、ポリ［（Ｓ）−（−）−１−（２，３，４，５−テトラエチルフェニル）−２，２−ジメチルプロピル−１−マレイミド］、ポリ［（Ｓ）−（−）−１−（２，３，４，６−テトラエチルフェニル）−２，２−ジメチルプロピル−１−マレイミド］、ポリ［（Ｓ）−（−）−１−（２，３，５，６−テトラエチルフェニル）−２，２−ジメチルプロピル−１−マレイミド］、ポリ［（Ｓ）−（−）−１−（２，３，４，５，６−ペンタエチルフェニル）−２，２−ジメチルプロピル−１−マレイミド］、ポリ［（Ｓ）−（−）−１−（２−ｎ−プロピルフェニル）−２，２−ジメチルプロピル−１−マレイミド］、ポリ［（Ｓ）−（−）−１−（３−ｎ−プロピルフェニル）−２，２−ジメチルプロピル−１−マレイミド］、ポリ［（Ｓ）−（−）−１−（４−ｎ−プロピルフェニル）−２，２−ジメチルプロピル−１−マレイミド］、ポリ［（Ｓ）−（−）−１−（２，３−ジ−ｎ−プロピルフェニル）−２，２−ジメチルプロピル−１−マレイミド］、ポリ［（Ｓ）−（−）−１−（２，４−ジ−ｎ−プロピルフェニル）−２，２−ジメチルプロピル−１−マレイミド］、ポリ［（Ｓ）−（−）−１−（２，５−ジ−ｎ−プロピルフェニル）−２，２−ジメチルプロピル−１−マレイミド］、ポリ［（Ｓ）−（−）−１−（２，６−ジ−ｎ−プロピルフェニル）−２，２−ジメチルプロピル−１−マレイミド］、ポリ［（Ｓ）−（−）−１−（３，４−ジ−ｎ−プロピルフェニル）−２，２−ジメチルプロピル−１−マレイミド］、ポリ［（Ｓ）−（−）−１−（３，５−ジ−ｎ−プロピルフェニル）−２，２−ジメチルプロピル−１−マレイミド］、ポリ［（Ｓ）−（−）−１−（２，４，６−トリ−ｎ−プロピルフェニル）−２，２−ジメチルプロピル−１−マレイミド］、ポリ［（Ｓ）−（−）−１−（２，３，４，５−テトラ−ｎ−プロピルフェニル）−２，２−ジメチルプロピル−１−マレイミド］、ポリ［（Ｓ）−（−）−１−（２，３，４，６−テトラ−ｎ−プロピルフェニル）−２，２−ジメチルプロピル−１−マレイミド］、ポリ［（Ｓ）−（−）−１−（２，３，５，６−テトラ−ｎ−プロピルフェニル）−２，２−ジメチルプロピル−１−マレイミド］、ポリ［（Ｓ）−（−）−１−（２，３，４，５，６−ペンタ−ｎ−プロピルフェニル）−２，２−ジメチルプロピル−１−マレイミド］、ポリ［（Ｓ）−（−）−１−（２−ｉ−プロピルフェニル）−２，２−ジメチルプロピル−１−マレイミド］、ポリ［（Ｓ）−（−）−１−（３−ｉ−プロピルフェニル）−２，２−ジメチルプロピル−１−マレイミド］、ポリ［（Ｓ）−（−）−１−（４−ｉ−プロピルフェニル）−２，２−ジメチルプロピル−１−マレイミド］、ポリ［（Ｓ）−（−）−１−（２，３−ジ−ｉ−プロピルフェニル）−２，２−ジメチルプロピル−１−マレイミド］、ポリ［（Ｓ）−（−）−１−（２，４−ジ−ｉ−プロピルフェニル）−２，２−ジメチルプロピル−１−マレイミド］、ポリ［（Ｓ）−（−）−１−（２，５−ジ−ｉ−プロピルフェニル）−２，２−ジメチルプロピル−１−マレイミド］、ポリ［（Ｓ）−（−）−１−（２，６−ジ−ｉ−プロピルフェニル）−２，２−ジメチルプロピル−１−マレイミド］、ポリ［（Ｓ）−（−）−１−（３，４−ジ−ｉ−プロピルフェニル）−２，２−ジメチルプロピル−１−マレイミド］、ポリ［（Ｓ）−（−）−１−（３，５−ジ−ｉ−プロピルフェニル）−２，２−ジメチルプロピル−１−マレイミド］、ポリ［（Ｓ）−（−）−１−（２，４，６−トリ−ｉ−プロピルフェニル）−２，２−ジメチルプロピル−１−マレイミド］、ポリ［（Ｓ）−（−）−１−（２，３，４，５−テトラ−ｉ−プロピルフェニル）−２，２−ジメチルプロピル−１−マレイミド］、ポリ［（Ｓ）−（−）−１−（２，３，４，６−テトラ−ｉ−プロピルフェニル）−２，２−ジメチルプロピル−１−マレイミド］、ポリ［（Ｓ）−（−）−１−（２，３，５，６−テトラ−ｉ−プロピルフェニル）−２，２−ジメチルプロピル−１−マレイミド］、ポリ［（Ｓ）−（−）−１−（２，３，４，５，６−ペンタ−ｉ−プロピルフェニル）−２，２−ジメチルプロピル−１−マレイミド］、ポリ［（Ｓ）−（−）−１−（２−ｎ−ブチルフェニル）−２，２−ジメチルプロピル−１−マレイミド］、ポリ［（Ｓ）−（−）−１−（３−ｎ−ブチルフェニル）−２，２−ジメチルプロピル−１−マレイミド］、ポリ［（Ｓ）−（−）−１−（４−ｎ−ブチルフェニル）−２，２−ジメチルプロピル−１−マレイミド］、ポリ［（Ｓ）−（−）−１−（２，３−ジ−ｎ−ブチルフェニル）−２，２−ジメチルプロピル−１−マレイミド］、ポリ［（Ｓ）−（−）−１−（２，４−ジ−ｎ−ブチルフェニル）−２，２−ジメチルプロピル−１−マレイミド］、ポリ［（Ｓ）−（−）−１−（２，５−ジ−ｎ−ブチルフェニル）−２，２−ジメチルプロピル−１−マレイミド］、ポリ［（Ｓ）−（−）−１−（２，６−ジ−ｎ−ブチルフェニル）−２，２−ジメチルプロピル−１−マレイミド］、ポリ［（Ｓ）−（−）−１−（３，４−ジ−ｎ−ブチルフェニル）−２，２−ジメチルプロピル−１−マレイミド］、ポリ［（Ｓ）−（−）−１−（３，５−ジ−ｎ−ブチルフェニル）−２，２−ジメチルプロピル−１−マレイミド］、ポリ［（Ｓ）−（−）−１−（２，４，６−トリ−ｎ−ブチルフェニル）−２，２−ジメチルプロピル−１−マレイミド］、ポリ［（Ｓ）−（−）−１−（２，３，４，５−テトラ−ｎ−ブチルフェニル）−２，２−ジメチルプロピル−１−マレイミド］、ポリ［（Ｓ）−（−）−１−（２，３，４，６−テトラ−ｎ−ブチルフェニル）−２，２−ジメチルプロピル−１−マレイミド］、ポリ［（Ｓ）−（−）−１−（２，３，５，６−テトラ−ｎ−ブチルフェニル）−２，２−ジメチルプロピル−１−マレイミド］、ポリ［（Ｓ）−（−）−１−（２，３，４，５，６−ペンタ−ｎ−ブチルフェニル）−２，２−ジメチルプロピル−１−マレイミド］、ポリ［（Ｓ）−（−）−１−（２−フェニル）−２，２−ジメチルプロピル−１−マレイミド］、ポリ［（Ｓ）−（−）−１−（３−ｉ−ブチルフェニル）−２，２−ジメチルプロピル−１−マレイミド］、ポリ［（Ｓ）−（−）−１−（４−ｉ−ブチルフェニル）−２，２−ジメチルプロピル−１−マレイミド］、ポリ［（Ｓ）−（−）−１−（２，３−ジ−ｉ−ブチルフェニル）−２，２−ジメチルプロピル−１−マレイミド］、ポリ［（Ｓ）−（−）−１−（２，４−ジ−ｉ−ブチルフェニル）−２，２−ジメチルプロピル−１−マレイミド］、ポリ［（Ｓ）−（−）−１−（２，５−ジ−ｉ−ブチルフェニル）−２，２−ジメチルプロピル−１−マレイミド］、ポリ［（Ｓ）−（−）−１−（２，６−ジ−ｉ−ブチルフェニル）−２，２−ジメチルプロピル−１−マレイミド］、ポリ［（Ｓ）−（−）−１−（３，４−ジ−ｉ−ブチルフェニル）−２，２−ジメチルプロピル−１−マレイミド］、ポリ［（Ｓ）−（−）−１−（３，５−ジ−ｉ−ブチルフェニル）−２，２−ジメチルプロピル−１−マレイミド］、ポリ［（Ｓ）−（−）−１−（２，４，６−トリ−ｉ−ブチルフェニル）−２，２−ジメチルプロピル−１−マレイミド］、ポリ［（Ｓ）−（−）−１−（２，３，４，５−テトラ−ｉ−ブチルフェニル）−２，２−ジメチルプロピル−１−マレイミド］、ポリ［（Ｓ）−（−）−１−（２，３，４，６−テトラ−ｉ−ブチルフェニル）−２，２−ジメチルプロピル−１−マレイミド］、ポリ［（Ｓ）−（−）−１−（２，３，５，６−テトラ−ｉ−ブチルフェニル）−２，２−ジメチルプロピル−１−マレイミド］、ポリ［（Ｓ）−（−）−１−（２，３，４，５，６−ペンタ−ｉ−ブチルフェニル）−２，２−ジメチルプロピル−１−マレイミド］、ポリ［（Ｓ）−（−）−１−（２−２，２−ジメチルプロピル−フェニル）−２，２−ジメチルプロピル−１−マレイミド］、ポリ［（Ｓ）−（−）−１−（３−２，２−ジメチルプロピル−フェニル）−２，２−ジメチルプロピル−１−マレイミド］、ポリ［（Ｓ）−（−）−１−（４−ｔ−ブチルフェニル）−２，２−ジメチルプロピル−１−マレイミド］、ポリ［（Ｓ）−（−）−１−（２，３−ジ−ｔ−ブチルフェニル）−２，２−ジメチルプロピル−１−マレイミド］、ポリ［（Ｓ）−（−）−１−（２，４−ジ−ｔ−ブチルフェニル）−２，２−ジメチルプロピル−１−マレイミド］、ポリ［（Ｓ）−（−）−１−（２，５−ジ−ｔ−ブチルフェニル）−２，２−ジメチルプロピル−１−マレイミド］、ポリ［（Ｓ）−（−）−１−（２，６−ジ−ｔ−ブチルフェニル）−２，２−ジメチルプロピル−１−マレイミド］、ポリ［（Ｓ
）−（−）−１−（３，４−ジ−ｔ−ブチルフェニル）−２，２−ジメチルプロピル−１−マレイミド］、ポリ［（Ｓ）−（−）−１−（３，５−ジ−ｔ−ブチルフェニル）−２，２−ジメチルプロピル−１−マレイミド］、ポリ［（Ｓ）−（−）−１−（２，４，６−トリ−ｔ−ブチルフェニル）−２，２−ジメチルプロピル−１−マレイミド］、ポリ［（Ｓ）−（−）−１−（２，３，４，５−テトラ−ｔ−ブチルフェニル）−２，２−ジメチルプロピル−１−マレイミド］、ポリ［（Ｓ）−（−）−１−（２，３，４，６−テトラ−ｔ−ブチルフェニル）−２，２−ジメチルプロピル−１−マレイミド］、ポリ［（Ｓ）−（−）−１−（２，３，５，６−テトラ−ｔ−ブチルフェニル）−２，２−ジメチルプロピル−１−マレイミド］、ポリ［（Ｓ）−（−）−１−（２，３，４，５，６−ペンタ−ｔ−ブチルフェニル）−２，２−ジメチルプロピル−１−マレイミド］、ポリ［（Ｓ）−（−）−１−（２−メトキシフェニル）−２，２−ジメチルプロピル−１−マレイミド］、ポリ［（Ｓ）−（−）−１−（３−メトキシフェニル）−２，２−ジメチルプロピル−１−マレイミド］、ポリ［（Ｓ）−（−）−１−（４−メトキシフェニル）−２，２−ジメチルプロピル−１−マレイミド］、ポリ［（Ｓ）−（−）−１−（２、３−ジメトキシフェニル）−２，２−ジメチルプロピル−１−マレイミド］、ポリ［（Ｓ）−（−）−１−（２、４−ジメトキシフェニル）−２，２−ジメチルプロピル−１−マレイミド］、ポリ［（Ｓ）−（−）−１−（２、５−ジメトキシフェニル）−２，２−ジメチルプロピル−１−マレイミド］、ポリ［（Ｓ）−（−）−１−（２、６−ジメトキシフェニル）−２，２−ジメチルプロピル−１−マレイミド］、ポリ［（Ｓ）−（−）−１−（３、４−ジメトキシフェニル）−２，２−ジメチルプロピル−１−マレイミド］、ポリ［（Ｓ）−（−）−１−（３、５−ジメトキシフェニル）−２，２−ジメチルプロピル−１−マレイミド］、ポリ［（Ｓ）−（−）−１−（２、４、６−トリメトキシフェニル）−２，２−ジメチルプロピル−１−マレイミド］、ポリ［（Ｓ）−（−）−１−（２、３、４、５−テトラメトキシフェニル）−２，２−ジメチルプロピル−１−マレイミド］、ポリ［（Ｓ）−（−）−１−（２、３、４、６−テトラメトキシフェニル）−２，２−ジメチルプロピル−１−マレイミド］、ポリ［（Ｓ）−（−）−１−（２、３、５、６−テトラメトキシフェニル）−２，２−ジメチルプロピル−１−マレイミド］、ポリ［（Ｓ）−（−）−１−（２、３、４、５、６−ペンタメトキシフェニル）−２，２−ジメチルプロピル−１−マレイミド］、ポリ［（Ｓ）−（−）−１−（２−エトキシフェニル）−２，２−ジメチルプロピル−１−マレイミド］、ポリ［（Ｓ）−（−）−１−（３−エトキシフェニル）−２，２−ジメチルプロピル−１−マレイミド］、ポリ［（Ｓ）−（−）−１−（４−エトキシフェニル）−２，２−ジメチルプロピル−１−マレイミド］、ポリ［（Ｓ）−（−）−１−（２、３−ジエトキシフェニル）−２，２−ジメチルプロピル−１−マレイミド］、ポリ［（Ｓ）−（−）−１−（２、４−ジエトキシフェニル）−２，２−ジメチルプロピル−１−マレイミド］、ポリ［（Ｓ）−（−）−１−（２、５−ジエトキシフェニル）−２，２−ジメチルプロピル−１−マレイミド］、ポリ［（Ｓ）−（−）−１−（２、６−ジエトキシフェニル）−２，２−ジメチルプロピル−１−マレイミド］、ポリ［（Ｓ）−（−）−１−（３、４−ジエトキシフェニル）−２，２−ジメチルプロピル−１−マレイミド］、ポリ［（Ｓ）−（−）−１−（３、５−ジエトキシフェニル）−２，２−ジメチルプロピル−１−マレイミド］、ポリ［（Ｓ）−（−）−１−（２、４、６−トリエトキシフェニル）−２，２−ジメチルプロピル−１−マレイミド］、ポリ［（Ｓ）−（−）−１−（２、３、４、５−テトラエトキシフェニル）−２，２−ジメチルプロピル−１−マレイミド］、ポリ［（Ｓ）−（−）−１−（２、３、４、６−テトラエトキシフェニル）−２，２−ジメチルプロピル−１−マレイミド］、ポリ［（Ｓ）−（−）−１−（２、３、５、６−テトラエトキシフェニル）−２，２−ジメチルプロピル−１−マレイミド］、ポリ［（Ｓ）−（−）−１−（２、３、４、５、６−ペンタエトキシフェニル）−２，２−ジメチルプロピル−１−マレイミド］等が挙げられる。
【００４４】
また、上記一般式（１）において、置換基Ｒ１〜Ｒ５のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がｎ−ブチル基である該光学活性ポリマレイミド誘導体としては、具体的には、ポリ［（Ｓ）−（−）−１−フェニル−ｎ−ペンチル−１−マレイミド］、ポリ［（Ｓ）−（−）−１−（２−メチルフェニル）−ｎ−ペンチル−１−マレイミド］、ポリ［（Ｓ）−（−）−１−（３−メチルフェニル）−ｎ−ペンチル−１−マレイミド］、ポリ［（Ｓ）−（−）−１−（４−メチルフェニル）−ｎ−ペンチル−１−マレイミド］、ポリ［（Ｓ）−（−）−１−（２，３−ジメチルフェニル）−ｎ−ペンチル−１−マレイミド］、ポリ［（Ｓ）−（−）−１−（２，４−ジメチルフェニル）−ｎ−ペンチル−１−マレイミド］、ポリ［（Ｓ）−（−）−１−（２，５−ジメチルフェニル）−ｎ−ペンチル−１−マレイミド］、ポリ［（Ｓ）−（−）−１−（２，６−ジメチルフェニル）−ｎ−ペンチル−１−マレイミド］、ポリ［（Ｓ）−（−）−１−（３，４−ジメチルフェニル）−ｎ−ペンチル−１−マレイミド］、ポリ［（Ｓ）−（−）−１−（３，５−ジメチルフェニル）−ｎ−ペンチル−１−マレイミド］、ポリ［（Ｓ）−（−）−１−（２，４，６−トリメチルフェニル）−ｎ−ペンチル−１−マレイミド］、ポリ［（Ｓ）−（−）−１−（２，３，４，５−テトラメチルフェニル）−ｎ−ペンチル−１−マレイミド］、ポリ［（Ｓ）−（−）−１−（２，３，４，６−テトラメチルフェニル）−ｎ−ペンチル−１−マレイミド］、ポリ［（Ｓ）−（−）−１−（２，３，５，６−テトラメチルフェニル）−ｎ−ペンチル−１−マレイミド］、ポリ［（Ｓ）−（−）−１−（２，３，４，５，６−ペンタメチルフェニル）−ｎ−ペンチル−１−マレイミド］、ポリ［（Ｓ）−（−）−１−（２−エチルフェニル）−ｎ−ペンチル−１−マレイミド］、ポリ［（Ｓ）−（−）−１−（３−エチルフェニル）−ｎ−ペンチル−１−マレイミド］、ポリ［（Ｓ）−（−）−１−（４−エチルフェニル）−ｎ−ペンチル−１−マレイミド］、ポリ［（Ｓ）−（−）−１−（２，３−ジエチルフェニル）−ｎ−ペンチル−１−マレイミド］、ポリ［（Ｓ）−（−）−１−（２，４−ジエチルフェニル）−ｎ−ペンチル−１−マレイミド］、ポリ［（Ｓ）−（−）−１−（２，５−ジエチルフェニル）−ｎ−ペンチル−１−マレイミド］、ポリ［（Ｓ）−（−）−１−（２，６−ジエチルフェニル）−ｎ−ペンチル−１−マレイミド］、ポリ［（Ｓ）−（−）−１−（３，４−ジエチルフェニル）−ｎ−ペンチル−１−マレイミド］、ポリ［（Ｓ）−（−）−１−（３，５−ジエチルフェニル）−ｎ−ペンチル−１−マレイミド］、ポリ［（Ｓ）−（−）−１−（２，４，６−トリエチルフェニル）−ｎ−ペンチル−１−マレイミド］、ポリ［（Ｓ）−（−）−１−（２，３，４，５−テトラエチルフェニル）−ｎ−ペンチル−１−マレイミド］、ポリ［（Ｓ）−（−）−１−（２，３，４，６−テトラエチルフェニル）−ｎ−ペンチル−１−マレイミド］、ポリ［（Ｓ）−（−）−１−（２，３，５，６−テトラエチルフェニル）−ｎ−ペンチル−１−マレイミド］、ポリ［（Ｓ）−（−）−１−（２，３，４，５，６−ペンタエチルフェニル）−ｎ−ペンチル−１−マレイミド］、ポリ［（Ｓ）−（−）−１−（２−ｎ−プロピルフェニル）−ｎ−ペンチル−１−マレイミド］、ポリ［（Ｓ）−（−）−１−（３−ｎ−プロピルフェニル）−ｎ−ペンチル−１−マレイミド］、ポリ［（Ｓ）−（−）−１−（４−ｎ−プロピルフェニル）−ｎ−ペンチル−１−マレイミド］、ポリ［（Ｓ）−（−）−１−（２，３−ジ−ｎ−プロピルフェニル）−ｎ−ペンチル−１−マレイミド］、ポリ［（Ｓ）−（−）−１−（２，４−ジ−ｎ−プロピルフェニル）−ｎ−ペンチル−１−マレイミド］、ポリ［（Ｓ）−（−）−１−（２，５−ジ−ｎ−プロピルフェニル）−ｎ−ペンチル−１−マレイミド］、ポリ［（Ｓ）−（−）−１−（２，６−ジ−ｎ−プロピルフェニル）−ｎ−ペンチル−１−マレイミド］、ポリ［（Ｓ）−（−）−１−（３，４−ジ−ｎ−プロピルフェニル）−ｎ−ペンチル−１−マレイミド］、ポリ［（Ｓ）−（−）−１−（３，５−ジ−ｎ−プロピルフェニル）−ｎ−ペンチル−１−マレイミド］、ポリ［（Ｓ）−（−）−１−（２，４，６−トリ−ｎ−プロピルフェニル）−ｎ−ペンチル−１−マレイミド］、ポリ［（Ｓ）−（−）−１−（２，３，４，５−テトラ−ｎ−プロピルフェニル）−ｎ−ペンチル−１−マレイミド］、ポリ［（Ｓ）−（−）−１−（２，３，４，６−テトラ−ｎ−プロピルフェニル）−ｎ−ペンチル−１−マレイミド］、ポリ［（Ｓ）−（−）−１−（２，３，５，６−テトラ−ｎ−プロピルフェニル）−ｎ−ペンチル−１−マレイミド］、ポリ［（Ｓ）−（−）−１−（２，３，４，５，６−ペンタ−ｎ−プロピルフェニル）−ｎ−ペンチル−１−マレイミド］、ポリ［（Ｓ）−（−）−１−（２−ｉ−プロピルフェニル）−ｎ−ペンチル−１−マレイミド］、ポリ［（Ｓ）−（−）−１−（３−ｉ−プロピルフェニル）−ｎ−ペンチル−１−マレイミド］、ポリ［（Ｓ）−（−）−１−（４−ｉ−プロピルフェニル）−ｎ−ペンチル−１−マレイミド］、ポリ［（Ｓ）−（−）−１−（２，３−ジ−ｉ−プロピルフェニル）−ｎ−ペンチル−１−マレイミド］、ポリ［（Ｓ）−（−）−１−（２，４−ジ−ｉ−プロピルフェニル）−ｎ−ペンチル−１−マレイミド］、ポリ［（Ｓ）−（−）−１−（２，５−ジ−ｉ−プロピルフェニル）−ｎ−ペンチル−１−マレイミド］、ポリ［（Ｓ）−（−）−１−（２，６−ジ−ｉ−プロピルフェニル）−ｎ−ペンチル−１−マレイミド］、ポリ［（Ｓ）−（−）−１−（３，４−ジ−ｉ−プロピルフェニル）−ｎ−ペンチル−１−マレイミド］、ポリ［（Ｓ）−（−）−１−（３，５−ジ−ｉ−プロピルフェニル）−ｎ−ペンチル−１−マレイミド］、ポリ［（Ｓ）−（−）−１−（２，４，６−トリ−ｉ−プロピルフェニル）−ｎ−ペンチル−１−マレイミド］、ポリ［（Ｓ）−（−）−１−（２，３，４，５−テトラ−ｉ−プロピルフェニル）−ｎ−ペンチル−１−マレイミド］、ポリ［（Ｓ）−（−）−１−（２，３，４，６−テトラ−ｉ−プロピルフェニル）−ｎ−ペンチル−１−マレイミド］、ポリ［（Ｓ）−（−）−１−（２，３，５，６−テトラ−ｉ−プロピルフェニル）−ｎ−ペンチル−１−マレイミド］、ポリ［（Ｓ）−（−）−１−（２，３，４，５，６−ペンタ−ｉ−プロピルフェニル）−ｎ−ペンチル−１−マレイミド］、ポリ［（Ｓ）−（−）−１−（２−ｎ−ブチルフェニル）−ｎ−ペンチル−１−マレイミド］、ポリ［（Ｓ）−（−）−１−（３−ｎ−ブチルフェニル）−ｎ−ペンチル−１−マレイミド］、ポリ［（Ｓ）−（−）−１−（４−ｎ−ブチルフェニル）−ｎ−ペンチル−１−マレイミド］、ポリ［（Ｓ）−（−）−１−（２，３−ジ−ｎ−ブチルフェニル）−ｎ−ペンチル−１−マレイミド］、ポリ［（Ｓ）−（−）−１−（２，４−ジ−ｎ−ブチルフェニル）−ｎ−ペンチル−１−マレイミド］、ポリ［（Ｓ）−（−）−１−（２，５−ジ−ｎ−ブチルフェニル）−ｎ−ペンチル−１−マレイミド］、ポリ［（Ｓ）−（−）−１−（２，６−ジ−ｎ−ブチルフェニル）−ｎ−ペンチル−１−マレイミド］、ポリ［（Ｓ）−（−）−１−（３，４−ジ−ｎ−ブチルフェニル）−ｎ−ペンチル−１−マレイミド］、ポリ［（Ｓ）−（−）−１−（３，５−ジ−ｎ−ブチルフェニル）−ｎ−ペンチル−１−マレイミド］、ポリ［（Ｓ）−（−）−１−（２，４，６−トリ−ｎ−ブチルフェニル）−ｎ−ペンチル−１−マレイミド］、ポリ［（Ｓ）−（−）−１−（２，３，４，５−テトラ−ｎ−ブチルフェニル）−ｎ−ペンチル−１−マレイミド］、ポリ［（Ｓ）−（−）−１−（２，３，４，６−テトラ−ｎ−ブチルフェニル）−ｎ−ペンチル−１−マレイミド］、ポリ［（Ｓ）−（−）−１−（２，３，５，６−テトラ−ｎ−ブチルフェニル）−ｎ−ペンチル−１−マレイミド］、ポリ［（Ｓ）−（−）−１−（２，３，４，５，６−ペンタ−ｎ−ブチルフェニル）−ｎ−ペンチル−１−マレイミド］、ポリ［（Ｓ）−（−）−１−（２−ｉ−ブチルフェニル）−ｎ−ペンチル−１−マレイミド］、ポリ［（Ｓ）−（−）−１−（３−ｉ−ブチルフェニル）−ｎ−ペンチル−１−マレイミド］、ポリ［（Ｓ）−（−）−１−（４−ｉ−ブチルフェニル）−ｎ−ペンチル−１−マレイミド］、ポリ［（Ｓ）−（−）−１−（２，３−ジ−ｉ−ブチルフェニル）−ｎ−ペンチル−１−マレイミド］、ポリ［（Ｓ）−（−）−１−（２，４−ジ−ｉ−ブチルフェニル）−ｎ−ペンチル−１−マレイミド］、ポリ［（Ｓ）−（−）−１−（２，５−ジ−ｉ−ブチルフェニル）−ｎ−ペンチル−１−マレイミド］、ポリ［（Ｓ）−（−）−１−（２，６−ジ−ｉ−ブチルフェニル）−ｎ−ペンチル−１−マレイミド］、ポリ［（Ｓ）−（−）−１−（３，４−ジ−ｉ−ブチルフェニル）−ｎ−ペンチル−１−マレイミド］、ポリ［（Ｓ）−（−）−１−（３，５−ジ−ｉ−ブチルフェニル）−ｎ−ペンチル−１−マレイミド］、ポリ［（Ｓ）−（−）−１−（２，４，６−トリ−ｉ−ブチルフェニル）−ｎ−ペンチル−１−マレイミド］、ポリ［（Ｓ）−（−）−１−（２，３，４，５−テトラ−ｉ−ブチルフェニル）−ｎ−ペンチル−１−マレイミド］、ポリ［（Ｓ）−（−）−１−（２，３，４，６−テトラ−ｉ−ブチルフェニル）−ｎ−ペンチル−１−マレイミド］、ポリ［（Ｓ）−（−）−１−（２，３，５，６−テトラ−ｉ−ブチルフェニル）−ｎ−ペンチル−１−マレイミド］、ポリ［（Ｓ）−（−）−１−（２，３，４，５，６−ペンタ−ｉ−ブチルフェニル）−ｎ−ペンチル−１−マレイミド］、ポリ［（Ｓ）−（−）−１−（２−ｔ−ブチルフェニル）−ｎ−ペンチル−１−マレイミド］、ポリ［（Ｓ）−（−）−１−（３−ｔ−ブチルフェニル）−ｎ−ペンチル−１−マレイミド］、ポリ［（Ｓ）−（−）−１−（４−ｔ−ブチルフェニル）−ｎ−ペンチル−１−マレイミド］、ポリ［（Ｓ）−（−）−１−（２，３−ジ−ｔ−ブチルフェニル）−ｎ−ペンチル−１−マレイミド］、ポリ［（Ｓ）−（−）−１−（２，４−ジ−ｔ−ブチルフェニル）−ｎ−ペンチル−１−マレイミド］、ポリ［（Ｓ）−（−）−１−（２，５−ジ−ｔ−ブチルフェニル）−ｎ−ペンチル−１−マレイミド］、ポリ［（Ｓ）−（−）−１−（２，６−ジ−ｔ−ブチルフェニル）−ｎ−ペンチル−１−マレイミド］、ポリ［（Ｓ）−（−）−１−（３，４−ジ−ｔ−ブチルフェニル）−ｎ−ペンチル−１−マレイミド］、ポリ［（Ｓ）−（−）−１−（３，５−ジ−ｔ−ブチルフェニル）−ｎ−ペンチル−１−マレイミド］、ポリ［（Ｓ）−（−）−１−（２，４，６−トリ−ｔ−ブチルフェニル）−ｎ−ペンチル−１−マレイミド］、ポリ［（Ｓ）−（−）−１−（２，３，４，５−テトラ−ｔ−ブチルフェニル）−ｎ−ペンチル−１−マレイミド］、ポリ［（Ｓ）−（−）−１−（２，３，４，６−テトラ−ｔ−ブチルフェニル）−ｎ−ペンチル−１−マレイミド］、ポリ［（Ｓ）−（−）−１−（２，３，５，６−テトラ−ｔ−ブチルフェニル）−ｎ−ペンチル−１−マレイミド］、ポリ［（Ｓ）−（−）−１−（２，３，４，５，６−ペンタ−ｔ−ブチルフェニル）−ｎ−ペンチル−１−マレイミド］、ポリ［（Ｓ）−（−）−１−（２−メトキシフェニル）−ｎ−ペンチル−１−マレイミド］、ポリ［（Ｓ）−（−）−１−（３−メトキシフェニル）−ｎ−ペンチル−１−マレイミド］、ポリ［（Ｓ）−（−）−１−（４−メトキシフェニル）−ｎ−ペンチル−１−マレイミド］、ポリ［（Ｓ）−（−）−１−（２、３−ジメトキシフェニル）−ｎ−ペンチル−１−マレイミド］、ポリ［（Ｓ）−（−）−１−（２、４−ジメトキシフェニル）−ｎ−ペンチ
ル−１−マレイミド］、ポリ［（Ｓ）−（−）−１−（２、５−ジメトキシフェニル）−ｎ−ペンチル−１−マレイミド］、ポリ［（Ｓ）−（−）−１−（２、６−ジメトキシフェニル）−ｎ−ペンチル−１−マレイミド］、ポリ［（Ｓ）−（−）−１−（３、４−ジメトキシフェニル）−ｎ−ペンチル−１−マレイミド］、ポリ［（Ｓ）−（−）−１−（３、５−ジメトキシフェニル）−ｎ−ペンチル−１−マレイミド］、ポリ［（Ｓ）−（−）−１−（２、４、６−トリメトキシフェニル）−ｎ−ペンチル−１−マレイミド］、ポリ［（Ｓ）−（−）−１−（２、３、４、５−テトラメトキシフェニル）−ｎ−ペンチル−１−マレイミド］、ポリ［（Ｓ）−（−）−１−（２、３、４、６−テトラメトキシフェニル）−ｎ−ペンチル−１−マレイミド］、ポリ［（Ｓ）−（−）−１−（２、３、５、６−テトラメトキシフェニル）−ｎ−ペンチル−１−マレイミド］、ポリ［（Ｓ）−（−）−１−（２、３、４、５、６−ペンタメトキシフェニル）−ｎ−ペンチル−１−マレイミド］、ポリ［（Ｓ）−（−）−１−（２−エトキシフェニル）−ｎ−ペンチル−１−マレイミド］、ポリ［（Ｓ）−（−）−１−（３−エトキシフェニル）−ｎ−ペンチル−１−マレイミド］、ポリ［（Ｓ）−（−）−１−（４−エトキシフェニル）−ｎ−ペンチル−１−マレイミド］、ポリ［（Ｓ）−（−）−１−（２、３−ジエトキシフェニル）−ｎ−ペンチル−１−マレイミド］、ポリ［（Ｓ）−（−）−１−（２、４−ジエトキシフェニル）−ｎ−ペンチル−１−マレイミド］、ポリ［（Ｓ）−（−）−１−（２、５−ジエトキシフェニル）−ｎ−ペンチル−１−マレイミド］、ポリ［（Ｓ）−（−）−１−（２、６−ジエトキシフェニル）−ｎ−ペンチル−１−マレイミド］、ポリ［（Ｓ）−（−）−１−（３、４−ジエトキシフェニル）−ｎ−ペンチル−１−マレイミド］、ポリ［（Ｓ）−（−）−１−（３、５−ジエトキシフェニル）−ｎ−ペンチル−１−マレイミド］、ポリ［（Ｓ）−（−）−１−（２、４、６−トリエトキシフェニル）−ｎ−ペンチル−１−マレイミド］、ポリ［（Ｓ）−（−）−１−（２、３、４、５−テトラエトキシフェニル）−ｎ−ペンチル−１−マレイミド］、ポリ［（Ｓ）−（−）−１−（２、３、４、６−テトラエトキシフェニル）−ｎ−ペンチル−１−マレイミド］、ポリ［（Ｓ）−（−）−１−（２、３、５、６−テトラエトキシフェニル）−ｎ−ペンチル−１−マレイミド］、ポリ［（Ｓ）−（−）−１−（２、３、４、５、６−ペンタエトキシフェニル）−ｎ−ペンチル−１−マレイミド］等が挙げられる。
【００４５】
また、上記一般式（１）において、置換基Ｒ１〜Ｒ５のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメトキシメチル基である該光学活性ポリマレイミド誘導体としては、具体的には、ポリ［（Ｓ）−（−）−１−フェニル−メトキシエチル−１−マレイミド］、ポリ［（Ｓ）−（−）−１−（２−メチルフェニル）−メトキシエチル−１−マレイミド］、ポリ［（Ｓ）−（−）−１−（３−メチルフェニル）−メトキシエチル−１−マレイミド］、ポリ［（Ｓ）−（−）−１−（４−メチルフェニル）−メトキシエチル−１−マレイミド］、ポリ［（Ｓ）−（−）−１−（２，３−ジメチルフェニル）−メトキシエチル−１−マレイミド］、ポリ［（Ｓ）−（−）−１−（２，４−ジメチルフェニル）−メトキシエチル−１−マレイミド］、ポリ［（Ｓ）−（−）−１−（２，５−ジメチルフェニル）−メトキシエチル−１−マレイミド］、ポリ［（Ｓ）−（−）−１−（２，６−ジメチルフェニル）−メトキシエチル−１−マレイミド］、ポリ［（Ｓ）−（−）−１−（３，４−ジメチルフェニル）−メトキシエチル−１−マレイミド］、ポリ［（Ｓ）−（−）−１−（３，５−ジメチルフェニル）−メトキシエチル−１−マレイミド］、ポリ［（Ｓ）−（−）−１−（２，４，６−トリメチルフェニル）−メトキシエチル−１−マレイミド］、ポリ［（Ｓ）−（−）−１−（２，３，４，５−テトラメチルフェニル）−メトキシエチル−１−マレイミド］、ポリ［（Ｓ）−（−）−１−（２，３，４，６−テトラメチルフェニル）−メトキシエチル−１−マレイミド］、ポリ［（Ｓ）−（−）−１−（２，３，５，６−テトラメチルフェニル）−メトキシエチル−１−マレイミド］、ポリ［（Ｓ）−（−）−１−（２，３，４，５，６−ペンタメチルフェニル）−メトキシエチル−１−マレイミド］、ポリ［（Ｓ）−（−）−１−（２−エチルフェニル）−メトキシエチル−１−マレイミド］、ポリ［（Ｓ）−（−）−１−（３−エチルフェニル）−メトキシエチル−１−マレイミド］、ポリ［（Ｓ）−（−）−１−（４−エチルフェニル）−メトキシエチル−１−マレイミド］、ポリ［（Ｓ）−（−）−１−（２，３−ジエチルフェニル）−メトキシエチル−１−マレイミド］、ポリ［（Ｓ）−（−）−１−（２，４−ジエチルフェニル）−メトキシエチル−１−マレイミド］、ポリ［（Ｓ）−（−）−１−（２，５−ジエチルフェニル）−メトキシエチル−１−マレイミド］、ポリ［（Ｓ）−（−）−１−（２，６−ジエチルフェニル）−メトキシエチル−１−マレイミド］、ポリ［（Ｓ）−（−）−１−（３，４−ジエチルフェニル）−メトキシエチル−１−マレイミド］、ポリ［（Ｓ）−（−）−１−（３，５−ジエチルフェニル）−メトキシエチル−１−マレイミド］、ポリ［（Ｓ）−（−）−１−（２，４，６−トリエチルフェニル）−メトキシエチル−１−マレイミド］、ポリ［（Ｓ）−（−）−１−（２，３，４，５−テトラエチルフェニル）−メトキシエチル−１−マレイミド］、ポリ［（Ｓ）−（−）−１−（２，３，４，６−テトラエチルフェニル）−メトキシエチル−１−マレイミド］、ポリ［（Ｓ）−（−）−１−（２，３，５，６−テトラエチルフェニル）−メトキシエチル−１−マレイミド］、ポリ［（Ｓ）−（−）−１−（２，３，４，５，６−ペンタエチルフェニル）−メトキシエチル−１−マレイミド］、ポリ［（Ｓ）−（−）−１−（２−ｎ−プロピルフェニル）−メトキシエチル−１−マレイミド］、ポリ［（Ｓ）−（−）−１−（３−ｎ−プロピルフェニル）−メトキシエチル−１−マレイミド］、ポリ［（Ｓ）−（−）−１−（４−ｎ−プロピルフェニル）−メトキシエチル−１−マレイミド］、ポリ［（Ｓ）−（−）−１−（２，３−ジ−ｎ−プロピルフェニル）−メトキシエチル−１−マレイミド］、ポリ［（Ｓ）−（−）−１−（２，４−ジ−ｎ−プロピルフェニル）−メトキシエチル−１−マレイミド］、ポリ［（Ｓ）−（−）−１−（２，５−ジ−ｎ−プロピルフェニル）−メトキシエチル−１−マレイミド］、ポリ［（Ｓ）−（−）−１−（２，６−ジ−ｎ−プロピルフェニル）−メトキシエチル−１−マレイミド］、ポリ［（Ｓ）−（−）−１−（３，４−ジ−ｎ−プロピルフェニル）−メトキシエチル−１−マレイミド］、ポリ［（Ｓ）−（−）−１−（３，５−ジ−ｎ−プロピルフェニル）−メトキシエチル−１−マレイミド］、ポリ［（Ｓ）−（−）−１−（２，４，６−トリ−ｎ−プロピルフェニル）−メトキシエチル−１−マレイミド］、ポリ［（Ｓ）−（−）−１−（２，３，４，５−テトラ−ｎ−プロピルフェニル）−メトキシエチル−１−マレイミド］、ポリ［（Ｓ）−（−）−１−（２，３，４，６−テトラ−ｎ−プロピルフェニル）−メトキシエチル−１−マレイミド］、ポリ［（Ｓ）−（−）−１−（２，３，５，６−テトラ−ｎ−プロピルフェニル）−メトキシエチル−１−マレイミド］、ポリ［（Ｓ）−（−）−１−（２，３，４，５，６−ペンタ−ｎ−プロピルフェニル）−メトキシエチル−１−マレイミド］、ポリ［（Ｓ）−（−）−１−（２−ｉ−プロピルフェニル）−メトキシエチル−１−マレイミド］、ポリ［（Ｓ）−（−）−１−（３−ｉ−プロピルフェニル）−メトキシエチル−１−マレイミド］、ポリ［（Ｓ）−（−）−１−（４−ｉ−プロピルフェニル）−メトキシエチル−１−マレイミド］、ポリ［（Ｓ）−（−）−１−（２，３−ジ−ｉ−プロピルフェニル）−メトキシエチル−１−マレイミド］、ポリ［（Ｓ）−（−）−１−（２，４−ジ−ｉ−プロピルフェニル）−メトキシエチル−１−マレイミド］、ポリ［（Ｓ）−（−）−１−（２，５−ジ−ｉ−プロピルフェニル）−メトキシエチル−１−マレイミド］、ポリ［（Ｓ）−（−）−１−（２，６−ジ−ｉ−プロピルフェニル）−メトキシエチル−１−マレイミド］、ポリ［（Ｓ）−（−）−１−（３，４−ジ−ｉ−プロピルフェニル）−メトキシエチル−１−マレイミド］、ポリ［（Ｓ）−（−）−１−（３，５−ジ−ｉ−プロピルフェニル）−メトキシエチル−１−マレイミド］、ポリ［（Ｓ）−（−）−１−（２，４，６−トリ−ｉ−プロピルフェニル）−メトキシエチル−１−マレイミド］、ポリ［（Ｓ）−（−）−１−（２，３，４，５−テトラ−ｉ−プロピルフェニル）−メトキシエチル−１−マレイミド］、ポリ［（Ｓ）−（−）−１−（２，３，４，６−テトラ−ｉ−プロピルフェニル）−メトキシエチル−１−マレイミド］、ポリ［（Ｓ）−（−）−１−（２，３，５，６−テトラ−ｉ−プロピルフェニル）−メトキシエチル−１−マレイミド］、ポリ［（Ｓ）−（−）−１−（２，３，４，５，６−ペンタ−ｉ−プロピルフェニル）−メトキシエチル−１−マレイミド］、ポリ［（Ｓ）−（−）−１−（２−ｎ−ブチルフェニル）−メトキシエチル−１−マレイミド］、ポリ［（Ｓ）−（−）−１−（３−ｎ−ブチルフェニル）−メトキシエチル−１−マレイミド］、ポリ［（Ｓ）−（−）−１−（４−ｎ−ブチルフェニル）−メトキシエチル−１−マレイミド］、ポリ［（Ｓ）−（−）−１−（２，３−ジ−ｎ−ブチルフェニル）−メトキシエチル−１−マレイミド］、ポリ［（Ｓ）−（−）−１−（２，４−ジ−ｎ−ブチルフェニル）−メトキシエチル−１−マレイミド］、ポリ［（Ｓ）−（−）−１−（２，５−ジ−ｎ−ブチルフェニル）−メトキシエチル−１−マレイミド］、ポリ［（Ｓ）−（−）−１−（２，６−ジ−ｎ−ブチルフェニル）−メトキシエチル−１−マレイミド］、ポリ［（Ｓ）−（−）−１−（３，４−ジ−ｎ−ブチルフェニル）−メトキシエチル−１−マレイミド］、ポリ［（Ｓ）−（−）−１−（３，５−ジ−ｎ−ブチルフェニル）−メトキシエチル−１−マレイミド］、ポリ［（Ｓ）−（−）−１−（２，４，６−トリ−ｎ−ブチルフェニル）−メトキシエチル−１−マレイミド］、ポリ［（Ｓ）−（−）−１−（２，３，４，５−テトラ−ｎ−ブチルフェニル）−メトキシエチル−１−マレイミド］、ポリ［（Ｓ）−（−）−１−（２，３，４，６−テトラ−ｎ−ブチルフェニル）−メトキシエチル−１−マレイミド］、ポリ［（Ｓ）−（−）−１−（２，３，５，６−テトラ−ｎ−ブチルフェニル）−メトキシエチル−１−マレイミド］、ポリ［（Ｓ）−（−）−１−（２，３，４，５，６−ペンタ−ｎ−ブチルフェニル）−メトキシエチル−１−マレイミド］、ポリ［（Ｓ）−（−）−１−（２−ｉ−ブチルフェニル）−メトキシエチル−１−マレイミド］、ポリ［（Ｓ）−（−）−１−（３−ｉ−ブチルフェニル）−メトキシエチル−１−マレイミド］、ポリ［（Ｓ）−（−）−１−（４−ｉ−ブチルフェニル）−メトキシエチル−１−マレイミド］、ポリ［（Ｓ）−（−）−１−（２，３−ジ−ｉ−ブチルフェニル）−メトキシエチル−１−マレイミド］、ポリ［（Ｓ）−（−）−１−（２，４−ジ−ｉ−ブチルフェニル）−メトキシエチル−１−マレイミド］、ポリ［（Ｓ）−（−）−１−（２，５−ジ−ｉ−ブチルフェニル）−メトキシエチル−１−マレイミド］、ポリ［（Ｓ）−（−）−１−（２，６−ジ−ｉ−ブチルフェニル）−メトキシエチル−１−マレイミド］、ポリ［（Ｓ）−（−）−１−（３，４−ジ−ｉ−ブチルフェニル）−メトキシエチル−１−マレイミド］、ポリ［（Ｓ）−（−）−１−（３，５−ジ−ｉ−ブチルフェニル）−メトキシエチル−１−マレイミド］、ポリ［（Ｓ）−（−）−１−（２，４，６−トリ−ｉ−ブチルフェニル）−メトキシエチル−１−マレイミド］、ポリ［（Ｓ）−（−）−１−（２，３，４，５−テトラ−ｉ−ブチルフェニル）−メトキシエチル−１−マレイミド］、ポリ［（Ｓ）−（−）−１−（２，３，４，６−テトラ−ｉ−ブチルフェニル）−メトキシエチル−１−マレイミド］、ポリ［（Ｓ）−（−）−１−（２，３，５，６−テトラ−ｉ−ブチルフェニル）−メトキシエチル−１−マレイミド］、ポリ［（Ｓ）−（−）−１−（２，３，４，５，６−ペンタ−ｉ−ブチルフェニル）−メトキシエチル−１−マレイミド］、ポリ［（Ｓ）−（−）−１−（２−ｔ−ブチルフェニル）−メトキシエチル−１−マレイミド］、ポリ［（Ｓ）−（−）−１−（３−ｔ−ブチルフェニル）−メトキシエチル−１−マレイミド］、ポリ［（Ｓ）−（−）−１−（４−ｔ−ブチルフェニル）−メトキシエチル−１−マレイミド］、ポリ［（Ｓ）−（−）−１−（２，３−ジ−ｔ−ブチルフェニル）−メトキシエチル−１−マレイミド］、ポリ［（Ｓ）−（−）−１−（２，４−ジ−ｔ−ブチルフェニル）−メトキシエチル−１−マレイミド］、ポリ［（Ｓ）−（−）−１−（２，５−ジ−ｔ−ブチルフェニル）−メトキシエチル−１−マレイミド］、ポリ［（Ｓ）−（−）−１−（２，６−ジ−ｔ−ブチルフェニル）−メトキシエチル−１−マレイミド］、ポリ［（Ｓ）−（−）−１−（３，４−ジ−ｔ−ブチルフェニル）−メトキシエチル−１−マレイミド］、ポリ［（Ｓ）−（−）−１−（３，５−ジ−ｔ−ブチルフェニル）−メトキシエチル−１−マレイミド］、ポリ［（Ｓ）−（−）−１−（２，４，６−トリ−ｔ−ブチルフェニル）−メトキシエチル−１−マレイミド］、ポリ［（Ｓ）−（−）−１−（２，３，４，５−テトラ−ｔ−ブチルフェニル）−メトキシエチル−１−マレイミド］、ポリ［（Ｓ）−（−）−１−（２，３，４，６−テトラ−ｔ−ブチルフェニル）−メトキシエチル−１−マレイミド］、ポリ［（Ｓ）−（−）−１−（２，３，５，６−テトラ−ｔ−ブチルフェニル）−メトキシエチル−１−マレイミド］、ポリ［（Ｓ）−（−）−１−（２，３，４，５，６−ペンタ−ｔ−ブチルフェニル）−メトキシエチル−１−マレイミド］、ポリ［（Ｓ）−（−）−１−（２−メトキシフェニル）−メトキシエチル−１−マレイミド］、ポリ［（Ｓ）−（−）−１−（３−メトキシフェニル）−メトキシエチル−１−マレイミド］、ポリ［（Ｓ）−（−）−１−（４−メト
キシフェニル）−メトキシエチル−１−マレイミド］、ポリ［（Ｓ）−（−）−１−（２、３−ジメトキシフェニル）−メトキシエチル−１−マレイミド］、ポリ［（Ｓ）−（−）−１−（２、４−ジメトキシフェニル）−メトキシエチル−１−マレイミド］、ポリ［（Ｓ）−（−）−１−（２、５−ジメトキシフェニル）−メトキシエチル−１−マレイミド］、ポリ［（Ｓ）−（−）−１−（２、６−ジメトキシフェニル）−メトキシエチル−１−マレイミド］、ポリ［（Ｓ）−（−）−１−（３、４−ジメトキシフェニル）−メトキシエチル−１−マレイミド］、ポリ［（Ｓ）−（−）−１−（３、５−ジメトキシフェニル）−メトキシエチル−１−マレイミド］、ポリ［（Ｓ）−（−）−１−（２、４、６−トリメトキシフェニル）−メトキシエチル−１−マレイミド］、ポリ［（Ｓ）−（−）−１−（２、３、４、５−テトラメトキシフェニル）−メトキシエチル−１−マレイミド］、ポリ［（Ｓ）−（−）−１−（２、３、４、６−テトラメトキシフェニル）−メトキシエチル−１−マレイミド］、ポリ［（Ｓ）−（−）−１−（２、３、５、６−テトラメトキシフェニル）−メトキシエチル−１−マレイミド］、ポリ［（Ｓ）−（−）−１−（２、３、４、５、６−ペンタメトキシフェニル）−メトキシエチル−１−マレイミド］、ポリ［（Ｓ）−（−）−１−（２−エトキシフェニル）−メトキシエチル−１−マレイミド］、ポリ［（Ｓ）−（−）−１−（３−エトキシフェニル）−メトキシエチル−１−マレイミド］、ポリ［（Ｓ）−（−）−１−（４−エトキシフェニル）−メトキシエチル−１−マレイミド］、ポリ［（Ｓ）−（−）−１−（２、３−ジエトキシフェニル）−メトキシエチル−１−マレイミド］、ポリ［（Ｓ）−（−）−１−（２、４−ジエトキシフェニル）−メトキシエチル−１−マレイミド］、ポリ［（Ｓ）−（−）−１−（２、５−ジエトキシフェニル）−メトキシエチル−１−マレイミド］、ポリ［（Ｓ）−（−）−１−（２、６−ジエトキシフェニル）−メトキシエチル−１−マレイミド］、ポリ［（Ｓ）−（−）−１−（３、４−ジエトキシフェニル）−メトキシエチル−１−マレイミド］、ポリ［（Ｓ）−（−）−１−（３、５−ジエトキシフェニル）−メトキシエチル−１−マレイミド］、ポリ［（Ｓ）−（−）−１−（２、４、６−トリエトキシフェニル）−メトキシエチル−１−マレイミド］、ポリ［（Ｓ）−（−）−１−（２、３、４、５−テトラエトキシフェニル）−メトキシエチル−１−マレイミド］、ポリ［（Ｓ）−（−）−１−（２、３、４、６−テトラエトキシフェニル）−メトキシエチル−１−マレイミド］、ポリ［（Ｓ）−（−）−１−（２、３、５、６−テトラエトキシフェニル）−メトキシエチル−１−マレイミド］、ポリ［（Ｓ）−（−）−１−（２、３、４、５、６−ペンタエトキシフェニル）−メトキシエチル−１−マレイミド］等が挙げられる。
【００４６】
また、上記一般式（１）において、置換基Ｒ１〜Ｒ５のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がメトキシエチル基である該光学活性ポリマレイミド誘導体としては、具体的には、ポリ［（Ｓ）−（−）−１−フェニル−メトキシプロピル−１−マレイミド］、ポリ［（Ｓ）−（−）−１−（２−メチルフェニル）−メトキシプロピル−１−マレイミド］、ポリ［（Ｓ）−（−）−１−（３−メチルフェニル）−メトキシプロピル−１−マレイミド］、ポリ［（Ｓ）−（−）−１−（４−メチルフェニル）−メトキシプロピル−１−マレイミド］、ポリ［（Ｓ）−（−）−１−（２，３−ジメチルフェニル）−メトキシプロピル−１−マレイミド］、ポリ［（Ｓ）−（−）−１−（２，４−ジメチルフェニル）−メトキシプロピル−１−マレイミド］、ポリ［（Ｓ）−（−）−１−（２，５−ジメチルフェニル）−メトキシプロピル−１−マレイミド］、ポリ［（Ｓ）−（−）−１−（２，６−ジメチルフェニル）−メトキシプロピル−１−マレイミド］、ポリ［（Ｓ）−（−）−１−（３，４−ジメチルフェニル）−メトキシプロピル−１−マレイミド］、ポリ［（Ｓ）−（−）−１−（３，５−ジメチルフェニル）−メトキシプロピル−１−マレイミド］、ポリ［（Ｓ）−（−）−１−（２，４，６−トリメチルフェニル）−メトキシプロピル−１−マレイミド］、ポリ［（Ｓ）−（−）−１−（２，３，４，５−テトラメチルフェニル）−メトキシプロピル−１−マレイミド］、ポリ［（Ｓ）−（−）−１−（２，３，４，６−テトラメチルフェニル）−メトキシプロピル−１−マレイミド］、ポリ［（Ｓ）−（−）−１−（２，３，５，６−テトラメチルフェニル）−メトキシプロピル−１−マレイミド］、ポリ［（Ｓ）−（−）−１−（２，３，４，５，６−ペンタメチルフェニル）−メトキシプロピル−１−マレイミド］、ポリ［（Ｓ）−（−）−１−（２−エチルフェニル）−メトキシプロピル−１−マレイミド］、ポリ［（Ｓ）−（−）−１−（３−エチルフェニル）−メトキシプロピル−１−マレイミド］、ポリ［（Ｓ）−（−）−１−（４−エチルフェニル）−メトキシプロピル−１−マレイミド］、ポリ［（Ｓ）−（−）−１−（２，３−ジエチルフェニル）−メトキシプロピル−１−マレイミド］、ポリ［（Ｓ）−（−）−１−（２，４−ジエチルフェニル）−メトキシプロピル−１−マレイミド］、ポリ［（Ｓ）−（−）−１−（２，５−ジエチルフェニル）−メトキシプロピル−１−マレイミド］、ポリ［（Ｓ）−（−）−１−（２，６−ジエチルフェニル）−メトキシプロピル−１−マレイミド］、ポリ［（Ｓ）−（−）−１−（３，４−ジエチルフェニル）−メトキシプロピル−１−マレイミド］、ポリ［（Ｓ）−（−）−１−（３，５−ジエチルフェニル）−メトキシプロピル−１−マレイミド］、ポリ［（Ｓ）−（−）−１−（２，４，６−トリエチルフェニル）−メトキシプロピル−１−マレイミド］、ポリ［（Ｓ）−（−）−１−（２，３，４，５−テトラエチルフェニル）−メトキシプロピル−１−マレイミド］、ポリ［（Ｓ）−（−）−１−（２，３，４，６−テトラエチルフェニル）−メトキシプロピル−１−マレイミド］、ポリ［（Ｓ）−（−）−１−（２，３，５，６−テトラエチルフェニル）−メトキシプロピル−１−マレイミド］、ポリ［（Ｓ）−（−）−１−（２，３，４，５，６−ペンタエチルフェニル）−メトキシプロピル−１−マレイミド］、ポリ［（Ｓ）−（−）−１−（２−ｎ−プロピルフェニル）−メトキシプロピル−１−マレイミド］、ポリ［（Ｓ）−（−）−１−（３−ｎ−プロピルフェニル）−メトキシプロピル−１−マレイミド］、ポリ［（Ｓ）−（−）−１−（４−ｎ−プロピルフェニル）−メトキシプロピル−１−マレイミド］、ポリ［（Ｓ）−（−）−１−（２，３−ジ−ｎ−プロピルフェニル）−メトキシプロピル−１−マレイミド］、ポリ［（Ｓ）−（−）−１−（２，４−ジ−ｎ−プロピルフェニル）−メトキシプロピル−１−マレイミド］、ポリ［（Ｓ）−（−）−１−（２，５−ジ−ｎ−プロピルフェニル）−メトキシプロピル−１−マレイミド］、ポリ［（Ｓ）−（−）−１−（２，６−ジ−ｎ−プロピルフェニル）−メトキシプロピル−１−マレイミド］、ポリ［（Ｓ）−（−）−１−（３，４−ジ−ｎ−プロピルフェニル）−メトキシプロピル−１−マレイミド］、ポリ［（Ｓ）−（−）−１−（３，５−ジ−ｎ−プロピルフェニル）−メトキシプロピル−１−マレイミド］、ポリ［（Ｓ）−（−）−１−（２，４，６−トリ−ｎ−プロピルフェニル）−メトキシプロピル−１−マレイミド］、ポリ［（Ｓ）−（−）−１−（２，３，４，５−テトラ−ｎ−プロピルフェニル）−メトキシプロピル−１−マレイミド］、ポリ［（Ｓ）−（−）−１−（２，３，４，６−テトラ−ｎ−プロピルフェニル）−メトキシプロピル−１−マレイミド］、ポリ［（Ｓ）−（−）−１−（２，３，５，６−テトラ−ｎ−プロピルフェニル）−メトキシプロピル−１−マレイミド］、ポリ［（Ｓ）−（−）−１−（２，３，４，５，６−ペンタ−ｎ−プロピルフェニル）−メトキシプロピル−１−マレイミド］、ポリ［（Ｓ）−（−）−１−（２−ｉ−プロピルフェニル）−メトキシプロピル−１−マレイミド］、ポリ［（Ｓ）−（−）−１−（３−ｉ−プロピルフェニル）−メトキシプロピル−１−マレイミド］、ポリ［（Ｓ）−（−）−１−（４−ｉ−プロピルフェニル）−メトキシプロピル−１−マレイミド］、ポリ［（Ｓ）−（−）−１−（２，３−ジ−ｉ−プロピルフェニル）−メトキシプロピル−１−マレイミド］、ポリ［（Ｓ）−（−）−１−（２，４−ジ−ｉ−プロピルフェニル）−メトキシプロピル−１−マレイミド］、ポリ［（Ｓ）−（−）−１−（２，５−ジ−ｉ−プロピルフェニル）−メトキシプロピル−１−マレイミド］、ポリ［（Ｓ）−（−）−１−（２，６−ジ−ｉ−プロピルフェニル）−メトキシプロピル−１−マレイミド］、ポリ［（Ｓ）−（−）−１−（３，４−ジ−ｉ−プロピルフェニル）−メトキシプロピル−１−マレイミド］、ポリ［（Ｓ）−（−）−１−（３，５−ジ−ｉ−プロピルフェニル）−メトキシプロピル−１−マレイミド］、ポリ［（Ｓ）−（−）−１−（２，４，６−トリ−ｉ−プロピルフェニル）−メトキシプロピル−１−マレイミド］、ポリ［（Ｓ）−（−）−１−（２，３，４，５−テトラ−ｉ−プロピルフェニル）−メトキシプロピル−１−マレイミド］、ポリ［（Ｓ）−（−）−１−（２，３，４，６−テトラ−ｉ−プロピルフェニル）−メトキシプロピル−１−マレイミド］、ポリ［（Ｓ）−（−）−１−（２，３，５，６−テトラ−ｉ−プロピルフェニル）−メトキシプロピル−１−マレイミド］、ポリ［（Ｓ）−（−）−１−（２，３，４，５，６−ペンタ−ｉ−プロピルフェニル）−メトキシプロピル−１−マレイミド］、ポリ［（Ｓ）−（−）−１−（２−ｎ−ブチルフェニル）−メトキシプロピル−１−マレイミド］、ポリ［（Ｓ）−（−）−１−（３−ｎ−ブチルフェニル）−メトキシプロピル−１−マレイミド］、ポリ［（Ｓ）−（−）−１−（４−ｎ−ブチルフェニル）−メトキシプロピル−１−マレイミド］、ポリ［（Ｓ）−（−）−１−（２，３−ジ−ｎ−ブチルフェニル）−メトキシプロピル−１−マレイミド］、ポリ［（Ｓ）−（−）−１−（２，４−ジ−ｎ−ブチルフェニル）−メトキシプロピル−１−マレイミド］、ポリ［（Ｓ）−（−）−１−（２，５−ジ−ｎ−ブチルフェニル）−メトキシプロピル−１−マレイミド］、ポリ［（Ｓ）−（−）−１−（２，６−ジ−ｎ−ブチルフェニル）−メトキシプロピル−１−マレイミド］、ポリ［（Ｓ）−（−）−１−（３，４−ジ−ｎ−ブチルフェニル）−メトキシプロピル−１−マレイミド］、ポリ［（Ｓ）−（−）−１−（３，５−ジ−ｎ−ブチルフェニル）−メトキシプロピル−１−マレイミド］、ポリ［（Ｓ）−（−）−１−（２，４，６−トリ−ｎ−ブチルフェニル）−メトキシプロピル−１−マレイミド］、ポリ［（Ｓ）−（−）−１−（２，３，４，５−テトラ−ｎ−ブチルフェニル）−メトキシプロピル−１−マレイミド］、ポリ［（Ｓ）−（−）−１−（２，３，４，６−テトラ−ｎ−ブチルフェニル）−メトキシプロピル−１−マレイミド］、ポリ［（Ｓ）−（−）−１−（２，３，５，６−テトラ−ｎ−ブチルフェニル）−メトキシプロピル−１−マレイミド］、ポリ［（Ｓ）−（−）−１−（２，３，４，５，６−ペンタ−ｎ−ブチルフェニル）−メトキシプロピル−１−マレイミド］、ポリ［（Ｓ）−（−）−１−（２−ｉ−ブチルフェニル）−メトキシプロピル−１−マレイミド］、ポリ［（Ｓ）−（−）−１−（３−ｉ−ブチルフェニル）−メトキシプロピル−１−マレイミド］、ポリ［（Ｓ）−（−）−１−（４−ｉ−ブチルフェニル）−メトキシプロピル−１−マレイミド］、ポリ［（Ｓ）−（−）−１−（２，３−ジ−ｉ−ブチルフェニル）−メトキシプロピル−１−マレイミド］、ポリ［（Ｓ）−（−）−１−（２，４−ジ−ｉ−ブチルフェニル）−メトキシプロピル−１−マレイミド］、ポリ［（Ｓ）−（−）−１−（２，５−ジ−ｉ−ブチルフェニル）−メトキシプロピル−１−マレイミド］、ポリ［（Ｓ）−（−）−１−（２，６−ジ−ｉ−ブチルフェニル）−メトキシプロピル−１−マレイミド］、ポリ［（Ｓ）−（−）−１−（３，４−ジ−ｉ−ブチルフェニル）−メトキシプロピル−１−マレイミド］、ポリ［（Ｓ）−（−）−１−（３，５−ジ−ｉ−ブチルフェニル）−メトキシプロピル−１−マレイミド］、ポリ［（Ｓ）−（−）−１−（２，４，６−トリ−ｉ−ブチルフェニル）−メトキシプロピル−１−マレイミド］、ポリ［（Ｓ）−（−）−１−（２，３，４，５−テトラ−ｉ−ブチルフェニル）−メトキシプロピル−１−マレイミド］、ポリ［（Ｓ）−（−）−１−（２，３，４，６−テトラ−ｉ−ブチルフェニル）−メトキシプロピル−１−マレイミド］、ポリ［（Ｓ）−（−）−１−（２，３，５，６−テトラ−ｉ−ブチルフェニル）−メトキシプロピル−１−マレイミド］、ポリ［（Ｓ）−（−）−１−（２，３，４，５，６−ペンタ−ｉ−ブチルフェニル）−メトキシプロピル−１−マレイミド］、ポリ［（Ｓ）−（−）−１−（２−ｔ−ブチルフェニル）−メトキシプロピル−１−マレイミド］、ポリ［（Ｓ）−（−）−１−（３−ｔ−ブチルフェニル）−メトキシプロピル−１−マレイミド］、ポリ［（Ｓ）−（−）−１−（４−ｔ−ブチルフェニル）−メトキシプロピル−１−マレイミド］、ポリ［（Ｓ）−（−）−１−（２，３−ジ−ｔ−ブチルフェニル）−メトキシプロピル−１−マレイミド］、ポリ［（Ｓ）−（−）−１−（２，４−ジ−ｔ−ブチルフェニル）−メトキシプロピル−１−マレイミド］、ポリ［（Ｓ）−（−）−１−（２，５−ジ−ｔ−ブチルフェニル）−メトキシプロピル−１−マレイミド］、ポリ［（Ｓ）−（−）−１−（２，６−ジ−ｔ−ブチルフェニル）−メトキシプロピル−１−マレイミド］、ポリ［（Ｓ）−（−）−１−（３，４−ジ−ｔ−ブチルフェニル）−メトキシプロピル−１−マレイミド］、ポリ［（Ｓ）−（−）−１−（３，５−ジ−ｔ−ブチルフェニル）−メトキシプロピル−１−マレイミド］、ポリ［（Ｓ）−（−）−１−（２，４，６−トリ−ｔ−ブチルフェニル）−メトキシプロピル−１−マレイミド］、ポリ［（Ｓ）−（−）−１−（２，３，４，５−テトラ−ｔ−ブチルフェニル）−メトキシプロピル−１−マレイミド］、ポリ［（Ｓ）−（−）−１−（２，３，４，６−テトラ−ｔ−ブチルフェニル）−メトキシプロピル−１−マレイミド］、ポリ［（Ｓ）−（−）−１−（２，３，５，６−テトラ−ｔ−ブチルフェニル）−メトキシプロピル−１−マレイミド］、ポリ［（Ｓ）−（−）−１−（２，３，４，５，６−ペンタ−ｔ−ブチルフェニル）−メトキシプロピル−１−マレイミド］、ポリ［（Ｓ
）−（−）−１−（２−メトキシフェニル）−メトキシプロピル−１−マレイミド］、ポリ［（Ｓ）−（−）−１−（３−メトキシフェニル）−メトキシプロピル−１−マレイミド］、ポリ［（Ｓ）−（−）−１−（４−メトキシフェニル）−メトキシプロピル−１−マレイミド］、ポリ［（Ｓ）−（−）−１−（２，３−ジメトキシフェニル）−メトキシプロピル−１−マレイミド］、ポリ［（Ｓ）−（−）−１−（２，４−ジメトキシフェニル）−メトキシプロピル−１−マレイミド］、ポリ［（Ｓ）−（−）−１−（２，５−ジメトキシフェニル）−メトキシプロピル−１−マレイミド］、ポリ［（Ｓ）−（−）−１−（２，６−ジメトキシフェニル）−メトキシプロピル−１−マレイミド］、ポリ［（Ｓ）−（−）−１−（３，４−ジメトキシフェニル）−メトキシプロピル−１−マレイミド］、ポリ［（Ｓ）−（−）−１−（３，５−ジメトキシフェニル）−メトキシプロピル−１−マレイミド］、ポリ［（Ｓ）−（−）−１−（２，４，６−トリメトキシフェニル）−メトキシプロピル−１−マレイミド］、ポリ［（Ｓ）−（−）−１−（２，３，４，５−テトラメトキシフェニル）−メトキシプロピル−１−マレイミド］、ポリ［（Ｓ）−（−）−１−（２，３，４，６−テトラメトキシフェニル）−メトキシプロピル−１−マレイミド］、ポリ［（Ｓ）−（−）−１−（２，３，５，６−テトラメトキシフェニル）−メトキシプロピル−１−マレイミド］、ポリ［（Ｓ）−（−）−１−（２，３，４，５，６−ペンタメトキシフェニル）−メトキシプロピル−１−マレイミド］、ポリ［（Ｓ）−（−）−１−（２−エトキシフェニル）−メトキシプロピル−１−マレイミド］、ポリ［（Ｓ）−（−）−１−（３−エトキシフェニル）−メトキシプロピル−１−マレイミド］、ポリ［（Ｓ）−（−）−１−（４−エトキシフェニル）−メトキシプロピル−１−マレイミド］、ポリ［（Ｓ）−（−）−１−（２，３−ジエトキシフェニル）−メトキシプロピル−１−マレイミド］、ポリ［（Ｓ）−（−）−１−（２，４−ジエトキシフェニル）−メトキシプロピル−１−マレイミド］、ポリ［（Ｓ）−（−）−１−（２，５−ジエトキシフェニル）−メトキシプロピル−１−マレイミド］、ポリ［（Ｓ）−（−）−１−（２，６−ジエトキシフェニル）−メトキシプロピル−１−マレイミド］、ポリ［（Ｓ）−（−）−１−（３，４−ジエトキシフェニル）−メトキシプロピル−１−マレイミド］、ポリ［（Ｓ）−（−）−１−（３，５−ジエトキシフェニル）−メトキシプロピル−１−マレイミド］、ポリ［（Ｓ）−（−）−１−（２，４，６−トリエトキシフェニル）−メトキシプロピル−１−マレイミド］、ポリ［（Ｓ）−（−）−１−（２，３，４，５−テトラエトキシフェニル）−メトキシプロピル−１−マレイミド］、ポリ［（Ｓ）−（−）−１−（２，３，４，６−テトラエトキシフェニル）−メトキシプロピル−１−マレイミド］、ポリ［（Ｓ）−（−）−１−（２，３，５，６−テトラエトキシフェニル）−メトキシプロピル−１−マレイミド］、ポリ［（Ｓ）−（−）−１−（２，３，４，５，６−ペンタエトキシフェニル）−メトキシプロピル−１−マレイミド］等が挙げられる。
【００４７】
また、上記一般式（１）において、置換基Ｒ１〜Ｒ５のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がエトキシメチル基である該光学活性ポリマレイミド誘導体としては、具体的には、ポリ［（Ｓ）−（−）−１−フェニル−エトキシエチル−１−マレイミド］、ポリ［（Ｓ）−（−）−１−（２−メチルフェニル）−エトキシエチル−１−マレイミド］、ポリ［（Ｓ）−（−）−１−（３−メチルフェニル）−エトキシエチル−１−マレイミド］、ポリ［（Ｓ）−（−）−１−（４−メチルフェニル）−エトキシエチル−１−マレイミド］、ポリ［（Ｓ）−（−）−１−（２，３−ジメチルフェニル）−エトキシエチル−１−マレイミド］、ポリ［（Ｓ）−（−）−１−（２，４−ジメチルフェニル）−エトキシエチル−１−マレイミド］、ポリ［（Ｓ）−（−）−１−（２，５−ジメチルフェニル）−エトキシエチル−１−マレイミド］、ポリ［（Ｓ）−（−）−１−（２，６−ジメチルフェニル）−エトキシエチル−１−マレイミド］、ポリ［（Ｓ）−（−）−１−（３，４−ジメチルフェニル）−エトキシエチル−１−マレイミド］、ポリ［（Ｓ）−（−）−１−（３，５−ジメチルフェニル）−エトキシエチル−１−マレイミド］、ポリ［（Ｓ）−（−）−１−（２，４，６−トリメチルフェニル）−エトキシエチル−１−マレイミド］、ポリ［（Ｓ）−（−）−１−（２，３，４，５−テトラメチルフェニル）−エトキシエチル−１−マレイミド］、ポリ［（Ｓ）−（−）−１−（２，３，４，６−テトラメチルフェニル）−エトキシエチル−１−マレイミド］、ポリ［（Ｓ）−（−）−１−（２，３，５，６−テトラメチルフェニル）−エトキシエチル−１−マレイミド］、ポリ［（Ｓ）−（−）−１−（２，３，４，５，６−ペンタメチルフェニル）−エトキシエチル−１−マレイミド］、ポリ［（Ｓ）−（−）−１−（２−エチルフェニル）−エトキシエチル−１−マレイミド］、ポリ［（Ｓ）−（−）−１−（３−エチルフェニル）−エトキシエチル−１−マレイミド］、ポリ［（Ｓ）−（−）−１−（４−エチルフェニル）−エトキシエチル−１−マレイミド］、ポリ［（Ｓ）−（−）−１−（２，３−ジエチルフェニル）−エトキシエチル−１−マレイミド］、ポリ［（Ｓ）−（−）−１−（２，４−ジエチルフェニル）−エトキシエチル−１−マレイミド］、ポリ［（Ｓ）−（−）−１−（２，５−ジエチルフェニル）−エトキシエチル−１−マレイミド］、ポリ［（Ｓ）−（−）−１−（２，６−ジエチルフェニル）−エトキシエチル−１−マレイミド］、ポリ［（Ｓ）−（−）−１−（３，４−ジエチルフェニル）−エトキシエチル−１−マレイミド］、ポリ［（Ｓ）−（−）−１−（３，５−ジエチルフェニル）−エトキシエチル−１−マレイミド］、ポリ［（Ｓ）−（−）−１−（２，４，６−トリエチルフェニル）−エトキシエチル−１−マレイミド］、ポリ［（Ｓ）−（−）−１−（２，３，４，５−テトラエチルフェニル）−エトキシエチル−１−マレイミド］、ポリ［（Ｓ）−（−）−１−（２，３，４，６−テトラエチルフェニル）−エトキシエチル−１−マレイミド］、ポリ［（Ｓ）−（−）−１−（２，３，５，６−テトラエチルフェニル）−エトキシエチル−１−マレイミド］、ポリ［（Ｓ）−（−）−１−（２，３，４，５，６−ペンタエチルフェニル）−エトキシエチル−１−マレイミド］、ポリ［（Ｓ）−（−）−１−（２−ｎ−プロピルフェニル）−エトキシエチル−１−マレイミド］、ポリ［（Ｓ）−（−）−１−（３−ｎ−プロピルフェニル）−エトキシエチル−１−マレイミド］、ポリ［（Ｓ）−（−）−１−（４−ｎ−プロピルフェニル）−エトキシエチル−１−マレイミド］、ポリ［（Ｓ）−（−）−１−（２，３−ジ−ｎ−プロピルフェニル）−エトキシエチル−１−マレイミド］、ポリ［（Ｓ）−（−）−１−（２，４−ジ−ｎ−プロピルフェニル）−エトキシエチル−１−マレイミド］、ポリ［（Ｓ）−（−）−１−（２，５−ジ−ｎ−プロピルフェニル）−エトキシエチル−１−マレイミド］、ポリ［（Ｓ）−（−）−１−（２，６−ジ−ｎ−プロピルフェニル）−エトキシエチル−１−マレイミド］、ポリ［（Ｓ）−（−）−１−（３，４−ジ−ｎ−プロピルフェニル）−エトキシエチル−１−マレイミド］、ポリ［（Ｓ）−（−）−１−（３，５−ジ−ｎ−プロピルフェニル）−エトキシエチル−１−マレイミド］、ポリ［（Ｓ）−（−）−１−（２，４，６−トリ−ｎ−プロピルフェニル）−エトキシエチル−１−マレイミド］、ポリ［（Ｓ）−（−）−１−（２，３，４，５−テトラ−ｎ−プロピルフェニル）−エトキシエチル−１−マレイミド］、ポリ［（Ｓ）−（−）−１−（２，３，４，６−テトラ−ｎ−プロピルフェニル）−エトキシエチル−１−マレイミド］、ポリ［（Ｓ）−（−）−１−（２，３，５，６−テトラ−ｎ−プロピルフェニル）−エトキシエチル−１−マレイミド］、ポリ［（Ｓ）−（−）−１−（２，３，４，５，６−ペンタ−ｎ−プロピルフェニル）−エトキシエチル−１−マレイミド］、ポリ［（Ｓ）−（−）−１−（２−ｉ−プロピルフェニル）−エトキシエチル−１−マレイミド］、ポリ［（Ｓ）−（−）−１−（３−ｉ−プロピルフェニル）−エトキシエチル−１−マレイミド］、ポリ［（Ｓ）−（−）−１−（４−ｉ−プロピルフェニル）−エトキシエチル−１−マレイミド］、ポリ［（Ｓ）−（−）−１−（２，３−ジ−ｉ−プロピルフェニル）−エトキシエチル−１−マレイミド］、ポリ［（Ｓ）−（−）−１−（２，４−ジ−ｉ−プロピルフェニル）−エトキシエチル−１−マレイミド］、ポリ［（Ｓ）−（−）−１−（２，５−ジ−ｉ−プロピルフェニル）−エトキシエチル−１−マレイミド］、ポリ［（Ｓ）−（−）−１−（２，６−ジ−ｉ−プロピルフェニル）−エトキシエチル−１−マレイミド］、ポリ［（Ｓ）−（−）−１−（３，４−ジ−ｉ−プロピルフェニル）−エトキシエチル−１−マレイミド］、ポリ［（Ｓ）−（−）−１−（３，５−ジ−ｉ−プロピルフェニル）−エトキシエチル−１−マレイミド］、ポリ［（Ｓ）−（−）−１−（２，４，６−トリ−ｉ−プロピルフェニル）−エトキシエチル−１−マレイミド］、ポリ［（Ｓ）−（−）−１−（２，３，４，５−テトラ−ｉ−プロピルフェニル）−エトキシエチル−１−マレイミド］、ポリ［（Ｓ）−（−）−１−（２，３，４，６−テトラ−ｉ−プロピルフェニル）−エトキシエチル−１−マレイミド］、ポリ［（Ｓ）−（−）−１−（２，３，５，６−テトラ−ｉ−プロピルフェニル）−エトキシエチル−１−マレイミド］、ポリ［（Ｓ）−（−）−１−（２，３，４，５，６−ペンタ−ｉ−プロピルフェニル）−エトキシエチル−１−マレイミド］、ポリ［（Ｓ）−（−）−１−（２−ｎ−ブチルフェニル）−エトキシエチル−１−マレイミド］、ポリ［（Ｓ）−（−）−１−（３−ｎ−ブチルフェニル）−エトキシエチル−１−マレイミド］、ポリ［（Ｓ）−（−）−１−（４−ｎ−ブチルフェニル）−エトキシエチル−１−マレイミド］、ポリ［（Ｓ）−（−）−１−（２，３−ジ−ｎ−ブチルフェニル）−エトキシエチル−１−マレイミド］、ポリ［（Ｓ）−（−）−１−（２，４−ジ−ｎ−ブチルフェニル）−エトキシエチル−１−マレイミド］、ポリ［（Ｓ）−（−）−１−（２，５−ジ−ｎ−ブチルフェニル）−エトキシエチル−１−マレイミド］、ポリ［（Ｓ）−（−）−１−（２，６−ジ−ｎ−ブチルフェニル）−エトキシエチル−１−マレイミド］、ポリ［（Ｓ）−（−）−１−（３，４−ジ−ｎ−ブチルフェニル）−エトキシエチル−１−マレイミド］、ポリ［（Ｓ）−（−）−１−（３，５−ジ−ｎ−ブチルフェニル）−エトキシエチル−１−マレイミド］、ポリ［（Ｓ）−（−）−１−（２，４，６−トリ−ｎ−ブチルフェニル）−エトキシエチル−１−マレイミド］、ポリ［（Ｓ）−（−）−１−（２，３，４，５−テトラ−ｎ−ブチルフェニル）−エトキシエチル−１−マレイミド］、ポリ［（Ｓ）−（−）−１−（２，３，４，６−テトラ−ｎ−ブチルフェニル）−エトキシエチル−１−マレイミド］、ポリ［（Ｓ）−（−）−１−（２，３，５，６−テトラ−ｎ−ブチルフェニル）−エトキシエチル−１−マレイミド］、ポリ［（Ｓ）−（−）−１−（２，３，４，５，６−ペンタ−ｎ−ブチルフェニル）−エトキシエチル−１−マレイミド］、ポリ［（Ｓ）−（−）−１−（２−ｉ−ブチルフェニル）−エトキシエチル−１−マレイミド］、ポリ［（Ｓ）−（−）−１−（３−ｉ−ブチルフェニル）−エトキシエチル−１−マレイミド］、ポリ［（Ｓ）−（−）−１−（４−ｉ−ブチルフェニル）−エトキシエチル−１−マレイミド］、ポリ［（Ｓ）−（−）−１−（２，３−ジ−ｉ−ブチルフェニル）−エトキシエチル−１−マレイミド］、ポリ［（Ｓ）−（−）−１−（２，４−ジ−ｉ−ブチルフェニル）−エトキシエチル−１−マレイミド］、ポリ［（Ｓ）−（−）−１−（２，５−ジ−ｉ−ブチルフェニル）−エトキシエチル−１−マレイミド］、ポリ［（Ｓ）−（−）−１−（２，６−ジ−ｉ−ブチルフェニル）−エトキシエチル−１−マレイミド］、ポリ［（Ｓ）−（−）−１−（３，４−ジ−ｉ−ブチルフェニル）−エトキシエチル−１−マレイミド］、ポリ［（Ｓ）−（−）−１−（３，５−ジ−ｉ−ブチルフェニル）−エトキシエチル−１−マレイミド］、ポリ［（Ｓ）−（−）−１−（２，４，６−トリ−ｉ−ブチルフェニル）−エトキシエチル−１−マレイミド］、ポリ［（Ｓ）−（−）−１−（２，３，４，５−テトラ−ｉ−ブチルフェニル）−エトキシエチル−１−マレイミド］、ポリ［（Ｓ）−（−）−１−（２，３，４，６−テトラ−ｉ−ブチルフェニル）−エトキシエチル−１−マレイミド］、ポリ［（Ｓ）−（−）−１−（２，３，５，６−テトラ−ｉ−ブチルフェニル）−エトキシエチル−１−マレイミド］、ポリ［（Ｓ）−（−）−１−（２，３，４，５，６−ペンタ−ｉ−ブチルフェニル）−エトキシエチル−１−マレイミド］、ポリ［（Ｓ）−（−）−１−（２−ｔ−ブチルフェニル）−エトキシエチル−１−マレイミド］、ポリ［（Ｓ）−（−）−１−（３−ｔ−ブチルフェニル）−エトキシエチル−１−マレイミド］、ポリ［（Ｓ）−（−）−１−（４−ｔ−ブチルフェニル）−エトキシエチル−１−マレイミド］、ポリ［（Ｓ）−（−）−１−（２，３−ジ−ｔ−ブチルフェニル）−エトキシエチル−１−マレイミド］、ポリ［（Ｓ）−（−）−１−（２，４−ジ−ｔ−ブチルフェニル）−エトキシエチル−１−マレイミド］、ポリ［（Ｓ）−（−）−１−（２，５−ジ−ｔ−ブチルフェニル）−エトキシエチル−１−マレイミド］、ポリ［（Ｓ）−（−）−１−（２，６−ジ−ｔ−ブチルフェニル）−エトキシエチル−１−マレイミド］、ポリ［（Ｓ）−（−）−１−（３，４−ジ−ｔ−ブチルフェニル）−エトキシエチル−１−マレイミド］、ポリ［（Ｓ）−（−）−１−（３，５−ジ−ｔ−ブチルフェニル）−エトキシエチル−１−マレイミド］、ポリ［（Ｓ）−（−）−１−（２，４，６−トリ−ｔ−ブチルフェニル）−エトキシエチル−１−マレイミド］、ポリ［（Ｓ）−（−）−１−（２，３，４，５−テトラ−ｔ−ブチルフェニル）−エトキシエチル−１−マレイミド］、ポリ［（Ｓ）−（−）−１−（２，３，４，６−テトラ−ｔ−ブチルフェニル）−エトキシエチル−１−マレイミド］、ポリ［（Ｓ）−（−）−１−（２，３，５，６−テトラ−ｔ−ブチルフェニル）−エトキシエチル−１−マレイミド］、ポリ［（Ｓ）−（−）−１−（２，３，４，５，６−ペンタ−ｔ−ブチルフェニル）−エトキシエチル−１−マレイミド］、ポリ［（Ｓ）−（−）−１−（２−メトキシフェニル）−エトキシエチル−１−マレイミド］、ポリ［（Ｓ）−（−）−１−（３−メトキシフェニル）−エトキシエチル−１−マレイミド］、ポリ［（Ｓ）−（−）−１−（４−メト
キシフェニル）−エトキシエチル−１−マレイミド］、ポリ［（Ｓ）−（−）−１−（２、３−ジメトキシフェニル）−エトキシエチル−１−マレイミド］、ポリ［（Ｓ）−（−）−１−（２、４−ジメトキシフェニル）−エトキシエチル−１−マレイミド］、ポリ［（Ｓ）−（−）−１−（２、５−ジメトキシフェニル）−エトキシエチル−１−マレイミド］、ポリ［（Ｓ）−（−）−１−（２、６−ジメトキシフェニル）−エトキシエチル−１−マレイミド］、ポリ［（Ｓ）−（−）−１−（３、４−ジメトキシフェニル）−エトキシエチル−１−マレイミド］、ポリ［（Ｓ）−（−）−１−（３、５−ジメトキシフェニル）−エトキシエチル−１−マレイミド］、ポリ［（Ｓ）−（−）−１−（２、４、６−トリメトキシフェニル）−エトキシエチル−１−マレイミド］、ポリ［（Ｓ）−（−）−１−（２、３、４、５−テトラメトキシフェニル）−エトキシエチル−１−マレイミド］、ポリ［（Ｓ）−（−）−１−（２、３、４、６−テトラメトキシフェニル）−エトキシエチル−１−マレイミド］、ポリ［（Ｓ）−（−）−１−（２、３、５、６−テトラメトキシフェニル）−エトキシエチル−１−マレイミド］、ポリ［（Ｓ）−（−）−１−（２、３、４、５、６−ペンタメトキシフェニル）−エトキシエチル−１−マレイミド］、ポリ［（Ｓ）−（−）−１−（２−エトキシフェニル）−エトキシエチル−１−マレイミド］、ポリ［（Ｓ）−（−）−１−（３−エトキシフェニル）−エトキシエチル−１−マレイミド］、ポリ［（Ｓ）−（−）−１−（４−エトキシフェニル）−エトキシエチル−１−マレイミド］、ポリ［（Ｓ）−（−）−１−（２、３−ジエトキシフェニル）−エトキシエチル−１−マレイミド］、ポリ［（Ｓ）−（−）−１−（２、４−ジエトキシフェニル）−エトキシエチル−１−マレイミド］、ポリ［（Ｓ）−（−）−１−（２、５−ジエトキシフェニル）−エトキシエチル−１−マレイミド］、ポリ［（Ｓ）−（−）−１−（２、６−ジエトキシフェニル）−エトキシエチル−１−マレイミド］、ポリ［（Ｓ）−（−）−１−（３、４−ジエトキシフェニル）−エトキシエチル−１−マレイミド］、ポリ［（Ｓ）−（−）−１−（３、５−ジエトキシフェニル）−エトキシエチル−１−マレイミド］、ポリ［（Ｓ）−（−）−１−（２、４、６−トリエトキシフェニル）−エトキシエチル−１−マレイミド］、ポリ［（Ｓ）−（−）−１−（２、３、４、５−テトラエトキシフェニル）−エトキシエチル−１−マレイミド］、ポリ［（Ｓ）−（−）−１−（２、３、４、６−テトラエトキシフェニル）−エトキシエチル−１−マレイミド］、ポリ［（Ｓ）−（−）−１−（２、３、５、６−テトラエトキシフェニル）−エトキシエチル−１−マレイミド］、ポリ［（Ｓ）−（−）−１−（２、３、４、５、６−ペンタエトキシフェニル）−エトキシエチル−１−マレイミド］等が挙げられる。
【００４８】
また、上記一般式（１）において、置換基Ｒ１〜Ｒ５のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ６がエトキシエチル基である該光学活性ポリマレイミド誘導体としては、具体的には、ポリ［（Ｓ）−（−）−１−フェニル−エトキシプロピル−１−マレイミド］、ポリ［（Ｓ）−（−）−１−（２−メチルフェニル）−エトキシプロピル−１−マレイミド］、ポリ［（Ｓ）−（−）−１−（３−メチルフェニル）−エトキシプロピル−１−マレイミド］、ポリ［（Ｓ）−（−）−１−（４−メチルフェニル）−エトキシプロピル−１−マレイミド］、ポリ［（Ｓ）−（−）−１−（２，３−ジメチルフェニル）−エトキシプロピル−１−マレイミド］、ポリ［（Ｓ）−（−）−１−（２，４−ジメチルフェニル）−エトキシプロピル−１−マレイミド］、ポリ［（Ｓ）−（−）−１−（２，５−ジメチルフェニル）−エトキシプロピル−１−マレイミド］、ポリ［（Ｓ）−（−）−１−（２，６−ジメチルフェニル）−エトキシプロピル−１−マレイミド］、ポリ［（Ｓ）−（−）−１−（３，４−ジメチルフェニル）−エトキシプロピル−１−マレイミド］、ポリ［（Ｓ）−（−）−１−（３，５−ジメチルフェニル）−エトキシプロピル−１−マレイミド］、ポリ［（Ｓ）−（−）−１−（２，４，６−トリメチルフェニル）−エトキシプロピル−１−マレイミド］、ポリ［（Ｓ）−（−）−１−（２，３，４，５−テトラメチルフェニル）−エトキシプロピル−１−マレイミド］、ポリ［（Ｓ）−（−）−１−（２，３，４，６−テトラメチルフェニル）−エトキシプロピル−１−マレイミド］、ポリ［（Ｓ）−（−）−１−（２，３，５，６−テトラメチルフェニル）−エトキシプロピル−１−マレイミド］、ポリ［（Ｓ）−（−）−１−（２，３，４，５，６−ペンタメチルフェニル）−エトキシプロピル−１−マレイミド］、ポリ［（Ｓ）−（−）−１−（２−エチルフェニル）−エトキシプロピル−１−マレイミド］、ポリ［（Ｓ）−（−）−１−（３−エチルフェニル）−エトキシプロピル−１−マレイミド］、ポリ［（Ｓ）−（−）−１−（４−エチルフェニル）−エトキシプロピル−１−マレイミド］、ポリ［（Ｓ）−（−）−１−（２，３−ジエチルフェニル）−エトキシプロピル−１−マレイミド］、ポリ［（Ｓ）−（−）−１−（２，４−ジエチルフェニル）−エトキシプロピル−１−マレイミド］、ポリ［（Ｓ）−（−）−１−（２，５−ジエチルフェニル）−エトキシプロピル−１−マレイミド］、ポリ［（Ｓ）−（−）−１−（２，６−ジエチルフェニル）−エトキシプロピル−１−マレイミド］、ポリ［（Ｓ）−（−）−１−（３，４−ジエチルフェニル）−エトキシプロピル−１−マレイミド］、ポリ［（Ｓ）−（−）−１−（３，５−ジエチルフェニル）−エトキシプロピル−１−マレイミド］、ポリ［（Ｓ）−（−）−１−（２，４，６−トリエチルフェニル）−エトキシプロピル−１−マレイミド］、ポリ［（Ｓ）−（−）−１−（２，３，４，５−テトラエチルフェニル）−エトキシプロピル−１−マレイミド］、ポリ［（Ｓ）−（−）−１−（２，３，４，６−テトラエチルフェニル）−エトキシプロピル−１−マレイミド］、ポリ［（Ｓ）−（−）−１−（２，３，５，６−テトラエチルフェニル）−エトキシプロピル−１−マレイミド］、ポリ［（Ｓ）−（−）−１−（２，３，４，５，６−ペンタエチルフェニル）−エトキシプロピル−１−マレイミド］、ポリ［（Ｓ）−（−）−１−（２−ｎ−プロピルフェニル）−エトキシプロピル−１−マレイミド］、ポリ［（Ｓ）−（−）−１−（３−ｎ−プロピルフェニル）−エトキシプロピル−１−マレイミド］、ポリ［（Ｓ）−（−）−１−（４−ｎ−プロピルフェニル）−エトキシプロピル−１−マレイミド］、ポリ［（Ｓ）−（−）−１−（２，３−ジ−ｎ−プロピルフェニル）−エトキシプロピル−１−マレイミド］、ポリ［（Ｓ）−（−）−１−（２，４−ジ−ｎ−プロピルフェニル）−エトキシプロピル−１−マレイミド］、ポリ［（Ｓ）−（−）−１−（２，５−ジ−ｎ−プロピルフェニル）−エトキシプロピル−１−マレイミド］、ポリ［（Ｓ）−（−）−１−（２，６−ジ−ｎ−プロピルフェニル）−エトキシプロピル−１−マレイミド］、ポリ［（Ｓ）−（−）−１−（３，４−ジ−ｎ−プロピルフェニル）−エトキシプロピル−１−マレイミド］、ポリ［（Ｓ）−（−）−１−（３，５−ジ−ｎ−プロピルフェニル）−エトキシプロピル−１−マレイミド］、ポリ［（Ｓ）−（−）−１−（２，４，６−トリ−ｎ−プロピルフェニル）−エトキシプロピル−１−マレイミド］、ポリ［（Ｓ）−（−）−１−（２，３，４，５−テトラ−ｎ−プロピルフェニル）−エトキシプロピル−１−マレイミド］、ポリ［（Ｓ）−（−）−１−（２，３，４，６−テトラ−ｎ−プロピルフェニル）−エトキシプロピル−１−マレイミド］、ポリ［（Ｓ）−（−）−１−（２，３，５，６−テトラ−ｎ−プロピルフェニル）−エトキシプロピル−１−マレイミド］、ポリ［（Ｓ）−（−）−１−（２，３，４，５，６−ペンタ−ｎ−プロピルフェニル）−エトキシプロピル−１−マレイミド］、ポリ［（Ｓ）−（−）−１−（２−ｉ−プロピルフェニル）−エトキシプロピル−１−マレイミド］、ポリ［（Ｓ）−（−）−１−（３−ｉ−プロピルフェニル）−エトキシプロピル−１−マレイミド］、ポリ［（Ｓ）−（−）−１−（４−ｉ−プロピルフェニル）−エトキシプロピル−１−マレイミド］、ポリ［（Ｓ）−（−）−１−（２，３−ジ−ｉ−プロピルフェニル）−エトキシプロピル−１−マレイミド］、ポリ［（Ｓ）−（−）−１−（２，４−ジ−ｉ−プロピルフェニル）−エトキシプロピル−１−マレイミド］、ポリ［（Ｓ）−（−）−１−（２，５−ジ−ｉ−プロピルフェニル）−エトキシプロピル−１−マレイミド］、ポリ［（Ｓ）−（−）−１−（２，６−ジ−ｉ−プロピルフェニル）−エトキシプロピル−１−マレイミド］、ポリ［（Ｓ）−（−）−１−（３，４−ジ−ｉ−プロピルフェニル）−エトキシプロピル−１−マレイミド］、ポリ［（Ｓ）−（−）−１−（３，５−ジ−ｉ−プロピルフェニル）−エトキシプロピル−１−マレイミド］、ポリ［（Ｓ）−（−）−１−（２，４，６−トリ−ｉ−プロピルフェニル）−エトキシプロピル−１−マレイミド］、ポリ［（Ｓ）−（−）−１−（２，３，４，５−テトラ−ｉ−プロピルフェニル）−エトキシプロピル−１−マレイミド］、ポリ［（Ｓ）−（−）−１−（２，３，４，６−テトラ−ｉ−プロピルフェニル）−エトキシプロピル−１−マレイミド］、ポリ［（Ｓ）−（−）−１−（２，３，５，６−テトラ−ｉ−プロピルフェニル）−エトキシプロピル−１−マレイミド］、ポリ［（Ｓ）−（−）−１−（２，３，４，５，６−ペンタ−ｉ−プロピルフェニル）−エトキシプロピル−１−マレイミド］、ポリ［（Ｓ）−（−）−１−（２−ｎ−ブチルフェニル）−エトキシプロピル−１−マレイミド］、ポリ［（Ｓ）−（−）−１−（３−ｎ−ブチルフェニル）−エトキシプロピル−１−マレイミド］、ポリ［（Ｓ）−（−）−１−（４−ｎ−ブチルフェニル）−エトキシプロピル−１−マレイミド］、ポリ［（Ｓ）−（−）−１−（２，３−ジ−ｎ−ブチルフェニル）−エトキシプロピル−１−マレイミド］、ポリ［（Ｓ）−（−）−１−（２，４−ジ−ｎ−ブチルフェニル）−エトキシプロピル−１−マレイミド］、ポリ［（Ｓ）−（−）−１−（２，５−ジ−ｎ−ブチルフェニル）−エトキシプロピル−１−マレイミド］、ポリ［（Ｓ）−（−）−１−（２，６−ジ−ｎ−ブチルフェニル）−エトキシプロピル−１−マレイミド］、ポリ［（Ｓ）−（−）−１−（３，４−ジ−ｎ−ブチルフェニル）−エトキシプロピル−１−マレイミド］、ポリ［（Ｓ）−（−）−１−（３，５−ジ−ｎ−ブチルフェニル）−エトキシプロピル−１−マレイミド］、ポリ［（Ｓ）−（−）−１−（２，４，６−トリ−ｎ−ブチルフェニル）−エトキシプロピル−１−マレイミド］、ポリ［（Ｓ）−（−）−１−（２，３，４，５−テトラ−ｎ−ブチルフェニル）−エトキシプロピル−１−マレイミド］、ポリ［（Ｓ）−（−）−１−（２，３，４，６−テトラ−ｎ−ブチルフェニル）−エトキシプロピル−１−マレイミド］、ポリ［（Ｓ）−（−）−１−（２，３，５，６−テトラ−ｎ−ブチルフェニル）−エトキシプロピル−１−マレイミド］、ポリ［（Ｓ）−（−）−１−（２，３，４，５，６−ペンタ−ｎ−ブチルフェニル）−エトキシプロピル−１−マレイミド］、ポリ［（Ｓ）−（−）−１−（２−ｉ−ブチルフェニル）−エトキシプロピル−１−マレイミド］、ポリ［（Ｓ）−（−）−１−（３−ｉ−ブチルフェニル）−エトキシプロピル−１−マレイミド］、ポリ［（Ｓ）−（−）−１−（４−ｉ−ブチルフェニル）−エトキシプロピル−１−マレイミド］、ポリ［（Ｓ）−（−）−１−（２，３−ジ−ｉ−ブチルフェニル）−エトキシプロピル−１−マレイミド］、ポリ［（Ｓ）−（−）−１−（２，４−ジ−ｉ−ブチルフェニル）−エトキシプロピル−１−マレイミド］、ポリ［（Ｓ）−（−）−１−（２，５−ジ−ｉ−ブチルフェニル）−エトキシプロピル−１−マレイミド］、ポリ［（Ｓ）−（−）−１−（２，６−ジ−ｉ−ブチルフェニル）−エトキシプロピル−１−マレイミド］、ポリ［（Ｓ）−（−）−１−（３，４−ジ−ｉ−ブチルフェニル）−エトキシプロピル−１−マレイミド］、ポリ［（Ｓ）−（−）−１−（３，５−ジ−ｉ−ブチルフェニル）−エトキシプロピル−１−マレイミド］、ポリ［（Ｓ）−（−）−１−（２，４，６−トリ−ｉ−ブチルフェニル）−エトキシプロピル−１−マレイミド］、ポリ［（Ｓ）−（−）−１−（２，３，４，５−テトラ−ｉ−ブチルフェニル）−エトキシプロピル−１−マレイミド］、ポリ［（Ｓ）−（−）−１−（２，３，４，６−テトラ−ｉ−ブチルフェニル）−エトキシプロピル−１−マレイミド］、ポリ［（Ｓ）−（−）−１−（２，３，５，６−テトラ−ｉ−ブチルフェニル）−エトキシプロピル−１−マレイミド］、ポリ［（Ｓ）−（−）−１−（２，３，４，５，６−ペンタ−ｉ−ブチルフェニル）−エトキシプロピル−１−マレイミド］、ポリ［（Ｓ）−（−）−１−（２−ｔ−ブチルフェニル）−エトキシプロピル−１−マレイミド］、ポリ［（Ｓ）−（−）−１−（３−ｔ−ブチルフェニル）−エトキシプロピル−１−マレイミド］、ポリ［（Ｓ）−（−）−１−（４−ｔ−ブチルフェニル）−エトキシプロピル−１−マレイミド］、ポリ［（Ｓ）−（−）−１−（２，３−ジ−ｔ−ブチルフェニル）−エトキシプロピル−１−マレイミド］、ポリ［（Ｓ）−（−）−１−（２，４−ジ−ｔ−ブチルフェニル）−エトキシプロピル−１−マレイミド］、ポリ［（Ｓ）−（−）−１−（２，５−ジ−ｔ−ブチルフェニル）−エトキシプロピル−１−マレイミド］、ポリ［（Ｓ）−（−）−１−（２，６−ジ−ｔ−ブチルフェニル）−エトキシプロピル−１−マレイミド］、ポリ［（Ｓ）−（−）−１−（３，４−ジ−ｔ−ブチルフェニル）−エトキシプロピル−１−マレイミド］、ポリ［（Ｓ）−（−）−１−（３，５−ジ−ｔ−ブチルフェニル）−エトキシプロピル−１−マレイミド］、ポリ［（Ｓ）−（−）−１−（２，４，６−トリ−ｔ−ブチルフェニル）−エトキシプロピル−１−マレイミド］、ポリ［（Ｓ）−（−）−１−（２，３，４，５−テトラ−ｔ−ブチルフェニル）−エトキシプロピル−１−マレイミド］、ポリ［（Ｓ）−（−）−１−（２，３，４，６−テトラ−ｔ−ブチルフェニル）−エトキシプロピル−１−マレイミド］、ポリ［（Ｓ）−（−）−１−（２，３，５，６−テトラ−ｔ−ブチルフェニル）−エトキシプロピル−１−マレイミド］、ポリ［（Ｓ）−（−）−１−（２，３，４，５，６−ペンタ−ｔ−ブチルフェニル）−エトキシプロピル−１−マレイミド］、ポリ［（Ｓ
）−（−）−１−（２−メトキシフェニル）−エトキシプロピル−１−マレイミド］、ポリ［（Ｓ）−（−）−１−（３−メトキシフェニル）−エトキシプロピル−１−マレイミド］、ポリ［（Ｓ）−（−）−１−（４−メトキシフェニル）−エトキシプロピル−１−マレイミド］、ポリ［（Ｓ）−（−）−１−（２，３−ジメトキシフェニル）−エトキシプロピル−１−マレイミド］、ポリ［（Ｓ）−（−）−１−（２，４−ジメトキシフェニル）−エトキシプロピル−１−マレイミド］、ポリ［（Ｓ）−（−）−１−（２，５−ジメトキシフェニル）−エトキシプロピル−１−マレイミド］、ポリ［（Ｓ）−（−）−１−（２，６−ジメトキシフェニル）−エトキシプロピル−１−マレイミド］、ポリ［（Ｓ）−（−）−１−（３，４−ジメトキシフェニル）−エトキシプロピル−１−マレイミド］、ポリ［（Ｓ）−（−）−１−（３，５−ジメトキシフェニル）−エトキシプロピル−１−マレイミド］、ポリ［（Ｓ）−（−）−１−（２，４，６−トリメトキシフェニル）−エトキシプロピル−１−マレイミド］、ポリ［（Ｓ）−（−）−１−（２，３，４，５−テトラメトキシフェニル）−エトキシプロピル−１−マレイミド］、ポリ［（Ｓ）−（−）−１−（２，３，４，６−テトラメトキシフェニル）−エトキシプロピル−１−マレイミド］、ポリ［（Ｓ）−（−）−１−（２，３，５，６−テトラメトキシフェニル）−エトキシプロピル−１−マレイミド］、ポリ［（Ｓ）−（−）−１−（２，３，４，５，６−ペンタメトキシフェニル）−エトキシプロピル−１−マレイミド］、、ポリ［（Ｓ）−（−）−１−（２−エトキシフェニル）−エトキシプロピル−１−マレイミド］、ポリ［（Ｓ）−（−）−１−（３−エトキシフェニル）−エトキシプロピル−１−マレイミド］、ポリ［（Ｓ）−（−）−１−（４−エトキシフェニル）−エトキシプロピル−１−マレイミド］、ポリ［（Ｓ）−（−）−１−（２，３−ジエトキシフェニル）−エトキシプロピル−１−マレイミド］、ポリ［（Ｓ）−（−）−１−（２，４−ジエトキシフェニル）−エトキシプロピル−１−マレイミド］、ポリ［（Ｓ）−（−）−１−（２，５−ジエトキシフェニル）−エトキシプロピル−１−マレイミド］、ポリ［（Ｓ）−（−）−１−（２，６−ジエトキシフェニル）−エトキシプロピル−１−マレイミド］、ポリ［（Ｓ）−（−）−１−（３，４−ジエトキシフェニル）−エトキシプロピル−１−マレイミド］、ポリ［（Ｓ）−（−）−１−（３，５−ジエトキシフェニル）−エトキシプロピル−１−マレイミド］、ポリ［（Ｓ）−（−）−１−（２，４，６−トリエトキシフェニル）−エトキシプロピル−１−マレイミド］、ポリ［（Ｓ）−（−）−１−（２，３，４，５−テトラエトキシフェニル）−エトキシプロピル−１−マレイミド］、ポリ［（Ｓ）−（−）−１−（２，３，４，６−テトラエトキシフェニル）−エトキシプロピル−１−マレイミド］、ポリ［（Ｓ）−（−）−１−（２，３，５，６−テトラエトキシフェニル）−エトキシプロピル−１−マレイミド］、ポリ［（Ｓ）−（−）−１−（２，３，４，５，６−ペンタエトキシフェニル）−エトキシプロピル−１−マレイミド］等が挙げられる。
【００４９】
本発明において、上記一般式（２）で示される光学活性ポリマレイミド誘導体としては、特に限定するものではないが、例えば、上記一般式（２）において、置換基Ｒ１〜Ｒ１１のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ１２がメチル基である該光学活性ポリマレイミド誘導体としては、具体的には、ポリ［（Ｓ）−（−）−１−シクロヘキシルエチル−１−マレイミド］、ポリ［（Ｓ）−（−）−１−（２−メチルシクロヘキシル）エチル−１−マレイミド］、ポリ［（Ｓ）−（−）−１−（３−メチルシクロヘキシル）エチル−１−マレイミド］、ポリ［（Ｓ）−（−）−１−（４−メチルシクロヘキシル）エチル−１−マレイミド］、ポリ［（Ｓ）−（−）−１−（２，３−ジメチルシクロヘキシル）エチル−１−マレイミド］、ポリ［（Ｓ）−（−）−１−（２，４−ジメチルシクロヘキシル）エチル−１−マレイミド］、ポリ［（Ｓ）−（−）−１−（２，５−ジメチルシクロヘキシル）エチル−１−マレイミド］、ポリ［（Ｓ）−（−）−１−（２，６−ジメチルシクロヘキシル）エチル−１−マレイミド］、ポリ［（Ｓ）−（−）−１−（３，４−ジメチルシクロヘキシル）エチル−１−マレイミド］、ポリ［（Ｓ）−（−）−１−（３，５−ジメチルシクロヘキシル）エチル−１−マレイミド］、ポリ［（Ｓ）−（−）−１−（２，４，６−トリメチルシクロヘキシル）エチル−１−マレイミド］、ポリ［（Ｓ）−（−）−１−（２，３，４，５−テトラメチルシクロヘキシル）エチル−１−マレイミド］、ポリ［（Ｓ）−（−）−１−（２，３，４，６−テトラメチルシクロヘキシル）エチル−１−マレイミド］、ポリ［（Ｓ）−（−）−１−（２，３，５，６−テトラメチルシクロヘキシル）エチル−１−マレイミド］、ポリ［（Ｓ）−（−）−１−（２，３，４，５，６−ペンタメチルシクロヘキシル）エチル−１−マレイミド］、ポリ［（Ｓ）−（−）−１−（２−エチルシクロヘキシル）エチル−１−マレイミド］、ポリ［（Ｓ）−（−）−１−（３−エチルシクロヘキシル）エチル−１−マレイミド］、ポリ［（Ｓ）−（−）−１−（４−エチルシクロヘキシル）エチル−１−マレイミド］、ポリ［（Ｓ）−（−）−１−（２，３−ジエチルシクロヘキシル）エチル−１−マレイミド］、ポリ［（Ｓ）−（−）−１−（２，４−ジエチルシクロヘキシル）エチル−１−マレイミド］、ポリ［（Ｓ）−（−）−１−（２，５−ジエチルシクロヘキシル）エチル−１−マレイミド］、ポリ［（Ｓ）−（−）−１−（２，６−ジエチルシクロヘキシル）エチル−１−マレイミド］、ポリ［（Ｓ）−（−）−１−（３，４−ジエチルシクロヘキシル）エチル−１−マレイミド］、ポリ［（Ｓ）−（−）−１−（３，５−ジエチルシクロヘキシル）エチル−１−マレイミド］、ポリ［（Ｓ）−（−）−１−（２，４，６−トリエチルシクロヘキシル）エチル−１−マレイミド］、ポリ［（Ｓ）−（−）−１−（２，３，４，５−テトラエチルシクロヘキシル）エチル−１−マレイミド］、ポリ［（Ｓ）−（−）−１−（２，３，４，６−テトラエチルシクロヘキシル）エチル−１−マレイミド］、ポリ［（Ｓ）−（−）−１−（２，３，５，６−テトラエチルシクロヘキシル）エチル−１−マレイミド］、ポリ［（Ｓ）−（−）−１−（２，３，４，５，６−ペンタエチルシクロヘキシル）エチル−１−マレイミド］、ポリ［（Ｓ）−（−）−１−（２−ｎ−プロピルシクロヘキシル）エチル−１−マレイミド］、ポリ［（Ｓ）−（−）−１−（３−ｎ−プロピルシクロヘキシル）エチル−１−マレイミド］、ポリ［（Ｓ）−（−）−１−（４−ｎ−プロピルシクロヘキシル）エチル−１−マレイミド］、ポリ［（Ｓ）−（−）−１−（２，３−ジ−ｎ−プロピルシクロヘキシル）エチル−１−マレイミド］、ポリ［（Ｓ）−（−）−１−（２，４−ジ−ｎ−プロピルシクロヘキシル）エチル−１−マレイミド］、ポリ［（Ｓ）−（−）−１−（２，５−ジ−ｎ−プロピルシクロヘキシル）エチル−１−マレイミド］、ポリ［（Ｓ）−（−）−１−（２，６−ジ−ｎ−プロピルシクロヘキシル）エチル−１−マレイミド］、ポリ［（Ｓ）−（−）−１−（３，４−ジ−ｎ−プロピルシクロヘキシル）エチル−１−マレイミド］、ポリ［（Ｓ）−（−）−１−（３，５−ジ−ｎ−プロピルシクロヘキシル）エチル−１−マレイミド］、ポリ［（Ｓ）−（−）−１−（２，４，６−トリ−ｎ−プロピルシクロヘキシル）エチル−１−マレイミド］、ポリ［（Ｓ）−（−）−１−（２，３，４，５−テトラ−ｎ−プロピルシクロヘキシル）エチル−１−マレイミド］、ポリ［（Ｓ）−（−）−１−（２，３，４，６−テトラ−ｎ−プロピルシクロヘキシル）エチル−１−マレイミド］、ポリ［（Ｓ）−（−）−１−（２，３，５，６−テトラ−ｎ−プロピルシクロヘキシル）エチル−１−マレイミド］、ポリ［（Ｓ）−（−）−１−（２，３，４，５，６−ペンタ−ｎ−プロピルシクロヘキシル）エチル−１−マレイミド］、ポリ［（Ｓ）−（−）−１−（２−ｉ−プロピルシクロヘキシル）エチル−１−マレイミド］、ポリ［（Ｓ）−（−）−１−（３−ｉ−プロピルシクロヘキシル）エチル−１−マレイミド］、ポリ［（Ｓ）−（−）−１−（４−ｉ−プロピルシクロヘキシル）エチル−１−マレイミド］、ポリ［（Ｓ）−（−）−１−（２，３−ジ−ｉ−プロピルシクロヘキシル）エチル−１−マレイミド］、ポリ［（Ｓ）−（−）−１−（２，４−ジ−ｉ−プロピルシクロヘキシル）エチル−１−マレイミド］、ポリ［（Ｓ）−（−）−１−（２，５−ジ−ｉ−プロピルシクロヘキシル）エチル−１−マレイミド］、ポリ［（Ｓ）−（−）−１−（２，６−ジ−ｉ−プロピルシクロヘキシル）エチル−１−マレイミド］、ポリ［（Ｓ）−（−）−１−（３，４−ジ−ｉ−プロピルシクロヘキシル）エチル−１−マレイミド］、ポリ［（Ｓ）−（−）−１−（３，５−ジ−ｉ−プロピルシクロヘキシル）エチル−１−マレイミド］、ポリ［（Ｓ）−（−）−１−（２，４，６−トリ−ｉ−プロピルシクロヘキシル）エチル−１−マレイミド］、ポリ［（Ｓ）−（−）−１−（２，３，４，５−テトラ−ｉ−プロピルシクロヘキシル）エチル−１−マレイミド］、ポリ［（Ｓ）−（−）−１−（２，３，４，６−テトラ−ｉ−プロピルシクロヘキシル）エチル−１−マレイミド］、ポリ［（Ｓ）−（−）−１−（２，３，５，６−テトラ−ｉ−プロピルシクロヘキシル）エチル−１−マレイミド］、ポリ［（Ｓ）−（−）−１−（２，３，４，５，６−ペンタ−ｉ−プロピルシクロヘキシル）エチル−１−マレイミド］、ポリ［（Ｓ）−（−）−１−（２−ｎ−ブチルシクロヘキシル）エチル−１−マレイミド］、ポリ［（Ｓ）−（−）−１−（３−ｎ−ブチルシクロヘキシル）エチル−１−マレイミド］、ポリ［（Ｓ）−（−）−１−（４−ｎ−ブチルシクロヘキシル）エチル−１−マレイミド］、ポリ［（Ｓ）−（−）−１−（２，３−ジ−ｎ−ブチルシクロヘキシル）エチル−１−マレイミド］、ポリ［（Ｓ）−（−）−１−（２，４−ジ−ｎ−ブチルシクロヘキシル）エチル−１−マレイミド］、ポリ［（Ｓ）−（−）−１−（２，５−ジ−ｎ−ブチルシクロヘキシル）エチル−１−マレイミド］、ポリ［（Ｓ）−（−）−１−（２，６−ジ−ｎ−ブチルシクロヘキシル）エチル−１−マレイミド］、ポリ［（Ｓ）−（−）−１−（３，４−ジ−ｎ−ブチルシクロヘキシル）エチル−１−マレイミド］、ポリ［（Ｓ）−（−）−１−（３，５−ジ−ｎ−ブチルシクロヘキシル）エチル−１−マレイミド］、ポリ［（Ｓ）−（−）−１−（２，４，６−トリ−ｎ−ブチルシクロヘキシル）エチル−１−マレイミド］、ポリ［（Ｓ）−（−）−１−（２，３，４，５−テトラ−ｎ−ブチルシクロヘキシル）エチル−１−マレイミド］、ポリ［（Ｓ）−（−）−１−（２，３，４，６−テトラ−ｎ−ブチルシクロヘキシル）エチル−１−マレイミド］、ポリ［（Ｓ）−（−）−１−（２，３，５，６−テトラ−ｎ−ブチルシクロヘキシル）エチル−１−マレイミド］、ポリ［（Ｓ）−（−）−１−（２，３，４，５，６−ペンタ−ｎ−ブチルシクロヘキシル）エチル−１−マレイミド］、ポリ［（Ｓ）−（−）−１−（２−ｉ−ブチルシクロヘキシル）エチル−１−マレイミド］、ポリ［（Ｓ）−（−）−１−（３−ｉ−ブチルシクロヘキシル）エチル−１−マレイミド］、ポリ［（Ｓ）−（−）−１−（４−ｉ−ブチルシクロヘキシル）エチル−１−マレイミド］、ポリ［（Ｓ）−（−）−１−（２，３−ジ−ｉ−ブチルシクロヘキシル）エチル−１−マレイミド］、ポリ［（Ｓ）−（−）−１−（２，４−ジ−ｉ−ブチルシクロヘキシル）エチル−１−マレイミド］、ポリ［（Ｓ）−（−）−１−（２，５−ジ−ｉ−ブチルシクロヘキシル）エチル−１−マレイミド］、ポリ［（Ｓ）−（−）−１−（２，６−ジ−ｉ−ブチルシクロヘキシル）エチル−１−マレイミド］、ポリ［（Ｓ）−（−）−１−（３，４−ジ−ｉ−ブチルシクロヘキシル）エチル−１−マレイミド］、ポリ［（Ｓ）−（−）−１−（３，５−ジ−ｉ−ブチルシクロヘキシル）エチル−１−マレイミド］、ポリ［（Ｓ）−（−）−１−（２，４，６−トリ−ｉ−ブチルシクロヘキシル）エチル−１−マレイミド］、ポリ［（Ｓ）−（−）−１−（２，３，４，５−テトラ−ｉ−ブチルシクロヘキシル）エチル−１−マレイミド］、ポリ［（Ｓ）−（−）−１−（２，３，４，６−テトラ−ｉ−ブチルシクロヘキシル）エチル−１−マレイミド］、ポリ［（Ｓ）−（−）−１−（２，３，５，６−テトラ−ｉ−ブチルシクロヘキシル）エチル−１−マレイミド］、ポリ［（Ｓ）−（−）−１−（２，３，４，５，６−ペンタ−ｉ−ブチルシクロヘキシル）エチル−１−マレイミド］、ポリ［（Ｓ）−（−）−１−（２−ｔ−ブチルシクロヘキシル）エチル−１−マレイミド］、ポリ［（Ｓ）−（−）−１−（３−ｔ−ブチルシクロヘキシル）エチル−１−マレイミド］、ポリ［（Ｓ）−（−）−１−（４−ｔ−ブチルシクロヘキシル）エチル−１−マレイミド］、ポリ［（Ｓ）−（−）−１−（２，３−ジ−ｔ−ブチルシクロヘキシル）エチル−１−マレイミド］、ポリ［（Ｓ）−（−）−１−（２，４−ジ−ｔ−ブチルシクロヘキシル）エチル−１−マレイミド］、ポリ［（Ｓ）−（−）−１−（２，５−ジ−ｔ−ブチルシクロヘキシル）エチル−１−マレイミド］、ポリ［（Ｓ）−（−）−１−（２，６−ジ−ｔ−ブチルシクロヘキシル）エチル−１−マレイミド］、ポリ［（Ｓ）−（−）−１−（３，４−ジ−ｔ−ブチルシクロヘキシル）エチル−１−マレイミド］、ポリ［（Ｓ）−（−）−１−（３，５−ジ−ｔ−ブチルシクロヘキシル）エチル−１−マレイミド］、ポリ［（Ｓ）−（−）−１−（２，４，６−トリ−ｔ−ブチルシクロヘキシル）エチル−１−マレイミド］、ポリ［（Ｓ）−（−）−１−（２，３，４，５−テトラ−ｔ−ブチルシクロヘキシル）エチル−１−マレイミド］、ポリ［（Ｓ）−（−）−１−（２，３，４，６−テトラ−ｔ−ブチルシクロヘキシル）エチル−１−マレイミド］、ポリ［（Ｓ）−（−）−１−（２，３，５，６−テトラ−ｔ−ブチルシクロヘキシル）エチル−１−マレイミド］、ポリ［（Ｓ）−（−）−１−（２，３，４，５，６−ペンタ−ｔ−ブチルシクロヘキシル）エチル−１−マレイミド］、ポリ［（Ｓ）−（−）−１−（２−メトキシシクロヘキシル）エチル−１−マレイミド］、ポリ［（Ｓ）−（−）−１−（３−メトキシシクロヘキシル）エチル−１−マレイミド］、ポリ［（Ｓ）−（−）−１−（４−メトキシシクロヘキシル）エチル−１−マレイミド］、ポリ［（Ｓ）−（−）−１−（２、３−ジメトキシシクロヘキシル）エチル−１−マレイミド］、ポリ［（Ｓ）−（−）−１−（２、４−ジメトキシシクロヘキシル）エチル−１−マレイミド］、ポリ［（Ｓ）−（−）−１−（２、５−ジメトキシシクロヘキシル）エチル−１−マ
レイミド］、ポリ［（Ｓ）−（−）−１−（２、６−ジメトキシシクロヘキシル）エチル−１−マレイミド］、ポリ［（Ｓ）−（−）−１−（３、４−ジメトキシシクロヘキシル）エチル−１−マレイミド］、ポリ［（Ｓ）−（−）−１−（３、５−ジメトキシシクロヘキシル）エチル−１−マレイミド］、ポリ［（Ｓ）−（−）−１−（２、４、６−トリメトキシシクロヘキシル）エチル−１−マレイミド］、ポリ［（Ｓ）−（−）−１−（２、３、４、５−テトラメトキシシクロヘキシル）エチル−１−マレイミド］、ポリ［（Ｓ）−（−）−１−（２、３、４、６−テトラメトキシシクロヘキシル）エチル−１−マレイミド］、ポリ［（Ｓ）−（−）−１−（２、３、５、６−テトラメトキシシクロヘキシル）エチル−１−マレイミド］、ポリ［（Ｓ）−（−）−１−（２、３、４、５、６−ペンタメトキシシクロヘキシル）エチル−１−マレイミド］、ポリ［（Ｓ）−（−）−１−（２−エトキシシクロヘキシル）エチル−１−マレイミド］、ポリ［（Ｓ）−（−）−１−（３−エトキシシクロヘキシル）エチル−１−マレイミド］、ポリ［（Ｓ）−（−）−１−（４−エトキシシクロヘキシル）エチル−１−マレイミド］、ポリ［（Ｓ）−（−）−１−（２、３−ジエトキシシクロヘキシル）エチル−１−マレイミド］、ポリ［（Ｓ）−（−）−１−（２、４−ジエトキシシクロヘキシル）エチル−１−マレイミド］、ポリ［（Ｓ）−（−）−１−（２、５−ジエトキシシクロヘキシル）エチル−１−マレイミド］、ポリ［（Ｓ）−（−）−１−（２、６−ジエトキシシクロヘキシル）エチル−１−マレイミド］、ポリ［（Ｓ）−（−）−１−（３、４−ジエトキシシクロヘキシル）エチル−１−マレイミド］、ポリ［（Ｓ）−（−）−１−（３、５−ジエトキシシクロヘキシル）エチル−１−マレイミド］、ポリ［（Ｓ）−（−）−１−（２、４、６−トリエトキシシクロヘキシル）エチル−１−マレイミド］、ポリ［（Ｓ）−（−）−１−（２、３、４、５−テトラエトキシシクロヘキシル）エチル−１−マレイミド］、ポリ［（Ｓ）−（−）−１−（２、３、４、６−テトラエトキシシクロヘキシル）エチル−１−マレイミド］、ポリ［（Ｓ）−（−）−１−（２、３、５、６−テトラエトキシシクロヘキシル）エチル−１−マレイミド］、ポリ［（Ｓ）−（−）−１−（２、３、４、５、６−ペンタエトキシシクロヘキシル）エチル−１−マレイミド］等が挙げられる。
【００５０】
また、上記一般式（２）において、置換基Ｒ１〜Ｒ１１のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ１２がエチル基である該光学活性ポリマレイミド誘導体としては、具体的には、ポリ［（Ｓ）−（−）−１−シクロヘキシル−ｎ−プロピル−１−マレイミド］、ポリ［（Ｓ）−（−）−１−（２−メチルシクロヘキシル）−ｎ−プロピル−１−マレイミド］、ポリ［（Ｓ）−（−）−１−（３−メチルシクロヘキシル）−ｎ−プロピル−１−マレイミド］、ポリ［（Ｓ）−（−）−１−（４−メチルシクロヘキシル）−ｎ−プロピル−１−マレイミド］、ポリ［（Ｓ）−（−）−１−（２，３−ジメチルシクロヘキシル）−ｎ−プロピル−１−マレイミド］、ポリ［（Ｓ）−（−）−１−（２，４−ジメチルシクロヘキシル）−ｎ−プロピル−１−マレイミド］、ポリ［（Ｓ）−（−）−１−（２，５−ジメチルシクロヘキシル）−ｎ−プロピル−１−マレイミド］、ポリ［（Ｓ）−（−）−１−（２，６−ジメチルシクロヘキシル）−ｎ−プロピル−１−マレイミド］、ポリ［（Ｓ）−（−）−１−（３，４−ジメチルシクロヘキシル）−ｎ−プロピル−１−マレイミド］、ポリ［（Ｓ）−（−）−１−（３，５−ジメチルシクロヘキシル）−ｎ−プロピル−１−マレイミド］、ポリ［（Ｓ）−（−）−１−（２，４，６−トリメチルシクロヘキシル）−ｎ−プロピル−１−マレイミド］、ポリ［（Ｓ）−（−）−１−（２，３，４，５−テトラメチルシクロヘキシル）−ｎ−プロピル−１−マレイミド］、ポリ［（Ｓ）−（−）−１−（２，３，４，６−テトラメチルシクロヘキシル）−ｎ−プロピル−１−マレイミド］、ポリ［（Ｓ）−（−）−１−（２，３，５，６−テトラメチルシクロヘキシル）−ｎ−プロピル−１−マレイミド］、ポリ［（Ｓ）−（−）−１−（２，３，４，５，６−ペンタメチルシクロヘキシル）−ｎ−プロピル−１−マレイミド］、ポリ［（Ｓ）−（−）−１−（２−エチルシクロヘキシル）−ｎ−プロピル−１−マレイミド］、ポリ［（Ｓ）−（−）−１−（３−エチルシクロヘキシル）−ｎ−プロピル−１−マレイミド］、ポリ［（Ｓ）−（−）−１−（４−エチルシクロヘキシル）−ｎ−プロピル−１−マレイミド］、ポリ［（Ｓ）−（−）−１−（２，３−ジエチルシクロヘキシル）−ｎ−プロピル−１−マレイミド］、ポリ［（Ｓ）−（−）−１−（２，４−ジエチルシクロヘキシル）−ｎ−プロピル−１−マレイミド］、ポリ［（Ｓ）−（−）−１−（２，５−ジエチルシクロヘキシル）−ｎ−プロピル−１−マレイミド］、ポリ［（Ｓ）−（−）−１−（２，６−ジエチルシクロヘキシル）−ｎ−プロピル−１−マレイミド］、ポリ［（Ｓ）−（−）−１−（３，４−ジエチルシクロヘキシル）−ｎ−プロピル−１−マレイミド］、ポリ［（Ｓ）−（−）−１−（３，５−ジエチルシクロヘキシル）−ｎ−プロピル−１−マレイミド］、ポリ［（Ｓ）−（−）−１−（２，４，６−トリエチルシクロヘキシル）−ｎ−プロピル−１−マレイミド］、ポリ［（Ｓ）−（−）−１−（２，３，４，５−テトラエチルシクロヘキシル）−ｎ−プロピル−１−マレイミド］、ポリ［（Ｓ）−（−）−１−（２，３，４，６−テトラエチルシクロヘキシル）−ｎ−プロピル−１−マレイミド］、ポリ［（Ｓ）−（−）−１−（２，３，５，６−テトラエチルシクロヘキシル）−ｎ−プロピル−１−マレイミド］、ポリ［（Ｓ）−（−）−１−（２，３，４，５，６−ペンタエチルシクロヘキシル）−ｎ−プロピル−１−マレイミド］、ポリ［（Ｓ）−（−）−１−（２−ｎ−プロピルシクロヘキシル）−ｎ−プロピル−１−マレイミド］、ポリ［（Ｓ）−（−）−１−（３−ｎ−プロピルシクロヘキシル）−ｎ−プロピル−１−マレイミド］、ポリ［（Ｓ）−（−）−１−（４−ｎ−プロピルシクロヘキシル）−ｎ−プロピル−１−マレイミド］、ポリ［（Ｓ）−（−）−１−（２，３−ジ−ｎ−プロピルシクロヘキシル）−ｎ−プロピル−１−マレイミド］、ポリ［（Ｓ）−（−）−１−（２，４−ジ−ｎ−プロピルシクロヘキシル）−ｎ−プロピル−１−マレイミド］、ポリ［（Ｓ）−（−）−１−（２，５−ジ−ｎ−プロピルシクロヘキシル）−ｎ−プロピル−１−マレイミド］、ポリ［（Ｓ）−（−）−１−（２，６−ジ−ｎ−プロピルシクロヘキシル）−ｎ−プロピル−１−マレイミド］、ポリ［（Ｓ）−（−）−１−（３，４−ジ−ｎ−プロピルシクロヘキシル）−ｎ−プロピル−１−マレイミド］、ポリ［（Ｓ）−（−）−１−（３，５−ジ−ｎ−プロピルシクロヘキシル）−ｎ−プロピル−１−マレイミド］、ポリ［（Ｓ）−（−）−１−（２，４，６−トリ−ｎ−プロピルシクロヘキシル）−ｎ−プロピル−１−マレイミド］、ポリ［（Ｓ）−（−）−１−（２，３，４，５−テトラ−ｎ−プロピルシクロヘキシル）−ｎ−プロピル−１−マレイミド］、ポリ［（Ｓ）−（−）−１−（２，３，４，６−テトラ−ｎ−プロピルシクロヘキシル）−ｎ−プロピル−１−マレイミド］、ポリ［（Ｓ）−（−）−１−（２，３，５，６−テトラ−ｎ−プロピルシクロヘキシル）−ｎ−プロピル−１−マレイミド］、ポリ［（Ｓ）−（−）−１−（２，３，４，５，６−ペンタ−ｎ−プロピルシクロヘキシル）−ｎ−プロピル−１−マレイミド］、ポリ［（Ｓ）−（−）−１−（２−ｉ−プロピルシクロヘキシル）−ｎ−プロピル−１−マレイミド］、ポリ［（Ｓ）−（−）−１−（３−ｉ−プロピルシクロヘキシル）−ｎ−プロピル−１−マレイミド］、ポリ［（Ｓ）−（−）−１−（４−ｉ−プロピルシクロヘキシル）−ｎ−プロピル−１−マレイミド］、ポリ［（Ｓ）−（−）−１−（２，３−ジ−ｉ−プロピルシクロヘキシル）−ｎ−プロピル−１−マレイミド］、ポリ［（Ｓ）−（−）−１−（２，４−ジ−ｉ−プロピルシクロヘキシル）−ｎ−プロピル−１−マレイミド］、ポリ［（Ｓ）−（−）−１−（２，５−ジ−ｉ−プロピルシクロヘキシル）−ｎ−プロピル−１−マレイミド］、ポリ［（Ｓ）−（−）−１−（２，６−ジ−ｉ−プロピルシクロヘキシル）−ｎ−プロピル−１−マレイミド］、ポリ［（Ｓ）−（−）−１−（３，４−ジ−ｉ−プロピルシクロヘキシル）−ｎ−プロピル−１−マレイミド］、ポリ［（Ｓ）−（−）−１−（３，５−ジ−ｉ−プロピルシクロヘキシル）−ｎ−プロピル−１−マレイミド］、ポリ［（Ｓ）−（−）−１−（２，４，６−トリ−ｉ−プロピルシクロヘキシル）−ｎ−プロピル−１−マレイミド］、ポリ［（Ｓ）−（−）−１−（２，３，４，５−テトラ−ｉ−プロピルシクロヘキシル）−ｎ−プロピル−１−マレイミド］、ポリ［（Ｓ）−（−）−１−（２，３，４，６−テトラ−ｉ−プロピルシクロヘキシル）−ｎ−プロピル−１−マレイミド］、ポリ［（Ｓ）−（−）−１−（２，３，５，６−テトラ−ｉ−プロピルシクロヘキシル）−ｎ−プロピル−１−マレイミド］、ポリ［（Ｓ）−（−）−１−（２，３，４，５，６−ペンタ−ｉ−プロピルシクロヘキシル）−ｎ−プロピル−１−マレイミド］、ポリ［（Ｓ）−（−）−１−（２−ｎ−ブチルシクロヘキシル）−ｎ−プロピル−１−マレイミド］、ポリ［（Ｓ）−（−）−１−（３−ｎ−ブチルシクロヘキシル）−ｎ−プロピル−１−マレイミド］、ポリ［（Ｓ）−（−）−１−（４−ｎ−ブチルシクロヘキシル）−ｎ−プロピル−１−マレイミド］、ポリ［（Ｓ）−（−）−１−（２，３−ジ−ｎ−ブチルシクロヘキシル）−ｎ−プロピル−１−マレイミド］、ポリ［（Ｓ）−（−）−１−（２，４−ジ−ｎ−ブチルシクロヘキシル）−ｎ−プロピル−１−マレイミド］、ポリ［（Ｓ）−（−）−１−（２，５−ジ−ｎ−ブチルシクロヘキシル）−ｎ−プロピル−１−マレイミド］、ポリ［（Ｓ）−（−）−１−（２，６−ジ−ｎ−ブチルシクロヘキシル）−ｎ−プロピル−１−マレイミド］、ポリ［（Ｓ）−（−）−１−（３，４−ジ−ｎ−ブチルシクロヘキシル）−ｎ−プロピル−１−マレイミド］、ポリ［（Ｓ）−（−）−１−（３，５−ジ−ｎ−ブチルシクロヘキシル）−ｎ−プロピル−１−マレイミド］、ポリ［（Ｓ）−（−）−１−（２，４，６−トリ−ｎ−ブチルシクロヘキシル）−ｎ−プロピル−１−マレイミド］、ポリ［（Ｓ）−（−）−１−（２，３，４，５−テトラ−ｎ−ブチルシクロヘキシル）−ｎ−プロピル−１−マレイミド］、ポリ［（Ｓ）−（−）−１−（２，３，４，６−テトラ−ｎ−ブチルシクロヘキシル）−ｎ−プロピル−１−マレイミド］、ポリ［（Ｓ）−（−）−１−（２，３，５，６−テトラ−ｎ−ブチルシクロヘキシル）−ｎ−プロピル−１−マレイミド］、ポリ［（Ｓ）−（−）−１−（２，３，４，５，６−ペンタ−ｎ−ブチルシクロヘキシル）−ｎ−プロピル−１−マレイミド］、ポリ［（Ｓ）−（−）−１−（２−ｉ−ブチルシクロヘキシル）−ｎ−プロピル−１−マレイミド］、ポリ［（Ｓ）−（−）−１−（３−ｉ−ブチルシクロヘキシル）−ｎ−プロピル−１−マレイミド］、ポリ［（Ｓ）−（−）−１−（４−ｉ−ブチルシクロヘキシル）−ｎ−プロピル−１−マレイミド］、ポリ［（Ｓ）−（−）−１−（２，３−ジ−ｉ−ブチルシクロヘキシル）−ｎ−プロピル−１−マレイミド］、ポリ［（Ｓ）−（−）−１−（２，４−ジ−ｉ−ブチルシクロヘキシル）−ｎ−プロピル−１−マレイミド］、ポリ［（Ｓ）−（−）−１−（２，５−ジ−ｉ−ブチルシクロヘキシル）−ｎ−プロピル−１−マレイミド］、ポリ［（Ｓ）−（−）−１−（２，６−ジ−ｉ−ブチルシクロヘキシル）−ｎ−プロピル−１−マレイミド］、ポリ［（Ｓ）−（−）−１−（３，４−ジ−ｉ−ブチルシクロヘキシル）−ｎ−プロピル−１−マレイミド］、ポリ［（Ｓ）−（−）−１−（３，５−ジ−ｉ−ブチルシクロヘキシル）−ｎ−プロピル−１−マレイミド］、ポリ［（Ｓ）−（−）−１−（２，４，６−トリ−ｉ−ブチルシクロヘキシル）−ｎ−プロピル−１−マレイミド］、ポリ［（Ｓ）−（−）−１−（２，３，４，５−テトラ−ｉ−ブチルシクロヘキシル）−ｎ−プロピル−１−マレイミド］、ポリ［（Ｓ）−（−）−１−（２，３，４，６−テトラ−ｉ−ブチルシクロヘキシル）−ｎ−プロピル−１−マレイミド］、ポリ［（Ｓ）−（−）−１−（２，３，５，６−テトラ−ｉ−ブチルシクロヘキシル）−ｎ−プロピル−１−マレイミド］、ポリ［（Ｓ）−（−）−１−（２，３，４，５，６−ペンタ−ｉ−ブチルシクロヘキシル）−ｎ−プロピル−１−マレイミド］、ポリ［（Ｓ）−（−）−１−（２−ｔ−ブチルシクロヘキシル）−ｎ−プロピル−１−マレイミド］、ポリ［（Ｓ）−（−）−１−（３−ｔ−ブチルシクロヘキシル）−ｎ−プロピル−１−マレイミド］、ポリ［（Ｓ）−（−）−１−（４−ｔ−ブチルシクロヘキシル）−ｎ−プロピル−１−マレイミド］、ポリ［（Ｓ）−（−）−１−（２，３−ジ−ｔ−ブチルシクロヘキシル）−ｎ−プロピル−１−マレイミド］、ポリ［（Ｓ）−（−）−１−（２，４−ジ−ｔ−ブチルシクロヘキシル）−ｎ−プロピル−１−マレイミド］、ポリ［（Ｓ）−（−）−１−（２，５−ジ−ｔ−ブチルシクロヘキシル）−ｎ−プロピル−１−マレイミド］、ポリ［（Ｓ）−（−）−１−（２，６−ジ−ｔ−ブチルシクロヘキシル）−ｎ−プロピル−１−マレイミド］、ポリ［（Ｓ）−（−）−１−（３，４−ジ−ｔ−ブチルシクロヘキシル）−ｎ−プロピル−１−マレイミド］、ポリ［（Ｓ）−（−）−１−（３，５−ジ−ｔ−ブチルシクロヘキシル）−ｎ−プロピル−１−マレイミド］、ポリ［（Ｓ）−（−）−１−（２，４，６−トリ−ｔ−ブチルシクロヘキシル）−ｎ−プロピル−１−マレイミド］、ポリ［（Ｓ）−（−）−１−（２，３，４，５−テトラ−ｔ−ブチルシクロヘキシル）−ｎ−プロピル−１−マレイミド］、ポリ［（Ｓ）−（−）−１−（２，３，４，６−テトラ−ｔ−ブチルシクロヘキシル）−ｎ−プロピル−１−マレイミド］、ポリ［（Ｓ）−（−）−１−（２，３，５，６−
テトラ−ｔ−ブチルシクロヘキシル）−ｎ−プロピル−１−マレイミド］、ポリ［（Ｓ）−（−）−１−（２，３，４，５，６−ペンタ−ｔ−ブチルシクロヘキシル）−ｎ−プロピル−１−マレイミド］、ポリ［（Ｓ）−（−）−１−（２−メトキシシクロヘキシル）−ｎ−プロピル−１−マレイミド］、ポリ［（Ｓ）−（−）−１−（３−メトキシシクロヘキシル）−ｎ−プロピル−１−マレイミド］、ポリ［（Ｓ）−（−）−１−（４−メトキシシクロヘキシル）−ｎ−プロピル−１−マレイミド］、ポリ［（Ｓ）−（−）−１−（２、３−ジメトキシシクロヘキシル）−ｎ−プロピル−１−マレイミド］、ポリ［（Ｓ）−（−）−１−（２、４−ジメトキシシクロヘキシル）−ｎ−プロピル−１−マレイミド］、ポリ［（Ｓ）−（−）−１−（２、５−ジメトキシシクロヘキシル）−ｎ−プロピル−１−マレイミド］、ポリ［（Ｓ）−（−）−１−（２、６−ジメトキシシクロヘキシル）−ｎ−プロピル−１−マレイミド］、ポリ［（Ｓ）−（−）−１−（３、４−ジメトキシシクロヘキシル）−ｎ−プロピル−１−マレイミド］、ポリ［（Ｓ）−（−）−１−（３、５−ジメトキシシクロヘキシル）−ｎ−プロピル−１−マレイミド］、ポリ［（Ｓ）−（−）−１−（２、４、６−トリメトキシシクロヘキシル）−ｎ−プロピル−１−マレイミド］、ポリ［（Ｓ）−（−）−１−（２、３、４、５−テトラメトキシシクロヘキシル）−ｎ−プロピル−１−マレイミド］、ポリ［（Ｓ）−（−）−１−（２、３、４、６−テトラメトキシシクロヘキシル）−ｎ−プロピル−１−マレイミド］、ポリ［（Ｓ）−（−）−１−（２、３、５、６−テトラメトキシシクロヘキシル）−ｎ−プロピル−１−マレイミド］、ポリ［（Ｓ）−（−）−１−（２、３、４、５、６−ペンタメトキシシクロヘキシル）−ｎ−プロピル−１−マレイミド］、ポリ［（Ｓ）−（−）−１−（２−エトキシシクロヘキシル）−ｎ−プロピル−１−マレイミド］、ポリ［（Ｓ）−（−）−１−（３−エトキシシクロヘキシル）−ｎ−プロピル−１−マレイミド］、ポリ［（Ｓ）−（−）−１−（４−エトキシシクロヘキシル）−ｎ−プロピル−１−マレイミド］、ポリ［（Ｓ）−（−）−１−（２、３−ジエトキシシクロヘキシル）−ｎ−プロピル−１−マレイミド］、ポリ［（Ｓ）−（−）−１−（２、４−ジエトキシシクロヘキシル）−ｎ−プロピル−１−マレイミド］、ポリ［（Ｓ）−（−）−１−（２、５−ジエトキシシクロヘキシル）−ｎ−プロピル−１−マレイミド］、ポリ［（Ｓ）−（−）−１−（２、６−ジエトキシシクロヘキシル）−ｎ−プロピル−１−マレイミド］、ポリ［（Ｓ）−（−）−１−（３、４−ジエトキシシクロヘキシル）−ｎ−プロピル−１−マレイミド］、ポリ［（Ｓ）−（−）−１−（３、５−ジエトキシシクロヘキシル）−ｎ−プロピル−１−マレイミド］、ポリ［（Ｓ）−（−）−１−（２、４、６−トリエトキシシクロヘキシル）−ｎ−プロピル−１−マレイミド］、ポリ［（Ｓ）−（−）−１−（２、３、４、５−テトラエトキシシクロヘキシル）−ｎ−プロピル−１−マレイミド］、ポリ［（Ｓ）−（−）−１−（２、３、４、６−テトラエトキシシクロヘキシル）−ｎ−プロピル−１−マレイミド］、ポリ［（Ｓ）−（−）−１−（２、３、５、６−テトラエトキシシクロヘキシル）−ｎ−プロピル−１−マレイミド］、ポリ［（Ｓ）−（−）−１−（２、３、４、５、６−ペンタエトキシシクロヘキシル）−ｎ−プロピル−１−マレイミド］等が挙げられる。
【００５１】
また、上記一般式（２）において、置換基Ｒ１〜Ｒ１１のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ１２がｉ−プロピル基である該光学活性ポリマレイミド誘導体としては、具体的には、ポリ［（Ｓ）−（−）−１−シクロヘキシル−２−メチルプロピル−１−マレイミド］、ポリ［（Ｓ）−（−）−１−（２−メチルシクロヘキシル）−２−メチルプロピル−１−マレイミド］、ポリ［（Ｓ）−（−）−１−（３−メチルシクロヘキシル）−２−メチルプロピル−１−マレイミド］、ポリ［（Ｓ）−（−）−１−（４−メチルシクロヘキシル）−２−メチルプロピル−１−マレイミド］、ポリ［（Ｓ）−（−）−１−（２，３−ジメチルシクロヘキシル）−２−メチルプロピル−１−マレイミド］、ポリ［（Ｓ）−（−）−１−（２，４−ジメチルシクロヘキシル）−２−メチルプロピル−１−マレイミド］、ポリ［（Ｓ）−（−）−１−（２，５−ジメチルシクロヘキシル）−２−メチルプロピル−１−マレイミド］、ポリ［（Ｓ）−（−）−１−（２，６−ジメチルシクロヘキシル）−２−メチルプロピル−１−マレイミド］、ポリ［（Ｓ）−（−）−１−（３，４−ジメチルシクロヘキシル）−２−メチルプロピル−１−マレイミド］、ポリ［（Ｓ）−（−）−１−（３，５−ジメチルシクロヘキシル）−２−メチルプロピル−１−マレイミド］、ポリ［（Ｓ）−（−）−１−（２，４，６−トリメチルシクロヘキシル）−２−メチルプロピル−１−マレイミド］、ポリ［（Ｓ）−（−）−１−（２，３，４，５−テトラメチルシクロヘキシル）−２−メチルプロピル−１−マレイミド］、ポリ［（Ｓ）−（−）−１−（２，３，４，６−テトラメチルシクロヘキシル）−２−メチルプロピル−１−マレイミド］、ポリ［（Ｓ）−（−）−１−（２，３，５，６−テトラメチルシクロヘキシル）−２−メチルプロピル−１−マレイミド］、ポリ［（Ｓ）−（−）−１−（２，３，４，５，６−ペンタメチルシクロヘキシル）−２−メチルプロピル−１−マレイミド］、ポリ［（Ｓ）−（−）−１−（２−エチルシクロヘキシル）−２−メチルプロピル−１−マレイミド］、ポリ［（Ｓ）−（−）−１−（３−エチルシクロヘキシル）−２−メチルプロピル−１−マレイミド］、ポリ［（Ｓ）−（−）−１−（４−エチルシクロヘキシル）−２−メチルプロピル−１−マレイミド］、ポリ［（Ｓ）−（−）−１−（２，３−ジエチルシクロヘキシル）−２−メチルプロピル−１−マレイミド］、ポリ［（Ｓ）−（−）−１−（２，４−ジエチルシクロヘキシル）−２−メチルプロピル−１−マレイミド］、ポリ［（Ｓ）−（−）−１−（２，５−ジエチルシクロヘキシル）−２−メチルプロピル−１−マレイミド］、ポリ［（Ｓ）−（−）−１−（２，６−ジエチルシクロヘキシル）−２−メチルプロピル−１−マレイミド］、ポリ［（Ｓ）−（−）−１−（３，４−ジエチルシクロヘキシル）−２−メチルプロピル−１−マレイミド］、ポリ［（Ｓ）−（−）−１−（３，５−ジエチルシクロヘキシル）−２−メチルプロピル−１−マレイミド］、ポリ［（Ｓ）−（−）−１−（２，４，６−トリエチルシクロヘキシル）−２−メチルプロピル−１−マレイミド］、ポリ［（Ｓ）−（−）−１−（２，３，４，５−テトラエチルシクロヘキシル）−２−メチルプロピル−１−マレイミド］、ポリ［（Ｓ）−（−）−１−（２，３，４，６−テトラエチルシクロヘキシル）−２−メチルプロピル−１−マレイミド］、ポリ［（Ｓ）−（−）−１−（２，３，５，６−テトラエチルシクロヘキシル）−２−メチルプロピル−１−マレイミド］、ポリ［（Ｓ）−（−）−１−（２，３，４，５，６−ペンタエチルシクロヘキシル）−２−メチルプロピル−１−マレイミド］、ポリ［（Ｓ）−（−）−１−（２−ｎ−プロピルシクロヘキシル）−２−メチルプロピル−１−マレイミド］、ポリ［（Ｓ）−（−）−１−（３−ｎ−プロピルシクロヘキシル）−２−メチルプロピル−１−マレイミド］、ポリ［（Ｓ）−（−）−１−（４−ｎ−プロピルシクロヘキシル）−２−メチルプロピル−１−マレイミド］、ポリ［（Ｓ）−（−）−１−（２，３−ジ−ｎ−プロピルシクロヘキシル）−２−メチルプロピル−１−マレイミド］、ポリ［（Ｓ）−（−）−１−（２，４−ジ−ｎ−プロピルシクロヘキシル）−２−メチルプロピル−１−マレイミド］、ポリ［（Ｓ）−（−）−１−（２，５−ジ−ｎ−プロピルシクロヘキシル）−２−メチルプロピル−１−マレイミド］、ポリ［（Ｓ）−（−）−１−（２，６−ジ−ｎ−プロピルシクロヘキシル）−２−メチルプロピル−１−マレイミド］、ポリ［（Ｓ）−（−）−１−（３，４−ジ−ｎ−プロピルシクロヘキシル）−２−メチルプロピル−１−マレイミド］、ポリ［（Ｓ）−（−）−１−（３，５−ジ−ｎ−プロピルシクロヘキシル）−２−メチルプロピル−１−マレイミド］、ポリ［（Ｓ）−（−）−１−（２，４，６−トリ−ｎ−プロピルシクロヘキシル）−２−メチルプロピル−１−マレイミド］、ポリ［（Ｓ）−（−）−１−（２，３，４，５−テトラ−ｎ−プロピルシクロヘキシル）−２−メチルプロピル−１−マレイミド］、ポリ［（Ｓ）−（−）−１−（２，３，４，６−テトラ−ｎ−プロピルシクロヘキシル）−２−メチルプロピル−１−マレイミド］、ポリ［（Ｓ）−（−）−１−（２，３，５，６−テトラ−ｎ−プロピルシクロヘキシル）−２−メチルプロピル−１−マレイミド］、ポリ［（Ｓ）−（−）−１−（２，３，４，５，６−ペンタ−ｎ−プロピルシクロヘキシル）−２−メチルプロピル−１−マレイミド］、ポリ［（Ｓ）−（−）−１−（２−ｉ−プロピルシクロヘキシル）−２−メチルプロピル−１−マレイミド］、ポリ［（Ｓ）−（−）−１−（３−ｉ−プロピルシクロヘキシル）−２−メチルプロピル−１−マレイミド］、ポリ［（Ｓ）−（−）−１−（４−ｉ−プロピルシクロヘキシル）−２−メチルプロピル−１−マレイミド］、ポリ［（Ｓ）−（−）−１−（２，３−ジ−ｉ−プロピル−シクロヘキシル）−２−メチルプロピル−１−マレイミド］、ポリ［（Ｓ）−（−）−１−（２，４−ジ−ｉ−プロピルシクロヘキシル）−２−メチルプロピル−１−マレイミド］、ポリ［（Ｓ）−（−）−１−（２，５−ジ−ｉ−プロピルシクロヘキシル）−２−メチルプロピル−１−マレイミド］、ポリ［（Ｓ）−（−）−１−（２，６−ジ−ｉ−プロピルシクロヘキシル）−２−メチルプロピル−１−マレイミド］、ポリ［（Ｓ）−（−）−１−（３，４−ジ−ｉ−プロピルシクロヘキシル）−２−メチルプロピル−１−マレイミド］、ポリ［（Ｓ）−（−）−１−（３，５−ジ−ｉ−プロピルシクロヘキシル）−２−メチルプロピル−１−マレイミド］、ポリ［（Ｓ）−（−）−１−（２，４，６−トリ−ｉ−プロピルシクロヘキシル）−２−メチルプロピル−１−マレイミド］、ポリ［（Ｓ）−（−）−１−（２，３，４，５−テトラ−ｉ−プロピルシクロヘキシル）−２−メチルプロピル−１−マレイミド］、ポリ［（Ｓ）−（−）−１−（２，３，４，６−テトラ−ｉ−プロピルシクロヘキシル）−２−メチルプロピル−１−マレイミド］、ポリ［（Ｓ）−（−）−１−（２，３，５，６−テトラ−ｉ−プロピルシクロヘキシル）−２−メチルプロピル−１−マレイミド］、ポリ［（Ｓ）−（−）−１−（２，３，４，５，６−ペンタ−ｉ−プロピルシクロヘキシル）−２−メチルプロピル−１−マレイミド］、ポリ［（Ｓ）−（−）−１−（２−ｎ−ブチルシクロヘキシル）−２−メチルプロピル−１−マレイミド］、ポリ［（Ｓ）−（−）−１−（３−ｎ−ブチルシクロヘキシル）−２−メチルプロピル−１−マレイミド］、ポリ［（Ｓ）−（−）−１−（４−ｎ−ブチルシクロヘキシル）−２−メチルプロピル−１−マレイミド］、ポリ［（Ｓ）−（−）−１−（２，３−ジ−ｎ−ブチルシクロヘキシル）−２−メチルプロピル−１−マレイミド］、ポリ［（Ｓ）−（−）−１−（２，４−ジ−ｎ−ブチルシクロヘキシル）−２−メチルプロピル−１−マレイミド］、ポリ［（Ｓ）−（−）−１−（２，５−ジ−ｎ−ブチルシクロヘキシル）−２−メチルプロピル−１−マレイミド］、ポリ［（Ｓ）−（−）−１−（２，６−ジ−ｎ−ブチルシクロヘキシル）−２−メチルプロピル−１−マレイミド］、ポリ［（Ｓ）−（−）−１−（３，４−ジ−ｎ−ブチルシクロヘキシル）−２−メチルプロピル−１−マレイミド］、ポリ［（Ｓ）−（−）−１−（３，５−ジ−ｎ−ブチルシクロヘキシル）−２−メチルプロピル−１−マレイミド］、ポリ［（Ｓ）−（−）−１−（２，４，６−トリ−ｎ−ブチルシクロヘキシル）−２−メチルプロピル−１−マレイミド］、ポリ［（Ｓ）−（−）−１−（２，３，４，５−テトラ−ｎ−ブチルシクロヘキシル）−２−メチルプロピル−１−マレイミド］、ポリ［（Ｓ）−（−）−１−（２，３，４，６−テトラ−ｎ−ブチルシクロヘキシル）−２−メチルプロピル−１−マレイミド］、ポリ［（Ｓ）−（−）−１−（２，３，５，６−テトラ−ｎ−ブチルシクロヘキシル）−２−メチルプロピル−１−マレイミド］、ポリ［（Ｓ）−（−）−１−（２，３，４，５，６−ペンタ−ｎ−ブチルシクロヘキシル）−２−メチルプロピル−１−マレイミド］、ポリ［（Ｓ）−（−）−１−（２−ｉ−ブチルシクロヘキシル）−２−メチルプロピル−１−マレイミド］、ポリ［（Ｓ）−（−）−１−（３−ｉ−ブチルシクロヘキシル）−２−メチルプロピル−１−マレイミド］、ポリ［（Ｓ）−（−）−１−（４−ｉ−ブチルシクロヘキシル）−２−メチルプロピル−１−マレイミド］、ポリ［（Ｓ）−（−）−１−（２，３−ジ−ｉ−ブチルシクロヘキシル）−２−メチルプロピル−１−マレイミド］、ポリ［（Ｓ）−（−）−１−（２，４−ジ−ｉ−ブチルシクロヘキシル）−２−メチルプロピル−１−マレイミド］、ポリ［（Ｓ）−（−）−１−（２，５−ジ−ｉ−ブチルシクロヘキシル）−２−メチルプロピル−１−マレイミド］、ポリ［（Ｓ）−（−）−１−（２，６−ジ−ｉ−ブチルシクロヘキシル）−２−メチルプロピル−１−マレイミド］、ポリ［（Ｓ）−（−）−１−（３，４−ジ−ｉ−ブチルシクロヘキシル）−２−メチルプロピル−１−マレイミド］、ポリ［（Ｓ）−（−）−１−（３，５−ジ−ｉ−ブチルシクロヘキシル）−２−メチルプロピル−１−マレイミド］、ポリ［（Ｓ）−（−）−１−（２，４，６−トリ−ｉ−ブチルシクロヘキシル）−２−メチルプロピル−１−マレイミド］、ポリ［（Ｓ）−（−）−１−（２，３，４，５−テトラ−ｉ−ブチルシクロヘキシル）−２−メチルプロピル−１−マレイミド］、ポリ［（Ｓ）−（−）−１−（２，３，４，６−テトラ−ｉ−ブチルシクロヘキシル）−２−メチルプロピル−１−マレイミド］、ポリ［（Ｓ）−（−）−１−（２，３，５，６−テトラ−ｉ−ブチルシクロヘキシル）−２−メチルプロピル−１−マレイミド］、ポリ［（Ｓ）−（−）−１−（２，３，４，５，６−ペンタ−ｉ−ブチルシクロヘキシル）−２−メチルプロピル−１−マレイミド］、ポリ［（Ｓ）−（−）−１−（２−ｔ−ブチルシクロヘキシル）−２−メチルプロピル−１−マレイミド］、ポリ［（Ｓ）−（−）−１−（３−ｔ−ブチルシクロヘキシル）−２−メチルプロピル−１−マレイミド］、ポリ［（Ｓ）−（−）−１−（４−ｔ−ブチルシクロヘキシル）−２−メチルプロピル−１−マレイミド］、ポリ［（Ｓ）−（−）−１−（２，３−ジ−ｔ−ブチルシクロヘキシル）−２−メチルプロピル−１−マレイミド］、ポリ［（Ｓ）−（−）−１−（２，４−ジ−ｔ−ブチルシクロヘキシル）−２−メチルプロピル−１−マレイミド］、ポリ［（Ｓ）−（−）−１−（２，５−ジ−ｔ−ブチルシクロヘキシル）−２−メチルプロピル−１−マレイミド］、ポリ［（Ｓ）−（−）−１−（２，６−ジ−ｔ−ブチルシクロヘキシル）−２−メチルプロピル−１−マレイミド］、ポリ［（Ｓ）−
（−）−１−（３，４−ジ−ｔ−ブチルシクロヘキシル）−２−メチルプロピル−１−マレイミド］、ポリ［（Ｓ）−（−）−１−（３，５−ジ−ｔ−ブチルシクロヘキシル）−２−メチルプロピル−１−マレイミド］、ポリ［（Ｓ）−（−）−１−（２，４，６−トリ−ｔ−ブチルシクロヘキシル）−２−メチルプロピル−１−マレイミド］、ポリ［（Ｓ）−（−）−１−（２，３，４，５−テトラ−ｔ−ブチルシクロヘキシル）−２−メチルプロピル−１−マレイミド］、ポリ［（Ｓ）−（−）−１−（２，３，４，６−テトラ−ｔ−ブチルシクロヘキシル）−２−メチルプロピル−１−マレイミド］、ポリ［（Ｓ）−（−）−１−（２，３，５，６−テトラ−ｔ−ブチルシクロヘキシル）−２−メチルプロピル−１−マレイミド］、ポリ［（Ｓ）−（−）−１−（２−メトキシシクロヘキシル）−２−メチルプロピル−１−マレイミド］、ポリ［（Ｓ）−（−）−１−（３−メトキシシクロヘキシル）−２−メチルプロピル−１−マレイミド］、ポリ［（Ｓ）−（−）−１−（４−メトキシシクロヘキシル）−２−メチルプロピル−１−マレイミド］、ポリ［（Ｓ）−（−）−１−（２、３−ジメトキシシクロヘキシル）−２−メチルプロピル−１−マレイミド］、ポリ［（Ｓ）−（−）−１−（２、４−ジメトキシシクロヘキシル）−２−メチルプロピル−１−マレイミド］、ポリ［（Ｓ）−（−）−１−（２、５−ジメトキシシクロヘキシル）−２−メチルプロピル−１−マレイミド］、ポリ［（Ｓ）−（−）−１−（２、６−ジメトキシシクロヘキシル）−２−メチルプロピル−１−マレイミド］、ポリ［（Ｓ）−（−）−１−（３、４−ジメトキシシクロヘキシル）−２−メチルプロピル−１−マレイミド］、ポリ［（Ｓ）−（−）−１−（３、５−ジメトキシシクロヘキシル）−２−メチルプロピル−１−マレイミド］、ポリ［（Ｓ）−（−）−１−（２、４、６−トリメトキシシクロヘキシル）−２−メチルプロピル−１−マレイミド］、ポリ［（Ｓ）−（−）−１−（２、３、４、５−テトラメトキシシクロヘキシル）−２−メチルプロピル−１−マレイミド］、ポリ［（Ｓ）−（−）−１−（２、３、４、６−テトラメトキシシクロヘキシル）−２−メチルプロピル−１−マレイミド］、ポリ［（Ｓ）−（−）−１−（２、３、５、６−テトラメトキシシクロヘキシル）−２−メチルプロピル−１−マレイミド］、ポリ［（Ｓ）−（−）−１−（２、３、４、５、６−ペンタメトキシシクロヘキシル）−２−メチルプロピル−１−マレイミド］、ポリ［（Ｓ）−（−）−１−（２−エトキシシクロヘキシル）−２−メチルプロピル−１−マレイミド］、ポリ［（Ｓ）−（−）−１−（３−エトキシシクロヘキシル）−２−メチルプロピル−１−マレイミド］、ポリ［（Ｓ）−（−）−１−（４−エトキシシクロヘキシル）−２−メチルプロピル−１−マレイミド］、ポリ［（Ｓ）−（−）−１−（２、３−ジエトキシシクロヘキシル）−２−メチルプロピル−１−マレイミド］、ポリ［（Ｓ）−（−）−１−（２、４−ジエトキシシクロヘキシル）−２−メチルプロピル−１−マレイミド］、ポリ［（Ｓ）−（−）−１−（２、５−ジエトキシシクロヘキシル）−２−メチルプロピル−１−マレイミド］、ポリ［（Ｓ）−（−）−１−（２、６−ジエトキシシクロヘキシル）−２−メチルプロピル−１−マレイミド］、ポリ［（Ｓ）−（−）−１−（３、４−ジエトキシシクロヘキシル）−２−メチルプロピル−１−マレイミド］、ポリ［（Ｓ）−（−）−１−（３、５−ジエトキシシクロヘキシル）−２−メチルプロピル−１−マレイミド］、ポリ［（Ｓ）−（−）−１−（２、４、６−トリエトキシシクロヘキシル）−２−メチルプロピル−１−マレイミド］、ポリ［（Ｓ）−（−）−１−（２、３、４、５−テトラエトキシシクロヘキシル）−２−メチルプロピル−１−マレイミド］、ポリ［（Ｓ）−（−）−１−（２、３、４、６−テトラエトキシシクロヘキシル）−２−メチルプロピル−１−マレイミド］、ポリ［（Ｓ）−（−）−１−（２、３、５、６−テトラエトキシシクロヘキシル）−２−メチルプロピル−１−マレイミド］、ポリ［（Ｓ）−（−）−１−（２、３、４、５、６−ペンタエトキシシクロヘキシル）−２−メチルプロピル−１−マレイミド］等が挙げられる。
【００５２】
また、上記一般式（２）において、置換基Ｒ１〜Ｒ１１のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ１２がｎ−プロピル基である該光学活性ポリマレイミド誘導体としては、具体的には、ポリ［（Ｓ）−（−）−１−シクロヘキシル−ｎ−ブチル−１−マレイミド］、ポリ［（Ｓ）−（−）−１−（２−メチルシクロヘキシル）−ｎ−ブチル−１−マレイミド］、ポリ［（Ｓ）−（−）−１−（３−メチルシクロヘキシル）−ｎ−ブチル−１−マレイミド］、ポリ［（Ｓ）−（−）−１−（４−メチルシクロヘキシル）−ｎ−ブチル−１−マレイミド］、ポリ［（Ｓ）−（−）−１−（２，３−ジメチルシクロヘキシル）−ｎ−ブチル−１−マレイミド］、ポリ［（Ｓ）−（−）−１−（２，４−ジメチルシクロヘキシル）−ｎ−ブチル−１−マレイミド］、ポリ［（Ｓ）−（−）−１−（２，５−ジメチルシクロヘキシル）−ｎ−ブチル−１−マレイミド］、ポリ［（Ｓ）−（−）−１−（２，６−ジメチルシクロヘキシル）−ｎ−ブチル−１−マレイミド］、ポリ［（Ｓ）−（−）−１−（３，４−ジメチルシクロヘキシル）−ｎ−ブチル−１−マレイミド］、ポリ［（Ｓ）−（−）−１−（３，５−ジメチルシクロヘキシル）−ｎ−ブチル−１−マレイミド］、ポリ［（Ｓ）−（−）−１−（２，４，６−トリメチルシクロヘキシル）−ｎ−ブチル−１−マレイミド］、ポリ［（Ｓ）−（−）−１−（２，３，４，５−テトラメチルシクロヘキシル）−ｎ−ブチル−１−マレイミド］、ポリ［（Ｓ）−（−）−１−（２，３，４，６−テトラメチルシクロヘキシル）−ｎ−ブチル−１−マレイミド］、ポリ［（Ｓ）−（−）−１−（２，３，５，６−テトラメチルシクロヘキシル）−ｎ−ブチル−１−マレイミド］、ポリ［（Ｓ）−（−）−１−（２，３，４，５，６−ペンタメチルシクロヘキシル）−ｎ−ブチル−１−マレイミド］、ポリ［（Ｓ）−（−）−１−（２−エチルシクロヘキシル）−ｎ−ブチル−１−マレイミド］、ポリ［（Ｓ）−（−）−１−（３−エチルシクロヘキシル）−ｎ−ブチル−１−マレイミド］、ポリ［（Ｓ）−（−）−１−（４−エチルシクロヘキシル）−ｎ−ブチル−１−マレイミド］、ポリ［（Ｓ）−（−）−１−（２，３−ジエチルシクロヘキシル）−ｎ−ブチル−１−マレイミド］、ポリ［（Ｓ）−（−）−１−（２，４−ジエチルシクロヘキシル）−ｎ−ブチル−１−マレイミド］、ポリ［（Ｓ）−（−）−１−（２，５−ジエチルシクロヘキシル）−ｎ−ブチル−１−マレイミド］、ポリ［（Ｓ）−（−）−１−（２，６−ジエチルシクロヘキシル）−ｎ−ブチル−１−マレイミド］、ポリ［（Ｓ）−（−）−１−（３，４−ジエチルシクロヘキシル）−ｎ−ブチル−１−マレイミド］、ポリ［（Ｓ）−（−）−１−（３，５−ジエチルシクロヘキシル）−ｎ−ブチル−１−マレイミド］、ポリ［（Ｓ）−（−）−１−（２，４，６−トリエチルシクロヘキシル）−ｎ−ブチル−１−マレイミド］、ポリ［（Ｓ）−（−）−１−（２，３，４，５−テトラエチルシクロヘキシル）−ｎ−ブチル−１−マレイミド］、ポリ［（Ｓ）−（−）−１−（２，３，４，６−テトラエチルシクロヘキシル）−ｎ−ブチル−１−マレイミド］、ポリ［（Ｓ）−（−）−１−（２，３，５，６−テトラエチルシクロヘキシル）−ｎ−ブチル−１−マレイミド］、ポリ［（Ｓ）−（−）−１−（２，３，４，５，６−ペンタエチルシクロヘキシル）−ｎ−ブチル−１−マレイミド］、ポリ［（Ｓ）−（−）−１−（２−ｎ−プロピルシクロヘキシル）−ｎ−ブチル−１−マレイミド］、ポリ［（Ｓ）−（−）−１−（３−ｎ−プロピルシクロヘキシル）−ｎ−ブチル−１−マレイミド］、ポリ［（Ｓ）−（−）−１−（４−ｎ−プロピルシクロヘキシル）−ｎ−ブチル−１−マレイミド］、ポリ［（Ｓ）−（−）−１−（２，３−ジ−ｎ−プロピルシクロヘキシル）−ｎ−ブチル−１−マレイミド］、ポリ［（Ｓ）−（−）−１−（２，４−ジ−ｎ−プロピルシクロヘキシル）−ｎ−ブチル−１−マレイミド］、ポリ［（Ｓ）−（−）−１−（２，５−ジ−ｎ−プロピルシクロヘキシル）−ｎ−ブチル−１−マレイミド］、ポリ［（Ｓ）−（−）−１−（２，６−ジ−ｎ−プロピルシクロヘキシル）−ｎ−ブチル−１−マレイミド］、ポリ［（Ｓ）−（−）−１−（３，４−ジ−ｎ−プロピルシクロヘキシル）−ｎ−ブチル−１−マレイミド］、ポリ［（Ｓ）−（−）−１−（３，５−ジ−ｎ−プロピルシクロヘキシル）−ｎ−ブチル−１−マレイミド］、ポリ［（Ｓ）−（−）−１−（２，４，６−トリ−ｎ−プロピルシクロヘキシル）−ｎ−ブチル−１−マレイミド］、ポリ［（Ｓ）−（−）−１−（２，３，４，５−テトラ−ｎ−プロピルシクロヘキシル）−ｎ−ブチル−１−マレイミド］、ポリ［（Ｓ）−（−）−１−（２，３，４，６−テトラ−ｎ−プロピルシクロヘキシル）−ｎ−ブチル−１−マレイミド］、ポリ［（Ｓ）−（−）−１−（２，３，５，６−テトラ−ｎ−プロピルシクロヘキシル）−ｎ−ブチル−１−マレイミド］、ポリ［（Ｓ）−（−）−１−（２，３，４，５，６−ペンタ−ｎ−プロピルシクロヘキシル）−ｎ−ブチル−１−マレイミド］、ポリ［（Ｓ）−（−）−１−（２−ｉ−プロピルシクロヘキシル）−ｎ−ブチル−１−マレイミド］、ポリ［（Ｓ）−（−）−１−（３−ｉ−プロピルシクロヘキシル）−ｎ−ブチル−１−マレイミド］、ポリ［（Ｓ）−（−）−１−（４−ｉ−プロピルシクロヘキシル）−ｎ−ブチル−１−マレイミド］、ポリ［（Ｓ）−（−）−１−（２，３−ジ−ｉ−プロピルシクロヘキシル）−ｎ−ブチル−１−マレイミド］、ポリ［（Ｓ）−（−）−１−（２，４−ジ−ｉ−プロピルシクロヘキシル）−ｎ−ブチル−１−マレイミド］、ポリ［（Ｓ）−（−）−１−（２，５−ジ−ｉ−プロピルシクロヘキシル）−ｎ−ブチル−１−マレイミド］、ポリ［（Ｓ）−（−）−１−（２，６−ジ−ｉ−プロピルシクロヘキシル）−ｎ−ブチル−１−マレイミド］、ポリ［（Ｓ）−（−）−１−（３，４−ジ−ｉ−プロピルシクロヘキシル）−ｎ−ブチル−１−マレイミド］、ポリ［（Ｓ）−（−）−１−（３，５−ジ−ｉ−プロピルシクロヘキシル）−ｎ−ブチル−１−マレイミド］、ポリ［（Ｓ）−（−）−１−（２，４，６−トリ−ｉ−プロピルシクロヘキシル）−ｎ−ブチル−１−マレイミド］、ポリ［（Ｓ）−（−）−１−（２，３，４，５−テトラ−ｉ−プロピルシクロヘキシル）−ｎ−ブチル−１−マレイミド］、ポリ［（Ｓ）−（−）−１−（２，３，４，６−テトラ−ｉ−プロピルシクロヘキシル）−ｎ−ブチル−１−マレイミド］、ポリ［（Ｓ）−（−）−１−（２，３，５，６−テトラ−ｉ−プロピルシクロヘキシル）−ｎ−ブチル−１−マレイミド］、ポリ［（Ｓ）−（−）−１−（２，３，４，５，６−ペンタ−ｉ−プロピルシクロヘキシル）−ｎ−ブチル−１−マレイミド］、ポリ［（Ｓ）−（−）−１−（２−ｎ−ブチルシクロヘキシル）−ｎ−ブチル−１−マレイミド］、ポリ［（Ｓ）−（−）−１−（３−ｎ−ブチルシクロヘキシル）−ｎ−ブチル−１−マレイミド］、ポリ［（Ｓ）−（−）−１−（４−ｎ−ブチルシクロヘキシル）−ｎ−ブチル−１−マレイミド］、ポリ［（Ｓ）−（−）−１−（２，３−ジ−ｎ−ブチルシクロヘキシル）−ｎ−ブチル−１−マレイミド］、ポリ［（Ｓ）−（−）−１−（２，４−ジ−ｎ−ブチルシクロヘキシル）−ｎ−ブチル−１−マレイミド］、ポリ［（Ｓ）−（−）−１−（２，５−ジ−ｎ−ブチルシクロヘキシル）−ｎ−ブチル−１−マレイミド］、ポリ［（Ｓ）−（−）−１−（２，６−ジ−ｎ−ブチルシクロヘキシル）−ｎ−ブチル−１−マレイミド］、ポリ［（Ｓ）−（−）−１−（３，４−ジ−ｎ−ブチルシクロヘキシル）−ｎ−ブチル−１−マレイミド］、ポリ［（Ｓ）−（−）−１−（３，５−ジ−ｎ−ブチルシクロヘキシル）−ｎ−ブチル−１−マレイミド］、ポリ［（Ｓ）−（−）−１−（２，４，６−トリ−ｎ−ブチルシクロヘキシル）−ｎ−ブチル−１−マレイミド］、ポリ［（Ｓ）−（−）−１−（２，３，４，５−テトラ−ｎ−ブチルシクロヘキシル）−ｎ−ブチル−１−マレイミド］、ポリ［（Ｓ）−（−）−１−（２，３，４，６−テトラ−ｎ−ブチルシクロヘキシル）−ｎ−ブチル−１−マレイミド］、ポリ［（Ｓ）−（−）−１−（２，３，５，６−テトラ−ｎ−ブチルシクロヘキシル）−ｎ−ブチル−１−マレイミド］、ポリ［（Ｓ）−（−）−１−（２，３，４，５，６−ペンタ−ｎ−ブチルシクロヘキシル）−ｎ−ブチル−１−マレイミド］、ポリ［（Ｓ）−（−）−１−（２−ｉ−ブチルシクロヘキシル）−ｎ−ブチル−１−マレイミド］、ポリ［（Ｓ）−（−）−１−（３−ｉ−ブチルシクロヘキシル）−ｎ−ブチル−１−マレイミド］、ポリ［（Ｓ）−（−）−１−（４−ｉ−ブチルシクロヘキシル）−ｎ−ブチル−１−マレイミド］、ポリ［（Ｓ）−（−）−１−（２，３−ジ−ｉ−ブチルシクロヘキシル）−ｎ−ブチル−１−マレイミド］、ポリ［（Ｓ）−（−）−１−（２，４−ジ−ｉ−ブチルシクロヘキシル）−ｎ−ブチル−１−マレイミド］、ポリ［（Ｓ）−（−）−１−（２，５−ジ−ｉ−ブチルシクロヘキシル）−ｎ−ブチル−１−マレイミド］、ポリ［（Ｓ）−（−）−１−（２，６−ジ−ｉ−ブチルシクロヘキシル）−ｎ−ブチル−１−マレイミド］、ポリ［（Ｓ）−（−）−１−（３，４−ジ−ｉ−ブチルシクロヘキシル）−ｎ−ブチル−１−マレイミド］、ポリ［（Ｓ）−（−）−１−（３，５−ジ−ｉ−ブチルシクロヘキシル）−ｎ−ブチル−１−マレイミド］、ポリ［（Ｓ）−（−）−１−（２，４，６−トリ−ｉ−ブチルシクロヘキシル）−ｎ−ブチル−１−マレイミド］、ポリ［（Ｓ）−（−）−１−（２，３，４，５−テトラ−ｉ−ブチルシクロヘキシル）−ｎ−ブチル−１−マレイミド］、ポリ［（Ｓ）−（−）−１−（２，３，４，６−テトラ−ｉ−ブチルシクロヘキシル）−ｎ−ブチル−１−マレイミド］、ポリ［（Ｓ）−（−）−１−（２，３，５，６−テトラ−ｉ−ブチルシクロヘキシル）−ｎ−ブチル−１−マレイミド］、ポリ［（Ｓ）−（−）−１−（２，３，４，５，６−ペンタ−ｉ−ブチルシクロヘキシル）−ｎ−ブチル−１−マレイミド］、ポリ［（Ｓ）−（−）−１−（２−ｔ−ブチルシクロヘキシル）−ｎ−ブチル−１−マレイミド］、ポリ［（Ｓ）−（−）−１−（３−ｔ−ブチルシクロヘキシル）−ｎ−ブチル−１−マレイミド］、ポリ［（Ｓ）−（−）−１−（４−ｔ−ブチルシクロヘキシル）−ｎ−ブチル−１−マレイミド］、ポリ［（Ｓ）−（−）−１−（２，３−ジ−ｔ−ブチルシクロヘキシル）−ｎ−ブチル−１−マレイミド］、ポリ［（Ｓ）−（−）−１−（２，４−ジ−ｔ−ブチルシクロヘキシル）−ｎ−ブチル−１−マレイミド］、ポリ［（Ｓ）−（−）−１−（２，５−ジ−ｔ−ブチルシクロヘキシル）−ｎ−ブチル−１−マレイミド］、ポリ［（Ｓ）−（−）−１−（２，６−ジ−ｔ−ブチルシクロヘキシル）−ｎ−ブチル−１−マレイミド］、ポリ［（Ｓ）−（−）−１−（３，４−ジ−ｔ−ブチルシクロヘキシル）−ｎ−ブチル−１−マレイミド］、ポリ［（Ｓ）−（−）−１−（３，５−ジ−ｔ−ブチルシクロヘキシル）−ｎ−ブチル−１−マレイミド］、ポリ［（Ｓ）−（−）−１−（２，４，６−トリ−ｔ−ブチルシクロヘキシル）−ｎ−ブチル−１−マレイミド］、ポリ［（Ｓ）−（−）−１−（２，３，４，５−テトラ−ｔ−ブチルシクロヘキシル）−ｎ−ブチル−１−マレイミド］、ポリ［（Ｓ）−（−）−１−（２，３，４，６−テトラ−ｔ−ブチルシクロヘキシル）−ｎ−ブチル−１−マレイミド］、ポリ［（Ｓ）−（−）−１−（２，３，５，６−テトラ−ｔ−ブチルシクロヘキシル）−ｎ−ブチル−１−マレイミド］、ポリ［（Ｓ）−（−）−１−（２，３，４，５，６−ペンタ−ｔ−ブチルシクロヘキシル）−ｎ−ブチル−１−マレイミド］、ポリ［（
Ｓ）−（−）−１−（２−メトキシシクロヘキシル）−ｎ−ブチル−１−マレイミド］、ポリ［（Ｓ）−（−）−１−（３−メトキシシクロヘキシル）−ｎ−ブチル−１−マレイミド］、ポリ［（Ｓ）−（−）−１−（４−メトキシシクロヘキシル）−ｎ−ブチル−１−マレイミド］、ポリ［（Ｓ）−（−）−１−（２、３−ジメトキシシクロヘキシル）−ｎ−ブチル−１−マレイミド］、ポリ［（Ｓ）−（−）−１−（２、４−ジメトキシシクロヘキシル）−ｎ−ブチル−１−マレイミド］、ポリ［（Ｓ）−（−）−１−（２、５−ジメトキシシクロヘキシル）−ｎ−ブチル−１−マレイミド］、ポリ［（Ｓ）−（−）−１−（２、６−ジメトキシシクロヘキシル）−ｎ−ブチル−１−マレイミド］、ポリ［（Ｓ）−（−）−１−（３、４−ジメトキシシクロヘキシル）−ｎ−ブチル−１−マレイミド］、ポリ［（Ｓ）−（−）−１−（３、５−ジメトキシシクロヘキシル）−ｎ−ブチル−１−マレイミド］、ポリ［（Ｓ）−（−）−１−（２、４、６−トリメトキシシクロヘキシル）−ｎ−ブチル−１−マレイミド］、ポリ［（Ｓ）−（−）−１−（２、３、４、５−テトラメトキシシクロヘキシル）−ｎ−ブチル−１−マレイミド］、ポリ［（Ｓ）−（−）−１−（２、３、４、６−テトラメトキシシクロヘキシル）−ｎ−ブチル−１−マレイミド］、ポリ［（Ｓ）−（−）−１−（２、３、５、６−テトラメトキシシクロヘキシル）−ｎ−ブチル−１−マレイミド］、ポリ［（Ｓ）−（−）−１−（２、３、４、５、６−ペンタメトキシシクロヘキシル）−ｎ−ブチル−１−マレイミド］、ポリ［（Ｓ）−（−）−１−（２−エトキシシクロヘキシル）−ｎ−ブチル−１−マレイミド］、ポリ［（Ｓ）−（−）−１−（３−エトキシシクロヘキシル）−ｎ−ブチル−１−マレイミド］、ポリ［（Ｓ）−（−）−１−（４−エトキシシクロヘキシル）−ｎ−ブチル−１−マレイミド］、ポリ［（Ｓ）−（−）−１−（２、３−ジエトキシシクロヘキシル）−ｎ−ブチル−１−マレイミド］、ポリ［（Ｓ）−（−）−１−（２、４−ジエトキシシクロヘキシル）−ｎ−ブチル−１−マレイミド］、ポリ［（Ｓ）−（−）−１−（２、５−ジエトキシシクロヘキシル）−ｎ−ブチル−１−マレイミド］、ポリ［（Ｓ）−（−）−１−（２、６−ジエトキシシクロヘキシル）−ｎ−ブチル−１−マレイミド］、ポリ［（Ｓ）−（−）−１−（３、４−ジエトキシシクロヘキシル）−ｎ−ブチル−１−マレイミド］、ポリ［（Ｓ）−（−）−１−（３、５−ジエトキシシクロヘキシル）−ｎ−ブチル−１−マレイミド］、ポリ［（Ｓ）−（−）−１−（２、４、６−トリエトキシシクロヘキシル）−ｎ−ブチル−１−マレイミド］、ポリ［（Ｓ）−（−）−１−（２、３、４、５−テトラエトキシシクロヘキシル）−ｎ−ブチル−１−マレイミド］、ポリ［（Ｓ）−（−）−１−（２、３、４、６−テトラエトキシシクロヘキシル）−ｎ−ブチル−１−マレイミド］、ポリ［（Ｓ）−（−）−１−（２、３、５、６−テトラエトキシシクロヘキシル）−ｎ−ブチル−１−マレイミド］、ポリ［（Ｓ）−（−）−１−（２、３、４、５、６−ペンタエトキシシクロヘキシル）−ｎ−ブチル−１−マレイミド］等が挙げられる。
【００５３】
また、上記一般式（２）において、置換基Ｒ１〜Ｒ１１のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ１２がｉ−ブチル基である該光学活性ポリマレイミド誘導体としては、具体的には、ポリ［（Ｓ）−（−）−１−シクロヘキシル−３−メチルブチル−１−マレイミド］、ポリ［（Ｓ）−（−）−１−（２−メチルシクロヘキシル）−３−メチルブチル−１−マレイミド］、ポリ［（Ｓ）−（−）−１−（３−メチルシクロヘキシル）−３−メチルブチル−１−マレイミド］、ポリ［（Ｓ）−（−）−１−（４−メチルシクロヘキシル）−３−メチルブチル−１−マレイミド］、ポリ［（Ｓ）−（−）−１−（２，３−ジメチルシクロヘキシル）−３−メチルブチル−１−マレイミド］、ポリ［（Ｓ）−（−）−１−（２，４−ジメチルシクロヘキシル）−３−メチルブチル−１−マレイミド］、ポリ［（Ｓ）−（−）−１−（２，５−ジメチルシクロヘキシル）−３−メチルブチル−１−マレイミド］、ポリ［（Ｓ）−（−）−１−（２，６−ジメチルシクロヘキシル）−３−メチルブチル−１−マレイミド］、ポリ［（Ｓ）−（−）−１−（３，４−ジメチルシクロヘキシル）−３−メチルブチル−１−マレイミド］、ポリ［（Ｓ）−（−）−１−（３，５−ジメチルシクロヘキシル）−３−メチルブチル−１−マレイミド］、ポリ［（Ｓ）−（−）−１−（２，４，６−トリメチルシクロヘキシル）−３−メチルブチル−１−マレイミド］、ポリ［（Ｓ）−（−）−１−（２，３，４，５−テトラメチルシクロヘキシル）−３−メチルブチル−１−マレイミド］、ポリ［（Ｓ）−（−）−１−（２，３，４，６−テトラメチルシクロヘキシル）−３−メチルブチル−１−マレイミド］、ポリ［（Ｓ）−（−）−１−（２，３，５，６−テトラメチルシクロヘキシル）−３−メチルブチル−１−マレイミド］、ポリ［（Ｓ）−（−）−１−（２，３，４，５，６−ペンタメチルシクロヘキシル）−３−メチルブチル−１−マレイミド］、ポリ［（Ｓ）−（−）−１−（２−エチルシクロヘキシル）−３−メチルブチル−１−マレイミド］、ポリ［（Ｓ）−（−）−１−（３−エチルシクロヘキシル）−３−メチルブチル−１−マレイミド］、ポリ［（Ｓ）−（−）−１−（４−エチルシクロヘキシル）−３−メチルブチル−１−マレイミド］、ポリ［（Ｓ）−（−）−１−（２，３−ジエチルシクロヘキシル）−３−メチルブチル−１−マレイミド］、ポリ［（Ｓ）−（−）−１−（２，４−ジエチルシクロヘキシル）−３−メチルブチル−１−マレイミド］、ポリ［（Ｓ）−（−）−１−（２，５−ジエチルシクロヘキシル）−３−メチルブチル−１−マレイミド］、ポリ［（Ｓ）−（−）−１−（２，６−ジエチルシクロヘキシル）−３−メチルブチル−１−マレイミド］、ポリ［（Ｓ）−（−）−１−（３，４−ジエチルシクロヘキシル）−３−メチルブチル−１−マレイミド］、ポリ［（Ｓ）−（−）−１−（３，５−ジエチルシクロヘキシル）−３−メチルブチル−１−マレイミド］、ポリ［（Ｓ）−（−）−１−（２，４，６−トリエチルシクロヘキシル）−３−メチルブチル−１−マレイミド］、ポリ［（Ｓ）−（−）−１−（２，３，４，５−テトラエチルシクロヘキシル）−３−メチルブチル−１−マレイミド］、ポリ［（Ｓ）−（−）−１−（２，３，４，６−テトラエチルシクロヘキシル）−３−メチルブチル−１−マレイミド］、ポリ［（Ｓ）−（−）−１−（２，３，５，６−テトラエチルシクロヘキシル）−３−メチルブチル−１−マレイミド］、ポリ［（Ｓ）−（−）−１−（２，３，４，５，６−ペンタエチルシクロヘキシル）−３−メチルブチル−１−マレイミド］、ポリ［（Ｓ）−（−）−１−（２−ｎ−プロピルシクロヘキシル）−３−メチルブチル−１−マレイミド］、ポリ［（Ｓ）−（−）−１−（３−ｎ−プロピルシクロヘキシル）−３−メチルブチル−１−マレイミド］、ポリ［（Ｓ）−（−）−１−（４−ｎ−プロピルシクロヘキシル）−３−メチルブチル−１−マレイミド］、ポリ［（Ｓ）−（−）−１−（２，３−ジ−ｎ−プロピルシクロヘキシル）−３−メチルブチル−１−マレイミド］、ポリ［（Ｓ）−（−）−１−（２，４−ジ−ｎ−プロピルシクロヘキシル）−３−メチルブチル−１−マレイミド］、ポリ［（Ｓ）−（−）−１−（２，５−ジ−ｎ−プロピルシクロヘキシル）−３−メチルブチル−１−マレイミド］、ポリ［（Ｓ）−（−）−１−（２，６−ジ−ｎ−プロピルシクロヘキシル）−３−メチルブチル−１−マレイミド］、ポリ［（Ｓ）−（−）−１−（３，４−ジ−ｎ−プロピルシクロヘキシル）−３−メチルブチル−１−マレイミド］、ポリ［（Ｓ）−（−）−１−（３，５−ジ−ｎ−プロピルシクロヘキシル）−３−メチルブチル−１−マレイミド］、ポリ［（Ｓ）−（−）−１−（２，４，６−トリ−ｎ−プロピルシクロヘキシル）−３−メチルブチル−１−マレイミド］、ポリ［（Ｓ）−（−）−１−（２，３，４，５−テトラ−ｎ−プロピルシクロヘキシル）−３−メチルブチル−１−マレイミド］、ポリ［（Ｓ）−（−）−１−（２，３，４，６−テトラ−ｎ−プロピルシクロヘキシル）−３−メチルブチル−１−マレイミド］、ポリ［（Ｓ）−（−）−１−（２，３，５，６−テトラ−ｎ−プロピルシクロヘキシル）−３−メチルブチル−１−マレイミド］、ポリ［（Ｓ）−（−）−１−（２，３，４，５，６−ペンタ−ｎ−プロピルシクロヘキシル）−３−メチルブチル−１−マレイミド］、ポリ［（Ｓ）−（−）−１−（２−ｉ−プロピルシクロヘキシル）−３−メチルブチル−１−マレイミド］、ポリ［（Ｓ）−（−）−１−（３−ｉ−プロピルシクロヘキシル）−３−メチルブチル−１−マレイミド］、ポリ［（Ｓ）−（−）−１−（４−ｉ−プロピルシクロヘキシル）−３−メチルブチル−１−マレイミド］、ポリ［（Ｓ）−（−）−１−（２，３−ジ−ｉ−プロピルシクロヘキシル）−３−メチルブチル−１−マレイミド］、ポリ［（Ｓ）−（−）−１−（２，４−ジ−ｉ−プロピルシクロヘキシル）−３−メチルブチル−１−マレイミド］、ポリ［（Ｓ）−（−）−１−（２，５−ジ−ｉ−プロピルシクロヘキシル）−３−メチルブチル−１−マレイミド］、ポリ［（Ｓ）−（−）−１−（２，６−ジ−ｉ−プロピルシクロヘキシル）−３−メチルブチル−１−マレイミド］、ポリ［（Ｓ）−（−）−１−（３，４−ジ−ｉ−プロピルシクロヘキシル）−３−メチルブチル−１−マレイミド］、ポリ［（Ｓ）−（−）−１−（３，５−ジ−ｉ−プロピルシクロヘキシル）−３−メチルブチル−１−マレイミド］、ポリ［（Ｓ）−（−）−１−（２，４，６−トリ−ｉ−プロピルシクロヘキシル）−３−メチルブチル−１−マレイミド］、ポリ［（Ｓ）−（−）−１−（２，３，４，５−テトラ−ｉ−プロピルシクロヘキシル）−３−メチルブチル−１−マレイミド］、ポリ［（Ｓ）−（−）−１−（２，３，４，６−テトラ−ｉ−プロピルシクロヘキシル）−３−メチルブチル−１−マレイミド］、ポリ［（Ｓ）−（−）−１−（２，３，５，６−テトラ−ｉ−プロピルシクロヘキシル）−３−メチルブチル−１−マレイミド］、ポリ［（Ｓ）−（−）−１−（２，３，４，５，６−ペンタ−ｉ−プロピルシクロヘキシル）−３−メチルブチル−１−マレイミド］、ポリ［（Ｓ）−（−）−１−（２−ｎ−ブチルシクロヘキシル）−３−メチルブチル−１−マレイミド］、ポリ［（Ｓ）−（−）−１−（３−ｎ−ブチルシクロヘキシル）−３−メチルブチル−１−マレイミド］、ポリ［（Ｓ）−（−）−１−（４−ｎ−ブチルシクロヘキシル）−３−メチルブチル−１−マレイミド］、ポリ［（Ｓ）−（−）−１−（２，３−ジ−ｎ−ブチルシクロヘキシル）−３−メチルブチル−１−マレイミド］、ポリ［（Ｓ）−（−）−１−（２，４−ジ−ｎ−ブチルシクロヘキシル）−３−メチルブチル−１−マレイミド］、ポリ［（Ｓ）−（−）−１−（２，５−ジ−ｎ−ブチルシクロヘキシル）−３−メチルブチル−１−マレイミド］、ポリ［（Ｓ）−（−）−１−（２，６−ジ−ｎ−ブチルシクロヘキシル）−３−メチルブチル−１−マレイミド］、ポリ［（Ｓ）−（−）−１−（３，４−ジ−ｎ−ブチルシクロヘキシル）−３−メチルブチル−１−マレイミド］、ポリ［（Ｓ）−（−）−１−（３，５−ジ−ｎ−ブチルシクロヘキシル）−３−メチルブチル−１−マレイミド］、ポリ［（Ｓ）−（−）−１−（２，４，６−トリ−ｎ−ブチルシクロヘキシル）−３−メチルブチル−１−マレイミド］、ポリ［（Ｓ）−（−）−１−（２，３，４，５−テトラ−ｎ−ブチルシクロヘキシル）−３−メチルブチル−１−マレイミド］、ポリ［（Ｓ）−（−）−１−（２，３，４，６−テトラ−ｎ−ブチルシクロヘキシル）−３−メチルブチル−１−マレイミド］、ポリ［（Ｓ）−（−）−１−（２，３，５，６−テトラ−ｎ−ブチルシクロヘキシル）−３−メチルブチル−１−マレイミド］、ポリ［（Ｓ）−（−）−１−（２，３，４，５，６−ペンタ−ｎ−ブチルシクロヘキシル）−３−メチルブチル−１−マレイミド］、ポリ［（Ｓ）−（−）−１−（２−シクロヘキシル）−３−メチルブチル−１−マレイミド］、ポリ［（Ｓ）−（−）−１−（３−ｉ−ブチルシクロヘキシル）−３−メチルブチル−１−マレイミド］、ポリ［（Ｓ）−（−）−１−（４−ｉ−ブチルシクロヘキシル）−３−メチルブチル−１−マレイミド］、ポリ［（Ｓ）−（−）−１−（２，３−ジ−ｉ−ブチルシクロヘキシル）−３−メチルブチル−１−マレイミド］、ポリ［（Ｓ）−（−）−１−（２，４−ジ−ｉ−ブチルシクロヘキシル）−３−メチルブチル−１−マレイミド］、ポリ［（Ｓ）−（−）−１−（２，５−ジ−ｉ−ブチルシクロヘキシル）−３−メチルブチル−１−マレイミド］、ポリ［（Ｓ）−（−）−１−（２，６−ジ−ｉ−ブチルシクロヘキシル）−３−メチルブチル−１−マレイミド］、ポリ［（Ｓ）−（−）−１−（３，４−ジ−ｉ−ブチルシクロヘキシル）−３−メチルブチル−１−マレイミド］、ポリ［（Ｓ）−（−）−１−（３，５−ジ−ｉ−ブチルシクロヘキシル）−３−メチルブチル−１−マレイミド］、ポリ［（Ｓ）−（−）−１−（２，４，６−トリ−ｉ−ブチルシクロヘキシル）−３−メチルブチル−１−マレイミド］、ポリ［（Ｓ）−（−）−１−（２，３，４，５−テトラ−ｉ−ブチルシクロヘキシル）−３−メチルブチル−１−マレイミド］、ポリ［（Ｓ）−（−）−１−（２，３，４，６−テトラ−ｉ−ブチルシクロヘキシル）−３−メチルブチル−１−マレイミド］、ポリ［（Ｓ）−（−）−１−（２，３，５，６−テトラ−ｉ−ブチルシクロヘキシル）−３−メチルブチル−１−マレイミド］、ポリ［（Ｓ）−（−）−１−（２，３，４，５，６−ペンタ−ｉ−ブチルシクロヘキシル）−３−メチルブチル−１−マレイミド］、ポリ［（Ｓ）−（−）−１−（２−ｔ−ブチルシクロヘキシル）−３−メチルブチル−１−マレイミド］、ポリ［（Ｓ）−（−）−１−（３−ｔ−ブチルシクロヘキシル）−３−メチルブチル−１−マレイミド］、ポリ［（Ｓ）−（−）−１−（４−ｔ−ブチルシクロヘキシル）−３−メチルブチル−１−マレイミド］、ポリ［（Ｓ）−（−）−１−（２，３−ジ−ｔ−ブチルシクロヘキシル）−３−メチルブチル−１−マレイミド］、ポリ［（Ｓ）−（−）−１−（２，４−ジ−ｔ−ブチルシクロヘキシル）−３−メチルブチル−１−マレイミド］、ポリ［（Ｓ）−（−）−１−（２，５−ジ−ｔ−ブチルシクロヘキシル）−３−メチルブチル−１−マレイミド］、ポリ［（Ｓ）−（−）−１−（２，６−ジ−ｔ−ブチルシクロヘキシル）−３−メチルブチル−１−マレイミド］、ポリ［（Ｓ）−（−）−１−（３，４−ジ−ｔ−ブチルシクロヘキシル）−３−メチルブチル−１−マレイミド］、ポリ［（Ｓ）−（−）−１−（３，５−ジ−ｔ−ブチルシクロヘキシル）−３−メチルブチル−１−マレイミド］、ポリ
［（Ｓ）−（−）−１−（２，４，６−トリ−ｔ−ブチルシクロヘキシル）−３−メチルブチル−１−マレイミド］、ポリ［（Ｓ）−（−）−１−（２，３，４，５−テトラ−ｔ−ブチルシクロヘキシル）−３−メチルブチル−１−マレイミド］、ポリ［（Ｓ）−（−）−１−（２，３，４，６−テトラ−ｔ−ブチルシクロヘキシル）−３−メチルブチル−１−マレイミド］、ポリ［（Ｓ）−（−）−１−（２，３，５，６−テトラ−ｔ−ブチルシクロヘキシル）−３−メチルブチル−１−マレイミド］、ポリ［（Ｓ）−（−）−１−（２，３，４，５，６−ペンタ−ｔ−ブチルシクロヘキシル）−３−メチルブチル−１−マレイミド］、ポリ［（Ｓ）−（−）−１−（２−メトキシシクロヘキシル）−３−メチルブチル−１−マレイミド］、ポリ［（Ｓ）−（−）−１−（３−メトキシシクロヘキシル）−３−メチルブチル−１−マレイミド］、ポリ［（Ｓ）−（−）−１−（４−メトキシシクロヘキシル）−３−メチルブチル−１−マレイミド］、ポリ［（Ｓ）−（−）−１−（２、３−ジメトキシシクロヘキシル）−３−メチルブチル−１−マレイミド］、ポリ［（Ｓ）−（−）−１−（２、４−ジメトキシシクロヘキシル）−３−メチルブチル−１−マレイミド］、ポリ［（Ｓ）−（−）−１−（２、５−ジメトキシシクロヘキシル）−３−メチルブチル−１−マレイミド］、ポリ［（Ｓ）−（−）−１−（２、６−ジメトキシシクロヘキシル）−３−メチルブチル−１−マレイミド］、ポリ［（Ｓ）−（−）−１−（３、４−ジメトキシシクロヘキシル）−３−メチルブチル−１−マレイミド］、ポリ［（Ｓ）−（−）−１−（３、５−ジメトキシシクロヘキシル）−３−メチルブチル−１−マレイミド］、ポリ［（Ｓ）−（−）−１−（２、４、６−トリメトキシシクロヘキシル）−３−メチルブチル−１−マレイミド］、ポリ［（Ｓ）−（−）−１−（２、３、４、５−テトラメトキシシクロヘキシル）−３−メチルブチル−１−マレイミド］、ポリ［（Ｓ）−（−）−１−（２、３、４、６−テトラメトキシシクロヘキシル）−３−メチルブチル−１−マレイミド］、ポリ［（Ｓ）−（−）−１−（２、３、５、６−テトラメトキシシクロヘキシル）−３−メチルブチル−１−マレイミド］、ポリ［（Ｓ）−（−）−１−（２、３、４、５、６−ペンタメトキシシクロヘキシル）−３−メチルブチル−１−マレイミド］、ポリ［（Ｓ）−（−）−１−（２−エトキシシクロヘキシル）−３−メチルブチル−１−マレイミド］、ポリ［（Ｓ）−（−）−１−（３−エトキシシクロヘキシル）−３−メチルブチル−１−マレイミド］、ポリ［（Ｓ）−（−）−１−（４−エトキシシクロヘキシル）−３−メチルブチル−１−マレイミド］、ポリ［（Ｓ）−（−）−１−（２、３−ジエトキシシクロヘキシル）−３−メチルブチル−１−マレイミド］、ポリ［（Ｓ）−（−）−１−（２、４−ジエトキシシクロヘキシル）−３−メチルブチル−１−マレイミド］、ポリ［（Ｓ）−（−）−１−（２、５−ジエトキシシクロヘキシル）−３−メチルブチル−１−マレイミド］、ポリ［（Ｓ）−（−）−１−（２、６−ジエトキシシクロヘキシル）−３−メチルブチル−１−マレイミド］、ポリ［（Ｓ）−（−）−１−（３、４−ジエトキシシクロヘキシル）−３−メチルブチル−１−マレイミド］、ポリ［（Ｓ）−（−）−１−（３、５−ジエトキシシクロヘキシル）−３−メチルブチル−１−マレイミド］、ポリ［（Ｓ）−（−）−１−（２、４、６−トリエトキシシクロヘキシル）−３−メチルブチル−１−マレイミド］、ポリ［（Ｓ）−（−）−１−（２、３、４、５−テトラエトキシシクロヘキシル）−３−メチルブチル−１−マレイミド］、ポリ［（Ｓ）−（−）−１−（２、３、４、６−テトラエトキシシクロヘキシル）−３−メチルブチル−１−マレイミド］、ポリ［（Ｓ）−（−）−１−（２、３、５、６−テトラエトキシシクロヘキシル）−３−メチルブチル−１−マレイミド］、ポリ［（Ｓ）−（−）−１−（２、３、４、５、６−ペンタエトキシシクロヘキシル）−３−メチルブチル−１−マレイミド］等が挙げられる。
【００５４】
また、上記一般式（２）において、置換基Ｒ１〜Ｒ１１のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ１２がｔ−ブチル基である該光学活性ポリマレイミド誘導体としては、具体的には、ポリ［（Ｓ）−（−）−１−シクロヘキシル−２，２−ジメチルプロピル−１−マレイミド］、ポリ［（Ｓ）−（−）−１−（２−メチルシクロヘキシル）−２，２−ジメチルプロピル−１−マレイミド］、ポリ［（Ｓ）−（−）−１−（３−メチルシクロヘキシル）−２，２−ジメチルプロピル−１−マレイミド］、ポリ［（Ｓ）−（−）−１−（４−メチルシクロヘキシル）−２，２−ジメチルプロピル−１−マレイミド］、ポリ［（Ｓ）−（−）−１−（２，３−ジメチルシクロヘキシル）−２，２−ジメチルプロピル−１−マレイミド］、ポリ［（Ｓ）−（−）−１−（２，４−ジメチルシクロヘキシル）−２，２−ジメチルプロピル−１−マレイミド］、ポリ［（Ｓ）−（−）−１−（２，５−ジメチルシクロヘキシル）−２，２−ジメチルプロピル−１−マレイミド］、ポリ［（Ｓ）−（−）−１−（２，６−ジメチルシクロヘキシル）−２，２−ジメチルプロピル−１−マレイミド］、ポリ［（Ｓ）−（−）−１−（３，４−ジメチルシクロヘキシル）−２，２−ジメチルプロピル−１−マレイミド］、ポリ［（Ｓ）−（−）−１−（３，５−ジメチルシクロヘキシル）−２，２−ジメチルプロピル−１−マレイミド］、ポリ［（Ｓ）−（−）−１−（２，４，６−トリメチルシクロヘキシル）−２，２−ジメチルプロピル１−マレイミド］、ポリ［（Ｓ）−（−）−１−（２，３，４，５−テトラメチルシクロヘキシル）−２，２−ジメチルプロピル１−マレイミド］、ポリ［（Ｓ）−（−）−１−（２，３，４，６−テトラメチルシクロヘキシル）−２，２−ジメチルプロピル１−マレイミド］、ポリ［（Ｓ）−（−）−１−（２，３，５，６−テトラメチルシクロヘキシル）−２，２−ジメチルプロピル１−マレイミド］、ポリ［（Ｓ）−（−）−１−（２，３，４，５，６−ペンタメチルシクロヘキシル）−２，２−ジメチルプロピル−１−マレイミド］、ポリ［（Ｓ）−（−）−１−（２−エチルシクロヘキシル）−２，２−ジメチルプロピル−１−マレイミド］、ポリ［（Ｓ）−（−）−１−（３−エチルシクロヘキシル）−２，２−ジメチルプロピル−１−マレイミド］、ポリ［（Ｓ）−（−）−１−（４−エチルシクロヘキシル）−２，２−ジメチルプロピル−１−マレイミド］、ポリ［（Ｓ）−（−）−１−（２，３−ジエチルシクロヘキシル）−２，２−ジメチルプロピル−１−マレイミド］、ポリ［（Ｓ）−（−）−１−（２，４−ジエチルシクロヘキシル）−２，２−ジメチルプロピル−１−マレイミド］、ポリ［（Ｓ）−（−）−１−（２，５−ジエチルシクロヘキシル）−２，２−ジメチルプロピル−１−マレイミド］、ポリ［（Ｓ）−（−）−１−（２，６−ジエチルシクロヘキシル）−２，２−ジメチルプロピル−１−マレイミド］、ポリ［（Ｓ）−（−）−１−（３，４−ジエチルシクロヘキシル）−２，２−ジメチルプロピル−１−マレイミド］、ポリ［（Ｓ）−（−）−１−（３，５−ジエチルシクロヘキシル）−２，２−ジメチルプロピル−１−マレイミド］、ポリ［（Ｓ）−（−）−１−（２，４，６−トリエチルシクロヘキシル）−２，２−ジメチルプロピル１−マレイミド］、ポリ［（Ｓ）−（−）−１−（２，３，４，５−テトラエチルシクロヘキシル）−２，２−ジメチルプロピル−１−マレイミド］、ポリ［（Ｓ）−（−）−１−（２，３，４，６−テトラエチルシクロヘキシル）−２，２−ジメチルプロピル−１−マレイミド］、ポリ［（Ｓ）−（−）−１−（２，３，５，６−テトラエチルシクロヘキシル）−２，２−ジメチルプロピル−１−マレイミド］、ポリ［（Ｓ）−（−）−１−（２，３，４，５，６−ペンタエチルシクロヘキシル）−２，２−ジメチルプロピル−１−マレイミド］、ポリ［（Ｓ）−（−）−１−（２−ｎ−プロピルシクロヘキシル）−２，２−ジメチルプロピル−１−マレイミド］、ポリ［（Ｓ）−（−）−１−（３−ｎ−プロピルシクロヘキシル）−２，２−ジメチルプロピル−１−マレイミド］、ポリ［（Ｓ）−（−）−１−（４−ｎ−プロピルシクロヘキシル）−２，２−ジメチルプロピル−１−マレイミド］、ポリ［（Ｓ）−（−）−１−（２，３−ジ−ｎ−プロピルシクロヘキシル）−２，２−ジメチルプロピル−１−マレイミド］、ポリ［（Ｓ）−（−）−１−（２，４−ジ−ｎ−プロピルシクロヘキシル）−２，２−ジメチルプロピル−１−マレイミド］、ポリ［（Ｓ）−（−）−１−（２，５−ジ−ｎ−プロピルシクロヘキシル）−２，２−ジメチルプロピル−１−マレイミド］、ポリ［（Ｓ）−（−）−１−（２，６−ジ−ｎ−プロピルシクロヘキシル）−２，２−ジメチルプロピル−１−マレイミド］、ポリ［（Ｓ）−（−）−１−（３，４−ジ−ｎ−プロピルシクロヘキシル）−２，２−ジメチルプロピル−１−マレイミド］、ポリ［（Ｓ）−（−）−１−（３，５−ジ−ｎ−プロピルシクロヘキシル）−２，２−ジメチルプロピル−１−マレイミド］、ポリ［（Ｓ）−（−）−１−（２，４，６−トリ−ｎ−プロピルシクロヘキシル）−２，２−ジメチルプロピル−１−マレイミド］、ポリ［（Ｓ）−（−）−１−（２，３，４，５−テトラ−ｎ−プロピルシクロヘキシル）−２，２−ジメチルプロピル−１−マレイミド］、ポリ［（Ｓ）−（−）−１−（２，３，４，６−テトラ−ｎ−プロピルシクロヘキシル）−２，２−ジメチルプロピル−１−マレイミド］、ポリ［（Ｓ）−（−）−１−（２，３，５，６−テトラ−ｎ−プロピルシクロヘキシル）−２，２−ジメチルプロピル−１−マレイミド］、ポリ［（Ｓ）−（−）−１−（２，３，４，５，６−ペンタ−ｎ−プロピルシクロヘキシル）−２，２−ジメチルプロピル−１−マレイミド］、ポリ［（Ｓ）−（−）−１−（２−ｉ−プロピルシクロヘキシル）−２，２−ジメチルプロピル−１−マレイミド］、ポリ［（Ｓ）−（−）−１−（３−ｉ−プロピルシクロヘキシル）−２，２−ジメチルプロピル−１−マレイミド］、ポリ［（Ｓ）−（−）−１−（４−ｉ−プロピルシクロヘキシル）−２，２−ジメチルプロピル−１−マレイミド］、ポリ［（Ｓ）−（−）−１−（２，３−ジ−ｉ−プロピルシクロヘキシル）−２，２−ジメチルプロピル−１−マレイミド］、ポリ［（Ｓ）−（−）−１−（２，４−ジ−ｉ−プロピルシクロヘキシル）−２，２−ジメチルプロピル−１−マレイミド］、ポリ［（Ｓ）−（−）−１−（２，５−ジ−ｉ−プロピルシクロヘキシル）−２，２−ジメチルプロピル−１−マレイミド］、ポリ［（Ｓ）−（−）−１−（２，６−ジ−ｉ−プロピルシクロヘキシル）−２，２−ジメチルプロピル−１−マレイミド］、ポリ［（Ｓ）−（−）−１−（３，４−ジ−ｉ−プロピルシクロヘキシル）−２，２−ジメチルプロピル−１−マレイミド］、ポリ［（Ｓ）−（−）−１−（３，５−ジ−ｉ−プロピルシクロヘキシル）−２，２−ジメチルプロピル−１−マレイミド］、ポリ［（Ｓ）−（−）−１−（２，４，６−トリ−ｉ−プロピルシクロヘキシル）−２，２−ジメチルプロピル−１−マレイミド］、ポリ［（Ｓ）−（−）−１−（２，３，４，５−テトラ−ｉ−プロピルシクロヘキシル）−２，２−ジメチルプロピル−１−マレイミド］、ポリ［（Ｓ）−（−）−１−（２，３，４，６−テトラ−ｉ−プロピルシクロヘキシル）−２，２−ジメチルプロピル−１−マレイミド］、ポリ［（Ｓ）−（−）−１−（２，３，５，６−テトラ−ｉ−プロピルシクロヘキシル）−２，２−ジメチルプロピル−１−マレイミド］、ポリ［（Ｓ）−（−）−１−（２，３，４，５，６−ペンタ−ｉ−プロピルシクロヘキシル）−２，２−ジメチルプロピル−１−マレイミド］、ポリ［（Ｓ）−（−）−１−（２−ｎ−ブチルシクロヘキシル）−２，２−ジメチルプロピル−１−マレイミド］、ポリ［（Ｓ）−（−）−１−（３−ｎ−ブチルシクロヘキシル）−２，２−ジメチルプロピル−１−マレイミド］、ポリ［（Ｓ）−（−）−１−（４−ｎ−ブチルシクロヘキシル）−２，２−ジメチルプロピル−１−マレイミド］、ポリ［（Ｓ）−（−）−１−（２，３−ジ−ｎ−ブチルシクロヘキシル）−２，２−ジメチルプロピル−１−マレイミド］、ポリ［（Ｓ）−（−）−１−（２，４−ジ−ｎ−ブチルシクロヘキシル）−２，２−ジメチルプロピル−１−マレイミド］、ポリ［（Ｓ）−（−）−１−（２，５−ジ−ｎ−ブチルシクロヘキシル）−２，２−ジメチルプロピル−１−マレイミド］、ポリ［（Ｓ）−（−）−１−（２，６−ジ−ｎ−ブチルシクロヘキシル）−２，２−ジメチルプロピル−１−マレイミド］、ポリ［（Ｓ）−（−）−１−（３，４−ジ−ｎ−ブチルシクロヘキシル）−２，２−ジメチルプロピル−１−マレイミド］、ポリ［（Ｓ）−（−）−１−（３，５−ジ−ｎ−ブチルシクロヘキシル）−２，２−ジメチルプロピル−１−マレイミド］、ポリ［（Ｓ）−（−）−１−（２，４，６−トリ−ｎ−ブチルシクロヘキシル）−２，２−ジメチルプロピル−１−マレイミド］、ポリ［（Ｓ）−（−）−１−（２，３，４，５−テトラ−ｎ−ブチルシクロヘキシル）−２，２−ジメチルプロピル−１−マレイミド］、ポリ［（Ｓ）−（−）−１−（２，３，４，６−テトラ−ｎ−ブチルシクロヘキシル）−２，２−ジメチルプロピル−１−マレイミド］、ポリ［（Ｓ）−（−）−１−（２，３，５，６−テトラ−ｎ−ブチルシクロヘキシル）−２，２−ジメチルプロピル−１−マレイミド］、ポリ［（Ｓ）−（−）−１−（２，３，４，５，６−ペンタ−ｎ−ブチルシクロヘキシル）−２，２−ジメチルプロピル−１−マレイミド］、ポリ［（Ｓ）−（−）−１−（２−シクロヘキシル）−２，２−ジメチルプロピル−１−マレイミド］、ポリ［（Ｓ）−（−）−１−（３−ｉ−ブチルシクロヘキシル）−２，２−ジメチルプロピル−１−マレイミド］、ポリ［（Ｓ）−（−）−１−（４−ｉ−ブチルシクロヘキシル）−２，２−ジメチルプロピル−１−マレイミド］、ポリ［（Ｓ）−（−）−１−（２，３−ジ−ｉ−ブチルシクロヘキシル）−２，２−ジメチルプロピル−１−マレイミド］、ポリ［（Ｓ）−（−）−１−（２，４−ジ−ｉ−ブチルシクロヘキシル）−２，２−ジメチルプロピル−１−マレイミド］、ポリ［（Ｓ）−（−）−１−（２，５−ジ−ｉ−ブチルシクロヘキシル）−２，２−ジメチルプロピル−１−マレイミド］、ポリ［（Ｓ）−（−）−１−（２，６−ジ−ｉ−ブチルシクロヘキシル）−２，２−ジメチルプロピル−１−マレイミド］、ポリ［（Ｓ）−（−）−１−（３，４−ジ−ｉ−ブチルシクロヘキシル）−２，２−ジメチルプロピル−１−マレイミド］、ポリ［（Ｓ）−（−）−１−（３，５−ジ−ｉ−ブチルシクロヘキシル）−２，２−ジメチルプロピル−１−マレイミド］、ポリ［（Ｓ）−（−）−１−（２，４，６−トリ−ｉ−ブチルシクロヘキシル）−２，２−ジメチルプロピル−１−マレイミド］、ポリ［（Ｓ）−（−）−１−（２，３，４，５−テトラ−ｉ−ブチルシクロヘキシル）−２，２−ジメチルプロピル−１−マレイミド］、ポリ［（Ｓ）−（−）−１−（２，３，４，６−テトラ−ｉ−ブチルシクロヘキシル）−２，２−ジメチルプロピル−１−マレイミド］、ポリ［（Ｓ）−（−）−１−（２，３，５，６−テトラ−ｉ−ブチルシクロヘキシル）−２，２−ジメチルプロピル−１−マレイミド］、ポリ［（Ｓ）−（−）−１−（２，３，４，５，６−ペンタ−ｉ−ブチルシクロヘキシル）−２，２−ジメチルプロピル−１−マレイミド］、ポリ［（Ｓ）−（−）−１−（２−２，２−ジメチルプロピル−シクロヘキシル）−２，２−ジメチルプロピル−１−マレイミド］、ポリ［（Ｓ）−（−）−１−（３−２，２−ジメチルプロピル−シクロヘキシル）−２，２−ジメチルプロピル−１−マレイミド］、ポリ［
（Ｓ）−（−）−１−（４−ｔ−ブチルシクロヘキシル）−２，２−ジメチルプロピル−１−マレイミド］、ポリ［（Ｓ）−（−）−１−（２，３−ジ−ｔ−ブチルシクロヘキシル）−２，２−ジメチルプロピル−１−マレイミド］、ポリ［（Ｓ）−（−）−１−（２，４−ジ−ｔ−ブチルシクロヘキシル）−２，２−ジメチルプロピル−１−マレイミド］、ポリ［（Ｓ）−（−）−１−（２，５−ジ−ｔ−ブチルシクロヘキシル）−２，２−ジメチルプロピル−１−マレイミド］、ポリ［（Ｓ）−（−）−１−（２，６−ジ−ｔ−ブチルシクロヘキシル）−２，２−ジメチルプロピル−１−マレイミド］、ポリ［（Ｓ）−（−）−１−（３，４−ジ−ｔ−ブチルシクロヘキシル）−２，２−ジメチルプロピル−１−マレイミド］、ポリ［（Ｓ）−（−）−１−（３，５−ジ−ｔ−ブチルシクロヘキシル）−２，２−ジメチルプロピル−１−マレイミド］、ポリ［（Ｓ）−（−）−１−（２，４，６−トリ−ｔ−ブチルシクロヘキシル）−２，２−ジメチルプロピル−１−マレイミド］、ポリ［（Ｓ）−（−）−１−（２，３，４，５−テトラ−ｔ−ブチルシクロヘキシル）−２，２−ジメチルプロピル−１−マレイミド］、ポリ［（Ｓ）−（−）−１−（２，３，４，６−テトラ−ｔ−ブチルシクロヘキシル）−２，２−ジメチルプロピル−１−マレイミド］、ポリ［（Ｓ）−（−）−１−（２，３，５，６−テトラ−ｔ−ブチルシクロヘキシル）−２，２−ジメチルプロピル−１−マレイミド］、ポリ［（Ｓ）−（−）−１−（２，３，４，５，６−ペンタ−ｔ−ブチルシクロヘキシル）−２，２−ジメチルプロピル−１−マレイミド］、ポリ［（Ｓ）−（−）−１−（２−メトキシシクロヘキシル）−２，２−ジメチルプロピル−１−マレイミド］、ポリ［（Ｓ）−（−）−１−（３−メトキシシクロヘキシル）−２，２−ジメチルプロピル−１−マレイミド］、ポリ［（Ｓ）−（−）−１−（４−メトキシシクロヘキシル）−２，２−ジメチルプロピル−１−マレイミド］、ポリ［（Ｓ）−（−）−１−（２、３−ジメトキシシクロヘキシル）−２，２−ジメチルプロピル−１−マレイミド］、ポリ［（Ｓ）−（−）−１−（２、４−ジメトキシシクロヘキシル）−２，２−ジメチルプロピル−１−マレイミド］、ポリ［（Ｓ）−（−）−１−（２、５−ジメトキシシクロヘキシル）−２，２−ジメチルプロピル−１−マレイミド］、ポリ［（Ｓ）−（−）−１−（２、６−ジメトキシシクロヘキシル）−２，２−ジメチルプロピル−１−マレイミド］、ポリ［（Ｓ）−（−）−１−（３、４−ジメトキシシクロヘキシル）−２，２−ジメチルプロピル−１−マレイミド］、ポリ［（Ｓ）−（−）−１−（３、５−ジメトキシシクロヘキシル）−２，２−ジメチルプロピル−１−マレイミド］、ポリ［（Ｓ）−（−）−１−（２、４、６−トリメトキシシクロヘキシル）−２，２−ジメチルプロピル−１−マレイミド］、ポリ［（Ｓ）−（−）−１−（２、３、４、５−テトラメトキシシクロヘキシル）−２，２−ジメチルプロピル−１−マレイミド］、ポリ［（Ｓ）−（−）−１−（２、３、４、６−テトラメトキシシクロヘキシル）−２，２−ジメチルプロピル−１−マレイミド］、ポリ［（Ｓ）−（−）−１−（２、３、５、６−テトラメトキシシクロヘキシル）−２，２−ジメチルプロピル−１−マレイミド］、ポリ［（Ｓ）−（−）−１−（２、３、４、５、６−ペンタメトキシシクロヘキシル）−２，２−ジメチルプロピル−１−マレイミド］、ポリ［（Ｓ）−（−）−１−（２−エトキシシクロヘキシル）−２，２−ジメチルプロピル−１−マレイミド］、ポリ［（Ｓ）−（−）−１−（３−エトキシシクロヘキシル）−２，２−ジメチルプロピル−１−マレイミド］、ポリ［（Ｓ）−（−）−１−（４−エトキシシクロヘキシル）−２，２−ジメチルプロピル−１−マレイミド］、ポリ［（Ｓ）−（−）−１−（２、３−ジエトキシシクロヘキシル）−２，２−ジメチルプロピル−１−マレイミド］、ポリ［（Ｓ）−（−）−１−（２、４−ジエトキシシクロヘキシル）−２，２−ジメチルプロピル−１−マレイミド］、ポリ［（Ｓ）−（−）−１−（２、５−ジエトキシシクロヘキシル）−２，２−ジメチルプロピル−１−マレイミド］、ポリ［（Ｓ）−（−）−１−（２、６−ジエトキシシクロヘキシル）−２，２−ジメチルプロピル−１−マレイミド］、ポリ［（Ｓ）−（−）−１−（３、４−ジエトキシシクロヘキシル）−２，２−ジメチルプロピル−１−マレイミド］、ポリ［（Ｓ）−（−）−１−（３、５−ジエトキシシクロヘキシル）−２，２−ジメチルプロピル−１−マレイミド］、ポリ［（Ｓ）−（−）−１−（２、４、６−トリエトキシシクロヘキシル）−２，２−ジメチルプロピル−１−マレイミド］、ポリ［（Ｓ）−（−）−１−（２、３、４、５−テトラエトキシシクロヘキシル）−２，２−ジメチルプロピル−１−マレイミド］、ポリ［（Ｓ）−（−）−１−（２、３、４、６−テトラエトキシシクロヘキシル）−２，２−ジメチルプロピル−１−マレイミド］、ポリ［（Ｓ）−（−）−１−（２、３、５、６−テトラエトキシシクロヘキシル）−２，２−ジメチルプロピル−１−マレイミド］、ポリ［（Ｓ）−（−）−１−（２、３、４、５、６−ペンタエトキシシクロヘキシル）−２，２−ジメチルプロピル−１−マレイミド］等が挙げられる。
【００５５】
また、上記一般式（２）において、置換基Ｒ１〜Ｒ１１のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ１２がｎ−ブチル基である該光学活性ポリマレイミド誘導体としては、具体的には、ポリ［（Ｓ）−（−）−１−シクロヘキシル−ｎ−ペンチル−１−マレイミド］、ポリ［（Ｓ）−（−）−１−（２−メチルシクロヘキシル）−ｎ−ペンチル−１−マレイミド］、ポリ［（Ｓ）−（−）−１−（３−メチルシクロヘキシル）−ｎ−ペンチル−１−マレイミド］、ポリ［（Ｓ）−（−）−１−（４−メチルシクロヘキシル）−ｎ−ペンチル−１−マレイミド］、ポリ［（Ｓ）−（−）−１−（２，３−ジメチルシクロヘキシル）−ｎ−ペンチル−１−マレイミド］、ポリ［（Ｓ）−（−）−１−（２，４−ジメチルシクロヘキシル）−ｎ−ペンチル−１−マレイミド］、ポリ［（Ｓ）−（−）−１−（２，５−ジメチルシクロヘキシル）−ｎ−ペンチル−１−マレイミド］、ポリ［（Ｓ）−（−）−１−（２，６−ジメチルシクロヘキシル）−ｎ−ペンチル−１−マレイミド］、ポリ［（Ｓ）−（−）−１−（３，４−ジメチルシクロヘキシル）−ｎ−ペンチル−１−マレイミド］、ポリ［（Ｓ）−（−）−１−（３，５−ジメチルシクロヘキシル）−ｎ−ペンチル−１−マレイミド］、ポリ［（Ｓ）−（−）−１−（２，４，６−トリメチルシクロヘキシル）−ｎ−ペンチル−１−マレイミド］、ポリ［（Ｓ）−（−）−１−（２，３，４，５−テトラメチルシクロヘキシル）−ｎ−ペンチル−１−マレイミド］、ポリ［（Ｓ）−（−）−１−（２，３，４，６−テトラメチルシクロヘキシル）−ｎ−ペンチル−１−マレイミド］、ポリ［（Ｓ）−（−）−１−（２，３，５，６−テトラメチルシクロヘキシル）−ｎ−ペンチル−１−マレイミド］、ポリ［（Ｓ）−（−）−１−（２，３，４，５，６−ペンタメチルシクロヘキシル）−ｎ−ペンチル−１−マレイミド］、ポリ［（Ｓ）−（−）−１−（２−エチルシクロヘキシル）−ｎ−ペンチル−１−マレイミド］、ポリ［（Ｓ）−（−）−１−（３−エチルシクロヘキシル）−ｎ−ペンチル−１−マレイミド］、ポリ［（Ｓ）−（−）−１−（４−エチルシクロヘキシル）−ｎ−ペンチル−１−マレイミド］、ポリ［（Ｓ）−（−）−１−（２，３−ジエチルシクロヘキシル）−ｎ−ペンチル−１−マレイミド］、ポリ［（Ｓ）−（−）−１−（２，４−ジエチルシクロヘキシル）−ｎ−ペンチル−１−マレイミド］、ポリ［（Ｓ）−（−）−１−（２，５−ジエチルシクロヘキシル）−ｎ−ペンチル−１−マレイミド］、ポリ［（Ｓ）−（−）−１−（２，６−ジエチルシクロヘキシル）−ｎ−ペンチル−１−マレイミド］、ポリ［（Ｓ）−（−）−１−（３，４−ジエチルシクロヘキシル）−ｎ−ペンチル−１−マレイミド］、ポリ［（Ｓ）−（−）−１−（３，５−ジエチルシクロヘキシル）−ｎ−ペンチル−１−マレイミド］、ポリ［（Ｓ）−（−）−１−（２，４，６−トリエチルシクロヘキシル）−ｎ−ペンチル−１−マレイミド］、ポリ［（Ｓ）−（−）−１−（２，３，４，５−テトラエチルシクロヘキシル）−ｎ−ペンチル−１−マレイミド］、ポリ［（Ｓ）−（−）−１−（２，３，４，６−テトラエチルシクロヘキシル）−ｎ−ペンチル−１−マレイミド］、ポリ［（Ｓ）−（−）−１−（２，３，５，６−テトラエチルシクロヘキシル）−ｎ−ペンチル−１−マレイミド］、ポリ［（Ｓ）−（−）−１−（２，３，４，５，６−ペンタエチルシクロヘキシル）−ｎ−ペンチル−１−マレイミド］、ポリ［（Ｓ）−（−）−１−（２−ｎ−プロピルシクロヘキシル）−ｎ−ペンチル−１−マレイミド］、ポリ［（Ｓ）−（−）−１−（３−ｎ−プロピルシクロヘキシル）−ｎ−ペンチル−１−マレイミド］、ポリ［（Ｓ）−（−）−１−（４−ｎ−プロピルシクロヘキシル）−ｎ−ペンチル−１−マレイミド］、ポリ［（Ｓ）−（−）−１−（２，３−ジ−ｎ−プロピルシクロヘキシル）−ｎ−ペンチル−１−マレイミド］、ポリ［（Ｓ）−（−）−１−（２，４−ジ−ｎ−プロピルシクロヘキシル）−ｎ−ペンチル−１−マレイミド］、ポリ［（Ｓ）−（−）−１−（２，５−ジ−ｎ−プロピルシクロヘキシル）−ｎ−ペンチル−１−マレイミド］、ポリ［（Ｓ）−（−）−１−（２，６−ジ−ｎ−プロピルシクロヘキシル）−ｎ−ペンチル−１−マレイミド］、ポリ［（Ｓ）−（−）−１−（３，４−ジ−ｎ−プロピルシクロヘキシル）−ｎ−ペンチル−１−マレイミド］、ポリ［（Ｓ）−（−）−１−（３，５−ジ−ｎ−プロピルシクロヘキシル）−ｎ−ペンチル−１−マレイミド］、ポリ［（Ｓ）−（−）−１−（２，４，６−トリ−ｎ−プロピルシクロヘキシル）−ｎ−ペンチル−１−マレイミド］、ポリ［（Ｓ）−（−）−１−（２，３，４，５−テトラ−ｎ−プロピルシクロヘキシル）−ｎ−ペンチル−１−マレイミド］、ポリ［（Ｓ）−（−）−１−（２，３，４，６−テトラ−ｎ−プロピルシクロヘキシル）−ｎ−ペンチル−１−マレイミド］、ポリ［（Ｓ）−（−）−１−（２，３，５，６−テトラ−ｎ−プロピルシクロヘキシル）−ｎ−ペンチル−１−マレイミド］、ポリ［（Ｓ）−（−）−１−（２，３，４，５，６−ペンタ−ｎ−プロピルシクロヘキシル）−ｎ−ペンチル−１−マレイミド］、ポリ［（Ｓ）−（−）−１−（２−ｉ−プロピルシクロヘキシル）−ｎ−ペンチル−１−マレイミド］、ポリ［（Ｓ）−（−）−１−（３−ｉ−プロピルシクロヘキシル）−ｎ−ペンチル−１−マレイミド］、ポリ［（Ｓ）−（−）−１−（４−ｉ−プロピルシクロヘキシル）−ｎ−ペンチル−１−マレイミド］、ポリ［（Ｓ）−（−）−１−（２，３−ジ−ｉ−プロピルシクロヘキシル）−ｎ−ペンチル−１−マレイミド］、ポリ［（Ｓ）−（−）−１−（２，４−ジ−ｉ−プロピルシクロヘキシル）−ｎ−ペンチル−１−マレイミド］、ポリ［（Ｓ）−（−）−１−（２，５−ジ−ｉ−プロピルシクロヘキシル）−ｎ−ペンチル−１−マレイミド］、ポリ［（Ｓ）−（−）−１−（２，６−ジ−ｉ−プロピルシクロヘキシル）−ｎ−ペンチル−１−マレイミド］、ポリ［（Ｓ）−（−）−１−（３，４−ジ−ｉ−プロピルシクロヘキシル）−ｎ−ペンチル−１−マレイミド］、ポリ［（Ｓ）−（−）−１−（３，５−ジ−ｉ−プロピルシクロヘキシル）−ｎ−ペンチル−１−マレイミド］、ポリ［（Ｓ）−（−）−１−（２，４，６−トリ−ｉ−プロピルシクロヘキシル）−ｎ−ペンチル−１−マレイミド］、ポリ［（Ｓ）−（−）−１−（２，３，４，５−テトラ−ｉ−プロピルシクロヘキシル）−ｎ−ペンチル−１−マレイミド］、ポリ［（Ｓ）−（−）−１−（２，３，４，６−テトラ−ｉ−プロピルシクロヘキシル）−ｎ−ペンチル−１−マレイミド］、ポリ［（Ｓ）−（−）−１−（２，３，５，６−テトラ−ｉ−プロピルシクロヘキシル）−ｎ−ペンチル−１−マレイミド］、ポリ［（Ｓ）−（−）−１−（２，３，４，５，６−ペンタ−ｉ−プロピルシクロヘキシル）−ｎ−ペンチル−１−マレイミド］、ポリ［（Ｓ）−（−）−１−（２−ｎ−ブチルシクロヘキシル）−ｎ−ペンチル−１−マレイミド］、ポリ［（Ｓ）−（−）−１−（３−ｎ−ブチルシクロヘキシル）−ｎ−ペンチル−１−マレイミド］、ポリ［（Ｓ）−（−）−１−（４−ｎ−ブチルシクロヘキシル）−ｎ−ペンチル−１−マレイミド］、ポリ［（Ｓ）−（−）−１−（２，３−ジ−ｎ−ブチルシクロヘキシル）−ｎ−ペンチル−１−マレイミド］、ポリ［（Ｓ）−（−）−１−（２，４−ジ−ｎ−ブチルシクロヘキシル）−ｎ−ペンチル−１−マレイミド］、ポリ［（Ｓ）−（−）−１−（２，５−ジ−ｎ−ブチルシクロヘキシル）−ｎ−ペンチル−１−マレイミド］、ポリ［（Ｓ）−（−）−１−（２，６−ジ−ｎ−ブチルシクロヘキシル）−ｎ−ペンチル−１−マレイミド］、ポリ［（Ｓ）−（−）−１−（３，４−ジ−ｎ−ブチルシクロヘキシル）−ｎ−ペンチル−１−マレイミド］、ポリ［（Ｓ）−（−）−１−（３，５−ジ−ｎ−ブチルシクロヘキシル）−ｎ−ペンチル−１−マレイミド］、ポリ［（Ｓ）−（−）−１−（２，４，６−トリ−ｎ−ブチルシクロヘキシル）−ｎ−ペンチル−１−マレイミド］、ポリ［（Ｓ）−（−）−１−（２，３，４，５−テトラ−ｎ−ブチルシクロヘキシル）−ｎ−ペンチル−１−マレイミド］、ポリ［（Ｓ）−（−）−１−（２，３，４，６−テトラ−ｎ−ブチルシクロヘキシル）−ｎ−ペンチル−１−マレイミド］、ポリ［（Ｓ）−（−）−１−（２，３，５，６−テトラ−ｎ−ブチルシクロヘキシル）−ｎ−ペンチル−１−マレイミド］、ポリ［（Ｓ）−（−）−１−（２，３，４，５，６−ペンタ−ｎ−ブチルシクロヘキシル）−ｎ−ペンチル−１−マレイミド］、ポリ［（Ｓ）−（−）−１−（２−ｉ−ブチルシクロヘキシル）−ｎ−ペンチル−１−マレイミド］、ポリ［（Ｓ）−（−）−１−（３−ｉ−ブチルシクロヘキシル）−ｎ−ペンチル−１−マレイミド］、ポリ［（Ｓ）−（−）−１−（４−ｉ−ブチルシクロヘキシル）−ｎ−ペンチル−１−マレイミド］、ポリ［（Ｓ）−（−）−１−（２，３−ジ−ｉ−ブチルシクロヘキシル）−ｎ−ペンチル−１−マレイミド］、ポリ［（Ｓ）−（−）−１−（２，４−ジ−ｉ−ブチルシクロヘキシル）−ｎ−ペンチル−１−マレイミド］、ポリ［（Ｓ）−（−）−１−（２，５−ジ−ｉ−ブチルシクロヘキシル）−ｎ−ペンチル−１−マレイミド］、ポリ［（Ｓ）−（−）−１−（２，６−ジ−ｉ−ブチルシクロヘキシル）−ｎ−ペンチル−１−マレイミド］、ポリ［（Ｓ）−（−）−１−（３，４−ジ−ｉ−ブチルシクロヘキシル）−ｎ−ペンチル−１−マレイミド］、ポリ［（Ｓ）−（−）−１−（３，５−ジ−ｉ−ブチルシクロヘキシル）−ｎ−ペンチル−１−マレイミド］、ポリ［（Ｓ）−（−）−１−（２，４，６−トリ−ｉ−ブチルシクロヘキシル）−ｎ−ペンチル−１−マレイミド］、ポリ［（Ｓ）−（−）−１−（２，３，４，５−テトラ−ｉ−ブチルシクロヘキシル）−ｎ−ペンチル−１−マレイミド］、ポリ［（Ｓ）−（−）−１−（２，３，４，６−テトラ−ｉ−ブチルシクロヘキシル）−ｎ−ペンチル−１−マレイミド］、ポリ［（Ｓ）−（−）−１−（２，３，５，６−テトラ−ｉ−ブチルシクロヘキシル）−ｎ−ペンチル−１−マレイミド］、ポリ［（Ｓ）−（−）−１−（２，３，４，５，６−ペンタ−ｉ−ブチルシクロヘキシル）−ｎ−ペンチル−１−マレイミド］、ポリ［（Ｓ）−（−）−１−（２−ｔ−ブチルシクロヘキシル）−ｎ−ペンチル−１−マレイミド］、ポリ［（Ｓ）−（−）−１−（３−ｔ−ブチルシクロヘキシル）−ｎ−ペンチル−１−マレイミド］、ポリ［（Ｓ）−（−）−１−（４−ｔ−ブチルシクロヘキシル）−ｎ−ペンチル−１−マレイミド］、ポリ［（Ｓ）−（−）−１−（２，３−ジ−ｔ−ブチルシクロヘキシル）−ｎ−ペンチル−１−マレイミド］、ポリ［（Ｓ）−（−）−１−（２，４−ジ−ｔ−ブチルシクロヘキシル）−ｎ−ペンチル−１−マレイミド］、ポリ［（Ｓ）−（−）−１−（２，５−ジ−ｔ−ブチルシクロヘキシル）−ｎ−ペンチル−１−マレイミド］、ポリ［（Ｓ）−（−）−１−（２，６−ジ−ｔ−ブチルシクロヘキシル）−ｎ−ペンチル−１−マレイミド］、ポリ［（Ｓ）−（−）−１−（３，４−ジ−ｔ−ブチルシクロヘキシル）−ｎ−ペンチル−１−マレイミド］、ポリ［（Ｓ）−（−）−１−（３，５−ジ−ｔ−ブチルシクロヘキシル）−ｎ−ペンチル−１−マレイミド］、ポリ［（Ｓ）−（−）−１−（２，４，６−トリ−ｔ−ブチルシクロヘキシル）−ｎ−ペンチル−１−マレイミド］、ポリ［（Ｓ）−（−）−１−（２，３，４，５−テトラ−ｔ−ブチルシクロヘキシル）−ｎ−ペンチル−１−マレイミド］、ポリ［（Ｓ）−（−）−１−（２，３，４，６−テトラ−ｔ−ブチルシクロヘキシル）−ｎ−ペンチル−１−マレイミド］、ポリ［（Ｓ）−（−）−１−（２，３，５，
６−テトラ−ｔ−ブチルシクロヘキシル）−ｎ−ペンチル−１−マレイミド］、ポリ［（Ｓ）−（−）−１−（２，３，４，５，６−ペンタ−ｔ−ブチルシクロヘキシル）−ｎ−ペンチル−１−マレイミド］、ポリ［（Ｓ）−（−）−１−（２−メトキシシクロヘキシル）−ｎ−ペンチル−１−マレイミド］、ポリ［（Ｓ）−（−）−１−（３−メトキシシクロヘキシル）−ｎ−ペンチル−１−マレイミド］、ポリ［（Ｓ）−（−）−１−（４−メトキシシクロヘキシル）−ｎ−ペンチル−１−マレイミド］、ポリ［（Ｓ）−（−）−１−（２、３−ジメトキシシクロヘキシル）−ｎ−ペンチル−１−マレイミド］、ポリ［（Ｓ）−（−）−１−（２、４−ジメトキシシクロヘキシル）−ｎ−ペンチル−１−マレイミド］、ポリ［（Ｓ）−（−）−１−（２、５−ジメトキシシクロヘキシル）−ｎ−ペンチル−１−マレイミド］、ポリ［（Ｓ）−（−）−１−（２、６−ジメトキシシクロヘキシル）−ｎ−ペンチル−１−マレイミド］、ポリ［（Ｓ）−（−）−１−（３、４−ジメトキシシクロヘキシル）−ｎ−ペンチル−１−マレイミド］、ポリ［（Ｓ）−（−）−１−（３、５−ジメトキシシクロヘキシル）−ｎ−ペンチル−１−マレイミド］、ポリ［（Ｓ）−（−）−１−（２、４、６−トリメトキシシクロヘキシル）−ｎ−ペンチル−１−マレイミド］、ポリ［（Ｓ）−（−）−１−（２、３、４、５−テトラメトキシシクロヘキシル）−ｎ−ペンチル−１−マレイミド］、ポリ［（Ｓ）−（−）−１−（２、３、４、６−テトラメトキシシクロヘキシル）−ｎ−ペンチル−１−マレイミド］、ポリ［（Ｓ）−（−）−１−（２、３、５、６−テトラメトキシシクロヘキシル）−ｎ−ペンチル−１−マレイミド］、ポリ［（Ｓ）−（−）−１−（２、３、４、５、６−ペンタメトキシシクロヘキシル）−ｎ−ペンチル−１−マレイミド］、ポリ［（Ｓ）−（−）−１−（２−エトキシシクロヘキシル）−ｎ−ペンチル−１−マレイミド］、ポリ［（Ｓ）−（−）−１−（３−エトキシシクロヘキシル）−ｎ−ペンチル−１−マレイミド］、ポリ［（Ｓ）−（−）−１−（４−エトキシシクロヘキシル）−ｎ−ペンチル−１−マレイミド］、ポリ［（Ｓ）−（−）−１−（２、３−ジエトキシシクロヘキシル）−ｎ−ペンチル−１−マレイミド］、ポリ［（Ｓ）−（−）−１−（２、４−ジエトキシシクロヘキシル）−ｎ−ペンチル−１−マレイミド］、ポリ［（Ｓ）−（−）−１−（２、５−ジエトキシシクロヘキシル）−ｎ−ペンチル−１−マレイミド］、ポリ［（Ｓ）−（−）−１−（２、６−ジエトキシシクロヘキシル）−ｎ−ペンチル−１−マレイミド］、ポリ［（Ｓ）−（−）−１−（３、４−ジエトキシシクロヘキシル）−ｎ−ペンチル−１−マレイミド］、ポリ［（Ｓ）−（−）−１−（３、５−ジエトキシシクロヘキシル）−ｎ−ペンチル−１−マレイミド］、ポリ［（Ｓ）−（−）−１−（２、４、６−トリエトキシシクロヘキシル）−ｎ−ペンチル−１−マレイミド］、ポリ［（Ｓ）−（−）−１−（２、３、４、５−テトラエトキシシクロヘキシル）−ｎ−ペンチル−１−マレイミド］、ポリ［（Ｓ）−（−）−１−（２、３、４、６−テトラエトキシシクロヘキシル）−ｎ−ペンチル−１−マレイミド］、ポリ［（Ｓ）−（−）−１−（２、３、５、６−テトラエトキシシクロヘキシル）−ｎ−ペンチル−１−マレイミド］、ポリ［（Ｓ）−（−）−１−（２、３、４、５、６−ペンタエトキシシクロヘキシル）−ｎ−ペンチル−１−マレイミド］等が挙げられる。
【００５６】
また、上記一般式（２）において、置換基Ｒ１〜Ｒ１１のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ１２がメトキシメチル基である該光学活性ポリマレイミド誘導体としては、具体的には、ポリ［（Ｓ）−（−）−１−シクロヘキシル−メトキシエチル−１−マレイミド］、ポリ［（Ｓ）−（−）−１−（２−メチルシクロヘキシル）−メトキシエチル−１−マレイミド］、ポリ［（Ｓ）−（−）−１−（３−メチルシクロヘキシル）−メトキシエチル−１−マレイミド］、ポリ［（Ｓ）−（−）−１−（４−メチルシクロヘキシル）−メトキシエチル−１−マレイミド］、ポリ［（Ｓ）−（−）−１−（２，３−ジメチルシクロヘキシル）−メトキシエチル−１−マレイミド］、ポリ［（Ｓ）−（−）−１−（２，４−ジメチルシクロヘキシル）−メトキシエチル−１−マレイミド］、ポリ［（Ｓ）−（−）−１−（２，５−ジメチルシクロヘキシル）−メトキシエチル−１−マレイミド］、ポリ［（Ｓ）−（−）−１−（２，６−ジメチルシクロヘキシル）−メトキシエチル−１−マレイミド］、ポリ［（Ｓ）−（−）−１−（３，４−ジメチルシクロヘキシル）−メトキシエチル−１−マレイミド］、ポリ［（Ｓ）−（−）−１−（３，５−ジメチルシクロヘキシル）−メトキシエチル−１−マレイミド］、ポリ［（Ｓ）−（−）−１−（２，４，６−トリメチルシクロヘキシル）−メトキシエチル−１−マレイミド］、ポリ［（Ｓ）−（−）−１−（２，３，４，５−テトラメチルシクロヘキシル）−メトキシエチル−１−マレイミド］、ポリ［（Ｓ）−（−）−１−（２，３，４，６−テトラメチルシクロヘキシル）−メトキシエチル−１−マレイミド］、ポリ［（Ｓ）−（−）−１−（２，３，５，６−テトラメチルシクロヘキシル）−メトキシエチル−１−マレイミド］、ポリ［（Ｓ）−（−）−１−（２，３，４，５，６−ペンタメチルシクロヘキシル）−メトキシエチル−１−マレイミド］、ポリ［（Ｓ）−（−）−１−（２−エチルシクロヘキシル）−メトキシエチル−１−マレイミド］、ポリ［（Ｓ）−（−）−１−（３−エチルシクロヘキシル）−メトキシエチル−１−マレイミド］、ポリ［（Ｓ）−（−）−１−（４−エチルシクロヘキシル）−メトキシエチル−１−マレイミド］、ポリ［（Ｓ）−（−）−１−（２，３−ジエチルシクロヘキシル）−メトキシエチル−１−マレイミド］、ポリ［（Ｓ）−（−）−１−（２，４−ジエチルシクロヘキシル）−メトキシエチル−１−マレイミド］、ポリ［（Ｓ）−（−）−１−（２，５−ジエチルシクロヘキシル）−メトキシエチル−１−マレイミド］、ポリ［（Ｓ）−（−）−１−（２，６−ジエチルシクロヘキシル）−メトキシエチル−１−マレイミド］、ポリ［（Ｓ）−（−）−１−（３，４−ジエチルシクロヘキシル）−メトキシエチル−１−マレイミド］、ポリ［（Ｓ）−（−）−１−（３，５−ジエチルシクロヘキシル）−メトキシエチル−１−マレイミド］、ポリ［（Ｓ）−（−）−１−（２，４，６−トリエチルシクロヘキシル）−メトキシエチル−１−マレイミド］、ポリ［（Ｓ）−（−）−１−（２，３，４，５−テトラエチルシクロヘキシル）−メトキシエチル−１−マレイミド］、ポリ［（Ｓ）−（−）−１−（２，３，４，６−テトラエチルシクロヘキシル）−メトキシエチル−１−マレイミド］、ポリ［（Ｓ）−（−）−１−（２，３，５，６−テトラエチルシクロヘキシル）−メトキシエチル−１−マレイミド］、ポリ［（Ｓ）−（−）−１−（２，３，４，５，６−ペンタエチルシクロヘキシル）−メトキシエチル−１−マレイミド］、ポリ［（Ｓ）−（−）−１−（２−ｎ−プロピルシクロヘキシル）−メトキシエチル−１−マレイミド］、ポリ［（Ｓ）−（−）−１−（３−ｎ−プロピルシクロヘキシル）−メトキシエチル−１−マレイミド］、ポリ［（Ｓ）−（−）−１−（４−ｎ−プロピルシクロヘキシル）−メトキシエチル−１−マレイミド］、ポリ［（Ｓ）−（−）−１−（２，３−ジ−ｎ−プロピルシクロヘキシル）−メトキシエチル−１−マレイミド］、ポリ［（Ｓ）−（−）−１−（２，４−ジ−ｎ−プロピルシクロヘキシル）−メトキシエチル−１−マレイミド］、ポリ［（Ｓ）−（−）−１−（２，５−ジ−ｎ−プロピルシクロヘキシル）−メトキシエチル−１−マレイミド］、ポリ［（Ｓ）−（−）−１−（２，６−ジ−ｎ−プロピルシクロヘキシル）−メトキシエチル−１−マレイミド］、ポリ［（Ｓ）−（−）−１−（３，４−ジ−ｎ−プロピルシクロヘキシル）−メトキシエチル−１−マレイミド］、ポリ［（Ｓ）−（−）−１−（３，５−ジ−ｎ−プロピルシクロヘキシル）−メトキシエチル−１−マレイミド］、ポリ［（Ｓ）−（−）−１−（２，４，６−トリ−ｎ−プロピルシクロヘキシル）−メトキシエチル−１−マレイミド］、ポリ［（Ｓ）−（−）−１−（２，３，４，５−テトラ−ｎ−プロピルシクロヘキシル）−メトキシエチル−１−マレイミド］、ポリ［（Ｓ）−（−）−１−（２，３，４，６−テトラ−ｎ−プロピルシクロヘキシル）−メトキシエチル−１−マレイミド］、ポリ［（Ｓ）−（−）−１−（２，３，５，６−テトラ−ｎ−プロピルシクロヘキシル）−メトキシエチル−１−マレイミド］、ポリ［（Ｓ）−（−）−１−（２，３，４，５，６−ペンタ−ｎ−プロピルシクロヘキシル）−メトキシエチル−１−マレイミド］、ポリ［（Ｓ）−（−）−１−（２−ｉ−プロピルシクロヘキシル）−メトキシエチル−１−マレイミド］、ポリ［（Ｓ）−（−）−１−（３−ｉ−プロピルシクロヘキシル）−メトキシエチル−１−マレイミド］、ポリ［（Ｓ）−（−）−１−（４−ｉ−プロピルシクロヘキシル）−メトキシエチル−１−マレイミド］、ポリ［（Ｓ）−（−）−１−（２，３−ジ−ｉ−プロピルシクロヘキシル）−メトキシエチル−１−マレイミド］、ポリ［（Ｓ）−（−）−１−（２，４−ジ−ｉ−プロピルシクロヘキシル）−メトキシエチル−１−マレイミド］、ポリ［（Ｓ）−（−）−１−（２，５−ジ−ｉ−プロピルシクロヘキシル）−メトキシエチル−１−マレイミド］、ポリ［（Ｓ）−（−）−１−（２，６−ジ−ｉ−プロピルシクロヘキシル）−メトキシエチル−１−マレイミド］、ポリ［（Ｓ）−（−）−１−（３，４−ジ−ｉ−プロピルシクロヘキシル）−メトキシエチル−１−マレイミド］、ポリ［（Ｓ）−（−）−１−（３，５−ジ−ｉ−プロピルシクロヘキシル）−メトキシエチル−１−マレイミド］、ポリ［（Ｓ）−（−）−１−（２，４，６−トリ−ｉ−プロピルシクロヘキシル）−メトキシエチル−１−マレイミド］、ポリ［（Ｓ）−（−）−１−（２，３，４，５−テトラ−ｉ−プロピルシクロヘキシル）−メトキシエチル−１−マレイミド］、ポリ［（Ｓ）−（−）−１−（２，３，４，６−テトラ−ｉ−プロピルシクロヘキシル）−メトキシエチル−１−マレイミド］、ポリ［（Ｓ）−（−）−１−（２，３，５，６−テトラ−ｉ−プロピルシクロヘキシル）−メトキシエチル−１−マレイミド］、ポリ［（Ｓ）−（−）−１−（２，３，４，５，６−ペンタ−ｉ−プロピルシクロヘキシル）−メトキシエチル−１−マレイミド］、ポリ［（Ｓ）−（−）−１−（２−ｎ−ブチルシクロヘキシル）−メトキシエチル−１−マレイミド］、ポリ［（Ｓ）−（−）−１−（３−ｎ−ブチルシクロヘキシル）−メトキシエチル−１−マレイミド］、ポリ［（Ｓ）−（−）−１−（４−ｎ−ブチルシクロヘキシル）−メトキシエチル−１−マレイミド］、ポリ［（Ｓ）−（−）−１−（２，３−ジ−ｎ−ブチルシクロヘキシル）−メトキシエチル−１−マレイミド］、ポリ［（Ｓ）−（−）−１−（２，４−ジ−ｎ−ブチルシクロヘキシル）−メトキシエチル−１−マレイミド］、ポリ［（Ｓ）−（−）−１−（２，５−ジ−ｎ−ブチルシクロヘキシル）−メトキシエチル−１−マレイミド］、ポリ［（Ｓ）−（−）−１−（２，６−ジ−ｎ−ブチルシクロヘキシル）−メトキシエチル−１−マレイミド］、ポリ［（Ｓ）−（−）−１−（３，４−ジ−ｎ−ブチルシクロヘキシル）−メトキシエチル−１−マレイミド］、ポリ［（Ｓ）−（−）−１−（３，５−ジ−ｎ−ブチルシクロヘキシル）−メトキシエチル−１−マレイミド］、ポリ［（Ｓ）−（−）−１−（２，４，６−トリ−ｎ−ブチルシクロヘキシル）−メトキシエチル−１−マレイミド］、ポリ［（Ｓ）−（−）−１−（２，３，４，５−テトラ−ｎ−ブチルシクロヘキシル）−メトキシエチル−１−マレイミド］、ポリ［（Ｓ）−（−）−１−（２，３，４，６−テトラ−ｎ−ブチルシクロヘキシル）−メトキシエチル−１−マレイミド］、ポリ［（Ｓ）−（−）−１−（２，３，５，６−テトラ−ｎ−ブチルシクロヘキシル）−メトキシエチル−１−マレイミド］、ポリ［（Ｓ）−（−）−１−（２，３，４，５，６−ペンタ−ｎ−ブチルシクロヘキシル）−メトキシエチル−１−マレイミド］、ポリ［（Ｓ）−（−）−１−（２−ｉ−ブチルシクロヘキシル）−メトキシエチル−１−マレイミド］、ポリ［（Ｓ）−（−）−１−（３−ｉ−ブチルシクロヘキシル）−メトキシエチル−１−マレイミド］、ポリ［（Ｓ）−（−）−１−（４−ｉ−ブチルシクロヘキシル）−メトキシエチル−１−マレイミド］、ポリ［（Ｓ）−（−）−１−（２，３−ジ−ｉ−ブチルシクロヘキシル）−メトキシエチル−１−マレイミド］、ポリ［（Ｓ）−（−）−１−（２，４−ジ−ｉ−ブチルシクロヘキシル）−メトキシエチル−１−マレイミド］、ポリ［（Ｓ）−（−）−１−（２，５−ジ−ｉ−ブチルシクロヘキシル）−メトキシエチル−１−マレイミド］、ポリ［（Ｓ）−（−）−１−（２，６−ジ−ｉ−ブチルシクロヘキシル）−メトキシエチル−１−マレイミド］、ポリ［（Ｓ）−（−）−１−（３，４−ジ−ｉ−ブチルシクロヘキシル）−メトキシエチル−１−マレイミド］、ポリ［（Ｓ）−（−）−１−（３，５−ジ−ｉ−ブチルシクロヘキシル）−メトキシエチル−１−マレイミド］、ポリ［（Ｓ）−（−）−１−（２，４，６−トリ−ｉ−ブチルシクロヘキシル）−メトキシエチル−１−マレイミド］、ポリ［（Ｓ）−（−）−１−（２，３，４，５−テトラ−ｉ−ブチルシクロヘキシル）−メトキシエチル−１−マレイミド］、ポリ［（Ｓ）−（−）−１−（２，３，４，６−テトラ−ｉ−ブチルシクロヘキシル）−メトキシエチル−１−マレイミド］、ポリ［（Ｓ）−（−）−１−（２，３，５，６−テトラ−ｉ−ブチルシクロヘキシル）−メトキシエチル−１−マレイミド］、ポリ［（Ｓ）−（−）−１−（２，３，４，５，６−ペンタ−ｉ−ブチルシクロヘキシル）−メトキシエチル−１−マレイミド］、ポリ［（Ｓ）−（−）−１−（２−ｔ−ブチルシクロヘキシル）−メトキシエチル−１−マレイミド］、ポリ［（Ｓ）−（−）−１−（３−ｔ−ブチルシクロヘキシル）−メトキシエチル−１−マレイミド］、ポリ［（Ｓ）−（−）−１−（４−ｔ−ブチルシクロヘキシル）−メトキシエチル−１−マレイミド］、ポリ［（Ｓ）−（−）−１−（２，３−ジ−ｔ−ブチルシクロヘキシル）−メトキシエチル−１−マレイミド］、ポリ［（Ｓ）−（−）−１−（２，４−ジ−ｔ−ブチルシクロヘキシル）−メトキシエチル−１−マレイミド］、ポリ［（Ｓ）−（−）−１−（２，５−ジ−ｔ−ブチルシクロヘキシル）−メトキシエチル−１−マレイミド］、ポリ［（Ｓ）−（−）−１−（２，６−ジ−ｔ−ブチルシクロヘキシル）−メトキシエチル−１−マレイミド］、ポリ［（Ｓ）−（−）−１−（３，４−ジ−ｔ−ブチルシクロヘキシル）−メトキシエチル−１−マレイミド］、ポリ［（Ｓ）−（−）−１−（３，５−ジ−ｔ−ブチルシクロヘキシル）−メトキシエチル−１−マレイミド］、ポリ［（Ｓ）−（−）−１−（２，４，６−トリ−ｔ−ブチルシクロヘキシル）−メトキシエチル−１−マレイミド］、ポリ［（Ｓ）−（−）−１−（２，３，４，５−テトラ−ｔ−ブチルシクロヘ
キシル）−メトキシエチル−１−マレイミド］、ポリ［（Ｓ）−（−）−１−（２，３，４，６−テトラ−ｔ−ブチルシクロヘキシル）−メトキシエチル−１−マレイミド］、ポリ［（Ｓ）−（−）−１−（２，３，５，６−テトラ−ｔ−ブチルシクロヘキシル）−メトキシエチル−１−マレイミド］、ポリ［（Ｓ）−（−）−１−（２，３，４，５，６−ペンタ−ｔ−ブチルシクロヘキシル）−メトキシエチル−１−マレイミド］、ポリ［（Ｓ）−（−）−１−（２−メトキシシクロヘキシル）−メトキシエチル−１−マレイミド］、ポリ［（Ｓ）−（−）−１−（３−メトキシシクロヘキシル）−メトキシエチル−１−マレイミド］、ポリ［（Ｓ）−（−）−１−（４−メトキシシクロヘキシル）−メトキシエチル−１−マレイミド］、ポリ［（Ｓ）−（−）−１−（２、３−ジメトキシシクロヘキシル）−メトキシエチル−１−マレイミド］、ポリ［（Ｓ）−（−）−１−（２、４−ジメトキシシクロヘキシル）−メトキシエチル−１−マレイミド］、ポリ［（Ｓ）−（−）−１−（２、５−ジメトキシシクロヘキシル）−メトキシエチル−１−マレイミド］、ポリ［（Ｓ）−（−）−１−（２、６−ジメトキシシクロヘキシル）−メトキシエチル−１−マレイミド］、ポリ［（Ｓ）−（−）−１−（３、４−ジメトキシシクロヘキシル）−メトキシエチル−１−マレイミド］、ポリ［（Ｓ）−（−）−１−（３、５−ジメトキシシクロヘキシル）−メトキシエチル−１−マレイミド］、ポリ［（Ｓ）−（−）−１−（２、４、６−トリメトキシシクロヘキシル）−メトキシエチル−１−マレイミド］、ポリ［（Ｓ）−（−）−１−（２、３、４、５−テトラメトキシシクロヘキシル）−メトキシエチル−１−マレイミド］、ポリ［（Ｓ）−（−）−１−（２、３、４、６−テトラメトキシシクロヘキシル）−メトキシエチル−１−マレイミド］、ポリ［（Ｓ）−（−）−１−（２、３、５、６−テトラメトキシシクロヘキシル）−メトキシエチル−１−マレイミド］、ポリ［（Ｓ）−（−）−１−（２、３、４、５、６−ペンタメトキシシクロヘキシル）−メトキシエチル−１−マレイミド］、ポリ［（Ｓ）−（−）−１−（２−エトキシシクロヘキシル）−メトキシエチル−１−マレイミド］、ポリ［（Ｓ）−（−）−１−（３−エトキシシクロヘキシル）−メトキシエチル−１−マレイミド］、ポリ［（Ｓ）−（−）−１−（４−エトキシシクロヘキシル）−メトキシエチル−１−マレイミド］、ポリ［（Ｓ）−（−）−１−（２、３−ジエトキシシクロヘキシル）−メトキシエチル−１−マレイミド］、ポリ［（Ｓ）−（−）−１−（２、４−ジエトキシシクロヘキシル）−メトキシエチル−１−マレイミド］、ポリ［（Ｓ）−（−）−１−（２、５−ジエトキシシクロヘキシル）−メトキシエチル−１−マレイミド］、ポリ［（Ｓ）−（−）−１−（２、６−ジエトキシシクロヘキシル）−メトキシエチル−１−マレイミド］、ポリ［（Ｓ）−（−）−１−（３、４−ジエトキシシクロヘキシル）−メトキシエチル−１−マレイミド］、ポリ［（Ｓ）−（−）−１−（３、５−ジエトキシシクロヘキシル）−メトキシエチル−１−マレイミド］、ポリ［（Ｓ）−（−）−１−（２、４、６−トリエトキシシクロヘキシル）−メトキシエチル−１−マレイミド］、ポリ［（Ｓ）−（−）−１−（２、３、４、５−テトラエトキシシクロヘキシル）−メトキシエチル−１−マレイミド］、ポリ［（Ｓ）−（−）−１−（２、３、４、６−テトラエトキシシクロヘキシル）−メトキシエチル−１−マレイミド］、ポリ［（Ｓ）−（−）−１−（２、３、５、６−テトラエトキシシクロヘキシル）−メトキシエチル−１−マレイミド］、ポリ［（Ｓ）−（−）−１−（２、３、４、５、６−ペンタエトキシシクロヘキシル）−メトキシエチル−１−マレイミド］等が挙げられる。
【００５７】
また、上記一般式（２）において、置換基Ｒ１〜Ｒ１１のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ１２がメトキシエチル基である該光学活性ポリマレイミド誘導体としては、具体的には、ポリ［（Ｓ）−（−）−１−シクロヘキシル−メトキシプロピル−１−マレイミド］、ポリ［（Ｓ）−（−）−１−（２−メチルシクロヘキシル）−メトキシプロピル−１−マレイミド］、ポリ［（Ｓ）−（−）−１−（３−メチルシクロヘキシル）−メトキシプロピル−１−マレイミド］、ポリ［（Ｓ）−（−）−１−（４−メチルシクロヘキシル）−メトキシプロピル−１−マレイミド］、ポリ［（Ｓ）−（−）−１−（２，３−ジメチルシクロヘキシル）−メトキシプロピル−１−マレイミド］、ポリ［（Ｓ）−（−）−１−（２，４−ジメチルシクロヘキシル）−メトキシプロピル−１−マレイミド］、ポリ［（Ｓ）−（−）−１−（２，５−ジメチルシクロヘキシル）−メトキシプロピル−１−マレイミド］、ポリ［（Ｓ）−（−）−１−（２，６−ジメチルシクロヘキシル）−メトキシプロピル−１−マレイミド］、ポリ［（Ｓ）−（−）−１−（３，４−ジメチルシクロヘキシル）−メトキシプロピル−１−マレイミド］、ポリ［（Ｓ）−（−）−１−（３，５−ジメチルシクロヘキシル）−メトキシプロピル−１−マレイミド］、ポリ［（Ｓ）−（−）−１−（２，４，６−トリメチルシクロヘキシル）−メトキシプロピル−１−マレイミド］、ポリ［（Ｓ）−（−）−１−（２，３，４，５−テトラメチルシクロヘキシル）−メトキシプロピル−１−マレイミド］、ポリ［（Ｓ）−（−）−１−（２，３，４，６−テトラメチルシクロヘキシル）−メトキシプロピル−１−マレイミド］、ポリ［（Ｓ）−（−）−１−（２，３，５，６−テトラメチルシクロヘキシル）−メトキシプロピル−１−マレイミド］、ポリ［（Ｓ）−（−）−１−（２，３，４，５，６−ペンタメチルシクロヘキシル）−メトキシプロピル−１−マレイミド］、ポリ［（Ｓ）−（−）−１−（２−エチルシクロヘキシル）−メトキシプロピル−１−マレイミド］、ポリ［（Ｓ）−（−）−１−（３−エチルシクロヘキシル）−メトキシプロピル−１−マレイミド］、ポリ［（Ｓ）−（−）−１−（４−エチルシクロヘキシル）−メトキシプロピル−１−マレイミド］、ポリ［（Ｓ）−（−）−１−（２，３−ジエチルシクロヘキシル）−メトキシプロピル−１−マレイミド］、ポリ［（Ｓ）−（−）−１−（２，４−ジエチルシクロヘキシル）−メトキシプロピル−１−マレイミド］、ポリ［（Ｓ）−（−）−１−（２，５−ジエチルシクロヘキシル）−メトキシプロピル−１−マレイミド］、ポリ［（Ｓ）−（−）−１−（２，６−ジエチルシクロヘキシル）−メトキシプロピル−１−マレイミド］、ポリ［（Ｓ）−（−）−１−（３，４−ジエチルシクロヘキシル）−メトキシプロピル−１−マレイミド］、ポリ［（Ｓ）−（−）−１−（３，５−ジエチルシクロヘキシル）−メトキシプロピル−１−マレイミド］、ポリ［（Ｓ）−（−）−１−（２，４，６−トリエチルシクロヘキシル）−メトキシプロピル−１−マレイミド］、ポリ［（Ｓ）−（−）−１−（２，３，４，５−テトラエチルシクロヘキシル）−メトキシプロピル−１−マレイミド］、ポリ［（Ｓ）−（−）−１−（２，３，４，６−テトラエチルシクロヘキシル）−メトキシプロピル−１−マレイミド］、ポリ［（Ｓ）−（−）−１−（２，３，５，６−テトラエチルシクロヘキシル）−メトキシプロピル−１−マレイミド］、ポリ［（Ｓ）−（−）−１−（２，３，４，５，６−ペンタエチルシクロヘキシル）−メトキシプロピル−１−マレイミド］、ポリ［（Ｓ）−（−）−１−（２−ｎ−プロピルシクロヘキシル）−メトキシプロピル−１−マレイミド］、ポリ［（Ｓ）−（−）−１−（３−ｎ−プロピルシクロヘキシル）−メトキシプロピル−１−マレイミド］、ポリ［（Ｓ）−（−）−１−（４−ｎ−プロピルシクロヘキシル）−メトキシプロピル−１−マレイミド］、ポリ［（Ｓ）−（−）−１−（２，３−ジ−ｎ−プロピルシクロヘキシル）−メトキシプロピル−１−マレイミド］、ポリ［（Ｓ）−（−）−１−（２，４−ジ−ｎ−プロピルシクロヘキシル）−メトキシプロピル−１−マレイミド］、ポリ［（Ｓ）−（−）−１−（２，５−ジ−ｎ−プロピルシクロヘキシル）−メトキシプロピル−１−マレイミド］、ポリ［（Ｓ）−（−）−１−（２，６−ジ−ｎ−プロピルシクロヘキシル）−メトキシプロピル−１−マレイミド］、ポリ［（Ｓ）−（−）−１−（３，４−ジ−ｎ−プロピルシクロヘキシル）−メトキシプロピル−１−マレイミド］、ポリ［（Ｓ）−（−）−１−（３，５−ジ−ｎ−プロピルシクロヘキシル）−メトキシプロピル−１−マレイミド］、ポリ［（Ｓ）−（−）−１−（２，４，６−トリ−ｎ−プロピルシクロヘキシル）−メトキシプロピル−１−マレイミド］、ポリ［（Ｓ）−（−）−１−（２，３，４，５−テトラ−ｎ−プロピルシクロヘキシル）−メトキシプロピル−１−マレイミド］、ポリ［（Ｓ）−（−）−１−（２，３，４，６−テトラ−ｎ−プロピルシクロヘキシル）−メトキシプロピル−１−マレイミド］、ポリ［（Ｓ）−（−）−１−（２，３，５，６−テトラ−ｎ−プロピルシクロヘキシル）−メトキシプロピル−１−マレイミド］、ポリ［（Ｓ）−（−）−１−（２，３，４，５，６−ペンタ−ｎ−プロピルシクロヘキシル）−メトキシプロピル−１−マレイミド］、ポリ［（Ｓ）−（−）−１−（２−ｉ−プロピルシクロヘキシル）−メトキシプロピル−１−マレイミド］、ポリ［（Ｓ）−（−）−１−（３−ｉ−プロピルシクロヘキシル）−メトキシプロピル−１−マレイミド］、ポリ［（Ｓ）−（−）−１−（４−ｉ−プロピルシクロヘキシル）−メトキシプロピル−１−マレイミド］、ポリ［（Ｓ）−（−）−１−（２，３−ジ−ｉ−プロピルシクロヘキシル）−メトキシプロピル−１−マレイミド］、ポリ［（Ｓ）−（−）−１−（２，４−ジ−ｉ−プロピルシクロヘキシル）−メトキシプロピル−１−マレイミド］、ポリ［（Ｓ）−（−）−１−（２，５−ジ−ｉ−プロピルシクロヘキシル）−メトキシプロピル−１−マレイミド］、ポリ［（Ｓ）−（−）−１−（２，６−ジ−ｉ−プロピルシクロヘキシル）−メトキシプロピル−１−マレイミド］、ポリ［（Ｓ）−（−）−１−（３，４−ジ−ｉ−プロピルシクロヘキシル）−メトキシプロピル−１−マレイミド］、ポリ［（Ｓ）−（−）−１−（３，５−ジ−ｉ−プロピルシクロヘキシル）−メトキシプロピル−１−マレイミド］、ポリ［（Ｓ）−（−）−１−（２，４，６−トリ−ｉ−プロピルシクロヘキシル）−メトキシプロピル−１−マレイミド］、ポリ［（Ｓ）−（−）−１−（２，３，４，５−テトラ−ｉ−プロピルシクロヘキシル）−メトキシプロピル−１−マレイミド］、ポリ［（Ｓ）−（−）−１−（２，３，４，６−テトラ−ｉ−プロピルシクロヘキシル）−メトキシプロピル−１−マレイミド］、ポリ［（Ｓ）−（−）−１−（２，３，５，６−テトラ−ｉ−プロピルシクロヘキシル）−メトキシプロピル−１−マレイミド］、ポリ［（Ｓ）−（−）−１−（２，３，４，５，６−ペンタ−ｉ−プロピルシクロヘキシル）−メトキシプロピル−１−マレイミド］、ポリ［（Ｓ）−（−）−１−（２−ｎ−ブチルシクロヘキシル）−メトキシプロピル−１−マレイミド］、ポリ［（Ｓ）−（−）−１−（３−ｎ−ブチルシクロヘキシル）−メトキシプロピル−１−マレイミド］、ポリ［（Ｓ）−（−）−１−（４−ｎ−ブチルシクロヘキシル）−メトキシプロピル−１−マレイミド］、ポリ［（Ｓ）−（−）−１−（２，３−ジ−ｎ−ブチルシクロヘキシル）−メトキシプロピル−１−マレイミド］、ポリ［（Ｓ）−（−）−１−（２，４−ジ−ｎ−ブチルシクロヘキシル）−メトキシプロピル−１−マレイミド］、ポリ［（Ｓ）−（−）−１−（２，５−ジ−ｎ−ブチルシクロヘキシル）−メトキシプロピル−１−マレイミド］、ポリ［（Ｓ）−（−）−１−（２，６−ジ−ｎ−ブチルシクロヘキシル）−メトキシプロピル−１−マレイミド］、ポリ［（Ｓ）−（−）−１−（３，４−ジ−ｎ−ブチルシクロヘキシル）−メトキシプロピル−１−マレイミド］、ポリ［（Ｓ）−（−）−１−（３，５−ジ−ｎ−ブチルシクロヘキシル）−メトキシプロピル−１−マレイミド］、ポリ［（Ｓ）−（−）−１−（２，４，６−トリ−ｎ−ブチルシクロヘキシル）−メトキシプロピル−１−マレイミド］、ポリ［（Ｓ）−（−）−１−（２，３，４，５−テトラ−ｎ−ブチルシクロヘキシル）−メトキシプロピル−１−マレイミド］、ポリ［（Ｓ）−（−）−１−（２，３，４，６−テトラ−ｎ−ブチルシクロヘキシル）−メトキシプロピル−１−マレイミド］、ポリ［（Ｓ）−（−）−１−（２，３，５，６−テトラ−ｎ−ブチルシクロヘキシル）−メトキシプロピル−１−マレイミド］、ポリ［（Ｓ）−（−）−１−（２，３，４，５，６−ペンタ−ｎ−ブチルシクロヘキシル）−メトキシプロピル−１−マレイミド］、ポリ［（Ｓ）−（−）−１−（２−ｉ−ブチルシクロヘキシル）−メトキシプロピル−１−マレイミド］、ポリ［（Ｓ）−（−）−１−（３−ｉ−ブチルシクロヘキシル）−メトキシプロピル−１−マレイミド］、ポリ［（Ｓ）−（−）−１−（４−ｉ−ブチルシクロヘキシル）−メトキシプロピル−１−マレイミド］、ポリ［（Ｓ）−（−）−１−（２，３−ジ−ｉ−ブチルシクロヘキシル）−メトキシプロピル−１−マレイミド］、ポリ［（Ｓ）−（−）−１−（２，４−ジ−ｉ−ブチルシクロヘキシル）−メトキシプロピル−１−マレイミド］、ポリ［（Ｓ）−（−）−１−（２，５−ジ−ｉ−ブチルシクロヘキシル）−メトキシプロピル−１−マレイミド］、ポリ［（Ｓ）−（−）−１−（２，６−ジ−ｉ−ブチルシクロヘキシル）−メトキシプロピル−１−マレイミド］、ポリ［（Ｓ）−（−）−１−（３，４−ジ−ｉ−ブチルシクロヘキシル）−メトキシプロピル−１−マレイミド］、ポリ［（Ｓ）−（−）−１−（３，５−ジ−ｉ−ブチルシクロヘキシル）−メトキシプロピル−１−マレイミド］、ポリ［（Ｓ）−（−）−１−（２，４，６−トリ−ｉ−ブチルシクロヘキシル）−メトキシプロピル−１−マレイミド］、ポリ［（Ｓ）−（−）−１−（２，３，４，５−テトラ−ｉ−ブチルシクロヘキシル）−メトキシプロピル−１−マレイミド］、ポリ［（Ｓ）−（−）−１−（２，３，４，６−テトラ−ｉ−ブチルシクロヘキシル）−メトキシプロピル−１−マレイミド］、ポリ［（Ｓ）−（−）−１−（２，３，５，６−テトラ−ｉ−ブチルシクロヘキシル）−メトキシプロピル−１−マレイミド］、ポリ［（Ｓ）−（−）−１−（２，３，４，５，６−ペンタ−ｉ−ブチルシクロヘキシル）−メトキシプロピル−１−マレイミド］、ポリ［（Ｓ）−（−）−１−（２−ｔ−ブチルシクロヘキシル）−メトキシプロピル−１−マレイミド］、ポリ［（Ｓ）−（−）−１−（３−ｔ−ブチルシクロヘキシル）−メトキシプロピル−１−マレイミド］、ポリ［（Ｓ）−（−）−１−（４−ｔ−ブチルシクロヘキシル）−メトキシプロピル−１−マレイミド］、ポリ［（Ｓ）−（−）−１−（２，３−ジ−ｔ−ブチルシクロヘキシル）−メトキシプロピル−１−マレイミド］、ポリ［（Ｓ）−（−）−１−（２，４−ジ−ｔ−ブチルシクロヘキシル）−メトキシプロピル−１−マレイミド］、ポリ［（Ｓ）−（−）−１−（２，５−ジ−ｔ−ブチルシクロヘキシル）−メトキシプロピル−１−マレイミド］、ポリ［（Ｓ）−（−）−１−（２，６−ジ−ｔ−ブチルシクロヘキシル）−メトキシプロピル−１−マレイミド］、ポリ［（Ｓ）−（−）−１−（３，４−ジ−ｔ−ブチルシクロヘキシル）−メトキシプロピル−１−マレイミド］、ポリ［（Ｓ）−（−）−１−（３，５−ジ−ｔ−ブチルシクロヘキシル）−メトキシプロピル−１−マレ
イミド］、ポリ［（Ｓ）−（−）−１−（２，４，６−トリ−ｔ−ブチルシクロヘキシル）−メトキシプロピル−１−マレイミド］、ポリ［（Ｓ）−（−）−１−（２，３，４，５−テトラ−ｔ−ブチルシクロヘキシル）−メトキシプロピル−１−マレイミド］、ポリ［（Ｓ）−（−）−１−（２，３，４，６−テトラ−ｔ−ブチルシクロヘキシル）−メトキシプロピル−１−マレイミド］、ポリ［（Ｓ）−（−）−１−（２，３，５，６−テトラ−ｔ−ブチルシクロヘキシル）−メトキシプロピル−１−マレイミド］、ポリ［（Ｓ）−（−）−１−（２，３，４，５，６−ペンタ−ｔ−ブチルシクロヘキシル）−メトキシプロピル−１−マレイミド］、ポリ［（Ｓ）−（−）−１−（２−メトキシシクロヘキシル）−メトキシプロピル−１−マレイミド］、ポリ［（Ｓ）−（−）−１−（３−メトキシシクロヘキシル）−メトキシプロピル−１−マレイミド］、ポリ［（Ｓ）−（−）−１−（４−メトキシシクロヘキシル）−メトキシプロピル−１−マレイミド］、ポリ［（Ｓ）−（−）−１−（２，３−ジメトキシシクロヘキシル）−メトキシプロピル−１−マレイミド］、ポリ［（Ｓ）−（−）−１−（２，４−ジメトキシシクロヘキシル）−メトキシプロピル−１−マレイミド］、ポリ［（Ｓ）−（−）−１−（２，５−ジメトキシシクロヘキシル）−メトキシプロピル−１−マレイミド］、ポリ［（Ｓ）−（−）−１−（２，６−ジメトキシシクロヘキシル）−メトキシプロピル−１−マレイミド］、ポリ［（Ｓ）−（−）−１−（３，４−ジメトキシシクロヘキシル）−メトキシプロピル−１−マレイミド］、ポリ［（Ｓ）−（−）−１−（３，５−ジメトキシシクロヘキシル）−メトキシプロピル−１−マレイミド］、ポリ［（Ｓ）−（−）−１−（２，４，６−トリメトキシシクロヘキシル）−メトキシプロピル−１−マレイミド］、ポリ［（Ｓ）−（−）−１−（２，３，４，５−テトラメトキシシクロヘキシル）−メトキシプロピル−１−マレイミド］、ポリ［（Ｓ）−（−）−１−（２，３，４，６−テトラメトキシシクロヘキシル）−メトキシプロピル−１−マレイミド］、ポリ［（Ｓ）−（−）−１−（２，３，５，６−テトラメトキシシクロヘキシル）−メトキシプロピル−１−マレイミド］、ポリ［（Ｓ）−（−）−１−（２，３，４，５，６−ペンタメトキシシクロヘキシル）−メトキシプロピル−１−マレイミド］、ポリ［（Ｓ）−（−）−１−（２−エトキシシクロヘキシル）−メトキシプロピル−１−マレイミド］、ポリ［（Ｓ）−（−）−１−（３−エトキシシクロヘキシル）−メトキシプロピル−１−マレイミド］、ポリ［（Ｓ）−（−）−１−（４−エトキシシクロヘキシル）−メトキシプロピル−１−マレイミド］、ポリ［（Ｓ）−（−）−１−（２，３−ジエトキシシクロヘキシル）−メトキシプロピル−１−マレイミド］、ポリ［（Ｓ）−（−）−１−（２，４−ジエトキシシクロヘキシル）−メトキシプロピル−１−マレイミド］、ポリ［（Ｓ）−（−）−１−（２，５−ジエトキシシクロヘキシル）−メトキシプロピル−１−マレイミド］、ポリ［（Ｓ）−（−）−１−（２，６−ジエトキシシクロヘキシル）−メトキシプロピル−１−マレイミド］、ポリ［（Ｓ）−（−）−１−（３，４−ジエトキシシクロヘキシル）−メトキシプロピル−１−マレイミド］、ポリ［（Ｓ）−（−）−１−（３，５−ジエトキシシクロヘキシル）−メトキシプロピル−１−マレイミド］、ポリ［（Ｓ）−（−）−１−（２，４，６−トリエトキシシクロヘキシル）−メトキシプロピル−１−マレイミド］、ポリ［（Ｓ）−（−）−１−（２，３，４，５−テトラエトキシシクロヘキシル）−メトキシプロピル−１−マレイミド］、ポリ［（Ｓ）−（−）−１−（２，３，４，６−テトラエトキシシクロヘキシル）−メトキシプロピル−１−マレイミド］、ポリ［（Ｓ）−（−）−１−（２，３，５，６−テトラエトキシシクロヘキシル）−メトキシプロピル−１−マレイミド］、ポリ［（Ｓ）−（−）−１−（２，３，４，５，６−ペンタエトキシシクロヘキシル）−メトキシプロピル−１−マレイミド］等が挙げられる。
【００５８】
また、上記一般式（２）において、置換基Ｒ１〜Ｒ１１のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ１２がエトキシメチル基である該光学活性ポリマレイミド誘導体としては、具体的には、ポリ［（Ｓ）−（−）−１−シクロヘキシル−エトキシエチル−１−マレイミド］、ポリ［（Ｓ）−（−）−１−（２−メチルシクロヘキシル）−エトキシエチル−１−マレイミド］、ポリ［（Ｓ）−（−）−１−（３−メチルシクロヘキシル）−エトキシエチル−１−マレイミド］、ポリ［（Ｓ）−（−）−１−（４−メチルシクロヘキシル）−エトキシエチル−１−マレイミド］、ポリ［（Ｓ）−（−）−１−（２，３−ジメチルシクロヘキシル）−エトキシエチル−１−マレイミド］、ポリ［（Ｓ）−（−）−１−（２，４−ジメチルシクロヘキシル）−エトキシエチル−１−マレイミド］、ポリ［（Ｓ）−（−）−１−（２，５−ジメチルシクロヘキシル）−エトキシエチル−１−マレイミド］、ポリ［（Ｓ）−（−）−１−（２，６−ジメチルシクロヘキシル）−エトキシエチル−１−マレイミド］、ポリ［（Ｓ）−（−）−１−（３，４−ジメチルシクロヘキシル）−エトキシエチル−１−マレイミド］、ポリ［（Ｓ）−（−）−１−（３，５−ジメチルシクロヘキシル）−エトキシエチル−１−マレイミド］、ポリ［（Ｓ）−（−）−１−（２，４，６−トリメチルシクロヘキシル）−エトキシエチル−１−マレイミド］、ポリ［（Ｓ）−（−）−１−（２，３，４，５−テトラメチルシクロヘキシル）−エトキシエチル−１−マレイミド］、ポリ［（Ｓ）−（−）−１−（２，３，４，６−テトラメチルシクロヘキシル）−エトキシエチル−１−マレイミド］、ポリ［（Ｓ）−（−）−１−（２，３，５，６−テトラメチルシクロヘキシル）−エトキシエチル−１−マレイミド］、ポリ［（Ｓ）−（−）−１−（２，３，４，５，６−ペンタメチルシクロヘキシル）−エトキシエチル−１−マレイミド］、ポリ［（Ｓ）−（−）−１−（２−エチルシクロヘキシル）−エトキシエチル−１−マレイミド］、ポリ［（Ｓ）−（−）−１−（３−エチルシクロヘキシル）−エトキシエチル−１−マレイミド］、ポリ［（Ｓ）−（−）−１−（４−エチルシクロヘキシル）−エトキシエチル−１−マレイミド］、ポリ［（Ｓ）−（−）−１−（２，３−ジエチルシクロヘキシル）−エトキシエチル−１−マレイミド］、ポリ［（Ｓ）−（−）−１−（２，４−ジエチルシクロヘキシル）−エトキシエチル−１−マレイミド］、ポリ［（Ｓ）−（−）−１−（２，５−ジエチルシクロヘキシル）−エトキシエチル−１−マレイミド］、ポリ［（Ｓ）−（−）−１−（２，６−ジエチルシクロヘキシル）−エトキシエチル−１−マレイミド］、ポリ［（Ｓ）−（−）−１−（３，４−ジエチルシクロヘキシル）−エトキシエチル−１−マレイミド］、ポリ［（Ｓ）−（−）−１−（３，５−ジエチルシクロヘキシル）−エトキシエチル−１−マレイミド］、ポリ［（Ｓ）−（−）−１−（２，４，６−トリエチルシクロヘキシル）−エトキシエチル−１−マレイミド］、ポリ［（Ｓ）−（−）−１−（２，３，４，５−テトラエチルシクロヘキシル）−エトキシエチル−１−マレイミド］、ポリ［（Ｓ）−（−）−１−（２，３，４，６−テトラエチルシクロヘキシル）−エトキシエチル−１−マレイミド］、ポリ［（Ｓ）−（−）−１−（２，３，５，６−テトラエチルシクロヘキシル）−エトキシエチル−１−マレイミド］、ポリ［（Ｓ）−（−）−１−（２，３，４，５，６−ペンタエチルシクロヘキシル）−エトキシエチル−１−マレイミド］、ポリ［（Ｓ）−（−）−１−（２−ｎ−プロピルシクロヘキシル）−エトキシエチル−１−マレイミド］、ポリ［（Ｓ）−（−）−１−（３−ｎ−プロピルシクロヘキシル）−エトキシエチル−１−マレイミド］、ポリ［（Ｓ）−（−）−１−（４−ｎ−プロピルシクロヘキシル）−エトキシエチル−１−マレイミド］、ポリ［（Ｓ）−（−）−１−（２，３−ジ−ｎ−プロピルシクロヘキシル）−エトキシエチル−１−マレイミド］、ポリ［（Ｓ）−（−）−１−（２，４−ジ−ｎ−プロピルシクロヘキシル）−エトキシエチル−１−マレイミド］、ポリ［（Ｓ）−（−）−１−（２，５−ジ−ｎ−プロピルシクロヘキシル）−エトキシエチル−１−マレイミド］、ポリ［（Ｓ）−（−）−１−（２，６−ジ−ｎ−プロピルシクロヘキシル）−エトキシエチル−１−マレイミド］、ポリ［（Ｓ）−（−）−１−（３，４−ジ−ｎ−プロピルシクロヘキシル）−エトキシエチル−１−マレイミド］、ポリ［（Ｓ）−（−）−１−（３，５−ジ−ｎ−プロピルシクロヘキシル）−エトキシエチル−１−マレイミド］、ポリ［（Ｓ）−（−）−１−（２，４，６−トリ−ｎ−プロピルシクロヘキシル）−エトキシエチル−１−マレイミド］、ポリ［（Ｓ）−（−）−１−（２，３，４，５−テトラ−ｎ−プロピルシクロヘキシル）−エトキシエチル−１−マレイミド］、ポリ［（Ｓ）−（−）−１−（２，３，４，６−テトラ−ｎ−プロピルシクロヘキシル）−エトキシエチル−１−マレイミド］、ポリ［（Ｓ）−（−）−１−（２，３，５，６−テトラ−ｎ−プロピルシクロヘキシル）−エトキシエチル−１−マレイミド］、ポリ［（Ｓ）−（−）−１−（２，３，４，５，６−ペンタ−ｎ−プロピルシクロヘキシル）−エトキシエチル−１−マレイミド］、ポリ［（Ｓ）−（−）−１−（２−ｉ−プロピルシクロヘキシル）−エトキシエチル−１−マレイミド］、ポリ［（Ｓ）−（−）−１−（３−ｉ−プロピルシクロヘキシル）−エトキシエチル−１−マレイミド］、ポリ［（Ｓ）−（−）−１−（４−ｉ−プロピルシクロヘキシル）−エトキシエチル−１−マレイミド］、ポリ［（Ｓ）−（−）−１−（２，３−ジ−ｉ−プロピルシクロヘキシル）−エトキシエチル−１−マレイミド］、ポリ［（Ｓ）−（−）−１−（２，４−ジ−ｉ−プロピルシクロヘキシル）−エトキシエチル−１−マレイミド］、ポリ［（Ｓ）−（−）−１−（２，５−ジ−ｉ−プロピルシクロヘキシル）−エトキシエチル−１−マレイミド］、ポリ［（Ｓ）−（−）−１−（２，６−ジ−ｉ−プロピルシクロヘキシル）−エトキシエチル−１−マレイミド］、ポリ［（Ｓ）−（−）−１−（３，４−ジ−ｉ−プロピルシクロヘキシル）−エトキシエチル−１−マレイミド］、ポリ［（Ｓ）−（−）−１−（３，５−ジ−ｉ−プロピルシクロヘキシル）−エトキシエチル−１−マレイミド］、ポリ［（Ｓ）−（−）−１−（２，４，６−トリ−ｉ−プロピルシクロヘキシル）−エトキシエチル−１−マレイミド］、ポリ［（Ｓ）−（−）−１−（２，３，４，５−テトラ−ｉ−プロピルシクロヘキシル）−エトキシエチル−１−マレイミド］、ポリ［（Ｓ）−（−）−１−（２，３，４，６−テトラ−ｉ−プロピルシクロヘキシル）−エトキシエチル−１−マレイミド］、ポリ［（Ｓ）−（−）−１−（２，３，５，６−テトラ−ｉ−プロピルシクロヘキシル）−エトキシエチル−１−マレイミド］、ポリ［（Ｓ）−（−）−１−（２，３，４，５，６−ペンタ−ｉ−プロピルシクロヘキシル）−エトキシエチル−１−マレイミド］、ポリ［（Ｓ）−（−）−１−（２−ｎ−ブチルシクロヘキシル）−エトキシエチル−１−マレイミド］、ポリ［（Ｓ）−（−）−１−（３−ｎ−ブチルシクロヘキシル）−エトキシエチル−１−マレイミド］、ポリ［（Ｓ）−（−）−１−（４−ｎ−ブチルシクロヘキシル）−エトキシエチル−１−マレイミド］、ポリ［（Ｓ）−（−）−１−（２，３−ジ−ｎ−ブチルシクロヘキシル）−エトキシエチル−１−マレイミド］、ポリ［（Ｓ）−（−）−１−（２，４−ジ−ｎ−ブチルシクロヘキシル）−エトキシエチル−１−マレイミド］、ポリ［（Ｓ）−（−）−１−（２，５−ジ−ｎ−ブチルシクロヘキシル）−エトキシエチル−１−マレイミド］、ポリ［（Ｓ）−（−）−１−（２，６−ジ−ｎ−ブチルシクロヘキシル）−エトキシエチル−１−マレイミド］、ポリ［（Ｓ）−（−）−１−（３，４−ジ−ｎ−ブチルシクロヘキシル）−エトキシエチル−１−マレイミド］、ポリ［（Ｓ）−（−）−１−（３，５−ジ−ｎ−ブチルシクロヘキシル）−エトキシエチル−１−マレイミド］、ポリ［（Ｓ）−（−）−１−（２，４，６−トリ−ｎ−ブチルシクロヘキシル）−エトキシエチル−１−マレイミド］、ポリ［（Ｓ）−（−）−１−（２，３，４，５−テトラ−ｎ−ブチルシクロヘキシル）−エトキシエチル−１−マレイミド］、ポリ［（Ｓ）−（−）−１−（２，３，４，６−テトラ−ｎ−ブチルシクロヘキシル）−エトキシエチル−１−マレイミド］、ポリ［（Ｓ）−（−）−１−（２，３，５，６−テトラ−ｎ−ブチルシクロヘキシル）−エトキシエチル−１−マレイミド］、ポリ［（Ｓ）−（−）−１−（２，３，４，５，６−ペンタ−ｎ−ブチルシクロヘキシル）−エトキシエチル−１−マレイミド］、ポリ［（Ｓ）−（−）−１−（２−ｉ−ブチルシクロヘキシル）−エトキシエチル−１−マレイミド］、ポリ［（Ｓ）−（−）−１−（３−ｉ−ブチルシクロヘキシル）−エトキシエチル−１−マレイミド］、ポリ［（Ｓ）−（−）−１−（４−ｉ−ブチルシクロヘキシル）−エトキシエチル−１−マレイミド］、ポリ［（Ｓ）−（−）−１−（２，３−ジ−ｉ−ブチルシクロヘキシル）−エトキシエチル−１−マレイミド］、ポリ［（Ｓ）−（−）−１−（２，４−ジ−ｉ−ブチルシクロヘキシル）−エトキシエチル−１−マレイミド］、ポリ［（Ｓ）−（−）−１−（２，５−ジ−ｉ−ブチルシクロヘキシル）−エトキシエチル−１−マレイミド］、ポリ［（Ｓ）−（−）−１−（２，６−ジ−ｉ−ブチルシクロヘキシル）−エトキシエチル−１−マレイミド］、ポリ［（Ｓ）−（−）−１−（３，４−ジ−ｉ−ブチルシクロヘキシル）−エトキシエチル−１−マレイミド］、ポリ［（Ｓ）−（−）−１−（３，５−ジ−ｉ−ブチルシクロヘキシル）−エトキシエチル−１−マレイミド］、ポリ［（Ｓ）−（−）−１−（２，４，６−トリ−ｉ−ブチルシクロヘキシル）−エトキシエチル−１−マレイミド］、ポリ［（Ｓ）−（−）−１−（２，３，４，５−テトラ−ｉ−ブチルシクロヘキシル）−エトキシエチル−１−マレイミド］、ポリ［（Ｓ）−（−）−１−（２，３，４，６−テトラ−ｉ−ブチルシクロヘキシル）−エトキシエチル−１−マレイミド］、ポリ［（Ｓ）−（−）−１−（２，３，５，６−テトラ−ｉ−ブチルシクロヘキシル）−エトキシエチル−１−マレイミド］、ポリ［（Ｓ）−（−）−１−（２，３，４，５，６−ペンタ−ｉ−ブチルシクロヘキシル）−エトキシエチル−１−マレイミド］、ポリ［（Ｓ）−（−）−１−（２−ｔ−ブチルシクロヘキシル）−エトキシエチル−１−マレイミド］、ポリ［（Ｓ）−（−）−１−（３−ｔ−ブチルシクロヘキシル）−エトキシエチル−１−マレイミド］、ポリ［（Ｓ）−（−）−１−（４−ｔ−ブチルシクロヘキシル）−エトキシエチル−１−マレイミド］、ポリ［（Ｓ）−（−）−１−（２，３−ジ−ｔ−ブチルシクロヘキシル）−エトキシエチル−１−マレイミド］、ポリ［（Ｓ）−（−）−１−（２，４−ジ−ｔ−ブチルシクロヘキシル）−エトキシエチル−１−マレイミド］、ポリ［（Ｓ）−（−）−１−（２，５−ジ−ｔ−ブチルシクロヘキシル）−エトキシエチル−１−マレイミド］、ポリ［（Ｓ）−（−）−１−（２，６−ジ−ｔ−ブチルシクロヘキシル）−エトキシエチル−１−マレイミド］、ポリ［（Ｓ）−（−）−１−（３，４−ジ−ｔ−ブチルシクロヘキシル）−エトキシエチル−１−マレイミド］、ポリ［（Ｓ）−（−）−１−（３，５−ジ−ｔ−ブチルシクロヘキシル）−エトキシエチル−１−マレイミド］、ポリ［（Ｓ）−（−）−１−（２，４，６−トリ−ｔ−ブチルシクロヘキシル）−エトキシエチル−１−マレイミド］、ポリ［（Ｓ）−（−）−１−（２，３，４，５−テトラ−ｔ−ブチルシクロヘ
キシル）−エトキシエチル−１−マレイミド］、ポリ［（Ｓ）−（−）−１−（２，３，４，６−テトラ−ｔ−ブチルシクロヘキシル）−エトキシエチル−１−マレイミド］、ポリ［（Ｓ）−（−）−１−（２，３，５，６−テトラ−ｔ−ブチルシクロヘキシル）−エトキシエチル−１−マレイミド］、ポリ［（Ｓ）−（−）−１−（２，３，４，５，６−ペンタ−ｔ−ブチルシクロヘキシル）−エトキシエチル−１−マレイミド］、ポリ［（Ｓ）−（−）−１−（２−メトキシシクロヘキシル）−エトキシエチル−１−マレイミド］、ポリ［（Ｓ）−（−）−１−（３−メトキシシクロヘキシル）−エトキシエチル−１−マレイミド］、ポリ［（Ｓ）−（−）−１−（４−メトキシシクロヘキシル）−エトキシエチル−１−マレイミド］、ポリ［（Ｓ）−（−）−１−（２、３−ジメトキシシクロヘキシル）−エトキシエチル−１−マレイミド］、ポリ［（Ｓ）−（−）−１−（２、４−ジメトキシシクロヘキシル）−エトキシエチル−１−マレイミド］、ポリ［（Ｓ）−（−）−１−（２、５−ジメトキシシクロヘキシル）−エトキシエチル−１−マレイミド］、ポリ［（Ｓ）−（−）−１−（２、６−ジメトキシシクロヘキシル）−エトキシエチル−１−マレイミド］、ポリ［（Ｓ）−（−）−１−（３、４−ジメトキシシクロヘキシル）−エトキシエチル−１−マレイミド］、ポリ［（Ｓ）−（−）−１−（３、５−ジメトキシシクロヘキシル）−エトキシエチル−１−マレイミド］、ポリ［（Ｓ）−（−）−１−（２、４、６−トリメトキシシクロヘキシル）−エトキシエチル−１−マレイミド］、ポリ［（Ｓ）−（−）−１−（２、３、４、５−テトラメトキシシクロヘキシル）−エトキシエチル−１−マレイミド］、ポリ［（Ｓ）−（−）−１−（２、３、４、６−テトラメトキシシクロヘキシル）−エトキシエチル−１−マレイミド］、ポリ［（Ｓ）−（−）−１−（２、３、５、６−テトラメトキシシクロヘキシル）−エトキシエチル−１−マレイミド］、ポリ［（Ｓ）−（−）−１−（２、３、４、５、６−ペンタメトキシシクロヘキシル）−エトキシエチル−１−マレイミド］、ポリ［（Ｓ）−（−）−１−（２−エトキシシクロヘキシル）−エトキシエチル−１−マレイミド］、ポリ［（Ｓ）−（−）−１−（３−エトキシシクロヘキシル）−エトキシエチル−１−マレイミド］、ポリ［（Ｓ）−（−）−１−（４−エトキシシクロヘキシル）−エトキシエチル−１−マレイミド］、ポリ［（Ｓ）−（−）−１−（２、３−ジエトキシシクロヘキシル）−エトキシエチル−１−マレイミド］、ポリ［（Ｓ）−（−）−１−（２、４−ジエトキシシクロヘキシル）−エトキシエチル−１−マレイミド］、ポリ［（Ｓ）−（−）−１−（２、５−ジエトキシシクロヘキシル）−エトキシエチル−１−マレイミド］、ポリ［（Ｓ）−（−）−１−（２、６−ジエトキシシクロヘキシル）−エトキシエチル−１−マレイミド］、ポリ［（Ｓ）−（−）−１−（３、４−ジエトキシシクロヘキシル）−エトキシエチル−１−マレイミド］、ポリ［（Ｓ）−（−）−１−（３、５−ジエトキシシクロヘキシル）−エトキシエチル−１−マレイミド］、ポリ［（Ｓ）−（−）−１−（２、４、６−トリエトキシシクロヘキシル）−エトキシエチル−１−マレイミド］、ポリ［（Ｓ）−（−）−１−（２、３、４、５−テトラエトキシシクロヘキシル）−エトキシエチル−１−マレイミド］、ポリ［（Ｓ）−（−）−１−（２、３、４、６−テトラエトキシシクロヘキシル）−エトキシエチル−１−マレイミド］、ポリ［（Ｓ）−（−）−１−（２、３、５、６−テトラエトキシシクロヘキシル）−エトキシエチル−１−マレイミド］、ポリ［（Ｓ）−（−）−１−（２、３、４、５、６−ペンタエトキシシクロヘキシル）−エトキシエチル−１−マレイミド］等が挙げられる。
【００５９】
また、上記一般式（２）において、置換基Ｒ１〜Ｒ１１のうち、少なくとも一つの置換基がメチル基、エチル基、又は炭素数３〜１０の直鎖状、分岐状若しくは環式のアルキル基、メトキシ基、エトキシ基、又は炭素数３〜１０の直鎖状、分岐状若しくは環式のアルコキシ基であり、残りの置換基が全て水素原子であって、なお且つ置換基Ｒ１２がエトキシエチル基である該光学活性ポリマレイミド誘導体としては、具体的には、ポリ［（Ｓ）−（−）−１−シクロヘキシル−エトキシプロピル−１−マレイミド］、ポリ［（Ｓ）−（−）−１−（２−メチルシクロヘキシル）−エトキシプロピル−１−マレイミド］、ポリ［（Ｓ）−（−）−１−（３−メチルシクロヘキシル）−エトキシプロピル−１−マレイミド］、ポリ［（Ｓ）−（−）−１−（４−メチルシクロヘキシル）−エトキシプロピル−１−マレイミド］、ポリ［（Ｓ）−（−）−１−（２，３−ジメチルシクロヘキシル）−エトキシプロピル−１−マレイミド］、ポリ［（Ｓ）−（−）−１−（２，４−ジメチルシクロヘキシル）−エトキシプロピル−１−マレイミド］、ポリ［（Ｓ）−（−）−１−（２，５−ジメチルシクロヘキシル）−エトキシプロピル−１−マレイミド］、ポリ［（Ｓ）−（−）−１−（２，６−ジメチルシクロヘキシル）−エトキシプロピル−１−マレイミド］、ポリ［（Ｓ）−（−）−１−（３，４−ジメチルシクロヘキシル）−エトキシプロピル−１−マレイミド］、ポリ［（Ｓ）−（−）−１−（３，５−ジメチルシクロヘキシル）−エトキシプロピル−１−マレイミド］、ポリ［（Ｓ）−（−）−１−（２，４，６−トリメチルシクロヘキシル）−エトキシプロピル−１−マレイミド］、ポリ［（Ｓ）−（−）−１−（２，３，４，５−テトラメチルシクロヘキシル）−エトキシプロピル−１−マレイミド］、ポリ［（Ｓ）−（−）−１−（２，３，４，６−テトラメチルシクロヘキシル）−エトキシプロピル−１−マレイミド］、ポリ［（Ｓ）−（−）−１−（２，３，５，６−テトラメチルシクロヘキシル）−エトキシプロピル−１−マレイミド］、ポリ［（Ｓ）−（−）−１−（２，３，４，５，６−ペンタメチルシクロヘキシル）−エトキシプロピル−１−マレイミド］、ポリ［（Ｓ）−（−）−１−（２−エチルシクロヘキシル）−エトキシプロピル−１−マレイミド］、ポリ［（Ｓ）−（−）−１−（３−エチルシクロヘキシル）−エトキシプロピル−１−マレイミド］、ポリ［（Ｓ）−（−）−１−（４−エチルシクロヘキシル）−エトキシプロピル−１−マレイミド］、ポリ［（Ｓ）−（−）−１−（２，３−ジエチルシクロヘキシル）−エトキシプロピル−１−マレイミド］、ポリ［（Ｓ）−（−）−１−（２，４−ジエチルシクロヘキシル）−エトキシプロピル−１−マレイミド］、ポリ［（Ｓ）−（−）−１−（２，５−ジエチルシクロヘキシル）−エトキシプロピル−１−マレイミド］、ポリ［（Ｓ）−（−）−１−（２，６−ジエチルシクロヘキシル）−エトキシプロピル−１−マレイミド］、ポリ［（Ｓ）−（−）−１−（３，４−ジエチルシクロヘキシル）−エトキシプロピル−１−マレイミド］、ポリ［（Ｓ）−（−）−１−（３，５−ジエチルシクロヘキシル）−エトキシプロピル−１−マレイミド］、ポリ［（Ｓ）−（−）−１−（２，４，６−トリエチルシクロヘキシル）−エトキシプロピル−１−マレイミド］、ポリ［（Ｓ）−（−）−１−（２，３，４，５−テトラエチルシクロヘキシル）−エトキシプロピル−１−マレイミド］、ポリ［（Ｓ）−（−）−１−（２，３，４，６−テトラエチルシクロヘキシル）−エトキシプロピル−１−マレイミド］、ポリ［（Ｓ）−（−）−１−（２，３，５，６−テトラエチルシクロヘキシル）−エトキシプロピル−１−マレイミド］、ポリ［（Ｓ）−（−）−１−（２，３，４，５，６−ペンタエチルシクロヘキシル）−エトキシプロピル−１−マレイミド］、ポリ［（Ｓ）−（−）−１−（２−ｎ−プロピルシクロヘキシル）−エトキシプロピル−１−マレイミド］、ポリ［（Ｓ）−（−）−１−（３−ｎ−プロピルシクロヘキシル）−エトキシプロピル−１−マレイミド］、ポリ［（Ｓ）−（−）−１−（４−ｎ−プロピルシクロヘキシル）−エトキシプロピル−１−マレイミド］、ポリ［（Ｓ）−（−）−１−（２，３−ジ−ｎ−プロピルシクロヘキシル）−エトキシプロピル−１−マレイミド］、ポリ［（Ｓ）−（−）−１−（２，４−ジ−ｎ−プロピルシクロヘキシル）−エトキシプロピル−１−マレイミド］、ポリ［（Ｓ）−（−）−１−（２，５−ジ−ｎ−プロピルシクロヘキシル）−エトキシプロピル−１−マレイミド］、ポリ［（Ｓ）−（−）−１−（２，６−ジ−ｎ−プロピルシクロヘキシル）−エトキシプロピル−１−マレイミド］、ポリ［（Ｓ）−（−）−１−（３，４−ジ−ｎ−プロピルシクロヘキシル）−エトキシプロピル−１−マレイミド］、ポリ［（Ｓ）−（−）−１−（３，５−ジ−ｎ−プロピルシクロヘキシル）−エトキシプロピル−１−マレイミド］、ポリ［（Ｓ）−（−）−１−（２，４，６−トリ−ｎ−プロピルシクロヘキシル）−エトキシプロピル−１−マレイミド］、ポリ［（Ｓ）−（−）−１−（２，３，４，５−テトラ−ｎ−プロピルシクロヘキシル）−エトキシプロピル−１−マレイミド］、ポリ［（Ｓ）−（−）−１−（２，３，４，６−テトラ−ｎ−プロピルシクロヘキシル）−エトキシプロピル−１−マレイミド］、ポリ［（Ｓ）−（−）−１−（２，３，５，６−テトラ−ｎ−プロピルシクロヘキシル）−エトキシプロピル−１−マレイミド］、ポリ［（Ｓ）−（−）−１−（２，３，４，５，６−ペンタ−ｎ−プロピルシクロヘキシル）−エトキシプロピル−１−マレイミド］、ポリ［（Ｓ）−（−）−１−（２−ｉ−プロピルシクロヘキシル）−エトキシプロピル−１−マレイミド］、ポリ［（Ｓ）−（−）−１−（３−ｉ−プロピルシクロヘキシル）−エトキシプロピル−１−マレイミド］、ポリ［（Ｓ）−（−）−１−（４−ｉ−プロピルシクロヘキシル）−エトキシプロピル−１−マレイミド］、ポリ［（Ｓ）−（−）−１−（２，３−ジ−ｉ−プロピルシクロヘキシル）−エトキシプロピル−１−マレイミド］、ポリ［（Ｓ）−（−）−１−（２，４−ジ−ｉ−プロピルシクロヘキシル）−エトキシプロピル−１−マレイミド］、ポリ［（Ｓ）−（−）−１−（２，５−ジ−ｉ−プロピルシクロヘキシル）−エトキシプロピル−１−マレイミド］、ポリ［（Ｓ）−（−）−１−（２，６−ジ−ｉ−プロピルシクロヘキシル）−エトキシプロピル−１−マレイミド］、ポリ［（Ｓ）−（−）−１−（３，４−ジ−ｉ−プロピルシクロヘキシル）−エトキシプロピル−１−マレイミド］、ポリ［（Ｓ）−（−）−１−（３，５−ジ−ｉ−プロピルシクロヘキシル）−エトキシプロピル−１−マレイミド］、ポリ［（Ｓ）−（−）−１−（２，４，６−トリ−ｉ−プロピルシクロヘキシル）−エトキシプロピル−１−マレイミド］、ポリ［（Ｓ）−（−）−１−（２，３，４，５−テトラ−ｉ−プロピルシクロヘキシル）−エトキシプロピル−１−マレイミド］、ポリ［（Ｓ）−（−）−１−（２，３，４，６−テトラ−ｉ−プロピルシクロヘキシル）−エトキシプロピル−１−マレイミド］、ポリ［（Ｓ）−（−）−１−（２，３，５，６−テトラ−ｉ−プロピルシクロヘキシル）−エトキシプロピル−１−マレイミド］、ポリ［（Ｓ）−（−）−１−（２，３，４，５，６−ペンタ−ｉ−プロピルシクロヘキシル）−エトキシプロピル−１−マレイミド］、ポリ［（Ｓ）−（−）−１−（２−ｎ−ブチルシクロヘキシル）−エトキシプロピル−１−マレイミド］、ポリ［（Ｓ）−（−）−１−（３−ｎ−ブチルシクロヘキシル）−エトキシプロピル−１−マレイミド］、ポリ［（Ｓ）−（−）−１−（４−ｎ−ブチルシクロヘキシル）−エトキシプロピル−１−マレイミド］、ポリ［（Ｓ）−（−）−１−（２，３−ジ−ｎ−ブチルシクロヘキシル）−エトキシプロピル−１−マレイミド］、ポリ［（Ｓ）−（−）−１−（２，４−ジ−ｎ−ブチルシクロヘキシル）−エトキシプロピル−１−マレイミド］、ポリ［（Ｓ）−（−）−１−（２，５−ジ−ｎ−ブチルシクロヘキシル）−エトキシプロピル−１−マレイミド］、ポリ［（Ｓ）−（−）−１−（２，６−ジ−ｎ−ブチルシクロヘキシル）−エトキシプロピル−１−マレイミド］、ポリ［（Ｓ）−（−）−１−（３，４−ジ−ｎ−ブチルシクロヘキシル）−エトキシプロピル−１−マレイミド］、ポリ［（Ｓ）−（−）−１−（３，５−ジ−ｎ−ブチルシクロヘキシル）−エトキシプロピル−１−マレイミド］、ポリ［（Ｓ）−（−）−１−（２，４，６−トリ−ｎ−ブチルシクロヘキシル）−エトキシプロピル−１−マレイミド］、ポリ［（Ｓ）−（−）−１−（２，３，４，５−テトラ−ｎ−ブチルシクロヘキシル）−エトキシプロピル−１−マレイミド］、ポリ［（Ｓ）−（−）−１−（２，３，４，６−テトラ−ｎ−ブチルシクロヘキシル）−エトキシプロピル−１−マレイミド］、ポリ［（Ｓ）−（−）−１−（２，３，５，６−テトラ−ｎ−ブチルシクロヘキシル）−エトキシプロピル−１−マレイミド］、ポリ［（Ｓ）−（−）−１−（２，３，４，５，６−ペンタ−ｎ−ブチルシクロヘキシル）−エトキシプロピル−１−マレイミド］、ポリ［（Ｓ）−（−）−１−（２−ｉ−ブチルシクロヘキシル）−エトキシプロピル−１−マレイミド］、ポリ［（Ｓ）−（−）−１−（３−ｉ−ブチルシクロヘキシル）−エトキシプロピル−１−マレイミド］、ポリ［（Ｓ）−（−）−１−（４−ｉ−ブチルシクロヘキシル）−エトキシプロピル−１−マレイミド］、ポリ［（Ｓ）−（−）−１−（２，３−ジ−ｉ−ブチルシクロヘキシル）−エトキシプロピル−１−マレイミド］、ポリ［（Ｓ）−（−）−１−（２，４−ジ−ｉ−ブチルシクロヘキシル）−エトキシプロピル−１−マレイミド］、ポリ［（Ｓ）−（−）−１−（２，５−ジ−ｉ−ブチルシクロヘキシル）−エトキシプロピル−１−マレイミド］、ポリ［（Ｓ）−（−）−１−（２，６−ジ−ｉ−ブチルシクロヘキシル）−エトキシプロピル−１−マレイミド］、ポリ［（Ｓ）−（−）−１−（３，４−ジ−ｉ−ブチルシクロヘキシル）−エトキシプロピル−１−マレイミド］、ポリ［（Ｓ）−（−）−１−（３，５−ジ−ｉ−ブチルシクロヘキシル）−エトキシプロピル−１−マレイミド］、ポリ［（Ｓ）−（−）−１−（２，４，６−トリ−ｉ−ブチルシクロヘキシル）−エトキシプロピル−１−マレイミド］、ポリ［（Ｓ）−（−）−１−（２，３，４，５−テトラ−ｉ−ブチルシクロヘキシル）−エトキシプロピル−１−マレイミド］、ポリ［（Ｓ）−（−）−１−（２，３，４，６−テトラ−ｉ−ブチルシクロヘキシル）−エトキシプロピル−１−マレイミド］、ポリ［（Ｓ）−（−）−１−（２，３，５，６−テトラ−ｉ−ブチルシクロヘキシル）−エトキシプロピル−１−マレイミド］、ポリ［（Ｓ）−（−）−１−（２，３，４，５，６−ペンタ−ｉ−ブチルシクロヘキシル）−エトキシプロピル−１−マレイミド］、ポリ［（Ｓ）−（−）−１−（２−ｔ−ブチルシクロヘキシル）−エトキシプロピル−１−マレイミド］、ポリ［（Ｓ）−（−）−１−（３−ｔ−ブチルシクロヘキシル）−エトキシプロピル−１−マレイミド］、ポリ［（Ｓ）−（−）−１−（４−ｔ−ブチルシクロヘキシル）−エトキシプロピル−１−マレイミド］、ポリ［（Ｓ）−（−）−１−（２，３−ジ−ｔ−ブチルシクロヘキシル）−エトキシプロピル−１−マレイミド］、ポリ［（Ｓ）−（−）−１−（２，４−ジ−ｔ−ブチルシクロヘキシル）−エトキシプロピル−１−マレイミド］、ポリ［（Ｓ）−（−）−１−（２，５−ジ−ｔ−ブチルシクロヘキシル）−エトキシプロピル−１−マレイミド］、ポリ［（Ｓ）−（−）−１−（２，６−ジ−ｔ−ブチルシクロヘキシル）−エトキシプロピル−１−マレイミド］、ポリ［（Ｓ）−（−）−１−（３，４−ジ−ｔ−ブチルシクロヘキシル）−エトキシプロピル−１−マレイミド］、ポリ［（Ｓ）−（−）−１−（３，５−ジ−ｔ−ブチルシクロヘキシル）−エトキシプロピル−１−マレ
イミド］、ポリ［（Ｓ）−（−）−１−（２，４，６−トリ−ｔ−ブチルシクロヘキシル）−エトキシプロピル−１−マレイミド］、ポリ［（Ｓ）−（−）−１−（２，３，４，５−テトラ−ｔ−ブチルシクロヘキシル）−エトキシプロピル−１−マレイミド］、ポリ［（Ｓ）−（−）−１−（２，３，４，６−テトラ−ｔ−ブチルシクロヘキシル）−エトキシプロピル−１−マレイミド］、ポリ［（Ｓ）−（−）−１−（２，３，５，６−テトラ−ｔ−ブチルシクロヘキシル）−エトキシプロピル−１−マレイミド］、ポリ［（Ｓ）−（−）−１−（２，３，４，５，６−ペンタ−ｔ−ブチルシクロヘキシル）−エトキシプロピル−１−マレイミド］、ポリ［（Ｓ）−（−）−１−（２−メトキシシクロヘキシル）−エトキシプロピル−１−マレイミド］、ポリ［（Ｓ）−（−）−１−（３−メトキシシクロヘキシル）−エトキシプロピル−１−マレイミド］、ポリ［（Ｓ）−（−）−１−（４−メトキシシクロヘキシル）−エトキシプロピル−１−マレイミド］、ポリ［（Ｓ）−（−）−１−（２，３−ジメトキシシクロヘキシル）−エトキシプロピル−１−マレイミド］、ポリ［（Ｓ）−（−）−１−（２，４−ジメトキシシクロヘキシル）−エトキシプロピル−１−マレイミド］、ポリ［（Ｓ）−（−）−１−（２，５−ジメトキシシクロヘキシル）−エトキシプロピル−１−マレイミド］、ポリ［（Ｓ）−（−）−１−（２，６−ジメトキシシクロヘキシル）−エトキシプロピル−１−マレイミド］、ポリ［（Ｓ）−（−）−１−（３，４−ジメトキシシクロヘキシル）−エトキシプロピル−１−マレイミド］、ポリ［（Ｓ）−（−）−１−（３，５−ジメトキシシクロヘキシル）−エトキシプロピル−１−マレイミド］、ポリ［（Ｓ）−（−）−１−（２，４，６−トリメトキシシクロヘキシル）−エトキシプロピル−１−マレイミド］、ポリ［（Ｓ）−（−）−１−（２，３，４，５−テトラメトキシシクロヘキシル）−エトキシプロピル−１−マレイミド］、ポリ［（Ｓ）−（−）−１−（２，３，４，６−テトラメトキシシクロヘキシル）−エトキシプロピル−１−マレイミド］、ポリ［（Ｓ）−（−）−１−（２，３，５，６−テトラメトキシシクロヘキシル）−エトキシプロピル−１−マレイミド］、ポリ［（Ｓ）−（−）−１−（２，３，４，５，６−ペンタメトキシシクロヘキシル）−エトキシプロピル−１−マレイミド］、、ポリ［（Ｓ）−（−）−１−（２−エトキシシクロヘキシル）−エトキシプロピル−１−マレイミド］、ポリ［（Ｓ）−（−）−１−（３−エトキシシクロヘキシル）−エトキシプロピル−１−マレイミド］、ポリ［（Ｓ）−（−）−１−（４−エトキシシクロヘキシル）−エトキシプロピル−１−マレイミド］、ポリ［（Ｓ）−（−）−１−（２，３−ジエトキシシクロヘキシル）−エトキシプロピル−１−マレイミド］、ポリ［（Ｓ）−（−）−１−（２，４−ジエトキシシクロヘキシル）−エトキシプロピル−１−マレイミド］、ポリ［（Ｓ）−（−）−１−（２，５−ジエトキシシクロヘキシル）−エトキシプロピル−１−マレイミド］、ポリ［（Ｓ）−（−）−１−（２，６−ジエトキシシクロヘキシル）−エトキシプロピル−１−マレイミド］、ポリ［（Ｓ）−（−）−１−（３，４−ジエトキシシクロヘキシル）−エトキシプロピル−１−マレイミド］、ポリ［（Ｓ）−（−）−１−（３，５−ジエトキシシクロヘキシル）−エトキシプロピル−１−マレイミド］、ポリ［（Ｓ）−（−）−１−（２，４，６−トリエトキシシクロヘキシル）−エトキシプロピル−１−マレイミド］、ポリ［（Ｓ）−（−）−１−（２，３，４，５−テトラエトキシシクロヘキシル）−エトキシプロピル−１−マレイミド］、ポリ［（Ｓ）−（−）−１−（２，３，４，６−テトラエトキシシクロヘキシル）−エトキシプロピル−１−マレイミド］、ポリ［（Ｓ）−（−）−１−（２，３，５，６−テトラエトキシシクロヘキシル）−エトキシプロピル−１−マレイミド］、ポリ［（Ｓ）−（−）−１−（２，３，４，５，６−ペンタエトキシシクロヘキシル）−エトキシプロピル−１−マレイミド］等が挙げられる。
【００６０】
また、上記一般式（３）で示される光学活性ポリマレイミド誘導体としては、特に限定するものではないが、例えば、シクロペンチル基の２，３，４，５位のいずれかに１つの置換基を有する該化合物として、具体的には、ポリ｛Ｎ−［（１Ｓ，２Ｓ）−２−メチルシクロペンチル］マレイミド｝、ポリ｛Ｎ−［（１Ｓ，２Ｓ）−２−エチルシクロペンチル］マレイミド｝、ポリ｛Ｎ−［（１Ｓ，２Ｓ）−２−ｎ−プロピルシクロペンチル］マレイミド｝、ポリ｛Ｎ−［（１Ｓ，２Ｓ）−２−ｉ−プロピルシクロペンチル］マレイミド｝、ポリ｛Ｎ−［（１Ｓ，２Ｓ）−２−ｎ−ブチルシクロペンチル］マレイミド｝、ポリ｛Ｎ−［（１Ｓ，２Ｓ）−２−ｉ−ブチルシクロペンチル］マレイミド｝、ポリ｛Ｎ−［（１Ｓ，２Ｓ）−２−ｔ−ブチルシクロペンチル］マレイミド｝、ポリ｛Ｎ−［（１Ｓ，２Ｓ）−２−フェニルシクロペンチル］マレイミド｝、ポリ｛Ｎ−［（１Ｓ，２Ｓ）−２−ベンジルシクロペンチル］マレイミド｝、ポリ｛Ｎ−［（１Ｓ，２Ｓ）−２−（２−フェニルエチル）シクロペンチル］マレイミド｝、ポリ｛Ｎ−［（１Ｓ，２Ｓ）−２−メトキシシクロペンチル］マレイミド｝、ポリ｛Ｎ−［（１Ｓ，２Ｓ）−２−エトキシシクロペンチル］マレイミド｝、ポリ｛Ｎ−［（１Ｓ，２Ｓ）−２−ｎ−プロポキシシクロペンチル］マレイミド｝、ポリ｛Ｎ−［（１Ｓ，２Ｓ）−２−ｉ−プロポキシシクロペンチル］マレイミド｝、ポリ｛Ｎ−［（１Ｓ，２Ｓ）−２−ｎ−ブトキシシクロペンチル］マレイミド｝、ポリ｛Ｎ−［（１Ｓ，２Ｓ）−２−ｉ−ブトキシシクロペンチル］マレイミド｝、ポリ｛Ｎ−［（１Ｓ，２Ｓ）−２−ｔ−ブトキシシクロペンチル］マレイミド｝、ポリ｛Ｎ−［（１Ｓ，２Ｓ）−２−フェノキシシクロペンチル］マレイミド｝、ポリ｛Ｎ−［（１Ｓ，２Ｓ）−２−ベンジルオキシシクロペンチル］マレイミド｝、ポリ｛Ｎ−［（１Ｓ，２Ｓ）−２−（２−フェニルエトキシ）シクロペンチル］マレイミド｝、ポリ｛Ｎ−［（１Ｓ，２Ｓ）−２−アセチルシクロペンチル］マレイミド｝、ポリ｛Ｎ−［（１Ｓ，２Ｓ）−２−プロピオニルシクロペンチル］マレイミド｝、ポリ｛Ｎ−［（１Ｓ，２Ｓ）−２−ｎ−ブチリルシクロペンチル］マレイミド｝、ポリ｛Ｎ−［（１Ｓ，２Ｓ）−２−ｉ−ブチリルシクロペンチル］マレイミド｝、ポリ｛Ｎ−［（１Ｓ，２Ｓ）−２−ｎ−バレリルシクロペンチル］マレイミド｝、ポリ｛Ｎ−［（１Ｓ，２Ｓ）−２−ｉ−バレリルシクロペンチル］マレイミド｝、ポリ｛Ｎ−［（１Ｓ，２Ｓ）−２−ピバロイルシクロペンチル］マレイミド｝、ポリ｛Ｎ−［（１Ｓ，２Ｓ）−２−ベンゾイルシクロペンチル］マレイミド｝、ポリ｛Ｎ−［（１Ｓ，２Ｓ）−２−フェニルアセチルシクロペンチル］マレイミド｝、ポリ｛Ｎ−［（１Ｓ，２Ｓ）−２−（３−フェニルプロピオニル）シクロペンチル］マレイミド｝、ポリ｛Ｎ−［（１Ｓ，２Ｓ）−２−アセトキシシクロペンチル］マレイミド｝、ポリ｛Ｎ−［（１Ｓ，２Ｓ）−２−プロピオニルオキシシクロペンチル］マレイミド｝、ポリ｛Ｎ−［（１Ｓ，２Ｓ）−２−ｎ−ブチリルオキシシクロペンチル］マレイミド｝、ポリ｛Ｎ−［（１Ｓ，２Ｓ）−２−ｉ−ブチリルオキシシクロペンチル］マレイミド｝、ポリ｛Ｎ−［（１Ｓ，２Ｓ）−２−ｎ−バレリルオキシシクロペンチル］マレイミド｝、ポリ｛Ｎ−［（１Ｓ，２Ｓ）−２−ｉ−バレリルオキシシクロペンチル］マレイミド｝、ポリ｛Ｎ−［（１Ｓ，２Ｓ）−２−ピバロイルオキシシクロペンチル］マレイミド｝、ポリ｛Ｎ−［（１Ｓ，２Ｓ）−２−ベンゾイルオキシシクロペンチル］マレイミド｝、ポリ｛Ｎ−［（１Ｓ，２Ｓ）−２−フェニルアセトキシシクロペンチル］マレイミド｝、ポリ｛Ｎ−［（１Ｓ，２Ｓ）−２−（３−フェニルプロピオニルオキシ）シクロペンチル］マレイミド｝、ポリ｛Ｎ−［（１Ｓ，２Ｓ）−２−メトキシカルボニルシクロペンチル］マレイミド｝、ポリ｛Ｎ−［（１Ｓ，２Ｓ）−２−エトキシカルボニルシクロペンチル］マレイミド｝、ポリ｛Ｎ−［（１Ｓ，２Ｓ）−２−ｎ−プロポキシカルボニルシクロペンチル］マレイミド｝、ポリ｛Ｎ−［（１Ｓ，２Ｓ）−２−ｉ−プロポキシカルボニルシクロペンチル］マレイミド｝、ポリ｛Ｎ−［（１Ｓ，２Ｓ）−２−ｎ−ブトキシカルボニルシクロペンチル］マレイミド｝、ポリ｛Ｎ−［（１Ｓ，２Ｓ）−２−ｉ−ブトキシカルボニルシクロペンチル］マレイミド｝、ポリ｛Ｎ−［（１Ｓ，２Ｓ）−２−ｔ−ブトキシカルボニルシクロペンチル］マレイミド｝、ポリ｛Ｎ−［（１Ｓ，２Ｓ）−２−フェノキシカルボニルシクロペンチル］マレイミド｝、ポリ｛Ｎ−［（１Ｓ，２Ｓ）−２−ベンジルオキシカルボニルシクロペンチル］マレイミド｝、ポリ｛Ｎ−［（１Ｓ，２Ｓ）−２−（２−フェニルエトキシカルボニル）シクロペンチル］マレイミド｝、ポリ｛Ｎ−［（１Ｓ，２Ｓ）−２−Ｎ−アセチルアミノシクロペンチル］マレイミド｝、ポリ｛Ｎ−［（１Ｓ，２Ｓ）−２−Ｎ−プロピオニルアミノシクロペンチル］マレイミド｝、ポリ｛Ｎ−［（１Ｓ，２Ｓ）−２−Ｎ−ｎ−ブチリルアミノシクロペンチル］マレイミド｝、ポリ｛Ｎ−［（１Ｓ，２Ｓ）−２−Ｎ−ｉ−ブチリルアミノシクロペンチル］マレイミド｝、ポリ｛Ｎ−［（１Ｓ，２Ｓ）−２−Ｎ−ｎ−バレリルアミノシクロペンチル］マレイミド｝、ポリ｛Ｎ−［（１Ｓ，２Ｓ）−２−Ｎ−ｉ−バレリルアミノシクロペンチル］マレイミド｝、ポリ｛Ｎ−［（１Ｓ，２Ｓ）−２−Ｎ−ピバロイルアミノシクロペンチル］マレイミド｝、ポリ｛Ｎ−［（１Ｓ，２Ｓ）−２−Ｎ−ベンゾイルアミノシクロペンチル］マレイミド｝、ポリ｛Ｎ−［（１Ｓ，２Ｓ）−２−Ｎ−フェニルアセチルアミノシクロペンチル］マレイミド｝、ポリ｛Ｎ−［（１Ｓ，２Ｓ）−２−（Ｎ−３−フェニルプロピオニルアミノ）シクロペンチル］マレイミド｝、ポリ｛Ｎ−［（１Ｓ，２Ｓ）−２−Ｎ−メチルカルバモイルシクロペンチル］マレイミド｝、ポリ｛Ｎ−［（１Ｓ，２Ｓ）−２−Ｎ−エチルカルバモイルシクロペンチル］マレイミド｝、ポリ｛Ｎ−［（１Ｓ，２Ｓ）−２−Ｎ−ｎ−プロピルカルバモイルシクロペンチル］マレイミド｝、ポリ｛Ｎ−［（１Ｓ，２Ｓ）−２−Ｎ−ｉ−プロピルカルバモイルシクロペンチル］マレイミド｝、ポリ｛Ｎ−［（１Ｓ，２Ｓ）−２−Ｎ−ｎ−ブチルカルバモイルシクロペンチル］マレイミド｝、ポリ｛Ｎ−［（１Ｓ，２Ｓ）−２−Ｎ−ｉ−ブチルカルバモイルシクロペンチル］マレイミド｝、ポリ｛Ｎ−［（１Ｓ，２Ｓ）−２−Ｎ−ｔ−ブチルカルバモイルシクロペンチル］マレイミド｝、ポリ｛Ｎ−［（１Ｓ，２Ｓ）−２−Ｎ−フェニルカルバモイルシクロペンチル］マレイミド｝、ポリ｛Ｎ−［（１Ｓ，２Ｓ）−２−Ｎ−ベンジルカルバモイルシクロペンチル］マレイミド｝、ポリ｛Ｎ−［（１Ｓ，２Ｓ）−２−（Ｎ−２−フェニルエチルカルバモイル）シクロペンチル］マレイミド｝、ポリ｛Ｎ−［（１Ｓ，２Ｓ）−２−Ｎ−メチルカルバモイルオキシシクロペンチル］マレイミド｝、ポリ｛Ｎ−［（１Ｓ，２Ｓ）−２−Ｎ−エチルカルバモイルオキシシクロペンチル］マレイミド｝、ポリ｛Ｎ−［（１Ｓ，２Ｓ）−２−Ｎ−ｎ−プロピルカルバモイルオキシシクロペンチル］マレイミド｝、ポリ｛Ｎ−［（１Ｓ，２Ｓ）−２−Ｎ−ｉ−プロピルカルバモイルオキシシクロペンチル］マレイミド｝、ポリ｛Ｎ−［（１Ｓ，２Ｓ）−２−Ｎ−ｎ−ブチルカルバモイルオキシシクロペンチル］マレイミド｝、ポリ｛Ｎ−［（１Ｓ，２Ｓ）−２−Ｎ−ｉ−ブチルカルバモイルオキシシクロペンチル］マレイミド｝、ポリ｛Ｎ−［（１Ｓ，２Ｓ）−２−Ｎ−ｔ−ブチルカルバモイルオキシシクロペンチル］マレイミド｝、ポリ｛Ｎ−［（１Ｓ，２Ｓ）−２−Ｎ−フェニルカルバモイルオキシシクロペンチル］マレイミド｝、ポリ｛Ｎ−［（１Ｓ，２Ｓ）−２−Ｎ−ベンジルカルバモイルオキシシクロペンチル］マレイミド｝、ポリ｛Ｎ−［（１Ｓ，２Ｓ）−２−（Ｎ−２−フェニルエチルカルバモイルオキシ）シクロペンチル］マレイミド｝等が例示される。
【００６１】
また、上記一般式（３）で示される光学活性ポリマレイミド誘導体のうち、シクロペンチル基の２，３，４，５位のいずれかに２つの置換基を有する化合物としては、例えば、ポリ｛Ｎ−［（１Ｓ，２Ｓ，３Ｓ）−２，３−ジメチルシクロペンチル］マレイミド｝、ポリ｛Ｎ−［（１Ｓ，２Ｓ，３Ｓ）−２，３−ジエチルシクロペンチル］マレイミド｝、ポリ｛Ｎ−［（１Ｓ，２Ｓ，３Ｓ）−２，３−ジ−ｎ−プロピルシクロペンチル］マレイミド｝、ポリ｛Ｎ−［（１Ｓ，２Ｓ，３Ｓ）−２，３−ジ−ｉ−プロピルシクロペンチル］マレイミド｝、ポリ｛Ｎ−［（１Ｓ，２Ｓ，３Ｓ）−２，３−ジ−ｎ−ブチルシクロペンチル］マレイミド｝、ポリ｛Ｎ−［（１Ｓ，２Ｓ，３Ｓ）−２，３−ジ−ｉ−ブチルシクロペンチル］マレイミド｝、ポリ｛Ｎ−［（１Ｓ，２Ｓ，３Ｓ）−２，３−ジ−ｔ−ブチルシクロペンチル］マレイミド｝、ポリ｛Ｎ−［（１Ｓ，２Ｓ，３Ｓ）−２，３−ジメトキシシクロペンチル］マレイミド｝、ポリ｛Ｎ−［（１Ｓ，２Ｓ，３Ｓ）−２，３−ジエトキシシクロペンチル］マレイミド｝、ポリ｛Ｎ−［（１Ｓ，２Ｓ，３Ｓ）−２，３−ジ−ｎ−プロポキシシクロペンチル］マレイミド｝、ポリ｛Ｎ−［（１Ｓ，２Ｓ，３Ｓ）−２，３−ジ−ｉ−プロポキシシクロペンチル］マレイミド｝、ポリ｛Ｎ−［（１Ｓ，２Ｓ，３Ｓ）−２，３−ジ−ｎ−ブトキシシクロペンチル］マレイミド｝、ポリ｛Ｎ−［（１Ｓ，２Ｓ，３Ｓ）−２，３−ジ−ｉ−ブトキシシクロペンチル］マレイミド｝、ポリ｛Ｎ−［（１Ｓ，２Ｓ，３Ｓ）−２，３−ジ−ｔ−ブトキシシクロペンチル］マレイミド｝、ポリ｛Ｎ−［（１Ｓ，２Ｓ，４Ｓ）−２，３−ジメチルシクロペンチル］マレイミド｝、ポリ｛Ｎ−［（１Ｓ，２Ｓ，４Ｓ）−２，３−ジエチルシクロペンチル］マレイミド｝、ポリ｛Ｎ−［（１Ｓ，２Ｓ，４Ｓ）−２，３−ジ−ｎ−プロピルシクロペンチル］マレイミド｝、ポリ｛Ｎ−［（１Ｓ，２Ｓ，４Ｓ）−２，３−ジ−ｉ−プロピルシクロペンチル］マレイミド｝、ポリ｛Ｎ−［（１Ｓ，２Ｓ，４Ｓ）−２，３−ジ−ｎ−ブチルシクロペンチル］マレイミド｝、ポリ｛Ｎ−［（１Ｓ，２Ｓ，４Ｓ）−２，３−ジ−ｉ−ブチルシクロペンチル］マレイミド｝、ポリ｛Ｎ−［（１Ｓ，２Ｓ，４Ｓ）−２，３−ジ−ｔ−ブチルシクロペンチル］マレイミド｝、ポリ｛Ｎ−［（１Ｓ，２Ｓ，４Ｓ）−２，３−ジメトキシシクロペンチル］マレイミド｝、ポリ｛Ｎ−［（１Ｓ，２Ｓ，４Ｓ）−２，３−ジエトキシシクロペンチル］マレイミド｝、ポリ｛Ｎ−［（１Ｓ，２Ｓ，４Ｓ）−２，３−ジ−ｎ−プロポキシシクロペンチル］マレイミド｝、ポリ｛Ｎ−［（１Ｓ，２Ｓ，４Ｓ）−２，３−ジ−ｉ−プロポキシシクロペンチル］マレイミド｝、ポリ｛Ｎ−［（１Ｓ，２Ｓ，４Ｓ）−２，３−ジ−ｎ−ブトキシシクロペンチル］マレイミド｝、ポリ｛Ｎ−［（１Ｓ，２Ｓ，４Ｓ）−２，３−ジ−ｉ−ブトキシシクロペンチル］マレイミド｝、ポリ｛Ｎ−［（１Ｓ，２Ｓ，４Ｓ）−２，３−ジ−ｔ−ブトキシシクロペンチル］マレイミド｝等が挙げられる。
【００６２】
また、上記一般式（３）で示される光学活性ポリマレイミド誘導体のうち、シクロペンチル基の２，３，４，５位のいずれかに３つの置換基を有する化合物としては、例えば、ポリ｛Ｎ−［（１Ｓ，２Ｓ，３Ｓ，４Ｓ）−２，３，４−トリメチルシクロペンチル］マレイミド｝、ポリ｛Ｎ−［（１Ｓ，２Ｓ，３Ｓ，４Ｓ）−２，３，４−トリエチルシクロペンチル］マレイミド｝、ポリ｛Ｎ−［（１Ｓ，２Ｓ，３Ｓ，４Ｓ）−２，３，４−トリ−ｎ−プロピルシクロペンチル］マレイミド｝、ポリ｛Ｎ−［（１Ｓ，２Ｓ，３Ｓ，４Ｓ）−２，３，４−トリ−ｉ−プロピルシクロペンチル］マレイミド｝、ポリ｛Ｎ−［（１Ｓ，２Ｓ，３Ｓ，４Ｓ）−２，３，４−トリ−ｎ−ブチルシクロペンチル］マレイミド｝、ポリ｛Ｎ−［（１Ｓ，２Ｓ，３Ｓ，４Ｓ）−２，３，４−トリ−ｉ−ブチルシクロペンチル］マレイミド｝、ポリ｛Ｎ−［（１Ｓ，２Ｓ，３Ｓ，４Ｓ）−２，３，４−トリ−ｔ−ブチルシクロペンチル］マレイミド｝、ポリ｛Ｎ−［（１Ｓ，２Ｓ，３Ｓ，４Ｓ）−２，３，４−トリメトキシシクロペンチル］マレイミド｝、ポリ｛Ｎ−［（１Ｓ，２Ｓ，３Ｓ，４Ｓ）−２，３，４−トリエトキシシクロペンチル］マレイミド｝、ポリ｛Ｎ−［（１Ｓ，２Ｓ，３Ｓ，４Ｓ）−２，３，４−トリ−ｎ−プロポキシシクロペンチル］マレイミド｝、ポリ｛Ｎ−［（１Ｓ，２Ｓ，３Ｓ，４Ｓ）−２，３，４−トリ−ｉ−プロポキシシクロペンチル］マレイミド｝、ポリ｛Ｎ−［（１Ｓ，２Ｓ，３Ｓ，４Ｓ）−２，３，４−トリ−ｎ−ブトキシシクロペンチル］マレイミド｝、ポリ｛Ｎ−［（１Ｓ，２Ｓ，３Ｓ，４Ｓ）−２，３，４−トリ−ｉ−ブトキシシクロペンチル］マレイミド｝、ポリ｛Ｎ−［（１Ｓ，２Ｓ，３Ｓ，４Ｓ）−２，３，４−トリ−ｔ−ブトキシシクロペンチル］マレイミド｝、ポリ｛Ｎ−［（１Ｓ，２Ｓ，３Ｓ，５Ｓ）−２，３，４−トリメチルシクロペンチル］マレイミド｝、ポリ｛Ｎ−［（１Ｓ，２Ｓ，３Ｓ，５Ｓ）−２，３，４−トリエチルシクロペンチル］マレイミド｝、ポリ｛Ｎ−［（１Ｓ，２Ｓ，３Ｓ，５Ｓ）−２，３，４−トリ−ｎ−プロピルシクロペンチル］マレイミド｝、ポリ｛Ｎ−［（１Ｓ，２Ｓ，３Ｓ，５Ｓ）−２，３，４−トリ−ｉ−プロピルシクロペンチル］マレイミド｝、ポリ｛Ｎ−［（１Ｓ，２Ｓ，３Ｓ，５Ｓ）−２，３，４−トリ−ｎ−ブチルシクロペンチル］マレイミド｝、ポリ｛Ｎ−［（１Ｓ，２Ｓ，３Ｓ，５Ｓ）−２，３，４−トリ−ｉ−ブチルシクロペンチル］マレイミド｝、ポリ｛Ｎ−［（１Ｓ，２Ｓ，３Ｓ，５Ｓ）−２，３，４−トリ−ｔ−ブチルシクロペンチル］マレイミド｝、ポリ｛Ｎ−［（１Ｓ，２Ｓ，３Ｓ，５Ｓ）−２，３，４−トリメトキシシクロペンチル］マレイミド｝、ポリ｛Ｎ−［（１Ｓ，２Ｓ，３Ｓ，５Ｓ）−２，３，４−トリエトキシシクロペンチル］マレイミド｝、ポリ｛Ｎ−［（１Ｓ，２Ｓ，３Ｓ，５Ｓ）−２，３，４−トリ−ｎ−プロポキシシクロペンチル］マレイミド｝、ポリ｛Ｎ−［（１Ｓ，２Ｓ，３Ｓ，５Ｓ）−２，３，４−トリ−ｉ−プロポキシシクロペンチル］マレイミド｝、ポリ｛Ｎ−［（１Ｓ，２Ｓ，３Ｓ，５Ｓ）−２，３，４−トリ−ｎ−ブトキシシクロペンチル］マレイミド｝、ポリ｛Ｎ−［（１Ｓ，２Ｓ，３Ｓ，５Ｓ）−２，３，４−トリ−ｉ−ブトキシシクロペンチル］マレイミド｝、ポリ｛Ｎ−［（１Ｓ，２Ｓ，３Ｓ，５Ｓ）−２，３，４−トリ−ｔ−ブトキシシクロペンチル］マレイミド｝等が挙げられる。
【００６３】
また、上記一般式（３）で示される光学活性ポリマレイミド誘導体のうち、シクロペンチル基の２，３，４，５位のすべてに置換基を有する化合物としては、例えば、ポリ｛Ｎ−［（１Ｓ，２Ｓ，３Ｓ，４Ｓ，５Ｒ）−２，３，４，５−テトラメチルシクロペンチル］マレイミド｝、ポリ｛Ｎ−［（１Ｓ，２Ｓ，３Ｓ，４Ｓ，５Ｓ）−２，３，４，５−テトラエチルシクロペンチル］マレイミド｝、ポリ｛Ｎ−［（１Ｓ，２Ｓ，３Ｓ，４Ｓ，５Ｓ）−２，３，４，５−テトラ−ｎ−プロピルシクロペンチル］マレイミド｝、ポリ｛Ｎ−［（１Ｓ，２Ｓ，３Ｓ，４Ｓ，５Ｓ）−２，３，４，５−テトラ−ｉ−プロピルシクロペンチル］マレイミド｝、ポリ｛Ｎ−［（１Ｓ，２Ｓ，３Ｓ，４Ｓ，５Ｓ）−２，３，４，５−テトラ−ｎ−ブチルシクロペンチル］マレイミド｝、ポリ｛Ｎ−［（１Ｓ，２Ｓ，３Ｓ，４Ｓ，５Ｓ）−２，３，４，５−テトラ−ｉ−ブチルシクロペンチル］マレイミド｝、ポリ｛Ｎ−［（１Ｓ，２Ｓ，３Ｓ，４Ｓ，５Ｓ）−２，３，４，５−テトラ−ｔ−ブチルシクロペンチル］マレイミド｝、ポリ｛Ｎ−［（１Ｓ，２Ｓ，３Ｓ，４Ｓ，５Ｓ）−２，３，４，５−テトラメトキシシクロペンチル］マレイミド｝、ポリ｛Ｎ−［（１Ｓ，２Ｓ，３Ｓ，４Ｓ，５Ｓ）−２，３，４，５−テトラ−エトキシシクロペンチル］マレイミド｝、ポリ｛Ｎ−［（１Ｓ，２Ｓ，３Ｓ，４Ｓ，５Ｓ）−２，３，４，５−テトラ−ｎ−プロポキシシクロペンチル］マレイミド｝、ポリ｛Ｎ−［（１Ｓ，２Ｓ，３Ｓ，４Ｓ，５Ｓ）−２，３，４，５−テトラ−ｉ−プロポキシシクロペンチル］マレイミド｝、ポリ｛Ｎ−［（１Ｓ，２Ｓ，３Ｓ，４Ｓ，５Ｓ）−２，３，４，５−テトラ−ｎ−ブトキシシクロペンチル］マレイミド｝、ポリ｛Ｎ−［（１Ｓ，２Ｓ，３Ｓ，４Ｓ，５Ｓ）−２，３，４，５−テトラ−ｉ−ブトキシシクロペンチル］マレイミド｝、ポリ｛Ｎ−［（１Ｓ，２Ｓ，３Ｓ，４Ｓ，５Ｓ）−２，３，４，５−テトラ−ｔ−ブトキシシクロペンチル］マレイミド｝等が挙げられる。
【００６４】
本発明において、上記一般式（１）及び一般式（２）で示される光学活性ポリマレイミド誘導体には、上記したこれら（Ｓ）体のみならず、これらの鏡像体異性体も含まれ、また上記一般式（３）で示される光学活性ポリマレイミド誘導体には、上記したこれらジアステレオマーのみならず、他のジアステレオマーも含まれる。これらのうち、上記一般式（１）で示される光学活性マレイミド誘導体においては、置換基Ｒ１〜Ｒ５は全て水素原子であり、なお且つ置換基Ｒ６はメチル基であることが好ましく、上記一般式（２）で示される光学活性マレイミド誘導体においては、置換基Ｒ１〜Ｒ１１は全て水素原子であり、なお且つ置換基Ｒ１２はメチル基であることが好ましく、上記一般式（３）で示される光学活性マレイミド誘導体においては、置換基Ｘ１−Ｒ１〜Ｘ６−Ｒ６は全て水素原子であり、なお且つ置換基Ｘ７−Ｒ７、Ｘ８−Ｒ８のどちらか一方はベンジルオキシ基であり、残りは水素原子であることが好ましい。
【００６５】
本発明に用いられる光学活性ポリマレイミド誘導体は、その原料である光学活性マレイミド誘導体を不斉アニオン重合することにより調製することができる。不斉アニオン重合を行う際、その方法としては、特に限定するものではないが、例えば、光学活性マレイミド誘導体を溶剤に溶解させた後、不斉配位子及びアニオン重合触媒を添加し重合させる。
【００６６】
アニオン重合触媒としては、特に限定するものではないが、例えば、ｎ−ブチルリチウム、フルオレニルリチウム、ジエチル亜鉛、ジメチル亜鉛等の有機金属触媒が挙げられ、それらの使用量としては、反応に具する原料光学活性マレイミド誘導体に対して、通常０．１〜３０モル％の範囲で使用し、好ましくは２〜１０モル％の範囲内で使用する。
【００６７】
不斉アニオン重合に用いる不斉配位子としては、特に限定するものではないが、（−）−スパルテイン（以下、Ｓｐと略す）やビスオキサゾリン誘導体が好ましい。不斉アニオン重合に使用する前記不斉配位子の量としては、反応に使用するアニオン重合触媒に対して、理論的には等モル量の使用で良く、特に限定するものではないが、安定した反応を行うためには、１．０２〜１．５倍モル量使用することが好ましい。
【００６８】
不斉アニオン重合に適用可能な溶剤としては、反応に不活性なものであればあらゆるものが使用可能であり、特に限定するものではないが、具体的には、ジエチルエーテル、ジ−ｎ−プロピルエーテル、ジ−ｉ−プロピルエーテル、ジ−ｎ−ブチルエーテル、ジ−ｔ−ブチルエーテル、テトラヒドロフラン（以下、ＴＨＦと略す）等のエーテル系溶剤、ベンゼン、トルエン、キシレン、エチルベンゼン、メシチレン等の芳香族炭化水素系溶剤等が挙げられる。不斉アニオン重合に適用可能な溶剤の使用量としては、特に限定するものではないが、反応に使用する光学活性マレイミド誘導体に対して、重量で、通常２〜１００倍程度使用する。
【００６９】
不斉アニオン重合の反応温度は、反応条件により異なるため、特に限定するものではないが、通常−７８℃〜１００℃の範囲で実施可能であり、好ましくは−２０℃〜１０℃の範囲である。不斉アニオン重合の反応時間は、基質の種類、触媒種及び反応温度の違いにより異なるため、特に限定するものではないが、通常１時間〜１０００時間の範囲内で反応は完結する。
【００７０】
本発明において、上記一般式（１）、一般式（２）、又は一般式（３）で示される光学活性ポリマレイミド誘導体からなる分取用光学異性体分離剤としては、例えば、当該光学活性ポリマレイミド誘導体そのもの、当該光学活性ポリマレイミド誘導体を何らかの担体に物理的に吸着させ担持したもの、又は当該光学活性ポリマレイミド誘導体を担体に化学的に結合させ固定化したもの等が挙げられるが、分離剤の耐圧能力の向上、溶媒置換による膨潤、収縮の防止、分離条件の多様化、分離性能の向上等の目的のため、上記一般式（１）、一般式（２）、又は一般式（３）で示される光学活性ポリマレイミド誘導体を多孔質担体に物理的に吸着させ担持したものが分取用光学異性体分離剤として特に好ましい。
【００７１】
本発明の分取用光学異性体分離剤に用いられる多孔質担体は、特に限定するものでないが、例えば、多孔質有機担体又は多孔質無機担体を使用することができる。
【００７２】
多孔質有機担体としては、特に限定するものではないが、例えば、ポリアクリル酸、ポリアリルアルコール、ポリアクリルアミド、架橋ポリスチレン等が挙げられる。また、多孔質無機担体としては、特に限定するものではないが、例えば、シリカゲル、珪藻土、ヒドロキシアパタイト、アルミナ、酸化チタン、マグネシア、ポリシロキサン等が挙げられる。本発明においてはこれらのうちシリカゲルが特に好ましい。
【００７３】
担体の平均粒径は、通常１０μｍ〜５００μｍの範囲、好ましくは３０μｍ〜２００μｍの範囲である。平均粒径が１０．０μｍよりも小さいとカラムに充填し、通液した際の運転圧が上昇するおそれがあり、平均粒径が２００．０μｍよりも大きいと、理論段数が著しく低下するおそれがある。
【００７４】
担体の平均細孔径は、通常１ｎｍ〜１μｍの範囲、好ましくは１０ｎｍ〜３００ｎｍの範囲であり、担体の平均比表面積は、通常１ｍ２／ｇ〜１０００ｍ２／ｇの範囲、好ましくは１０ｍ２／ｇ〜３００ｍ２／ｇの範囲である。
【００７５】
担体としてシリカゲルを使用する場合には、シリカゲルの表面は残存シラノールの影響を排除するために、表面処理が施されていることが望ましいが、全く表面処理が施されていなくても問題なく使用することができる。好適な表面処理の方法としては、例えば、有機シラン化合物を用いたシラン化処理、ガラス化処理等を挙げることができる。
【００７６】
本発明の分取用光学異性体分離剤の製造方法は、特に限定するものではない。例えば、上記一般式（１）、一般式（２）、又は一般式（３）で示される光学活性ポリマレイミド誘導体を、良溶媒に溶解させ、担体を懸濁し、次いで蒸発、乾固することにより担持する方法や、当該光学活性ポリマレイミド誘導体の溶液を担体に塗布してから溶剤を留去する方法等によって好適に行うことができるが、ポリマーをシリカゲルの細孔内部まで均一に担持するため、光学活性ポリマレイミド誘導体の所要量の溶解溶液を複数に分割し、多孔質担体に光学活性ポリマレイミド誘導体の溶解溶液の一部を塗布し乾燥する工程を一工程とし、この工程を複数回繰り返して、所要量を担持させる方法が特に好ましい。
【００７７】
このとき、光学活性ポリマレイミド誘導体の溶解に使用される溶剤は、光学活性ポリマレイミド誘導体を溶解することができるものであれば、通常使用されている有機溶剤のいかなるものでも良く、特に限定するものではないが、これらのうち、テトラヒドロフラン、ジクロロメタン、クロロホルムが好ましい。
【００７８】
また、光学活性ポリマレイミド誘導体の担体に対する担持量比としては、用いる担体の種類、物性により異なるため、特に限定するものではないが、通常１ｗｔ％〜５０ｗｔ％の範囲、好ましくは３％〜２０％の範囲である。担持量比が３％未満であると、光学分割しようとする光学異性体混合物の種類、濃度によっては分離が不十分になるおそれがあり、担持量比が２０％を超えると、分離用カラムにおける理論段数の低下を引き起こすおそれがある。
【００７９】
本発明の分取用光学異性体分離剤は、液体クロマトグラフィー、超臨界クロマトグラフィー、薄層クロマトグラフィー、キャピラリー電気泳動等のクロマトグラフィー法や、膜分離による光学異性体分離に適用可能であるが、本発明の分取用光学異性体分離剤を、ガラス製、金属製等のカラムに充填し、液体クロマトグラフィー法へ応用することが特に好ましい。カラムとしては、例えば、光学純度測定を目的に使用される液体クロマトグラフィーの分析用カラムや、数ｍｇ〜数ｋｇの光学活性体取得を目的とする単カラム方式の液体クロマトグラフィーの分取用カラム等が挙げられるが、本発明の分取用光学異性体分離剤は、擬似移動床方式に代表される連続式液体クロマトグラフィーの分取用カラム等に特に好適に使用することができる。この擬似移動床式クロマトグラフィーを用いた光学異性体の分離方法は、分離対象である化合物に応じて有機溶媒を移動相とする順相系、及び水溶性溶媒を移動相とする逆相系の両方を採用することができる。更に、光学異性体混合物を分離するためには、超臨界流体を移動相とする超臨界流体クロマトグラフィーを用いることも可能である。
【００８０】
本発明の分取用光学異性体分離剤を用いて光学異性体を含む混合物から分離し、製造することのできる光学活性化合物としては、天然型、非天然型を問わず光学活性な部位を１カ所以上有する化合物であればよく、特に限定するものではないが、例えば、ケトン類、エステル類、ラクトン類、カルボン酸類、アミド類、ラクタム類、アミノ酸類、モノアルコール類、ジオール類、エーテル類、エポキシエーテル含有化合物、複素環類含有化合物、リン酸エステル類、スルホキシド類、チオラクトン類、カンファー類縁体、アミン類又はこれらの誘導体等が挙げられる。これらの中でも、分子構造に官能基としてカルボニル基をもつものに対して、本発明の分取用光学異性体分離剤は有効である。また光学異性体を含む混合物に含まれる光学活性化合物の光学純度は、製造効率上、取得を目的とする光学活性化合物の光学純度が高ければ高いほど好ましいが、低くても本発明の効果は発現するため、本発明の分取用光学異性体分離剤を問題なく使用することができる。
【実施例】
【００８１】
以下本発明を参考例、実施例により具体的に説明するが、本発明はこれらの実施例のみに限定されるものではない。
【００８２】
（旋光度の測定）
ＨＯＲＩＢＡ製ＳＥＰＡ−２００を使用した。
【００８３】
（平均分子量の測定）
ゲルパーミエーションクロマトグラフィー（東ソー製高速ＧＰＣシステム）によりポリスチレン換算で算出した。
【００８４】
参考例１  光学活性ポリ［（Ｓ）−（−）−１−フェニルエチル−１−マレイミド］の調製
マグネット攪拌子を入れた２５ｍｌのナス型フラスコに、ジエチル亜鉛１８５．４ｍｇ（１．５ｍｍｏｌ）、（−）−スパルテイン４２１．８ｍｇ（１．８ｍｍｏｌ）及び乾燥トルエン１１０ｍｌを仕込み、攪拌しながら−１３℃で３０分攪拌を行った後、この溶液に特開２００２−８８１２１号公報に記載の方法で得られた（Ｓ）−Ｎ−α−メチルベンジルマレイミド５．０ｇ（２５．０ｍｍｏｌ）を添加、さらに同温度で７２時間反応を行った。
【００８５】
反応終了後、反応液を５００ｍｌのメタノールに投入し、次いで析出物をろ取した。得られた赤色固体を１Ｎ塩酸で洗浄、次いで水洗した後、室温度で減圧下、乾燥することにより目的物の光学活性ポリ［（Ｓ）−（−）−１−フェニルエチル−１−マレイミド］５．０ｇを白色固体として得た（収率１００％）。
【００８６】
数平均分子量（Ｍｎ）＝２０．０×１０３，Ｍｗ／Ｍｎ＝９．４５
比旋光度［α］４３５２５＝２９７．０°（Ｃ＝１．０，ＣＨＣｌ３，ｌ＝１０ｃｍ）
参考例２  光学活性ポリ［（Ｓ）−（＋）−１−シクロヘキシルエチル−１−マレイミド］の調製
マグネット攪拌子を入れた５０ｍｌのナス型フラスコに、ジエチル亜鉛１９０ｍｇ（１．５１ｍｍｏｌ）、（−）−スパルテイン４２０ｍｇ（１．８１ｍｍｏｌ）及び乾燥トルエン６８ｍｌを仕込み、攪拌しながら−１１℃で３０分攪拌を行った後、この溶液に特開２００３−０６４０５４号公報に記載の方法で得られた（Ｓ）−（＋）−１−シクロヘキシルエチル−１−マレイミド５．２ｇ（２５．１ｍｍｏｌ）を添加、さらに同温度で９６時間反応を行った。
【００８７】
反応終了後、反応液を５００ｍｌのメタノールに投入し、次いで析出物をろ取した。得られた赤色固体を１Ｎ塩酸で洗浄、次いで水洗した後、室温度で減圧下、乾燥することにより目的物の光学活性ポリ［（Ｓ）−（＋）−１−シクロヘキシルエチル−１−マレイミド］５．１ｇを白色固体として得た（収率９８％）。
【００８８】
数平均分子量（Ｍｎ）＝２８．０×１０３，Ｍｗ／Ｍｎ＝３．２５
比旋光度［α］４３５２５＝１７０．０°（Ｃ＝１．０，ＣＨＣｌ３，ｌ＝１０ｃｍ）
参考例３  光学活性ポリ｛Ｎ−［（１Ｓ，２Ｓ）−２−ベンジルオキシシクロペンチル］マレイミド｝の調製
マグネット攪拌子を入れた５０ｍｌのナス型フラスコに、ジエチル亜鉛０．８２ｇ（６．６３ｍｍｏｌ）、（−）−スパルテイン１．８７ｇ（７．９６ｍｍｏｌ）及び乾燥トルエン２１４ｍｌを仕込み、攪拌しながら−１３℃で３０分攪拌を行った後、この溶液を特開２００４−３４６０１１号公報に記載の方法で得られたＮ−［（１Ｓ，２Ｓ）−２−ベンジルオキシシクロペンチル］マレイミド３０．０ｇ（１１０．６ｍｍｏｌ）の乾燥トルエン１８ｍｌ溶液を添加、さらに同温度で１６８時間反応を行った。
【００８９】
反応終了後、反応液を１０００ｍｌのメタノールに投入し、次いで析出物をろ取した。得られた赤色固体を１Ｎ塩酸で洗浄、次いで水洗した後、室温度で減圧下、乾燥することにより目的物の光学活性ポリ｛Ｎ−［（１Ｓ，２Ｓ）−２−ベンジルオキシシクロペンチル］マレイミド｝２７．５ｇを白色固体として得た（収率９２％）。
【００９０】
数平均分子量（Ｍｎ）＝２１．０×１０３，Ｍｗ／Ｍｎ＝１０．０
比旋光度［α］４３５２５＝１９３．４°（Ｃ＝１．０，ＣＨＣｌ３，ｌ＝１０ｃｍ）
実施例１    光学活性ポリ［（Ｓ）−（−）−１−フェニルエチル−１−マレイミド］１５％担持シリカゲルの調製
１００ｍｌのナス型フラスコに、参考例１で調製した光学活性ポリ［（Ｓ）−（−）−１−フェニルエチル−１−マレイミド］０．７５ｇ及びクロロホルム５０ｍｌ仕込み溶解させ、溶解液の２５ｍｌを、別の１００ｍｌのナス型フラスコに準備したシリカゲル（平均粒径５０μｍ、平均細孔径１００ｎｍ）４．２５ｇに添加し、次いでロータリーエバポレーターでクロロホルムを減圧留去した。続いて残りのポリマー溶解液２５ｍｌを同様に添加し、ロータリーエバポレーターでクロロホルムを減圧留去することにより、目的物の光学活性ポリ［（Ｓ）−（−）−１−フェニルエチル−１−マレイミド］１５％担持シリカゲル５．０ｇを得た。
【００９１】
実施例２  光学活性ポリ［（Ｓ）−（−）−１−シクロヘキシルエチル−１−マレイミド］１２．５％担持シリカゲルの調製
１００ｍｌのナス型フラスコに、参考例２で調製した光学活性ポリ［（Ｓ）−（−）−１−シクロヘキシルエチル−１−マレイミド］０．６２５ｇ及びクロロホルム５０ｍｌ仕込み溶解させ、溶解液の２５ｍｌを、別の１００ｍｌのナス型フラスコに準備したシリカゲル（平均粒径５０μｍ、平均細孔径１００ｎｍ）４．３７５ｇに添加し、次いでロータリーエバポレーターでクロロホルムを減圧留去した。続いて残りのポリマー溶解液２５ｍｌを同様に添加し、ロータリーエバポレーターでクロロホルムを減圧留去することにより、目的物の光学活性ポリ［（Ｓ）−（−）−１−シクロヘキシルエチル−１−マレイミド］１２．５％担持シリカゲル５．０ｇを得た。
【００９２】
実施例３  光学活性ポリ｛Ｎ−［（１Ｓ，２Ｓ）−２−ベンジルオキシシクロペンチル］マレイミド｝７．５％担持シリカゲルの調製
１００ｍｌのナス型フラスコに、参考例３で調製した光学活性ポリ｛Ｎ−［（１Ｓ，２Ｓ）−２−ベンジルオキシシクロペンチル］マレイミド｝０．３７５ｇ及びクロロホルム５０ｍｌ仕込み溶解させ、溶解液の２５ｍｌを、別の１００ｍｌのナス型フラスコに準備したシリカゲル（平均粒径５０μｍ、平均細孔径１００ｎｍ）４．６２５ｇに添加し、次いでロータリーエバポレーターでクロロホルムを減圧留去した。続いて残りのポリマー溶解液２５ｍｌを同様に添加し、ロータリーエバポレーターでクロロホルムを減圧留去することにより、目的物の光学活性ポリ｛Ｎ−［（１Ｓ，２Ｓ）−２−ベンジルオキシシクロペンチル］マレイミド｝７．５％担持シリカゲル５．１ｇを得た。
【００９３】
実施例４  光学活性ポリ［（Ｓ）−（−）−１−フェニルエチル−１−マレイミド］１５％担持シリカゲル充填カラムの調製
実施例１で得られた光学活性ポリ［（Ｓ）−（−）−１−フェニルエチル−１−マレイミド］１５％担持シリカゲル１５０ｇをイソプロパノール６００ｍｌに分散させた後、ガラス製の２５ｍｍＩＤ×５００ｍｍＬのカラムに中圧ポンプを用い、圧力３．１ＭＰａで充填した。得られたカラムの理論段数は２２００段であった。
理論段数の測定に当たっては、溶離液としてｎ−ヘキサン／イソプロパノール＝９０／１０（ｖｏｌ／ｖｏｌ）を用い、流速３０ｍｌ／ｍｉｎにおいて、トルエンの溶出により測定した。なお、理論段数は下式により算出した（以下同様）。
理論段数（Ｎ）＝５．５４×［Ｔｒ／（Ｗ１／２）］２
Ｔｒ＝保持時間（ｓｅｃ）
Ｗ１／２＝半値幅（ｍｍ）。
【００９４】
実施例５  光学活性ポリ［（Ｓ）−（−）−１−シクロヘキシルエチル−１−マレイミド］１２．５％担持シリカゲル充填カラムの調製
実施例２で得られた光学活性ポリ［（Ｓ）−（−）−１−シクロヘキシルエチル−１−マレイミド］１２．５％担持シリカゲル１５０ｇをイソプロパノール６００ｍｌに分散させた後、ガラス製の２５ｍｍＩＤ×５００ｍｍＬのカラムに中圧ポンプを用い、圧力３．１ＭＰａで充填した。得られたカラムの理論段数は２４００段であった。
【００９５】
実施例６  光学活性ポリ｛Ｎ−［（１Ｓ，２Ｓ）−２−ベンジルオキシシクロペンチル］マレイミド｝７．５％担持シリカゲル充填カラムの調製
実施例３で得られた光学活性ポリ｛Ｎ−［（１Ｓ，２Ｓ）−２−ベンジルオキシシクロペンチル］マレイミド｝７．５％担持シリカゲル１５０ｇをイソプロパノール６００ｍｌに分散させた後、ガラス製の２５ｍｍＩＤ×５００ｍｍＬのカラムに中圧ポンプを用い、圧力３．１ＭＰａで充填した。得られたカラムの理論段数は１８００段であった。
【００９６】
実施例７  グライアコールグリセリルエーテルの光学分割及び光学活性体の分取
実施例４で得られた、光学活性ポリ［（Ｓ）−（−）−１−フェニルエチル−１−マレイミド］１５％担持シリカゲル充填カラム（２５ｍｍＩＤ×５００ｍｍＬ）を中圧液体クロマトグラフィー装置（東ソー製マルチポンプＣＣＰＰ−Ｄ、紫外可視検出器ＵＶ−８０２０）に取り付け、室温中、移動相にｎ−ヘキサン／イソプロパノール＝９０／１０（ｖｏｌ／ｖｏｌ）を３０ｍｌ／ｍｉｎの流速で通液した。該カラムにグライアコールグリセリルエーテルのラセミ体（Ｓ体／Ｒ体＝５０／５０；光学純度＝０％ｅｅ）の濃度６４ｍｇ／ｍｌ（移動相と同じｎ−ヘキサン／イソプロパノール混合溶媒）の溶液を３ｍｌ注入することにより光学分割処理を行った。クロマトグラムのピーク検出の結果、グライアコールグリセリルエーテルをｋ１’＝２．０２、ｋ２’＝３．５５、α＝１．７６にて分離することができ、それぞれの画分を分取した。分取したグライアコールグリセリルエーテルのＳ体画分およびＲ体画分をそれぞれロータリーエバポレーターを用いて減圧下に移動相を留去することにより、（Ｓ）−グライアコールグリセリルエーテル９５．２ｍｇ（光学純度＝９９．９％ｅｅ）、および（Ｒ）−グライアコールグリセリルエーテル９４．３ｍｇ（光学純度＝９９．７％ｅｅ）を得た。なお、各分離データはは下式により算出した（以下同様）。
【００９７】
ｋ１’：最初に溶出するエナンチオマーの保持係数
ｋ１’＝（ｔ１−ｔ０）／ｔ０
（ｔ０は１，３，５−トリ−ｔｅｒｔ−ブチルベンゼンの値を使用）
ｋ２’：２番目に溶出するエナンチオマーの保持係数
ｋ２’＝（ｔ２−ｔ０）／ｔ０
（ｔ０は１，３，５−トリ−ｔｅｒｔ−ブチルベンゼンの値を使用）
α  ：分離係数
α＝ｋ２’／ｋ１’。
【００９８】
実施例８  ｔｒａｎｓ−２，３−エポキシ−１，３−ジフェニルプロパン−１−オンの光学分割及び光学活性体の分取
実施例５で得られた、光学活性ポリ［（Ｓ）−（−）−１−シクロヘキシルエチル−１−マレイミド］１２．５％担持シリカゲル充填カラム（２５ｍｍＩＤ×５００ｍｍＬ）を中圧液体クロマトグラフィー装置（東ソー製マルチポンプＣＣＰＰ−Ｄ、紫外可視検出器ＵＶ−８０２０）に取り付け、室温中、移動相にｎ−ヘキサン／イソプロパノール＝９０／１０（ｖｏｌ／ｖｏｌ）を３０ｍｌ／ｍｉｎの流速で通液した。該カラムにｔｒａｎｓ−２，３−エポキシ−１，３−ジフェニルプロパン−１−オンのラセミ体［（２Ｓ，３Ｒ）体／（２Ｒ，３Ｓ）体＝５０／５０；光学純度＝０％ｅｅ］の濃度８ｍｇ／ｍｌ（移動相と同じｎ−ヘキサン／イソプロパノール混合溶媒）の溶液を３ｍｌ注入することにより光学分割処理を行った。クロマトグラムのピーク検出の結果、ｔｒａｎｓ−２，３−エポキシ−１，３−ジフェニルプロパン−１−オンをｋ１’＝０．９３、ｋ２’＝５．３４、α＝５．７３にて分離することができ、それぞれの画分を分取した。分取したｔｒａｎｓ−２，３−エポキシ−１，３−ジフェニルプロパン−１−オンの（２Ｓ，３Ｒ）体画分および（２Ｒ，３Ｓ）体画分をそれぞれロータリーエバポレーターを用いて減圧下に移動相を留去することにより、（２Ｓ，３Ｒ）−ｔｒａｎｓ−２，３−エポキシ−１，３−ジフェニルプロパン−１−オン１１．２ｍｇ（光学純度＝９９．９％ｅｅ）、および（２Ｒ，３Ｓ）−ｔｒａｎｓ−２，３−エポキシ−１，３−ジフェニルプロパン−１−オン１１．０ｍｇ（光学純度＝９９．９％ｅｅ）を得た。
【００９９】
実施例９  フェニル−ｔｒａｎｓ−２，３−エポキシ−３（３−トリメチルアセトキシフェニル）プロピオネートの光学分割及び光学活性体の分取
実施例６で得られた、光学活性ポリ｛Ｎ−［（１Ｓ，２Ｓ）−２−ベンジルオキシシクロペンチル］マレイミド｝７．５％担持シリカゲル充填カラム（２５ｍｍＩＤ×５００ｍｍＬ）を中圧液体クロマトグラフィー装置（東ソー製マルチポンプＣＣＰＰ−Ｄ、紫外可視検出器ＵＶ−８０２０）に取り付け、室温中、移動相にｎ−ヘキサン／イソプロパノール＝９０／１０（ｖｏｌ／ｖｏｌ）を３０ｍｌ／ｍｉｎの流速で通液した。該カラムにフェニル−ｔｒａｎｓ−２，３−エポキシ−３（３−トリメチルアセトキシフェニル）プロピオネートのラセミ体［（２Ｓ，３Ｒ）体／（２Ｒ，３Ｓ）体＝５０／５０；光学純度＝０％ｅｅ］の濃度８ｍｇ／ｍｌ（移動相と同じｎ−ヘキサン／イソプロパノール混合溶媒）の溶液を３ｍｌ注入することにより光学分割処理を行った。クロマトグラムのピーク検出の結果、フェニル−ｔｒａｎｓ−２，３−エポキシ−３（３−トリメチルアセトキシフェニル）プロピオネートをｋ１’＝０．６１、ｋ２’＝２．８８、α＝４．６８にて分離することができ、それぞれの画分を分取した。分取したフェニル−ｔｒａｎｓ−２，３−エポキシ−３（３−トリメチルアセトキシフェニル）プロピオネートの（２Ｓ，３Ｒ）体画分および（２Ｒ，３Ｓ）体画分をそれぞれロータリーエバポレーターを用いて減圧下に移動相を留去することにより、（２Ｓ，３Ｒ）−フェニル−ｔｒａｎｓ−２，３−エポキシ−３（３−トリメチルアセトキシフェニル）プロピオネート１１．０ｍｇ（光学純度＝９９．９％ｅｅ）、および（２Ｒ，３Ｓ）−フェニル−ｔｒａｎｓ−２，３−エポキシ−３（３−トリメチルアセトキシフェニル）プロピオネート１０．６ｍｇ（光学純度＝９９．９％ｅｅ）を得た。